(57)【要約】【課題】遊技に興趣を与えることのできる遊技機を提供すること。【解決手段】屈曲部材７４０に形成される開口７４４の左右した側に入賞口４０６３を配設する。これにより、第１送球経路ＫＲ１と第２送球経路ＫＲ２との屈曲部分に球が連なった状態で送球され、先行する球に後行する球が追い付いて先行する球が後行する球に押圧されて開口７４４から遊技領域に払い出された際に、入賞口４０６３から球を入賞させることができる。よって、第１送球経路ＫＲ１及び第２送球経路ＫＲ２を通過して入賞される球だけでなく入賞口４０６３から入賞される経路を形成できる。その結果、遊技に興趣を与えることができる。【選択図】図５５
2020185470.tif 000002
【特許請求の範囲】
【請求項１】
球が通過可能な通路を形成する通路部材と、その通路部材の下流側に配置されると共に球の通過に伴って所定の特典を付与する第１特典付与手段と、を備えた遊技機において、
前記第１特典付与手段よりも上流側において前記通路部材の側壁に球が通過可能な大きさに開口形成される開口と、その開口から遊技領域に流出した球が通過可能に形成されると共に球の通過に伴って所定の特典を付与する第２特典付与手段とを備えることを特徴とする遊技機。
【請求項２】
前記通路部材は、そのの一部に形成される屈曲部を備え、前記開口は、前記屈曲部の側壁に開口形成されることを特徴とする請求項１記載の遊技機。
【請求項３】
正面側に遊技領域が形成される遊技盤を備え、前記通路部材の屈曲部のうちの少なくとも前記開口が形成される部分が前記遊技盤の正面側に配設されることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、球が通過可能な通路を形成する通路部材を備えた遊技機が知られている（特許文献１）。
【先行技術文献】
【特許文献】
【０００３】
【特許文献１】特開２０１５−９７７６４号公報
【発明の概要】
【発明が解決しようとする課題】
【０００４】
しかしながら、上述した遊技機では、遊技に興趣を付与することが困難であるという問題点があった。
【０００５】
本発明は、上記例示した問題点を解決するためになされたものであり、遊技に興趣を付与することができる遊技機を提供することを目的とする。
【課題を解決するための手段】
【０００６】
この目的を達成するために請求項１記載の遊技機は、球が通過可能な通路を形成する通路部材と、その通路部材の下流側に配置されると共に球の通過に伴って所定の特典を付与する第１特典付与手段と、を備えたものであり、前記第１特典付与手段よりも上流側において前記通路部材の側壁に球が通過可能な大きさに開口形成される開口と、その開口から遊技領域に流出した球が通過可能に形成されると共に球の通過に伴って所定の特典を付与する第２特典付与手段とを備える。
【０００７】
請求項２記載の遊技機は、請求項１記載の遊技機において、前記通路部材は、そのの一部に形成される屈曲部を備え、前記開口は、前記屈曲部の側壁に開口形成される。
【０００８】
請求項３記載の遊技機は、請求項２記載の遊技機において、正面側に遊技領域が形成される遊技盤を備え、前記通路部材の屈曲部のうちの少なくとも前記開口が形成される部分が前記遊技盤の正面側に配設される。
【発明の効果】
【０００９】
請求項１記載の遊技機によれば、遊技に興趣を付与することができる。
【００１０】
請求項２記載の遊技機によれば、請求項１記載の遊技機の奏する効果に加え、球詰まりの発生を抑制できる。
【００１１】
請求項３記載の遊技機によれば、請求項２記載の遊技機の奏する効果に加え、遊技の興趣を高めることができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】動作ユニットの正面斜視図である。
【図６】動作ユニットの分解正面斜視図である。
【図７】動作ユニットの正面図である。
【図８】動作ユニットの正面図である。
【図９】上下変位ユニットの正面図である。
【図１０】上下変位ユニットの背面図である。
【図１１】上下変位ユニットの正面斜視図である。
【図１２】上下変位ユニットの背面斜視図である。
【図１３】上下変位ユニットの正面斜視図である。
【図１４】上下変位ユニットの背面斜視図である。
【図１５】（ａ）は、上下変位ユニットの正面図であり、（ｂ）は、上下変位ユニットの背面図である。
【図１６】（ａ）は、上下変位ユニットの正面図であり、（ｂ）は、上下変位ユニットの背面図である。
【図１７】（ａ）は、上下変位ユニットの正面図であり、（ｂ）は、上下変位ユニットの背面図である。
【図１８】規制ユニットの分解正面斜視図である。
【図１９】ローラ部材の分解正面斜視図である。
【図２０】（ａ）は、規制ユニットの側面図であり、（ｂ）は、規制ユニットの背面図であり、（ｃ）は、図２０（ｂ）のＸＸｃ−ＸＸｃ線における規制ユニットの断面図である。
【図２１】第１位置における上下変位ユニットの正面図である。
【図２２】（ａ）は、図２１のＸＸＩＩ部における上下変位ユニットの拡大図であり、（ｂ）は、図２２（ａ）のＸＸＩＩｂ−ＸＸＩＩｂ線における上下変位ユニットの断面図である。
【図２３】（ａ）から（ｃ）は、上下変位ユニットの部分拡大正面図である。
【図２４】（ａ）は、図２３（ａ）のＸＸＩＶａ−ＸＸＩＶａ線における上下変位ユニットの断面図であり、（ｂ）は、図２３（ｂ）のＸＸＩＶｂ−ＸＸＩＶｂ線における上下変位ユニットの断面図であり、（ｃ）は、図２３（ｃ）のＸＸＩＶｃ−ＸＸＩＶｃ線における上下変位ユニットの断面図である。
【図２５】装飾部材の分解正面斜視図である。
【図２６】装飾部材の分解背面斜視図である。
【図２７】回転ユニットの分解正面斜視図である。
【図２８】回転ユニットの分解背面斜視図である。
【図２９】（ａ）は、回転ユニットの上面図であり、（ｂ）は、図２９（ａ）のＸＸＩＸｂ方向視における回転ユニットの正面図であり、（ｃ）は、図２９（ａ）のＸＸＩＸｃ−ＸＸＩＸｃ線における回転ユニットの断面図である。
【図３０】（ａ）は、中間部材の上面図であり、（ｂ）は、図３０（ａ）のＸＸＸｂ−ＸＸＸｂ線における中間部材の断面図である。
【図３１】（ａ）は、正面カバーの正面図であり、（ｂ）は、図３１（ａ）のＸＸＸＩｂ−ＸＸＸＩｂ線における正面カバーの部分拡大断面図である。
【図３２】（ａ）は、反射板の上面図であり、（ｂ）は、図３２（ａ）のＸＸＸＩＩｂ−ＸＸＸＩＩｂ線における反射板の部分拡大断面図である。
【図３３】（ａ）は、回転ユニットの上面図であり、図３３（ｂ）は、（ａ）のＸＸＸＩＩＩｂ−ＸＸＸＩＩＩｂ線における回転ユニットの断面図である。
【図３４】（ａ）及び（ｂ）は、図３３（ｂ）のＸＸＸＩＶ部における回転ユニットの部分拡大断面図である。
【図３５】（ａ）及び（ｂ）は、回転ユニットの正面図である。
【図３６】（ａ）及び（ｂ）は、回転ユニットの上面図である。
【図３７】センターフレームの分解正面斜視図である。
【図３８】センターフレームの分解背面斜視図である。
【図３９】（ａ）は、センターフレームの正面図であり、（ｂ）は、図３９（ａ）のＸＸＸＩＸｂ−ＸＸＸＩＸｂ線におけるセンターフレームの断面図である。
【図４０】（ａ）は、図３９（ａ）のＸＬａ−ＸＬａ線におけるセンターフレームの断面図であり、（ｂ）は、図３９（ａ）のＸＬｂ−ＸＬｂ線におけるセンターフレームの断面図である。
【図４１】（ａ）及び（ｂ）は、回転ユニットおよびセンターフレームの断面図である。
【図４２】振分け装置の分解正面斜視図である。
【図４３】振分け装置の部分拡大正面図である。
【図４４】図４３のＸＬＩＶ−ＸＬＩＶ線における振分け装置の断面図である。
【図４５】（ａ）は図４３のＸＬＶａ−ＸＬＶａ線における振分け装置の断面図であり、（ｂ）は、図４５（ａ）のＸＬＶｂ−ＸＬＶｂ線における振分け装置の断面図であり、（ｃ）は、図４３のＸＬＶｃ−ＸＬＶｃ線における振分け装置の断面図であり、（ｄ）は、図４５のＸＬＶｄ−ＸＬＶｄ線における振分け装置の断面図である。
【図４６】（ａ）は、振分け装置の断面図であり、（ｂ）は、振分け装置の断面図である。
【図４７】発光装飾ユニットの分解正面斜視図である。
【図４８】第２実施形態における規制ユニットの分解正面斜視図である。
【図４９】（ａ）は、規制ユニットの側面図であり、（ｂ）は、規制ユニットの背面図であり、（ｃ）は、図４９（ｂ）のＸＬＩＸｃ−ＸＬＩＸｃ線における規制ユニットの断面図である。
【図５０】（ａ）から（ｃ）は、上下変位ユニットの断面図である。
【図５１】第３実施形態における振分け装置の分解正面斜視図である。
【図５２】振分け装置の部分拡大正面図である。
【図５３】（ａ）は、図５２のＬＩＩＩａ−ＬＩＩＩａ線における振分け装置の断面図であり、（ｂ）は、図５２（ｂ）のＬＩＩＩｂ−ＬＩＩＩｂ線における振分け装置の断面図である。
【図５４】（ａ）及び（ｂ）は、振分け装置の断面図である。
【図５５】（ａ）は、第４実施形態における振分け装置の正面図であり、（ｂ）は、図５５（ａ）のＬＶｂ−ＬＶｂ線における振分け装置の断面図であり、（ｃ）は、図５５（ｂ）のＬＶｃ−ＬＶｃ線における振分け装置の断面図である。
【図５６】変形例としてのセンターフレーム６００の断面図である。
【発明を実施するための形態】
【００１３】
以下、本発明の実施形態について、添付図面を参照して説明する。まず、図１から図４７を参照し、第１実施形態として、本発明をパチンコ遊技機（以下、単に「パチンコ機」という）１に適用した場合の一実施形態について説明する。図１は、第１実施形態におけるパチンコ機１の正面図であり、図２はパチンコ機１の遊技盤１３の正面図であり、図３はパチンコ機１の背面図である。
【００１４】
図１に示すように、パチンコ機１は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１の前面から視認可能とされている。また、パチンコ機１においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６，６７、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２８】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３０】
また、第１図柄表示装置３７Ａ，３７Ｂは、ＬＥＤにより、パチンコ機１が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１の各種遊技状態を示唆することができる。
【００３１】
なお、本パチンコ機１では、第１入賞口６４，第２入賞口６４０のいずれかに入賞があったことを契機として抽選が行われる。パチンコ機１は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０に付随する第１電動役物６４０ａが開放される時間も変更され、通常中と比して長い時間が設定される。第１電動役物６４０ａが開放された状態（開放状態）にある場合は、その第１電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３５】
なお、確変中や時短中において、第２入賞口６４０に付随する第１電動役物６４０ａの開放時間を変更するのではなく、または、その開放時間を変更することに加えて、１回の当たりで第１電動役物６４０ａが開放する回数を通常中よりも増やす変更を行うものとしてもよい。また、確変中や時短中において、第２図柄の当たり確率は変更せず、第２入賞口６４０に付随する第１電動役物６４０ａが開放される時間および１回の当たりで第１電動役物６４０ａが開放する回数の少なくとも一方を変更するものとしてもよい。また、確変中や時短中において、第２入賞口６４０に付随する第１電動役物６４０ａが開放される時間や、１回の当たりで第１電動役物６４０ａおよび第２電動役物８２を開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６，６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム６００が配設されている。このセンターフレーム６００の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球が第１スルーゲート６６，６７を通過する毎に表示図柄（第２図柄（図示せず））としての「○」の図柄と「×」の図柄とを所定時間交互に点灯させる変動表示を行うものである。パチンコ機１では、球が第１スルーゲート６６，６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１は、第２図柄表示装置における変動表示が所定図柄（本実施形態においては「○」の図柄）で停止した場合に、第２入賞口６４０に付随された第１電動役物６４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の第１電動役物６４０ａが開放状態となる機会を遊技者に多く与えることができる。よって、確変中および時短中は、第２入賞口６４０へ球が入賞しやすい状態とすることができる。
【００４２】
なお、確変中または時短中において、当たり確率を高める、１回に当たりに対する第１電動役物６４０ａの開放時間や開放回数を増やすなど、その他の方法によっても、確変中または時短中に第２入賞口６４０および第３入賞口へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａの開放時間や開放回数を遊技状態にかかわらず一定にしてもよい。
【００４３】
第１スルーゲート６６、６７は、可変表示装置ユニット８０の両側の領域において遊技盤に組み付けられる。第１スルーゲート６６，６７は、遊技盤に発射された球のうち、遊技盤を流下する球の一部が通過可能に構成されている。第１スルーゲート６６，６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６，６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６，６７の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視下方には、球が入賞し得る第２入賞口６４０が配設されている。第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４９】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６，６７への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａが開放状態（拡大状態）となる回数が増える。更に、確変中または時短中は、第１電動役物６４０ａが開放される時間も、通常中より長くなる。よって、確変中または時短中は、通常時と比して、第２入賞口６４０へ球が入賞しやすい状態を作ることができる。
【００５１】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような第１電動役物６４０ａは有しておらず、球が常時入賞可能な状態となっている。
【００５２】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し、第１入賞口６４への入賞によって大当たり抽選の機会を多く得て、大当たりとなることを狙った方が、遊技者にとって有利となる。
【００５３】
一方、確変中や時短中は、第１スルーゲート６６，６７に球を通過させることで、第２入賞口６４０に付随する第１電動役物６４０ａが開放状態となりやすく、第２入賞口６４０に入賞しやすい状態であるので、第２入賞口６４０へ向けて、可変表示装置ユニット８０の右方を球が通過するように球を発射し、第１スルーゲート６６，６７を通過させて第１電動役物６４０ａを開放状態にすると共に、第２入賞口６４０への入賞によって１５Ｒ確変大当たりとなることを狙った方が、遊技者にとって有利となる。
【００５４】
このように、本実施形態のパチンコ機１は、パチンコ機１の遊技状態（確変中であるか、時短中であるか、通常中であるか）に応じて、遊技者に対し、球の発射の仕方を変えさせることができる。よって、遊技者に対して、球の打ち方に変化をもたらすことができるので、遊技を楽しませることができる。
【００５５】
第１入賞口６４の下側には可変入賞装置６５が配設されており、その略中央部分に横長矩形状の特定入賞口（大開放口）６５ａが設けられている。パチンコ機１においては、第１入賞口６４，第２入賞口６４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００５９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６０】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６１】
遊技盤１３には、球の落下方向を適宜分散、調整等するために多数の釘が植設されているとともに、風車等の各種部材（役物）とが配設されている。
【００６２】
図３に示すように、パチンコ機１の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１を初期状態に戻したい場合に電源投入時に操作される。
【００６８】
次に、図４を参照して、本パチンコ機１の電気的構成について説明する。図４は、パチンコ機１の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４４１，４５７が含まれる。
【００８１】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８２】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８４】
電源装置１１５は、パチンコ機１の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５から図８を参照して、動作ユニット２００の概略構成について説明する。図５は、動作ユニット２００の正面斜視図であり、図６は、動作ユニット２００の分解正面斜視図である。また、図７及び図８は、動作ユニット２００の正面図である。
【００８８】
なお、図７では、上下変位ユニット４００の左右両端に配設された変位部材４３０が、それぞれ退避位置に変位された状態が、図８では、上下変位ユニット４００の左右両端に配設された変位部材４３０がそれぞれ張出位置に変位された状態が、それぞれ図示される。
【００８９】
図５から図８に示すように、動作ユニット２００は、箱状に形成される背面ケース３００を備え、その背面ケース３００の内部空間には、その上方に上下変位ユニット４００が、下方に発光装飾ユニット８００が、それぞれ配設される。
【００９０】
背面ケース３００は、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【００９１】
上下変位ユニット４００は、背面ケース３００の底壁部３０１に配設される正面視略矩形に形成される背面ベース４２０と、その背面ベース４２０に変位可能に配設される変位部材４３０及び装飾部材４５０とを備え、これら変位部材４３０及び装飾部材４５０を、背面ケース３００の上方に退避する退避位置と、背面ケースの開口３０１ａ（即ち、第３図柄表示装置８１）の正面側に張り出す張出位置との間で変位させることができる（図７及び図８参照）。
【００９２】
この場合、装飾部材４５０には、回転ユニット５００が配設されており、回転ユニット５００を回転させると共に、回転ユニット５００に配設する照射ユニット５３０のＬＥＤを発光させることで、光の残像により模様や図柄を表示させることができる。かかる構造の詳細については後述する。
【００９３】
発光装飾ユニット８００は、ベース体８１０と、そのベース体８１０の正面側に配設される発光装置８２０とを主に備え、発光装置８２０の内部に配設された複数のＬＥＤ８２１から発光する光の様態（例えば、照射するＬＥＤ８２１の数）を変更することで、発光による演出を行う。なお、詳細については後述する。
【００９４】
次いで、図９から図４７を参照して、上下変位ユニット４００、回転ユニット５００、センターフレーム６００、振分け装置７００及び発光装飾ユニット８００の詳細構成を説明する。まず、図９から図２４を参照して、上下変位ユニット４００について説明する。
【００９５】
初めに、図９から図１４を参照して、上下変位ユニット４００の全体構成について説明する。図９は、上下変位ユニット４００の正面図であり、図１０は、上下変位ユニット４００の背面図である。図１１及び図１３は、上下変位ユニット４００の正面斜視図であり、図１２及び図１４は、上下変位ユニット４００の背面斜視図である。
【００９６】
図９から図１４に示すように、上下変位ユニット４００は、正面視略Ｌ字形状の正面ベース４１０とその正面ベース４１０の背面側に重ね合される背面ベース４２０と、正面ベース４１０の正面側に配置される駆動モータ４４１と、その駆動モータ４４１の駆動力により回転される変位部材４３０と、その変位部材４３０の一端側に連結されて変位部材４３０の変位に伴って上下方向（図９上下方向）に変位される装飾部材４５０と、正面ベース４１０の一端側の前方に配設される正面カバー４６０と、その正面カバー４６０と正面ベース４１０との対向間の隙間に配設されて装飾部材の摺動を案内する案内棒Ｐ１と、装飾部材４５０の左右方向端部に配設されて装飾部材４５０の変位を規制する側壁部材４７０と、正面ベース４１０の正面側に配設される回転規制部材４８０と、を主に備えて形成される。
【００９７】
なお、上下変位ユニット４００は、装飾部材４５０を除いたすべての部材が左右対称に一対配設され、その一対の対向間に装飾部材４５０が介設される。また、一対に配設される部材の詳細な説明は、正面視左側（図９左側）に配設される部材のみを説明し、正面視右側（図９右側）に配設される部材には、正面視左側の部材と同一の符号を付して、その説明は省略することとする。
【００９８】
正面ベース４１０は、正面視略Ｌ字形状の板状体から形成されると共に、略Ｌ字形状の長辺側を形成する第１片４１０Ｘと、略Ｌ字形状の短辺側を形成する第２片４１０Ｙとを主に備えて形成される。
【００９９】
第１片４１０Ｘは、その延設方向が上下方向（図９上下方向）と平行に配設される。また、第１片４１０Ｘは、左右方向外側端部（左側端部）の正面側に立設する立設部４１２と、上部に断面円弧状に凹設された上側凹溝４１３と、下部に断面円弧状に形成された下側凹溝４１４と、を主に備えて形成される。
【０１００】
立設部４１２は、後述する装飾部材４５０の摺動部４５１と当接して装飾部材４５０の後方への変位を規制する壁であり、第１片４１０Ｘの左側縁部の上部から下部に亘って形成される。
【０１０１】
上側凹溝４１３及び下側凹溝４１４は、その内側に後述する案内棒Ｐ１を内嵌する溝であり、案内棒Ｐ１の外径よりも大きな内径の半円弧状に凹設される。また、上側凹溝４１３及び下側凹溝４１４は、断面半円弧状に形成される軸が同一の直線上に位置して形成されると共に、上側凹溝４１３の上端部から下側凹溝４１４の下端部までの対向間の距離が、案内棒Ｐ１の軸方向寸法よりも大きく設定される。これにより、案内棒Ｐ１の両端部を上側凹溝４１３及び下側凹溝４１４に内嵌することができる。
【０１０２】
第２片４１０Ｙは、正面視縦長矩形に形成され、その中央部に前後方向に貫通する開口４１１と、背面側に突出する係合部４１５と、背面側に円柱形状に突出する軸支部４１６を主に備えて形成される。
【０１０３】
開口４１１は、正面ベース４１０の正面側に取着される駆動モータ４４１の軸部を正面ベース４１０の背面側に挿通するための開口であり、駆動モータ４４１の軸部に嵌合される伝達ギヤ４４２の外形よりも内径が大きく形成される。これにより、駆動モータ４４１が劣化等により故障した際には、駆動モータ４４１を正面ベース４１０から取り外して、開口４１１から伝達ギヤ４４２を上下変位ユニット４００から取り外すことができる。その結果、新しい駆動モータ４４１の軸部に伝達ギヤ４４２を取着した後に、伝達ギヤ４４２を開口４１１を挿通させて配置できるので、駆動モータ４４１の軸部を、正面ベース４１０と背面ベース４２０との対向間に配置された状態の伝達ギヤ４４３の軸孔に挿通させながら、駆動モータ４４１を正面ベース４１０に配置する場合に比べて、簡易に行うことができ、部品交換時の工数を削減することができる。また、この場合、駆動モータ４４１の軸部に伝達ギヤ４４３の軸孔を確実に嵌合させることができるので、部品交換した際の信頼性を向上することができる。
【０１０４】
係合部４１５は、後述するねじりバネＳＰ１の一端を係止するための突起であり、第２片４１０Ｙの背面側から突出すると共に、その突出先端が上下変位ユニット４００の左右方向中央側に屈曲した断面略Ｌ字形状に形成される。これにより、背面側への突出部分でねじりバネＳＰ１の軸周りの回転を規制すると共に、先端の屈曲部分でねじりバネＳＰ１の背面側への変位を規制することができる。
【０１０５】
軸支部４１６は、金属材料からなる円柱形状の棒部材であり、正面ベース４１０の背面側に一端側が嵌合される。
【０１０６】
駆動モータ４４１は、上下変位ユニット４００に駆動力を付与するモータであり、上述したように正面ベース４１０に配設されて、正面ベース４１０と背面ベース４２０との間に配設される伝達ギヤ４４２，４４３に駆動力を伝達することができる。
【０１０７】
伝達ギヤ４４２は、上述したように、軸孔が駆動モータ４４１の軸部に外嵌されて駆動モータ４４１に連結されるギヤであり、伝達ギヤ４４３と歯合して配設される。
【０１０８】
伝達ギヤ４４３は、その軸孔が正面ベース４１０の突起４１７を内嵌した状態で正面ベース４１０と背面ベース４２０との間に回転可能な状態で配設されるギヤであり、上述したように伝達ギヤ４４２と歯合した状態で配設される。よって、駆動モータ４４１の駆動力を伝達ギヤ４４２を介して、伝達ギヤ４４３に伝達できる。
【０１０９】
また、伝達ギヤ４４３は、背面側の側面にから突出する突起４４３ａを備える。突起４４３ａは、金属材料からなり、円柱形状に形成される棒部材であり、伝達ギヤ４４３の外周縁部に配設される。よって、上述したように駆動モータ４４１に駆動力が付与されて伝達ギヤ４４３が回転されると、突起４４３ａは、伝達ギヤ４４３の軸を中心とした円弧状に変位される。
【０１１０】
背面ベース４２０は、正面ベース４１０の第２片４１０Ｙの正面視形状と略同一の外形形状に形成される板部材であり、外縁部に正面側に立設する立設部４２１を備える。
【０１１１】
立設部４２１は、正面ベース４１０と背面ベース４２０との対向間に隙間を形成するための壁であり、立設距離が、変位部材４３０と伝達ギヤ４４３とを合わせた前後方向の寸法よりも大きい寸法に設定され、前方側の端面が正面ベース４１０の背面側に当接した状態で配設される。その結果、正面ベース４１０及び背面ベース４２０の対向間に伝達ギヤ４４２，４４３及び後述する変位部材４３０を配置する隙間を形成することができる。
【０１１２】
変位部材４３０は、正面視略Ｌ字形状に形成されると共に、その外縁部分が背面側に突出する略箱形状に形成される。また、変位部材４３０は、その屈曲部分に前後方向に円形に貫通形成される貫通孔４３３と、長辺側の一側に前後方向に貫通形成される装飾側摺動孔４３２と、短辺側の他側に前後方向に貫通形成される駆動側摺動孔４３１と、長辺側の一側に外縁部分の突出部から突出する変位側係合部４３４と、を主に備える。
【０１１３】
貫通孔４３３は、正面ベース４１０の軸支部４１６が挿入される孔であり、軸支部４１６の外径よりも大きい内径に形成される。よって、正面ベース４１０の軸支部４１６に貫通孔４３３を挿通した後に、正面ベース４１０と背面ベース４２０とが組み合されることで、正面ベース４１０に対して変位部材４３０を変位可能な状態で正面ベース４１０に配設することができる。
【０１１４】
駆動側摺動孔４３１は、伝達ギヤ４４３の突起４４３ａが挿通される長孔であり、短手方向の幅寸法が突起４４３ａの外径よりも大きく設定される。また、駆動側摺動孔４３１は、長手方向が変位部材４３０の短辺側の延設方向（長手方向）と同一方向に形成され、上述したように、伝達ギヤ４４３が駆動モータ４４１の駆動力により回転されると、伝達ギヤ４４３の突起４４３ａがその変位に伴って、駆動側摺動孔４３１の内側を摺動することで、変位部材４３０を貫通孔４３３を中心に回転させる。即ち、駆動モータ４４１を駆動させることで、変位部材４３０に貫通孔４３３を中心とした変位運動をさせることができる。
【０１１５】
装飾側摺動孔４３２は、後述する装飾部材４５０に配設されると共に円柱状に形成される支持部４５２ａが挿通される長孔であり、短手方向の幅寸法が支持部４５２ａの外径よりも大きく形成される。また、装飾側摺動孔４３２は、長手方向が変位部材４３０の長辺側の延設方向（長手方向）と同一方向に形成される。装飾側摺動孔４３２は、上述したように、変位部材４３０が貫通孔４３３を軸に回転されると、貫通孔４３３を中心とした円弧状の変位軌跡とされる。
【０１１６】
変位側係合部４３４は、後述するねじりバネＳＰ１の他端側を係合する突起であり、変位部材４３０の背面側に突設される外縁部分の内周面から突出して形成される。また、変位側係合部４３４は、正面視略Ｌ字に屈曲した変位部材４３０の屈曲内側の側面に形成される。これにより、変位側係合部４３４とが変位部材４３０の背面側との内側に、ねじりバネＳＰ１の他端側を係合させることができる。
【０１１７】
ねじりバネＳＰ１は、そのねじり部分が変位部材４３０の貫通孔４３３（正面ベース４１０の軸支部４１６）の周囲に配設されると共に、変位部材４３０の回転軸周りに正面視左回転（上下変位ユニット４００の正面視右側を構成する変位部材４３０には、その回転軸周りに正面視右回転）の付勢力を与えた状態で、一端側が正面ベース４１０の係合部４１５に、他端側が変位部材４３０の変位側係合部４３４に、それぞれ係合される。これにより、変位部材４３０は、正面ベース４１０に対して貫通孔４３３（正面ベース４１０の軸支部４１６）の軸周りに左回転（上下変位ユニット４００の正面視右側を構成する変位部材４３０は右回転）する方向に常に付勢される。
【０１１８】
装飾部材４５０は、上述したように、左右一対に構成される上下変位ユニット４００の一対の対向間に介設される部材であり、左右方向の大きさが、左右対称に配設される正面ベース４１０の左右方向の外側端部間の距離寸法と同一に設定される。
【０１１９】
装飾部材４５０は、下側が開放した正面視コ字状に形成され、その中央部分を構成する正面ベース４５２と、その正面ベース４５２の左右方向両端部に連結される摺動部４５１と、正面ベース４５２の背面を覆設する背面ベース４５３と、正面ベース４５２の正面側に回転可能に配置される回転ユニット５００と、を主に備えて形成される。
【０１２０】
正面ベース４５２は、正面視横長矩形状の板状体から形成されると共に、上下の端面が背面側に屈曲する断面コ字状に形成される。正面ベース４５２は、背面側から突出する支持部４５２ａと、左右方向両端部から正面側に突出する係合部４５２ｂと、左右方向両端の正面側に平滑に形成される当接面４５２ｈと、その当接面４５２ｈの下端に形成される傾斜面４５２ｇと、を主に備えて形成される。
【０１２１】
支持部４５２ａは、上述したように、変位部材４３０の装飾側摺動孔４３２に挿入される棒部材であり、円柱形状の棒状体に形成される。これにより、変位部材４３０がモータ４４１の駆動力により変位されて、変位部材４３０の装飾側摺動孔４３２が貫通孔４３３を軸に回転変位すると、装飾側摺動孔４３２の内部に挿入された支持部４５２ａが装飾側摺動孔４３２の変位に伴って変位される。その結果、支持部４５２ａが変位されることで、装飾部材４５０を変位させることができる。
【０１２２】
係合部４５２ｂは、後述する付勢ばねＳＰ２の他端が係合される突起であり、正面ベース４５２の両端部の正面側から鉤形状に突設される。
【０１２３】
当接面４５２ｈは、後述する規制ユニット４９０のローラ４９２ａと当接する平滑面であり、ローラ４９２ａが転動できる平滑な面に形成される。傾斜面４５２ｇは、当接面４５２ｈの下端部分に下方に向かって正面側から背面側に傾斜する面である。これにより、後述する規制ユニット４９０と装飾部材４５０とを当接させやすくできる。なお、規制ユニット４９０と装飾部材４５０との当接についての詳しい説明は後述する。
【０１２４】
摺動部４５１は、上下方向に延設された断面矩形状の棒状体であり、正面ベース４５２の左右両端部に連結して配設される。また、摺動部４５１は、上下方向に開口した貫通孔４５１ａを備える。貫通孔４５１ａは、内部に案内棒Ｐ１を挿通する開口であり、案内棒Ｐ１の外径よりも大きい内径の円形に形成される。
【０１２５】
これにより、駆動モータ４４１の駆動力により変位部材４３０が変位され、上述したように装飾部材４５０が変位されると、正面ベース４５２の両端に配設された摺動部４５１によりその変位の方向が規制される。その結果、装飾部材４５０は、案内棒Ｐ１の軸方向（上下方向）に沿って変位される。即ち、装飾部材４５０は、駆動モータ４４１から駆動力が付与されることで、上下方向にスライド変位することができる。
【０１２６】
背面ベース４５３は、左右方向略中央位置の正面ベース４５２の背面側に覆設される板部材であり、正面ベース４５２の中央部分と正面視における外形の大きさが略同一に形成される。これにより、正面ベース４５２と背面ベース４５３との内部空間にギヤ４５４〜４５６を回転可能に配設できる。また、背面ベース４５３の背面には、回転ユニット５００に回転の駆動力及び制御信号を出力する駆動モータ４５７が取着される。なお、ギヤ４５４〜４５６、駆動モータ４５７の詳しい説明は後述する。
【０１２７】
正面カバー４６０は、正面ベース４１０の第１片４１０Ｘの前方側に対向して配設され、第１片４１０Ｘの前方を覆設する部材であり、正面視において第１片４１０Ｘの外形形状と略同一の形状に形成される。正面カバー４６０は、その外側縁部から背面側に立設する立設壁４６１を備え、背面側が開放する箱状体に形成される。
【０１２８】
立設壁４６１は、上側を形成する側面から上方に突設される上側溝形成部材４６２と、下側を形成する側面から下方に突設される下側溝形成部材４６３と、を備える。
【０１２９】
上側溝形成部材４６２は、正面ベース４１０の上側凹溝４１３と対向する位置に形成されると共に、背面側に半円弧状に凹設される凹溝４６２ａが形成される。一方、下側溝形成部材４６３は、正面ベース４１０の下側凹溝４１４と対向する位置に形成されると共に、背面側に半円弧状に凹設される凹溝４６３ａが形成される。
【０１３０】
凹溝４６２ａ，４６３ａは、その内側に、案内棒Ｐ１を内嵌する溝であり、案内棒Ｐ１の外径よりも大きな内径の半円弧状に凹設される。また、凹溝４６２ａ，４６３ａは、半円弧状に凹設される軸が同一の直線上に形成されると共に、凹溝４６２ａの上端部から凹溝４６３ａの下端部までの対向間の距離が、案内棒Ｐ１の軸方向寸法よりも大きく設定される。これにより、案内棒Ｐ１の両端部を凹溝４６２ａ，４６３ａに内嵌することができる。
【０１３１】
従って、正面カバー４６０を、正面ベース４１０の前方に配設した際に、上側凹溝４１３及び凹溝４６２ａと下側凹溝４１４及び凹溝４６３ａとの対向間に案内棒Ｐを挟持することができ、正面ベース４１０に案内棒Ｐ１を脱落不能な状態で配設することができる。その結果、案内棒Ｐ１が挿通される装飾部材４５０の摺動部４５１を正面ベース４１０に対して脱落不可能に保持することができる。
【０１３２】
また、上下変位ユニット４００の左右方向外側に形成される正面カバー４６０の立設壁４６１と、正面ベース４１０の第１片４１０Ｘに形成される立設部４１２との前後方向の対向間の距離寸法は、装飾部材４５０の摺動部４５１の前後方向の厚み寸法と略同一、若しくは、少し大きく設定され、その対向間に摺動部４５１の左右方向外側の端部が配置される。これにより、上述したように、装飾部材４５０が上下方向に変位される際に、装飾部材４５０が前後方向にがたつくことを抑制することができる。
【０１３３】
側壁部材４７０は、上下変位ユニット４００の左右方向中央側の両端に配設される部材であり、側面視において背面側に屈曲した略Ｌ字形状の板状体から形成される。また、側壁部材４７０の正面側の端面には、左右方向外側に屈曲する壁面が形成され、その壁面に、後述する規制ユニット４９０が取着される。
【０１３４】
さらに、側壁部材４７０には、上下変位ユニット４００に対して左右方向（図９左右方向）中央側の側面に凹凸や色彩などにより模様が付されて、遊技者が遊技盤１３のセンターフレーム８６（図２参照）の中央の開口部を介してその側壁部材４７０の模様を視認可能に配設される。これにより、側壁部材４７０よりも左右方向外側に配設される上下変位ユニット４００（例えば、正面カバー４６０など）を遊技者から視認不能にできる。
【０１３５】
回転規制部材４８０は、正面視横長矩形の板状体から形成され、背面側に前後方向に軸を備える円環形状のローラ４８１が回転可能に取着される。また、回転規制部材４８０は、正面視においてその外形が正面ベース４１０の第２片４１０Ｙ外形に比べて略半分に形成され、正面ベース４１０の前方に所定の間隙を備えて配設される。
【０１３６】
回転規制部材４８０は、後述する回転ユニット５００を初期位置に復帰させる部材であり、ローラ４８１と上面ベース５１０とが当接することにより、回転ユニット５００の初期位置を規定することができる。
【０１３７】
付勢ばねＳＰ２は、正面ベース４１０と装飾部材４５０とを連結して、装飾部材４５０を上方に付勢するコイルスプリングであり、一端が正面ベース４１０の係合部４１８に係合されて、他端が装飾部材４５０の係合部４１２ｂに係合される。これにより、装飾部材４５０は、正面ベース４１０に対して常に上方に向かって付勢される。従って、後述する変位によって、装飾部材４５０が第２位置から第１位置に変位された際には、装飾部材４５０を第２位置へ変位させやすくすることができる。また、付勢ばねＳＰ２は、中央部でローラ４１９の外周面に沿って屈曲される。これにより、付勢ばねＳＰ２の長さを確保でき付勢力が増加しすぎることを抑制できる。
【０１３８】
次いで、以上のように構成された上下変位ユニット４００の動作について、図１５から図１７を参照して説明する。
【０１３９】
図１５から図１７の（ａ）は、上下変位ユニット４００の正面図であり、図１５（ａ）は上昇位置に配置された状態に、図１６（ａ）は上昇位置と下降位置との間に配置された状態に、図１７（ａ）は、下降位置に配置された状態に、それぞれ対応する。
【０１４０】
図１５（ｂ）は図１５（ａ）における、図１６（ｂ）は図１６（ａ）における、図１７（ｂ）は図１７（ａ）における、上下変位ユニット４００の背面図にそれぞれ対応する。なお、図１５（ｂ）、図１６（ｂ）及び図１７（ｂ）では、理解を容易とするために、背面ベース４２０を取り外した状態が図示される。
【０１４１】
図１５（ａ）及び図１５（ｂ）に示すように、上下変位ユニット４００が上昇位置に配置された状態（以下、この状態を「第２位置」と称す）では、変位部材４３０がその一側（装飾側摺動孔４３２が形成される長辺側）を上方に振り上げた状態とされ、装飾部材４５０が最上方に位置される。装飾部材４５０の支持部４５２ａは、変位部材４３０の装飾側摺動孔４３２の内側であって、貫通孔４３３の軸から径方向外側端部に近接して位置される。
【０１４２】
また、この状態では、変位部材４３０の一側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、変位部材４３０に連結される装飾部材４５０の重みで変位部材４３０が回転変位することを抑制することができる。
【０１４３】
図１５（ａ）及び図１５（ｂ）に示す状態から、一対の駆動モータ４４１がそれぞれ回転駆動され、各伝達ギヤ４４３が回転されると、その伝達ギヤ４４３の突起４４３ａが、変位部材４３０の駆動側摺動孔４３１を摺動して、左右の変位部材４３０をそれぞれ下方へ押し下げる。
【０１４４】
これにより、左右の変位部材４３０が、貫通孔４３３の軸を回転中心として回転され、図１６（ａ）及び図１６（ｂ）に示すように、装飾部材４５０が下方へ変位される。この状態から、一対の駆動モータ４４１の回転駆動により、各伝達ギヤ４４３が更に回転されると、左右の変位部材４３０が更に下方へ押し下げられて、図１７（ａ）及び図１７（ｂ）に示すように、装飾部材４５０が下降位置（以下、この状態を「第１位置」と称す）に配置される。
【０１４５】
図１７（ａ）及び図１７（ｂ）に示すように、上下変位ユニット４００が第１位置に配置された状態では、左右の変位部材４３０がその一側（駆動側摺動孔４３１が形成される短辺側）を下方に振り下げた姿勢とされることで、装飾部材４５０が最下方に位置し第３図柄表示装置８１（図２参照）の前面側に張りだされた状態とされる。
【０１４６】
また、この場合（上下変位ユニット４００が下降位置に配置された場合）、変位部材４３０の装飾側摺動孔４３２は、上下変位ユニット４００の左右方向中央部に向かって下方傾斜となり、貫通孔４３３から径方向外側の端部側に装飾部材４５０の支持部４５２ａの側面が当接される。これにより、支持部４５２ａには、装飾部材４５０の重みが、重力方向に変位する力と、上下変位ユニット４００の左右方向から中央部に向かう方向の力とを作用させることができる。その結果、後述する装飾部材４５０の回転ユニット５００の変位動作により、装飾部材４５０が上下左右方向にがたつくことを抑制することができる。
【０１４７】
さらに、変位部材４３０の他側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、装飾部材４５０が、後述する回転ユニット５００の変位動作により上下方向にがたついた際に、そのがたつきにより変位部材４３０が変位されることを抑制できる。その結果、装飾部材４５０ががたつくｌｐｔｐを抑制することができる。
【０１４８】
また、装飾部材４５０の両端部の前方に、規制ユニット４９０が配置される。これにより、装飾部材４５０の前後方向の変位を規制することができる。なお、規制ユニット４９０の詳しい説明は後述する。
【０１４９】
次いで、図１８から図２４を参照して規制ユニット４９０について説明する。
【０１５０】
初めに、図１８から図２０を参照して、規制ユニット４９０の全体構成を説明する。図１８は、規制ユニット４９０の分解正面斜視図であり、図１９は、ローラ部材４９２の分解正面斜視図である。図２０（ａ）は、規制ユニット４９０の側面図であり、図２０（ｂ）は、規制ユニット４９０の背面図であり、図２０（ｃ）は、図２０（ｂ）のＸＸｃ−ＸＸｃ線における規制ユニット４９０の断面図である。
【０１５１】
図１８から図２０に示すように、規制ユニット４９０は、背面側が開口する箱状に形成されるケース部材４９１と、そのケース部材４９１の内部に配設されるローラ部材４９２と、ケース部材４９１の開放した（開口側の）外縁に配設される外縁部材４９３と、を主に備えて形成される。
【０１５２】
ケース部材４９１は、正面側の側面から突設する突設部４９１ａと、左右方向両側の側面に半円形状に切り欠かれる切欠き部４９１ｂと、開口と対向する内側側面から背面側に膨出する膨出部４９１ｃと、を主に備えて形成される。
【０１５３】
突設部４９１ａは、上述した側壁部材４７０にケース部材４９１を締結するための突起であり、正面側に締結孔が穿設され、その締結孔に正面側から側壁部材４７０を介してねじを締結することで、側壁部材４７０に規制ユニット４９０を配設することができる。
【０１５４】
切欠き部４９１ｂは、ケース部材４９１の左右方向両側の側面に上下方向に２つ並んで半円形状に切り欠かれて形成される。切欠き部４９１ｂは、内部にローラ部材４９２のカラー４９２ｃを挿入するための切り欠きであり、その内径がローラ部材４９２のカラー４９２ｃの外径よりも大きく設定される。
【０１５５】
膨出部４９１ｃは、ケース部材４９１の開放側と対向する側面（正面壁の背面）の上下方向（図２０（ｃ）上下方向）中央よりも下方側から膨出して形成される。また、膨出部４９１ｃは、ローラ部材４９２のローラ４９２ａとの間に所定の隙間を備える。
【０１５６】
ローラ部材４９２は、弾性部材から軸直断面視円環形状に形成されるローラ４９２ａと、そのローラ４９２ａの内部に挿入される軸部４９２ｂと、軸部４９２ｂに軸支されると共にローラ４９２ａの両側に配設される一対のカラー４９２ｃと、そのカラー４９２ｃよりも外側の軸部４９２ｂに外嵌される一対の止め輪Ｅ１と、を備えて構成される。
【０１５７】
軸部４９２ｂは、ローラ４９２ａの内周に挿通される部材であり、ローラ４９２ａの内周の内径と略同一の円柱形状に形成されると共に、軸方向寸法がケース部材４９１の左右方向の側面間の幅寸法よりも大きく設定される。また、軸部４９２ｂの軸方向両端部には、軸方向に凹設される凹部４９２ｂ１が形成される。凹部４９２ｂ１は、軸部４９２ｂの全周に亘って形成され、軸方向の外径が、後述する止め輪Ｅ１の内径よりも小さく形成される。
【０１５８】
カラー４９２ｃは、正面視円環形状に形成されると共に、断面略階段形状に形成され、小径筒部４９２ｃ１とその小径筒部４９２ｃ１よりも外径の大きい大径筒部４９２ｃ２とから形成される。また、カラー４９２ｃの内径（小径筒部４９２ｃ１及び大径筒部４９２ｃ２の内径）は、軸部４９２ｂの外径よりも小さく形成され、内部に軸部４９２ｂを挿通することができる。
【０１５９】
小径筒部４９２ｃ１は、ケース部材４９１の切欠き部４９１ｂに内嵌される部分であり、上述したように、小径筒部４９２ｃ１の外径がケース部材４９１の切欠き部４９１ｂの内径よりも大きく形成される。
【０１６０】
大径筒部４９２ｃ２は、ローラ部材４９２がケース部材４９１に配設された際に、左右方向の変位を規制するための部材であり、大径筒部４９２ｃ２の外径がケース部材４９１の切欠き部４９１ｂの内径よりも大きく設定される。また、ローラ４９２ａの軸方向両端に配設される一対の大径筒部４９２ｃ２の軸方向外側の側面間の距離寸法は、ケース部材４９１の開口する内側における左右の側面の対向間の距離寸法よりも小さく形成される。
【０１６１】
止め輪Ｅ１は、Ｅリング（Ｅ型止め輪）であり、軸部４９２ｂの凹部４９２ｂ１に、開口部分を広げて凹部４９２ｂ１の周囲にはめ込まれる。即ち、止め輪Ｅ１の内周の内径は、凹部４９２ｂ１の外径と略同一に設定される。
【０１６２】
以上のように構成されるローラ部材４９２は、次のようにして組み立てられる。まず、軸部４９２ｂの一方の端部側の凹部４９２ｂ１に止め輪Ｅ１を外嵌した後に、他方の端部から１のカラー４９２ｃに小径筒部４９２ｃ１を一方側（止め輪Ｅ１を外嵌した側）に向けた状態で軸部４９２ｂを挿通させる。次に、軸部４９２ｂに他方の端部からローラ４９２ａを挿通させた後に、１のカラー４９２ｃを大径筒部４９２ｃ２を一方側に向けた（止め輪Ｅ１を外嵌した側）状態で軸部４９２ｂに挿通させる。その後、軸部４９２ｂの他方側の凹部４９２ｂ１に１の止め輪Ｅ１を外嵌する。
【０１６３】
これにより、一対の止め輪Ｅ１の対向間の軸部４９２ｂに軸支されるローラ４９２ａ及び一対のカラー４９２ｃは、止め輪Ｅ１により左右方向の変位が規制される。その結果、ローラ４９２ａ及び一対のカラー４９２ｃを軸部４９２ｂから外れないようにできる。
【０１６４】
外縁部材４９３は、正面視縦長矩形状の枠状体に形成され、ケース部材４９１の背面側（開放側）に配設される部材である。外縁部材４９３は、正面視における内周の形状がケース部材４９１の背面視における開口の内周の形状と略同一の形状に形成される。また、外縁部材４９３の正面側（ケース部材４９１側）の側面には、内縁部の周囲に正面側に立設する立設部４９３ａが形成される。
【０１６５】
立設部４９３ａには、背面側に凹設される凹設部４９３ａ１が形成される。凹設部４９３ａ１は、ケース部材４９１の切欠き部４９１ｂと対向する位置に形成される。よって、ローラ部材４９２のカラー４９２ｃをケース部材４９１の切欠き部４９１ｂと凹設部４９３ａ１との対向間に挟み込むことで、ローラ部材４９２をケース部材４９１に配設することができる。
【０１６６】
以上のように構成されるローラ部材４９２は、次のようにして組み立てられる。初めに、ケース部材４９１の切欠き部４９１ｂに、ローラ部材４９２の軸方向両端部に配設されたカラー４９２ｃを軸支する様態で上下に２つ配設する。次に、ケース部材４９１の背面側から外縁部材４９３を立設部４９３ａ側を正面側にした（ケース部材４９１側に向けた）状態で、ケース部材４９１に締結固定する。これにより、ローラ部材４９２がケース部材４９１に対して回転可能に配設されると共に、ケース部材４９１から落下することを抑制することができる。
【０１６７】
次に、図２１から図２４を参照して、規制ユニット４９０の動作について説明する。
【０１６８】
図２１は、第１位置における上下変位ユニット４００の正面図である。図２２（ａ）は、図２１のＸＸＩＩ部における上下変位ユニット４００の拡大図であり、図２２（ｂ）は、図２２（ａ）のＸＸＩＩｂ−ＸＸＩＩｂ線における上下変位ユニット４００の断面図である。なお、図２２（ａ）では、ローラ４９２ａ及び装飾部材４５０の外形が破線で図示される。
【０１６９】
図２３（ａ）から図２３（ｃ）は、上下変位ユニット４００の部分拡大正面図であり、図２４（ａ）は、図２３（ａ）のＸＸＩＶａ−ＸＸＩＶａ線における上下変位ユニット４００の断面図であり、図２４（ｂ）は、図２３（ｂ）のＸＸＩＶｂ−ＸＸＩＶｂ線における上下変位ユニット４００の断面図であり、図２４（ｃ）は、図２３（ｃ）のＸＸＩＶｃ−ＸＸＩＶｃ線における上下変位ユニット４００の断面図である。なお、図２３（ａ）から図２３（ｃ）は、上下変位ユニット４００の遷移状態が図示され、ローラ４９２ａ及び装飾部材４５０の外形が破線で図示される。
【０１７０】
図２１及び図２２に示すように、上下変位ユニット４００が第１位置に位置する際には、装飾部材４５０が下方に位置される。この場合、上述したように、装飾部材４５０の両端部は、規制ユニット４９０の背面側に位置される。
【０１７１】
この場合、装飾部材４５０が第１位置に配置され、後述する回転ユニット５００が回転されると、その回転変位に伴って、装飾部材４５０が正面ベース４１０に対してがたつくことがある。そこで、装飾部材４５０と正面ベース４１０とを係合させる係合手段を設け、がたつきを抑制するものがある。係合手段は、装飾部材４５０又は正面ベース４１０の一方に配設され付勢手段により付勢される係合部材と、その係合部材に係合可能に形成されると共に装飾部材４５０又は正面ベース４１０の他方に配設される被係合部材とを備え、正面ベース４１０に対する装飾部材４５０の変位（第１位置へ向かう変位）を利用して、係合部材を付勢手段の付勢力に抗しつつ後退させ、装飾部材４５０が第１位置に配置されると、係合部材を付勢手段の付勢力で前進させて被係合部材に係合させる。これにより、正面ベース４１０に対する本体部材の相対的な変位が係合手段の係合により規制され、変位部材の変位に伴う本体部材のベース部材に対するがたつきが抑制される。
【０１７２】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（装飾部材４５０を第１位置から第２位置へ向けて変位させる）際にも、付勢手段の付勢力に抗して係合部材を後退させる必要があり、装飾部材４５０を正面ベース４１０に対して変位させる際に必要な駆動力が嵩むという問題点があった。
【０１７３】
これに対し、本実施形態では、装飾部材４５０の正面ベース４５２の当接面４５２ｈが、規制ユニット４９０のローラ４９２ａと当接した様態とされるので、正面ベース４１０の相対的な変位を規制して、回転ユニット５００の回転変位に伴う装飾部材４５０の正面ベース４１０に対するがたつきを抑制できる。
【０１７４】
この場合、装飾部材４５０が第１位置へ配置されるされる際の変位方向と規制ユニット４９０のローラ部材４９２の回転方向とが略平行に設定されるので、装飾部材４５０を第１位置へ変位させる際には、その変位に伴って規制ユニット４９０のローラ部材４９２を回転されることができるので、装飾部材４５０を正面ベース４１０に対して変位させるされ位に必要な駆動力を抑制できる。
【０１７５】
また、ローラ４９２ａは、上述したように弾性変形可能な弾性体から形成されるので、正面ベース４５２の当接面４５２ｈに規制ユニット４９０のローラ４９２ａが当接される際には、ローラ４９２ａの外周面側を弾性変形させて、正面ベース４５２にローラ４９２ａを保持させやすくできる。これにより、ローラ４９２ａを回転し難くして装飾部材４５０の正面ベース４１０に対するがたつきを抑制できる。
【０１７６】
なお、弾性体としては、ゴムやウレタンなどに例示される粘弾性体であることが好ましい。この場合には、その制振効果によって、回転ユニット５００の変位に伴い装飾部材４５０から正面ベース４１０へ入力される振動を減衰・絶縁させる振動減衰機能または振動絶縁機能を果たすことができ、正面ベース４１０側に配設される各種機器の摩耗や故障、締結部の緩みなどを抑制できるからである。特に、回転ユニット５００が周期的に変位される場合（例えば、バーサライタとして機能するために、比較的高速で回転される場合など）には、比較的小振幅かつ高周波数の振動が装飾部材４５０から正面ベース４１０へ入力されるため、粘弾性体を採用することが特に有効となる。
【０１７７】
また、装飾部材４５０と規制ユニット４９０（ローラ４９２ａ）とが当接した際に、ローラ４９２ａが弾性変形される分、上下変位ユニット４００の製品精度および組み付け誤差を吸収することができる。よって、部品を成形する際の精度を高くする必要がなくなり、部品の製造コストを安価にすることができる。その結果、製品の製造コストを削減することができる。
【０１７８】
さらに、装飾部材４５０と規制ユニット４９０（ローラ４９２ａ）とが当接する際の衝突音をローラ４９２ａの弾性変形により吸収できるので、遊技者に、装飾部材４５０が変位する際の音が聞こえることを抑制することができ、遊技者の興趣を損なうことを抑制することができる。また、ローラ４９２ａの回転軸方向は、装飾部材４５０の変位方向と直交する向きであるので、装飾部材４５０の変位に伴ってローラ４９２ａを回転させることができ、装飾部材４５０とローラ４９２ａとが当接して変位する際に、互いの部材がこすれる音を抑制できる。即ち、変位部材に突起を当接させて変位部材の停止の補助やがたつきを抑制するものであると、変位部材が突起とが当接状態で変位する際に互いの部材が擦れ合って音が発生する。
【０１７９】
これに対し、本実施形態では、ローラ４９２ａと装飾部材４５０とを当接させた後で、ローラ４９２ａを装飾部材４５０の変位方向に沿って回転させることができるので、ローラ４９２ａと装飾部材４５０とが擦れることを抑制でき、装飾部材４５０とローラ４９２ａとが擦れる音を発生することを抑制できる。
【０１８０】
また、正面ベース４１０に対する装飾部材４５０の規制が、正面ベース４１０に締結固定される側壁部材４７０の規制ユニット４９０により可能であるので、装飾部材４５０に比較的重量が嵩む規制ユニット４９０を配設する必要がない分、装飾部材４５０を軽量化して装飾部材４５０の変位に必要な駆動力を抑制できる、また、回転ユニット５００の変位に伴う装飾部材４５０の正面ベース４１０に対するがたつきを抑制する際には、振動源となる装飾部材４５０を軽量化できるので、がたつきを抑制しやすくできる。
【０１８１】
次に、図２３及び図２４を参照して、装飾部材４５０が第２位置から第１位置に変位する際の、装飾部材４５０と規制ユニット４９０との当接様態を説明する。
【０１８２】
図２３（ａ）及び図２４（ａ）に示すように、装飾部材４５０が、規制ユニット４９０よりも上方に位置する際には、ローラ４９２ａの外周面は、装飾部材４５０やケース部材４９１と当接することなく配置される。
【０１８３】
図２３（ａ）及び図２４（ａ）に示す状態から、装飾部材４５０が下方に変位されて、図２３（ｂ）及び図２４（ｂ）に示すように、装飾部材４５０の下端面がケース部材４９１の上下方向略中間位置と略同一の上下方向の位置に変位された際には、規制ユニット４９０の上方に配設されるローラ４９２ａの外周面と、装飾部材４５０の前面とが当接した状態とされる。これにより、装飾部材４５０が、前後左右にがたつくことを抑制することができる。
【０１８４】
即ち、上側に配設されるローラ４９２ａが、装飾部材４５０に押し出されて径方向に変位されつつ回転して、装飾部材４５０と前後方向（図２４（ｂ）左右方向）に当接した様態とされるので、装飾部材４５０が前後方向にがたつくことを抑制される。また、ローラ４９２ａは、軸部４９２ｂの軸周りの一方向に回転可能であり、装飾部材４５０が左右に動く方向には回転することができないので、装飾部材４５０が左右方向にがたつくことを抑制することができる。
【０１８５】
一方、ローラ４９２ａは、軸部４９２ｂの軸周りに回転可能であるので、ローラ４９２ａと回転ユニット５００とが当接された状態であっても、第１位置では、装飾部材４５０を上下方向に変位させることができる。
【０１８６】
また、上述したように、正面ベース４５２の当接面４５２ｈの下端には、傾斜面４５２ｇが形成されるので、装飾部材４５０が第１位置へ配置される際には、傾斜面４５２ｇを利用してローラ４９２ａを当接面４５２ｈの正面側に案内することができる。これにより、装飾部材４５０を第１位置へ配置する際に必要な駆動力を抑制できる。
【０１８７】
図２３（ｂ）及び図２４（ｂ）に示す状態から、装飾部材４５０がさらに下方に変位されて第１位置に位置されると、規制ユニット４９０に配設される２つのローラ４９２ａの外周面と装飾部材４５０の前面とを当接させた状態とすることができる。
【０１８８】
ここで、上下に変位される装飾部材４５０のがたつきを、その装飾部材４５０の変位方向に沿って回転する回転体（ローラ４９２ａ）で抑制するものであると、回転体（ローラ４９２ａ）が装飾部材４５０の変位方向に沿ってすることを規制して、上下方向のがたつきに対して装飾部材４５０が変位しないように規制することが難しい。
【０１８９】
これに対し、本実施形態では、上述したように、変位部材４３０の他側（駆動側摺動孔４３１が形成される短辺側）の回転方向が、伝達ギヤ４４３の回転軸と突起４４３ａとを結んだ直線の方向と略一致するので、装飾部材４５０を第１位置で上下方向にがたつくことを抑制することができる。即ち、本実施形態では、規制ユニット４９０により装飾部材４５０の変位を第１位置へ変位する上下方向の変位のみを許容することができると共に、第２位置では、伝達ギヤ４４３と変位部材４３０とが死点を形成することで、装飾部材４５０が上下方向にがたつくことを抑制することができる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９０】
また、上下方向に並んで配設されるローラ４９２ａの下方に配置されるローラ４９２ａは、装飾部材４５０だけでなく、ケース部材４９１の膨出部４９１ｃと当接した様態とされる。
【０１９１】
即ち、下側に配設されるローラ４９２ａは、装飾部材４５０と当接された際に、そのローラ４９２ａのゴム成分が正面側（図２４（ｃ）右側）に押し出される（弾性変形される）ことで、正面側の外周面をケース部材４９１の膨出部４９１ｃの側面に当接させて、装飾部材４５０の当接面４５２ｈとケース部材４９１の膨出部４９１ｃとの間にローラ４９２ａを挟み込むことができる。これにより、ローラ４９２ａが、軸部４９２ｂ周りに回転する際の抵抗を増加させて、ローラ４９２ａを回転し難くできる。従って、装飾部材４５０が上下方向に変位する際の抵抗を増加できる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９２】
ここで、装飾部材４５０の当接面４５２ｈとケース部材４９１の膨出部４９１ｃとの間にローラ４９２ａを挟み込む様態としては、ローラ４９２ａの軸部４９２ｂを前後方向（図２４（ｃ）左右方向）に変位させて、ローラ４９２ａを装飾部材の当接面４５２ｈとケース部材４９１の膨出部４９１ｃとの間に挟む様態を形成することも考えられるが、この場合、ローラ４９２ａの軸部４９２ｂを径方向に変位可能にさせる構造が必要となる。
【０１９３】
これに対し、本実施形態では、ローラ４９２ａを弾性体から形成して、その弾性変形を利用して、ローラ４９２ａを装飾部材４５０の当接面４５２ｈとケース部材４９１の膨出部４９１ｃとの間に挟むことができるので、ローラ４９２ａの軸部４９２ｂを径方向に変位可能に形成する必要がなく、軸部４９２ｂを正面ベース４１０に固定される軸として形成できる。これにより、構造を簡素化して、耐久性の向上と製品コストの削減とを図ることができる。
【０１９４】
また、ローラ４９２ａが弾性変位して、装飾部材４５０の当接面４５２ｈとケース部材４９１の膨出部４９１ｃとの間に挟まれるので、回転ユニット５００の変位に伴う装飾部材４５０の正面ベース４１０に対するがたつきにより、装飾部材４５０及びケース部材４９１の膨出部４９１ｃとの間にローラ４９２ａが挟み込まれた場合には、ローラ４９２ａの弾性回復力を利用して、装飾部材４５０及びケース部材４９１の膨出部４９１ｃにローラ４９２ａをより強固に保持させやすくできる。これにより、ローラ４９２ａを回転し難くして、正面ベース４１０に対する装飾部材４５０の相対的ながたつきを抑制できるので、回転ユニット５００の回転変位に伴う装飾部材４５０の正面ベース４１０に対するがたつきを抑制できる。
【０１９５】
さらに、装飾部材４５０が上方から下端の位置に変位するに従って、変位抵抗を増加させることができるので、第１位置で装飾部材４５０を停止させる際に、その停止動作により、他の部品が破損することを抑制することができる。
【０１９６】
即ち、本実施形態では、装飾部材４５０の中央部に回転ユニットを備えるので、重力方向に変位されて停止する際に、各部品に装飾部材４５０の重みに加えて、変位した際の運動エネルギーが作用するので、部品が破損しやすい。
【０１９７】
一方で、本実施形態では、第１位置に変位される際に、その停止の動作を補助をすることができるので、より破損し易い方向の停止の動作の補助ができる。その結果、部品が破損することを効果的に抑制することができ、製品の信頼性を向上することができる。
【０１９８】
さらに、ローラ４９２ａは、装飾部材４５０の変位方向に沿って上下に２つ並設されるので、装飾部材４５０の当接面４５２ｈが、所定の間隔を隔てて２箇所で当接される。よって、装飾部材４５０が傾倒することを抑制でき、回転ユニット５００の上面ベース５１０に対するがたつきを抑制できる。その結果、回転ユニット５００の回転変位に伴う装飾部材４５０の正面ベース４１０に対するがたつきを効果的に抑制できる。
【０１９９】
また、後述する回転ユニット５００の回転平面は正面ベース４５２の当接面４５２ｈ（即ち、ローラ４９２ａが当接される面）と略同一に設定される。即ち、回転ユニット５００の回転平面は、正面ベース４５２の当接面４５２ｈとローラ４９２ａの回転軸とのそれぞれに平行に配置される。これにより、装飾部材４５０を第１位置へ配置する際および第１位置から第２位置へ変位させる際に必要な駆動力を抑制しつつ、回転ユニット５００の回転変位に伴う装飾部材４５０の正面ベース４１０に対するがたつきを効果的に抑制できる。
【０２００】
詳しく説明すると、回転ユニット５００の変位形態が回転であるので、装飾部材４５０は、回転ユニット５００の歳差運動（回転ユニット５００の回転軸が円をえがくように振れる運動）に起因して、回転ユニット５００の回転平面を傾倒させる態様（モード）で振動される。よって、回転ユニット５００の回転平面が、正面ベース４５２の当接面４５２ｈと回転ユニット５００の回転軸とにそれぞれ略平行とされることで、正面ベース４５２の当接面４５２ｈ（即ち、ローラ４９２ａが当接される面）を、ローラ４９２ａの回転軸に直交する方向からローラ４９２ａの外周面に押し付けることができる。その結果、装飾部材４５０を第１位置へ配置する際および第１位置から第２位置へ変位させる際には、ローラ４９２ａが回転されることで、装飾部材４５０の変位に必要な駆動力を抑制しつつ、ローラ４９２ａの外周面への正面ベース４５２の当接面４５２ｈの当接により、回転ユニット５００の変位（回転）に伴う装飾部材４５０の正面ベース４１０に対するがたつきを効果的に抑制できる。
【０２０１】
次に図２５から図３６を参照して、装飾部材４５０に配設される回転ユニット５００について説明する。
【０２０２】
初めに、図２５及び図２６を参照して、装飾部材４５０の全体構成について詳細な説明をする。図２５は、装飾部材４５０の分解正面斜視図であり、図２６は、装飾部材４５０の分解背面斜視図である。
【０２０３】
図２５及び図２６に示すように、装飾部材４５０は、正面ベース４５２と背面ベース４５３との対向間に配設されるギヤ４５４〜４５６と、背面ベース４５３の背面側に取着される駆動モータ４５７と、正面ベース４５２の背面側に取着される信号伝達機構４５８と、を主に備えて形成される。
【０２０４】
正面ベース４５２は、その中央部に背面側に凹設される凹部４５２ｃが形成される。凹部４５２ｃは、正面視円環状に凹設され、その軸部分に前後方向に貫通形成される挿通孔４５２ｆと、左右方向の両端部の側面に左右方向に開口された開口４５２ｄ，４５２ｅが形成される。
【０２０５】
背面ベース４５３は、正面ベース４５２の正面視形状よりも小さい正面視横長矩形状の板状体から形成され、中央部に前後方向に開口する開口４５３ｂと、正面視右側に円形状に前後方向に開口する挿通孔４５３ａと、正面側に円柱形状に突出する軸支部４５３ｃ，４５３ｄと、を主に備えて形成される。
【０２０６】
挿通孔４５３ａは、後述する駆動モータ４５７の軸部が挿通される開口であり、駆動モータ４５７の軸部と対向する位置に開口されると共に、駆動モータ４５７の軸部の外径よりも大きい内径の円形に開口される。開口４５３ｂは、後述する信号伝達機構４５８を挿通させる開口であり、信号伝達機構４５８の正面視形状よりも大きい内形の孔形状に形成される。
【０２０７】
軸支部４５３ｃ，４５３ｄは、後述するギヤ４５５，４５６の軸部分に挿通される軸部であり、各ギヤ４５５，４５６の内径よりも小さい外径の円柱形状に設定される。
【０２０８】
駆動モータ４５７は、内部に位置検出用のエンコーダが組み込まれたモータであり、モータの回転角度および回転速度を検出できる。駆動モータ４５７は、上述したように背面ベース４５３の背面に取着され、駆動モータ４５７の軸部が背面ベース４５３の挿通孔４５３ａに挿通されると共に、背面ベース４５３の正面側からネジやボルト等で締結固定される。
【０２０９】
ギヤ４５４は、ギヤ４５５に歯合されると共に、背面ベース４５３の挿通孔４５３ａを挿通された駆動モータ４５７の軸部に固着されて配設される。また、ギヤ４５４は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４が回転されると共に、そのギヤ４５４に歯合されるギヤ４５５に回転の駆動力を伝達できる。
【０２１０】
ギヤ４５５は、後述する回転ユニット５００の背面ベース５７１（図２６参照）に歯合されると共に、軸孔が背面ベース４５３の前方に突出する軸支部４５３ｃを挿通して軸支部４５３ｃを軸に回転可能に配設される。また、ギヤ４５５は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４からギヤ４５５に回転の駆動力が伝達されて、背面ベース５７１が回転される。その結果、回転ユニット５００が回転される。
【０２１１】
なお、ギヤ４５５は、その一部が正面ベース４５２の第１開口４５２ｄに挿通されて配設され、正面ベース４５２の前方に配設される回転ユニット５００の背面ベース５７１に歯合される。
【０２１２】
回転ユニット５００の背面ベース５７１には、ギヤ４５６が歯合される。ギヤ４５６は、初期位置（基準位置）を検出するための突起がその側面（軸方向端面）に突設される部材であり、その軸孔が背面ベース４５３の軸支部４５３ｄに外嵌されて背面ベース４５３に配設される。また、ギヤ４５６は、その一部が第２開口４５２ｅに挿通され背面ベース５７１に歯合される。さらに、ギヤ４５６は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与され、ギヤ４５４、ギヤ４５５及び回転ユニット５００（背面ベース５７１）が回転されると、背面ベース５７１から回転の駆動力が伝達されてギヤ４５６が回転される。その結果、回転ユニット５００の初期位置を検出することができる。
【０２１３】
この場合、ギヤ４５６の外周面に刻設されるギヤ歯の歯数と、回転ユニット５００の背面ベース５７１の外周面に刻設されるギヤ５７１ａ１のギヤ歯の歯数とは同一に設定されており、回転ユニット５００の１回転毎にギヤ４５６を１回転させることができる。これにより、初期の位置検出（基準位置）を簡易に行うことができる。
【０２１４】
信号伝達機構４５８は、回転する回転ユニット５００の照射ユニット５３０に電力や信号を伝達するスリップリングであり、前方から突出される軸部４５８ａが回転できるように構成される。また、軸部４５８ａは、断面略Ｄ字状に形成されると共に、その内部に通路が開口されてその通路に電気配線が挿通される。
【０２１５】
背面ベース４５３の開口４５３ｂを挿通させて、正面ベース４５２の背面側に信号伝達機構４５８が取着されると、信号伝達機構４５８の軸部４５８ａがその軸部４５８ａの内部に挿通された電気配線と共に正面ベース４５２の前方から突出された様態とされる。
【０２１６】
次に、図２７から図２９を参照して、回転ユニット５００の全体構成を説明する。図２７は、回転ユニット５００の分解正面斜視図であり、図２８は、回転ユニット５００の分解背面斜視図である。図２９（ａ）は、回転ユニット５００の上面図であり、図２９（ｂ）は、図２９（ａ）のＸＸＩＸｂ方向視における回転ユニット５００の正面図であり、図２９（ｃ）は、図２９（ａ）のＸＸＩＸｃ−ＸＸＩＸｃ線における回転ユニット５００の断面図である。なお、回転ユニット５００の説明は、初期位置（基準位置）における状態での説明をするものとする。
【０２１７】
図２７から図２９に示すように、回転ユニット５００は、上の側面を形成する上面ベース５１０と、下の側面を形成する下面ベース５２０と、上面ベース５１０の下方に配設される照射ユニット５３０と、その照射ユニット５３０の下方に配設される中間部材５４０と、その中間部材５４０の下方に配設される反射板５６０と、反射板５６０の前方に配設される正面カバー５５０と、上面ベース５１０と下面ベース５２０との背面側に配設される回転伝達ユニット５７０と、を主に備えて形成される。
【０２１８】
回転伝達ユニット５７０は、駆動モータ４５７の回転を上面ベース５１０及び下面ベース５２０へ伝達するためのユニットであり、背面側に配設される背面ベース５７１と、正面側に配設される正面ベース５７２と、正面ベース５７２及び背面ベース５７１の対向間に挟持されるベアリングＢＲと、そのベアリングＢＲの内側に配設される締結部材５７３と、を主に備えて形成される。
【０２１９】
背面ベース５７１は、正面視円環形状に形成され、その内周縁部から背面側に背面視円環形状に膨出する膨出部５７１ａが形成される。膨出部５７１ａには、その外側側面にギヤ５７１ａ１が刻設される。ギヤ５７１ａ１は、上述したように、ギヤ４５５に歯合される。これにより、駆動モータ４５７に駆動力を付与することで、回転の駆動力が各ギヤ４５４，４５５を介して背面ベース５７１（ギヤ５７１ａ１）伝達され、回転ユニット５００が回転される。
【０２２０】
正面ベース５７２は、正面視円環形状に形成されると共に、外周縁部から立設される外側立設部５７２ａと、内周円部から正面視Ｕ字形状に立設する内側立設部５７２ｂと、を備える。
【０２２１】
外側立設部５７２ａは、背面ベース５７１の前面と正面ベース５７２の背面との間に隙間を形成して、その対向間にベアリングＢＲと締結部材５７３とを挟持するための壁部であり、ベアリングＢＲの軸方向の幅寸法と略同一の立設高さに設定されると共に、ベアリングＢＲの外径と略同一の内形に設定される。
【０２２２】
また、外側立設部５７２ａの立設先端側の側面は、背面ベース５７１の前面と当接されると共に、背面ベース５７１の背面側から挿通されたネジが締結固定される。これにより、背面ベース５７１と正面ベース５７２とが締結固定される。
【０２２３】
内側立設部５７２ｂは、上述した信号伝達機構４５８の軸部４５８ａが回転される際に、回転ユニット５００の内部と信号伝達機構４５８の軸部４５８ａとを連結する配線がねじれることを抑制する部材であり、背面視略Ｕ字形状に立設され、その内形が信号伝達機構４５８の軸部４５８ａの正面視形状の外形と略同一または少し大きく形成される。
【０２２４】
よって、回転ユニット５００を正面ベース４５２に配設する際に、内側立設部５７２ｂを信号伝達機構４５８の軸部４５８ａに外嵌することができる。従って、回転ユニット５００が回転されると、内側立設部５７２ｂと信号伝達機構４５８の軸部４５８ａとの互いの平面部分が噛み合い、信号伝達機構４５８の軸部４５８ａを回転させることができる。その結果、回転ユニット５００と信号伝達機構４５８とを連結する配線がねじれることを抑制することができる。
【０２２５】
ベアリングＢＲは、回転ユニット５００を正面ベース４５２に対して回転させた際に、その回転が正面ベース４５２に伝達されることを抑制する部材であり、内径および外径の異なる円環形状の金属部材を２つ組み合わせると共に、その両部材の間に球状もしくは円柱形状の金属体を嵌め込んで形成される。
【０２２６】
ベアリングＢＲの外径は、正面ベース５７２の外側立設部５７２ａの内径と略同一に設定される。これにより、ベアリングＢＲを正面ベース５７２の外側立設部５７２ａに固定させて配設することができる。この場合、背面ベース５７１の内径は、ベアリングＢＲの外径よりも小さく設定される。よって、正面ベース５７２と背面ベース５７１との対向間にベアリングＢＲを挟持した際に、ベアリングＢＲが回転伝達ユニット５７０から外れることが抑制される。
【０２２７】
締結部材５７３は、回転ユニット５００を正面ベース４５２に締結する部材である。締結部材５７３は、正面視円環形状に形成されると共に、正面側の外周面から突出される突壁部５７３ａを備える。
【０２２８】
締結部材５７３の外径は、ベアリングＢＲの内径と略同一に形成される。一方、締結部材５７３の内径は、正面ベース５７２の内側立設部５７２ｂの外形よりも大きく形成される。これにより、締結部材５７３は、その外縁部がベアリングＢＲの内縁部に内嵌されると共に、内縁部に正面ベースの内側立設部５７２ｂを挿通させた様態で回転伝達ユニット５７０に配設される。
【０２２９】
突壁部５７３ａは、組み上げられた回転伝達ユニット５７０から締結部材５７３が取り外されることを抑制するための突出部であり、締結部材５７３の外周面から一定の突出寸法で全周に亘って突出形成され、その外径寸法がベアリングＢＲの内径よりも大きく設定される。よって、締結部材５７３をベアリングＢＲの正面側からベアリングＢＲに内嵌させることで、組み上げられた回転伝達ユニット５７０から締結部材５７３が取り外されることを抑制できる。
【０２３０】
詳しく説明すると、締結部材５７３をベアリングＢＲの前方からベアリングＢＲに内嵌させることで締結部材５７３をベアリングＢＲに対して後方に移動させることを規制することができる。一方、締結部材５７３の正面側への移動は、ベアリングＢＲが正面ベース５７２と背面ベース５７１との対向間に配設されることで、締結部材５７３の正面側の側面と正面ベース５７２の背面側の側面とが当接されて規制される。その結果、組み上げられた回転伝達ユニット５７０から締結部材５７３が外れることを抑制できる。
【０２３１】
また、ベアリングＢＲを外嵌した締結部材５７３が正面ベース４５２に締結されるので、回転ユニット５００が回転された際の回転運動を正面ベース４５２に伝達することを抑制できる。
【０２３２】
即ち、回転ユニット５００が回転された際には、ベアリングＢＲの外側に配設される円環形状の金属体のみを回転させて、内側に配設される円環形状の金属体にその回転を非伝達とすることで、締結部材５７３が回転されることを抑制できる。その結果、装飾部材４５０に対して回転ユニット５００を回転させることができる。
【０２３３】
上面ベース５１０は、上面視した際に背面側（図２９（ａ）上側）に湾曲する円弧形状に形成されると共に、その前縁部が下方（図２９（ａ）紙面奥側）に湾曲する湾曲形状に形成される。また、上面ベース５１０は、左右方向（図２９（ｂ）左右方向）中央部に正面視半円状に膨出する装飾部５１１と、上下方向（板圧方向）に貫通される送風孔５１２と、下側に円柱形状に突出する押圧部５１３とを主に備えて形成される。
【０２３４】
装飾部５１１は、上述した回転伝達ユニット５７０の正面ベース５７２の上部側と締結される部分であり、背面側に正面ベース５７２と締結される締結孔が穿設されると共に、正面視した際の半円形状の半径が、正面ベース５７２の外径の半径よりも大きく形成される。これにより、回転伝達ユニット５７０の正面ベース５７２と締結されて、正面視した際に正面ベース５７２の上部側を視認不能とすることができる。
【０２３５】
送風孔５１２は、上下方向（図２９（ｃ）上下方向）に貫通する貫通孔であり、前後方向（図２９（ａ）上下方向）に長く開口される長孔形状に形成される。また、送風孔５１２は、上面ベース５１０の円弧形状に沿って左右方向に複数個が形成される。
【０２３６】
押圧部５１３は、上面ベース５１０を下面ベース５２０と組み合わせた際に、その対向間に挟持する照射ユニット５３０と上面ベース５１０との間に隙間を形成すると共に、照射ユニット５３０が動くことを規制するための突起であり、その突出高さが、照射ユニット５３０の上面側の側面までの高さに設定される（図２９（ｃ）参照）。また、押圧部５１３は、上面ベース５１０の背面側の縁部に複数個突出形成される。
【０２３７】
下面ベース５２０は、上面ベース５１０と略同一の形状に形成されると共に、回転伝達ユニット５７０の軸を中心に上面ベース５１０と対称に配置される。なお、下面ベースに形成される装飾部５２１及び送風孔５２２は、上面ベース５１０に形成される装飾部５１１及び送風孔５１２と同一形状であるのでその詳しい説明は省略する。
【０２３８】
なお、下面ベース５２０の装飾部５２１は、回転伝達ユニット５７０の正面ベース５７２の下部側と締結される部分であり、回転伝達ユニット５７０の正面ベース５７２と締結されて、正面視した際に正面ベース５７２の下部側を視認不能とすることができる。よって、上面ベース５１０と下面ベース５２０とを合わせることで、回転ユニット５００を回転させる際の機構を遊技者が目視することで、遊技者の興趣が損なうことを抑制できる。
【０２３９】
照射ユニット５３０は、基盤部材５３１と、その基盤部材５３１の下面側に配設されるＬＥＤ５３２とを主に備えて形成される。
【０２４０】
基盤部材５３１は、上面視の外形形状が、上面ベース５１０の上面視形状よりも少し小さい外形形状の板状体から形成される。これにより、上面ベース５１０と下面ベース５２０とを上下方向に組み合わせて配設した際に、基盤部材５３１を上下方向から視認不能とすることができる。
【０２４１】
また、基盤部材５３１は、正面側の縁部に上下方向に貫通する貫通孔５３１ａが形成される。貫通孔５３１ａは、基盤部材５３１の配置がずれることを抑制する部材であり、その詳しい説明は後述する。基盤部材５３１には、上述した信号伝達機構４５８の軸部４５８ｂの配線が連結される。これにより、基盤部材５３１に組み込まれたＩＣやコンデンサを介して後述するＬＥＤ５３２から光を照射することができる。
【０２４２】
ＬＥＤ５３２は、表面実装型ＬＥＤとして形成され、正面視における外形（樹脂セラミックから成型されたキャビティの外形）が矩形に形成されると共に、光を照射する照射面（キャビティ内に封入されたエポキシやシリコンなどの封入樹脂の表面）が正面視円形状に形成される。また、ＬＥＤ５３２は、基盤部材５３１の下面側に配設されると共に、基盤部材５３１の上面視円弧形状に沿って左右方向に複数個が並んで配設される。これにより、ＬＥＤ５３２は、後述する反射板５６０に光を照射することができる。
【０２４３】
中間部材５４０は、上面視の外形が上面ベース５１０の上面視形状と略同一の板状体から形成される。これにより、上面ベース５１０と下面ベース５２０とを上下方向に組み合わせて配設した際に、その対向間に中間部材５４０を配設することができる。
【０２４４】
正面カバー５５０は、透明な光透過性材料から形成されると共に、上面視円弧形状に形成される。また、正面カバー５５０は、中間部材５４０側に配置される。
【０２４５】
反射板５６０は、外面に銀色の装飾（メッキ）が施されると共に、上面視の外形が上面ベース５１０の上面視形状と略同一の板状体から形成される。また、反射板５６０は、正面側の側面が後方に切り欠かれた凹欠部５６４を備える。
【０２４６】
凹欠部５６４は、上述した正面カバー５５０がその切り欠き部分に挿入されることで、正面カバー５５０の前面を上面ベース５１０、下面ベース５２０及び中間部材５４０の前面と略同一の位置にして配設できる。即ち、正面カバー５５０の前後方向の幅寸法は、反射板５６０の凹欠部５６４の前面から上面ベース５１０、下面ベース５２０及び中間部材５４０の前面までの距離寸法に設定されて形成される。これにより、正面カバー５５０を回転ユニット５００から突出して配設されることを抑制することができる。その結果、回転ユニット５００を凹凸の少ない一体のユニットとして組み上げることができ、回転ユニット５００を視認した際に、部品毎の外形形状を分かり難くして、遊技者の興趣が損なわれることを抑制できる。
【０２４７】
次に、図３０を参照して、中間部材５４０の詳細な説明をする。図３０（ａ）は、中間部材５４０の上面図であり、図３０（ｂ）は、図３０（ａ）のＸＸＸｂ−ＸＸＸｂ線における中間部材５４０の部分拡大断面図である。
【０２４８】
図３０（ａ）及び図３０（ｂ）に示すように、中間部材５４０は、上面視した際に外縁部から上方向（上面ベース５１０が配設される方向）に立設する第１外縁部５４１及び第２外縁部５４２と、上下方向に貫通形成される照射孔５４３と、その照射孔５４３の周囲から突設される照射規制部５４４と、正面側の縁部に突設される突設部５４５と、照射規制部５４４の外周縁部に凹設される溝部５４６、を主に備えて形成される。
【０２４９】
第１外縁部５４１は、中間部材５４０の正面側の外縁部に形成される。第１外縁部５４１の正面側（図３０（ａ）下側）の上面視における湾曲形状の内径寸法は、照射ユニット５３０の基盤部材５３１の上面視における正面側の湾曲形状の外径寸法と略同一に設定される。また、第１外縁部５４１の立設寸法は、基盤部材５３１の厚み寸法（上下方向寸法）よりも大きく設定される。よって、回転ユニット５００が組み上げられた際には、照射ユニット５３０を第１外縁部５４１により遮蔽して、正面側から視認不能とすることができる。
【０２５０】
第２外縁部５４２は、中間部材５４０の背面側の外縁部に形成される。第２外縁部５４２の背面側（図３０（ａ）上側）の上面視における形状は、照射ユニット５３０の基盤部材５３１の上面視における背面側の形状と略同一に形成される。また、第２外縁部５４２の立設寸法は、第１外縁部５４１よりも低く設定される。よって、回転ユニット５００が組み上げられた際には、照射ユニット５３０の下側側面が第２外縁部５４２の立設先端面に当接した様態で配設される。よって、導入した外気を背面へスムーズに排出できくる。
【０２５１】
照射孔５４３は、照射ユニット５３０に配設される複数のＬＥＤ５３２から照射される光をそれぞれ個別に分割するための孔であり、照射ユニット５３０に配設されるＬＥＤ５３２と対向する位置に開口される。これにより、隣合うＬＥＤ５３２の光が、他の範囲を照射することを抑制できる。また、照射ユニット５３０側の照射孔５４３の内径は、ＬＥＤ５３２の照射面の外径と略同一に設定され、それらの互いの軸が同軸上に配置される。これにより、ＬＥＤ５３２から発光された光を照射孔５４３を介して、後述する反射板５６０の反射部５６３へ効率的に入射させることができる。
【０２５２】
また、照射孔５４３は、上面側（ＬＥＤ５３２側）から下面側に向かって内径が大きく形成される。これにより、ＬＥＤ５３２から発光された光を照射孔５４３を介して、反射板５６０の反射部５６３へ効率的に入射させることができる。
【０２５３】
照射規制部５４４は、上述した照射孔５４３の周囲に突設される。これにより、ＬＥＤ５３２と中間部材５４０の上面との対向間の隙間を小さくすることができるので、ＬＥＤ５３２の光を照射孔５４３へ入射しやすくでき、照射孔５４３の外へ漏れることを抑制できる。その結果、残像効果による残像表示の光の強さを高めることができる。
【０２５４】
また、照射規制部５４４の突出寸法は、第２外縁部５４２の立設寸法と略同一に設定され、回転ユニット５００が組み上げられた際に、照射規制部５４４の突出先端面と照射ユニット５３０のＬＥＤ５３２とが当接される。これにより、隣接するＬＥＤの光が照射孔５４３へ入射されることを抑制できるので、残像効果による残像表示の外径を明確とできる。また、照射ユニット５３０側の照射孔５４３の内径は、ＬＥＤ５３２の照射面の外径と略同一に設定されるので、ＬＥＤ５３２に当接する照射規制部５４４の面積を確保できるので、各ＬＥＤ５３２の光が照射孔５４３の外へ漏れ出ることを抑制できる。その結果、残像効果による残像表示の光の強さを高めることができる。
【０２５５】
さらに、照射規制部５４４は、隣接する照射規制部５４４と互いの外周面どうしが連結されるので、中間部材５４０の剛性を高めることができる。この場合、照射規制部５４４は外周面が円形に形成され、隣接する照射規制部５４４と互いの外周面どうしが連結される。即ち、複数の照射規制部５４４どうしが連結された群は、外形が凸凹（外方に凸の円弧が複数連なる形状）に形成されるので、空間（表面積）を確保して、放熱効果を高めつつ、外形の凸凹を利用して、中間部材５４０の剛性を高めることができる。
【０２５６】
突設部５４５は、照射ユニット５３０が前後左右に動くことを規制する突起であり、回転ユニット５００が組み上げられた際に、基盤部材５３１の貫通孔５３１ａに挿通される位置に形成される。また、突設部５４５は、外径形状の異なる円柱を上下に組み合わせた形状に形成され、基部側の大径部５４５ａとその大径部５４５ａよりも小径とされる先端側の小径部５４５ｂとから形成される。
【０２５７】
大径部５４５ａは、中間部材５４０に照射ユニット５３０を配設した際に、中間部材５４０と基盤部材５３１との対向間に所定の隙間を形成するための突部であり、基盤部材５３１の貫通孔５３１ａの内径よりも大きい外形に設定されると共に、その突出寸法が、第２外縁部５４２の立設寸法と略同一に設定される。
【０２５８】
これにより、中間部材５４０に照射ユニット５３０を配設した際に、正面側の中間部材５４０と照射ユニット５３０の基盤部材５３１との対向間隔が規定される。一方、背面側の中間部材５４０と照射ユニット５３０の基盤部材５３１との対向間隔は、第２外縁部５４２により規定される。また、大径部５４５ａの突出距離と第２外縁部５４２の立設距離とが略同一に設定されるので、照射ユニット５３０の基盤部材５３１上下方向の側面を中間部材５４０の上下方向の側面に対して平行に配設することができる。
【０２５９】
小径部５４５ｂは、中間部材５４０に照射ユニット５３０を配設した際に、中間部材５４０に対して、照射ユニット５３０を位置決めするための突部であり、基盤部材５３１の貫通孔５３１ａの内径と略同一もしくは少し小さい外径に設定される。よって、中間部材５４０に照射ユニット５３０を配設する際に、中間部材５４０の小径部５４５ｂに基盤部材５３１の貫通孔５３１ａを外嵌させることで、中間部材５４０に対する照射ユニット５３０を前後左右方向への移動を規定できる。
【０２６０】
溝部５４６は、照射規制部５４４の基部に沿って延設されると共に、断面コ字状に凹設される溝である。溝部５４６の凹設の分、中間部材５４０の側面と外気とが接触する面積が増えるので、中間部材５４０の放熱性が向上される。また、中間部材５４０の剛性を確保しつつ、放熱効果を高めることができる。即ち、照射規制部５４４の基部に沿って延設される溝状の溝部５４６を形成することで、中間部材５４０に凹設される領域を最小として、その中間部材５４０の剛性を確保しつつ、ＬＥＤ５３２の動作により、発生する熱が特に集中する部分に対して空間を拡大して、放熱効果を高めることができる。
【０２６１】
なお、溝部５４６の溝幅は、照射規制部５４４の外周縁部から照射孔５４３までの距離寸法よりも小さく設定され、溝部５４６の凹設深さは、中間部材５４０の板厚の半分よりも小さく設定される。
【０２６２】
次に、図３１を参照して、正面カバー５５０の詳細な説明をする。図３１（ａ）は、正面カバー５５０の正面図であり、図３１（ｂ）は、図３１（ａ）のＸＸＸＩｂ−ＸＸＸＩｂ線における正面カバー５５０の部分拡大断面図である。なお、図３１（ｂ）では、拡散部５５１が模式的に図示される。
【０２６３】
図３１（ａ）及び図３１（ｂ）に示すように、正面カバー５５０は、下側（図３１（ｂ）左側）の内縁側（図３１（ｂ）上側）の側面に、拡散部５５１を備えて形成される。
【０２６４】
拡散部５５１は、粗面加工された部分であり、拡散部５５１に照射される光を、その粗面により乱反射させて拡散させることができる。なお、粗面加工とは、表面に凹凸を形成する加工様態のことである。
【０２６５】
次に、図３２を参照して、反射板５６０の詳細な説明をする。図３２（ａ）は、反射板５６０の上面図であり、図３２（ｂ）は、図３２（ａ）のＸＸＸＩＩｂ−ＸＸＸＩＩｂ線における反射板５６０の部分拡大断面図である。なお、図３２（ｂ）では、反射部５６３が模式的に図示される。
【０２６６】
図３２（ａ）及び図３２（ｂ）に示すように、反射板５６０は、上面側（図３２（ａ）紙面手前側）に立設する仕切壁５６１と、その仕切壁５６１に囲まれた領域の上面に形成される反射部５６３と、背面側の縁部に沿って立設する立設壁５６２と、を主に備えて形成される。
【０２６７】
仕切壁５６１は、上面視において、正面側（図３２（ａ）下側）が開放するＵ字状に立設されると共に、反射板５６０の正面側の縁部に沿ってに左右方向に複数個が並んで形成される。また、隣合う互いの立設壁５６２は、正面方向に延設される壁部が組み合わされて（兼用されて）１の壁部とされる。これにより、仕切壁５６１を並設するスペースを小さくすることができる。その結果、仕切壁５６１を形成する個数を最大とすることができる。
【０２６８】
反射部５６３は、上面視において、反射板５６０の正面側の縁部と仕切壁５６１との間に囲まれる領域の上面がレーザー加工等により粗面加工されて形成される。また、反射部５６３は、反射板５６０の上面および下面と平行な側面から形成される水平部５６３ａと、水平部５６３ａと連結して水平部５６３ａから離間するに従って反射板５６０の板厚が拡大する方向に傾斜する傾斜面５６３ｂと、を主に備えて形成される。
【０２６９】
水平部５６３ａは、反射板５６０の上面および下面と平行な側面のうち、正面側の縁部以外の側面に形成される。即ち、正面側の縁部には、水平部５６３ａ（反射部５６３）が形成されず、粗面加工されない。これにより、反射板５６０の正面側の縁部を保持して反射部５６３を形成することができる。その結果、粗面加工する際の保持部分を反射板５６０に別途形成する必要がなく、製造コストを低くすることができる。
【０２７０】
傾斜面５６３ｂは、主に、上面側に配設される照射ユニット５３０のＬＥＤ５３２から照射される光を正面側に反射させる部分であり、ＬＥＤ５３２の照射面に対して正面側に４５度傾けた傾斜面に形成される。
【０２７１】
また、水平部５６３ａと傾斜面５６３ｂとの連結位置は、その連結する直線が、ＬＥＤ５３２の照射面の軸を通過する位置に設定される。これにより、ＬＥＤ５３２から照射される光のうちの背面側に向かって照射される光は、傾斜面５６３ｂによって効果的に正面側に反射させることができる。一方、ＬＥＤ５３２から照射される光のうちの正面側に照射される光は、水平部５６３ａによって、正面側に反射させることができる。
【０２７２】
立設壁５６２は、上述したように、反射板５６０の背面側の縁部に沿って立設され、その立設高さが、仕切壁５６１の立設高さと同一の高さに設定される。これにより、回転ユニット５００を組み上げた（反射板５６０の上部に中間部材５４０を配置した）際に、立設壁５６２と仕切壁５６１との間に空間を形成することができる。即ち、反射板５６０と中間部材５４０との間に空気層を形成することができる。その結果、反射板５６０及び中間部材５４０の内部に熱が蓄えられることを抑制することができ、回転ユニット５００が熱を蓄えて、回転ユニット５００に配設される照射ユニット５３０の基盤部材５３１が破損することを抑制することができる。
【０２７３】
以上のように、構成される回転ユニット５００は次のようにして組み上げられる。初めに、ベアリングＢＲの内円部分に締結部材５７３を正面側から内嵌すると共に、締結部材５７３の内円部分を正面ベース５７２の内側立設部５７２ｂに外嵌する。正面ベース５７２、ベアリングＢＲ及び締結部材５７３を一体にした後に、その背面側に背面ベース５７１を配設して正面ベース５７２と背面ベース５７１とを締結して回転伝達ユニット５７０をユニットとして組み上げる。
【０２７４】
回転ユニット５００の前方部分（回転伝達ユニット５７０を除いた部分）は、反射板５６０の下側に下面ベース５２０が配置されて、下面ベース５２０と反射板５６０とが締結される。下面ベース５２０と反射板５６０とが締結固定された後に、反射板５６０の上面側に中間部材５４０が正面側に正面カバー５５０を挟んだ状態で重ね合される。その中間部材５４０の上面に照射ユニット５３０が、その貫通孔５３１ａを中間部材５４０の突設部５４５の小径部５４５ｂに外嵌した状態で、配設される。この状態で、上面ベース５１０を上方から配置すると共に、中間部材５４０と締結することで、回転ユニット５００の前方部分（回転伝達ユニット５７０を除いた部分）がユニットとして組み上げられる。
【０２７５】
次に、回転ユニット５００の前方部分の後方に回転伝達ユニット５７０を配置すると共に、回転ユニット５００と回転伝達ユニット５７０とを締結することで回転ユニット５００が１のユニットとして組み上げられる。
【０２７６】
次に、図３３及び図３４を参照して、照射ユニット５３０のＬＥＤ５３２から照射される光について説明する。図３３（ａ）は、回転ユニット５００の上面図であり、図３３（ｂ）は、図３３（ａ）のＸＸＸＩＩＩｂ−ＸＸＸＩＩＩｂ線における回転ユニット５００の断面図である。図３４の（ａ）及び（ｂ）は、図３３（ｂ）のＸＸＸＩＶ部における回転ユニット５００の部分拡大断面図である。
【０２７７】
なお、図３３（ａ）では、回転ユニット５００から上面ベース５１０及び照射ユニット５３０が取り外された状態が図示される。また、図３４（ａ）及び図３４（ｂ）では、ＬＥＤ５３２から照射される光が２点鎖線で図示される。
【０２７８】
図３３（ａ）及び図３３（ｂ）に示すように、中間部材５４０の照射孔５４３の下方には、仕切壁５６１に囲まれることで１の領域として区画された反射部５６３が配置される。上述したように、各照射孔５４３の上側には、各ＬＥＤ５３２が配置されるので、それぞれのＬＥＤ５３２から照射される光をそれぞれ異なる位置の反射部５６３に照射させることができる。即ち、各ＬＥＤ５３２から発光された光を、各反射部５６３で区画された状態で出射させることができるので、各ＬＥＤ５３２の光の区切りを明確とできる。その結果、各ＬＥＤ５３２から発光された光を対応する反射部５６３のみから出射させることができるのでき、残像効果による残像表示の外形を明確とできる。
【０２７９】
また、ＬＥＤ５３２の光を、中間部材５４０の照射孔５４３を介して、対応する反射板５６０の反射部５６３へ入射させる構造体を反射板５６０及び中間部材５４０の２部材から形成するので、かかる構造体を一部材から構成する場合と比較して、構造を簡素化することができる。よって、製品コストの削減を図ることができる。
【０２８０】
図３４（ａ）に示すように、照射ユニット５３０のＬＥＤ５３２から反射板５６０の傾斜面５６３ｂに照射される光は、傾斜面５６３ｂの粗面により乱反射されて、正面側（図３４（ａ）下側）に反射され、正面カバー５５０を透過して、遊技機正面側に出射される。即ち、ＬＥＤ５３２から照射される光を、回転ユニット５００の前方（正面側）に出射させることができる。従って、基盤部材５３１の姿勢を、ＬＥＤ５３２が搭載される面を回転ユニット５００の回転軸に略平行とする場合でも、ＬＥＤ５３２の光（点滅）を遊技者に視認させ、残像効果による残像表示を行うことができる。
【０２８１】
また、反射板５６０の傾斜面５６３ｂにより、ＬＥＤ５３２から照射される光を効率的に遊技者側に出射させることができる。よって、より強い光を回転ユニット５００の正面側へ出射させることができる。従って、残像効果による残像表示の光の強さを高めることができる。
【０２８２】
なお、ＬＥＤ５３２から反射部５６３の傾斜面５６３ｂに照射される光の中には、傾斜面５６３ｂの粗面により乱反射されて、中間部材５４０及び反射板５６０の対向する面に反射される光がある。中間部材５４０及び反射板５６０の対向する面に反射される光は、その面（中間部材５４０及び反射板５６０の対向する面）により再び反射されることで正面カバー５５０に照射される。
【０２８３】
この場合、上述したように中間部材５４０は、光の吸収率が黒色よりも低い白色で形成されるので、中間部材５４０に反射される光を、再び反射させやすくできる。一方、反射板５６０は、上述したように、外面に銀色の装飾が施されており、反射板５６０に反射される光を、再び反射させやすくできる。
【０２８４】
よって、ＬＥＤ５３２から反射部５６３に照射される光を、粗面により乱反射させて、均等に分散させた状態で、回転ユニット５００の正面側（遊技者側へ）出射させることができる。即ち、反射部５６３の開口から出射される光が、その開口の一部に偏った状態で視認されることを抑制できる。
【０２８５】
図３４（ｂ）に示すように、照射ユニット５３０のＬＥＤ５３２から反射板５６０の水平部５６３ａに照射される光は、水平部５６３ａの粗面により乱反射されて、正面側（図３４（ｂ）下側）に反射される。よって、ＬＥＤ５３２から照射される光を、正面カバー５５０を通過させて、正面側に出射させることができる。
【０２８６】
なお、反射板５６０の正面側端部には、水平部５６３ａの粗面が非形成とされるので、回転ユニット５００の正面側（遊技者側）へ向けて光を出射させやすくすることができ、残像効果による残像表示の光の強さを高めることができる。即ち、反射板５６０の内面のうちの回転ユニット５００の正面側の端部に粗面加工が施されると、その粗面で光が乱反射して、回転ユニット５００の正面側（打遊技者側）へ向けて出射する光を減少させてしまうところ、反射板５６０の正面側端部が非形成とされ、少なくとも反射部５６３に加工される粗面よりも平坦な平滑面とされるので、乱反射を抑制して、回転ユニット５００の正面側（遊技者側）へ向かう光を増加させることができる。
【０２８７】
また、仕切壁５６１は、水平部５６３ａよりも正面側の端部（反射部５６３の粗面加工が非形成（平滑面）とされる部分）において、正面側（凹欠部５６４が形成される側）の端部に向かうに従って先細りの形状とされるので、水平部５６３ａの粗面加工の非形成とされる部分は、回転ユニット５００の正面側の端部へ向かうに従ってその内面の断面積が大きくされる（拡径される）。よって、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２８８】
さらに、反射板５６０（回転ユニット５００）の正面側は、左右方向中央部（回転軸）を中心として端部に向かうほど背面側に湾曲して形成されるので、反射板５６０の正面側（凹欠部５６４が形成される側）の端部は、回転ユニット５００の回転軸から径方向に離間するほど、仕切壁５６１で仕切られたそれぞれの領域における正面側（凹欠部５６４が形成される側）の端部の長さ寸法が大きくされる。これにより、複数の反射部５６３のそれぞれの視認される明度（光の明るさ）を均一にすることができる。
【０２８９】
即ち、回転ユニット５００では、回転軸（回転中心）から径方向外方へ向かうほど変位速度（周速）が速くなるため、列状に配設したＬＥＤ５３２を同じ明るさで発光させると、回転軸に近いＬＥＤ５３２の光ほど、回転軸から遠い（径方向外方の）ＬＥＤ５３２の光よりも、明度が高く（明るく）見える。
【０２９０】
これに対し、本実施形態では、反射板５６０の正面側の端部が、回転ユニット５００の回転軸から径方向に離間するほど、仕切壁５６１で仕切られたそれぞれの領域における正面側（凹欠部５６４が形成される側）の端部の長さ寸法が大きくされるので、回転ユニット５００の回転軸から径方向外方に離間する反射部５６３（ＬＥＤ５３２）ほど、粗面による乱反射を強くして（即ち、ＬＥＤ５３２から直接遊技者に視認される光の割合を小さくして）、高い明度の光として視認させることができる。その結果、径方向の配設位置における目で見た明るさの差を抑制して、明度（光の明るさ）を均一化できる。
【０２９１】
また、回転ユニット５００の軸方向と平行な方向の反射板５６０の水平部５６３ａの長さ寸法は、回転ユニット５００の回転軸から径方向に離間するに従って大きくされるので、数の反射部５６３のそれぞれの視認される明度（光の明るさ）を均一にすることができる。
【０２９２】
正面カバー５５０に照射される光は、正面カバー５５０の内周面に形成される拡散部５５１により光の進行方向を拡散させることができる。即ち、正面カバー５５０の拡散部５５１の粗面により、拡散部５５１に照射される光の進行方向を複数の異なる方向に曲げることができる。その結果、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２９３】
また、ここで、ＬＥＤ５３２の光を直接（光透過性材料の部材を透過させないで）遊技者に視認させるものであると、ＬＥＤ５３２の光は、前方への指向性が高いため、遊技者が眩しく感じる恐れがあった。
【０２９４】
これに対し、本実施形態では、ＬＥＤ５３２から照射される光を乱反射させる面を、反射板５６０と正面カバー５５０との２箇所に形成するので、ＬＥＤ５３２から照射される光の指向性を弱くできる。これにより、遊技者が照射された光を視認して眩しく感じることを抑制できる。
【０２９５】
ここで、複数の発光手段（ＬＥＤ５３２）を有し回転位置に応じて発光手段を点滅させることで、残像効果による表示を行うものが知られている。しかしながら、従来の発光手段では、基盤（基盤部材５３１）の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置（回転ユニット５００）の回転が停止された状態において、その回転ユニット５００の背面側の視認性が阻害されるという問題点があった。
【０２９６】
これに対し、本実施形態では、回転ユニット５００は、複数のＬＥＤ５３２が列設される基盤部材５３１が、ＬＥＤ５３２が搭載される面を回転ユニット５００の回転軸と略平行とする姿勢で、上面ベース５１０と下面ベース５２０との間に配設されるので、正面視（回転軸方向視）における上面ベース５１０及び下面ベース５２０の外形を抑制することができる。その結果、回転ユニット５００の回転が停止された状態において、上面ベース５１０及び下面ベース５２０の背面側の視認性を向上させることができる。
【０２９７】
次に、図３５及び図３６を参照して、回転ユニット５００の回転について説明する。
【０２９８】
図３５（ａ）及び図３５（ｂ）は、回転ユニット５００の正面図である。図３６（ａ）及び図３６（ｂ）は、回転ユニット５００の上面図である。
【０２９９】
なお、図３５（ａ）から図３６（ｂ）では、回転ユニット５００により生じる空気の流れが２点鎖線で図示され気流Ｋの符号が付与される。また、上面ベース５１０及び下面ベース５２０の送風孔５１２，５２２が破線で図示される。
【０３００】
さらに、本実施形態では、回転ユニット５００が正面視左回転される際の説明のみとし、正面視右回転される際は、回転ユニット５００の回転軸を中心に気流Ｋの流れが反転するのみであるので、その説明は省略する。
【０３０１】
図３５（ａ）及び図３５（ｂ）に示すように、回転ユニット５００が上述した駆動モータ４５７の駆動力により回転されると、その回転により外部の空気が送風孔５１２，５２２から侵入して回転ユニット５００の内部に気流Ｋが発生する。
【０３０２】
この場合、送風孔５１２，５２２が、回転ユニット５００の回転方向に対して、接線方向に開口されるので、回転ユニット５００の回転する際に、送風孔５１２，５２２を介して、回転ユニット５００の外部の空気を回転ユニット５００の内部に侵入させやすくできる。
【０３０３】
詳しく説明すると、回転ユニット５００が正面視左方向に回転されると、初期位置において、正面視右側に形成される上面ベース５１０の送風孔５１２及び正面視左側に形成される下面ベース５２０の送風孔５２２が、その送風孔５１２，５２２に空気を取り込む（挿通させる）方向に変位される。その結果、回転ユニット５００の回転する際に、回転ユニット５００の外部の空気を回転ユニット５００の内部に侵入させやすくできる。従って、ＬＥＤ５３２が動作する際の発熱を冷却することができる。
【０３０４】
なお、上面ベース５１０の送風孔５１２及び下面ベース５２０の送風孔５２２が回転軸に対して点対象に形成されるので、回転ユニット５００が正面視右方向に回転する際には、初期位置における回転ユニット５００の正面視左側に形成される上面ベース５１０の送風孔５１２及び正面視右側に形成される下面ベース５２０の送風孔５２２により、外部の空気を回転ユニット５００の内部に取り込みやすくできる。即ち、回転ユニット５００が右方向に回転した場合でも、上述した場合（回転ユニット５００が正面視左側に回転した場合）と同様の作用効果を奏する。
【０３０５】
ここで、回転体（回転ユニット５００）の内部にＬＥＤ（ＬＥＤ５３２）が搭載される基盤（基盤部材５３１）を配設して、回転体を回転駆動させながらＬＥＤを発光するものであると、ＬＥＤやＩＣ・コンデンサが動作する際の発熱を十分に冷却できない場合には、基盤にはんだ付けされたＬＥＤや、それを制御するＩＣ・コンデンサ等のはんだが溶けて、接触不良を招く恐れがある。
【０３０６】
これに対し、本実施形態では、送風孔５１２，５２２が、回転ユニット５００の回転方向に対して、接線方向に開口されるので、回転ユニット５００の回転により、回転ユニット５００の内部に外気を取り込むことができる。よって、ＬＥＤが動作する際の、発熱を冷却することができる。
【０３０７】
送風孔５１２，５２２から回転ユニット５００の内部に取り込まれた空気は、主に、照射ユニット５３０又は反射板５６０と衝突して分散される。回転ユニット５００の背面側（図３５（ａ）紙面奥側）に分散される気流Ｋは、上面ベース５１０と下面ベース５２０との背面側の開口（対向間の隙間）から回転ユニット５００の外側に送風されて大気中に放出される。
【０３０８】
一方、図３６（ａ）示すように、回転ユニット５００の正面側（図３５（ａ）紙面手前側）に分散される気流Ｋは、回転ユニット５００の回転の遠心力により、回転軸から径方向外側へと送風されて、回転ユニット５００の外側に送風されて大気中に放出される（図３５（ａ）参照）。
【０３０９】
即ち、回転ユニット５００は、上面ベース５１０と下面ベース５２０とを組み合わせた形状が、背面側が開放された容器状の形状に形成されるので、送風孔５１２，５２２から取り込んだ外気を背面側から効率的に排気することができる、よって、ＬＥＤ５３２が動作する際に発熱を冷却することができる。また、このように、上面ベース５１０及び下面ベース５２０の背面側から排気することで、かかる排気が、遊技領域を流下する（又は、ステージを転動する）球に影響を与えることを抑制できる。
【０３１０】
また、本実施形態では、上面ベース５１０及び下面ベース５２０が、上面ベース５１０及び下面ベース５２０の回転平面における直径方向に沿って長尺形状となる正面視（即ち、回転軸方向視）矩形状に形成されるので、上面ベース５１０及び下面ベース５２０の回転に伴う遠心力を利用して、上面ベース５１０及び下面ベース５２０の内部の空気を長手方向端部側（回転時の径方向外方）へ流動させ、背面側から排気することができる。よって、かかる空気の流動に伴って、回転伝達ユニット５７０近傍において、背面側から外気を上面ベース５１０及び下面ベース５２０へ取り込むことができる。
【０３１１】
即ち、回転伝達ユニット５７０近傍では、回転速度が低いため、側壁の送風孔５１２，５２２からの外気の取り込み効率が悪い（又は取り込めない）ところ、遠心力を利用した空気の循環（回転伝達ユニット５７０近傍における背面側から外気を取り込み、その取り込んだ外気を遠心力で長手方向端部側（回転時の径方向外方）へ流動させ、径方向外方側における背面側から排気する空気の流動）を形成することができる。その結果、ＬＥＤ５３２が動作する際の発熱を冷却することができる。特に、回転伝達ユニット５７０近傍に配設されるＬＥＤ５３２の冷却を達成することができる。
【０３１２】
また、図３６（ｂ）に示すように、回転ユニット５００の内部の空気が回転ユニット５００の回転により径方向外側に押し出されると、回転ユニット５００の中央側の内圧が低下するために、回転ユニット５００の回転伝達ユニット５７０と上面ベース５１０及び下面ベース５２０との背面側の隙間から外部の空気が取り込まれる。その結果、回転伝達ユニット５７０の近傍に配設されるＬＥＤ５３２の冷却をより確実に達成することができる。
【０３１３】
この場合、上面ベース５１０及び下面ベース５２０の正面側を形成する正面壁（上面ベース５１０の前縁部が下方（図２９（ａ）紙面奥側）（下面ベース５２０は前縁部が上方）に湾曲した部分）が、上面ベース５１０及び下面ベース５２０の回転平面に平行な形状であると（即ち、上面ベース５１０及び下面ベース５２０の回転軸に直交する方向視における形状が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０３１４】
これに対し、本実施形態では、上面ベース５１０及び下面ベース５２０の正面側（上面ベース５１０の前縁部が下方（図２９（ａ）紙面奥側）（下面ベース５２０は前縁部が上方）に湾曲した部分）の形状が左右方向中央部から外側に向かって湾曲した形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転伝達ユニット５７０近傍に配設されるＬＥＤ５３２の冷却をより確実に達成することができる。
【０３１５】
さらに、上面ベース５１０及び下面ベース５２０の背面側の対向間の距離寸法（図３５（ａ）上下方向の寸法）は、回転伝達ユニット５７０近傍における背面側の距離寸法が、長手方向端部側における背面側の距離寸法よりも大きくされるので、回転に伴う遠心力を利用して、上面ベース５１０及び下面ベース５２０の内部の空気を長手方向端部側（回転時の径方向外方）へ流動させ、径方向外方側における背面側から排気することで、回転伝達ユニット５７０近傍における背面側から外気を取り込む際に、その取込を効率的に行うことができる。
【０３１６】
また、回転伝達ユニット５７０近傍における背面側の開放部分（上面ベース５１０の装飾部５１１及び下面ベース５２０の装飾部５２１の内周）が、回転軸と同心の円形に形成されるので、上面ベース５１０及び下面ベース５２０の回転に伴って、回転伝達ユニット５７０近傍の背面側の外気が乱れる（回転方向の流動が形成される）ことを抑制できる。その結果、回転伝達ユニット５７０近傍における背面側から外気を効率的に取り込むことができる。
【０３１７】
さらに、正面ベース５７２の外側立設部５７２ａの外周面が背面側から正面側に向かって窄まる形状に形成されるので、回転ユニット５００が上面ベース５１０の装飾部５１１及び下面ベース５２０の装飾部５２１と回転伝達ユニット５７０との隙間から空気を取り込む際の気流Ｋに渦が発生することを抑制することができる。従って、回転ユニット５００の左右方向中央部を流れる気流Ｋの流れをスムーズにすることができ、回転伝達ユニット５７０近傍における背面側から外気を取り込む際に、その取込を効率的に行うことができる。
【０３１８】
次いで、図３７から図４１を参照して、センターフレーム６００について説明する。
【０３１９】
初めに、図３７及び図３８を参照して、センターフレーム６００の全体構成について説明する。図３７は、センターフレーム６００の分解正面斜視図であり、図３８は、センターフレーム６００の分解背面斜視図である。
【０３２０】
図３７及び図３８に示すように、センターフレーム６００は、正面視円環形状に形成される枠体６１０と、その枠体６１０の内周部分を覆う様態に配設されるセンターカバー６２０と、枠体６１０に取着されるセンサ６３０と、を主に備えて形成される。
【０３２１】
枠体６１０は、正面視における内周の縁部の下方部分からセンターカバー６２０側（背面側）に突出するステージ６１１と、外周の側面から径方向外側に突出される壁部６１２と、背面側の縁部に正面側に向かって円形状に凹設される締結孔６１３と、背面側に配設されるセンサ６３０の照射面６３１の前方が開口する開口６１４と、を主に備えて形成される。
【０３２２】
また、枠体６１０は、第３図柄表示装置８１（図２参照）を取り囲む様態で遊技盤１３の中央部に配設され、ガラス８を介して遊技者から視認可能とされる部材であり、正面側の側面に模様や絵が描かれる。
【０３２３】
ステージ６１１は、枠体６１０の下方側の内縁部から背面側に屈曲して形成され、その上面に、正面側の端部に第１凹設部６１１ａが、背面側の端部に第２凹設部６１１ｂが、それぞれ凹設される。
【０３２４】
ステージ６１１は、その上面で球を転動させると共に、第１凹設部６１１ａもしくは第２凹設部６１２ｂのどちらか一方の傾斜を利用してステージ６１１の上面から球を落下させて、第１入賞口６４に球が入賞し易い状態を形成することができる。よって、遊技領域を流下する球の流下経路を複数個形成することができるので、遊技者に興趣を与えることができる。
【０３２５】
なお、第１凹設部６１１ａは、ステージ６１１の上部を転動する球を、遊技盤１３の正面側（ベース板６０の正面側）に落下させる溝であり、正面側に向かって凹設深さが深く形成される。第２凹設部６１１ｂは、ステージ６１１の左右方向中央の背面部に形成される開口に球を送球するための溝であり、背面側に向かって凹設深さが深く形成される。
【０３２６】
壁部６１２は、組み上げられたセンターフレーム６００をベース板６０（図２参照）に配設する際にベース板６０に対して前後方向の位置決めとなる部分であり、ベース板６０の中央部分に前後方向に貫通形成される開口の内形形状よりも大きい外形に形成される。これにより、ベース板６０の開口内部にセンターフレーム６００を正面側から挿入した際に、ベース板６０の正面側の側面に壁部６１２の背面側の側面が当接して、ベース板６０に対してセンターフレーム６００を位置決めすることができる。
【０３２７】
締結孔６１３は、枠体６１０の背面側に複数個凹設される孔であり、後述するセンターカバー６２０の貫通孔６２３ａと対向する位置に形成される。開口６１４は、後述するセンサ６３０から照射されるセンサ光を正面側に照射するための開口であり、センサ６３０のセンサ光が照射される照射面６３１と対向する位置に形成される。
【０３２８】
センターカバー６２０は、光透過性材料の樹脂材料から形成され、正面視略円形状に形成され枠体６１０の内周側に配設されるカバー部材６２１と、そのカバー部材６２１の左右の縁部から正面側に立設される側壁部６２２と、その側壁部６２２の立設先端面およびカバー部材６２１の下側縁部から外側に突設される取付部６２３と、を主に備えて形成される。
【０３２９】
カバー部材６２１は、正面視において左右方向中央上部から外側に向かうにつれて背面側に湾曲する（正面側が凸の湾曲面となる）厚みが一定の板状体に形成される。左右方向中央部の上方側の周縁（以下、「第１部分６２１ａと称す）が、左右両端および下端の周縁（以下、「第２部分」と称す）よりも前方に位置して形成される。
【０３３０】
カバー部材６２１は、厚みが一定の板状体から形成されるので、凸レンズとして作用することを抑制して、背面側に配置される第３図柄表示装置８１の視認性を確保することができる。
【０３３１】
また、カバー部材６２１は、厚みが一定の板状体から形成されるので、正面視において左右方向中央部が正面側に向かって湾曲する分、カバー部材６２１と第３図柄表示装置８１との対向間に空間を形成することができる。これにより、上述した上下変位ユニット４００の装飾部材４５０が変位して演出する空間を確保できる。
【０３３２】
側壁部６２２は、枠体６１０にセンターカバー６２０を取り付け可能にするため壁部であり、上述したようにカバー部材６２１が背面側に湾曲されるので、その分、枠体６１０の背面とセンターカバー６２０の正面との対向間の距離が大きくなるところ、側壁部６２２により、枠体６１０の背面とセンターカバー６２０の正面の対向間の距離を小さくする（無くす）ことができる。
【０３３３】
即ち、側壁部６２２の正面側への立設寸法は、枠体６１０にセンターカバー６２０を配設した際の、枠体６１０の背面とセンターカバー６２０の正面との対向間の距離寸法に設定されており、これにより、枠体６１０とセンターカバー６２０とを組み合せた際に、カバー部材６２１の第１部分６２１ａが枠体６１０の正面側に突出され過ぎることを抑制できる。
【０３３４】
取付部６２３は、枠体６１０にセンターカバー６２０を取り付けるための突出部であり、前後方向に貫通形成された貫通孔６２３ａが複数個形成される。上述したように、貫通孔６２３ａと対向する位置の枠体６１０の背面には、締結孔６１３が穿設されており、図示しないねじ等を貫通孔６２３ａを挿通させると共に、締結孔６１３に締結することで、枠体６１０とセンターカバー６２０とが締結固定される。
【０３３５】
センサ６３０は、遊技者の動作を検知するためのモーションセンサ、であり赤外線等の光を照射する発光部と、その発光部から照射された光が物体によって反射される反射光を受光する受光部と、を有する照射面６３１を備える。
【０３３６】
センサ６３０は、枠体６１０を上下方向に３等分した際の下から２／３のほどの高さに配設されると共に、枠体６１０の右側に配設される。また、センサ６３０は、その照射面６３１をセンターフレーム６００の中央正面側に傾けた状態で配設される。これにより、センサ６３０の照射面６３１から照射される光は、遊技盤１３の正面側中央部からガラス８を介して遊技者側に出射される。
【０３３７】
次に、図３９及び図４０を参照してセンサ６３０から照射されるセンサ光について説明する。
【０３３８】
図３９（ａ）は、センターフレーム６００の正面図であり、図３９（ｂ）は、図３９（ａ）のＸＸＸＩＸｂ−ＸＸＸＩＸｂ線におけるセンターフレーム６００の断面図である。図４０（ａ）は、図３９（ａ）のＸＬａ−ＸＬａ線におけるセンターフレーム６００の断面図であり、図４０（ｂ）は、図３９（ａ）のＸＬｂ−ＸＬｂ線におけるセンターフレーム６００の断面図である。
【０３３９】
なお、図３９（ａ）及び図４０（ｂ）では、センターフレーム６００の前方に照射されるセンサ６３０の光の照射領域が２点鎖線で図示され、照射領域Ｒ１，Ｒ２のとして図示される。また、図３９（ｂ）では、センサ６３０が破線で図示される。さらに、図４０（ｂ）及び図４０（ｂ）では、センサ６３０及びセンサ６３０から照射される光が２点鎖線で図示されると共に、センターフレーム６００の前方（遊技盤１３の前方）に配設されるガラス８が２点鎖線で図示される。
【０３４０】
図３９及び図４０に示すように、センサ６３０は、カバー部材６２１の第２部分６２１ｂよりも前方に配設される。これにより、センサ６３０から照射される光が、カバー部材６２１を介して（透過して）、遊技機正面側に出射されることがなくなり、センサ６３０から照射される光がカバー部材６２１に遮られることを抑制できる。また、センサ６３０は、正面側に枠体６１０の装飾部分が配置される。これにより、センサ６３０を遊技者側（正面側）から視認し難くすることができる。
【０３４１】
センサ６３０から照射される光は、センサ６３０の照射面６３１から直接ガラス８に照射されてガラス８の正面側から出射する照射領域Ｒ１の領域と、センターカバー６２０のカバー部材６２１の正面に照射された光が反射されてガラス８の正面側から出射する照射領域Ｒ２の領域とに出射される。
【０３４２】
ここで、モーションセンサ（センサ６３０）を遊技機に配設して、液晶装置（第３図柄表示装置８１）の前面側の遊技者の動作を検出する遊技機では、モーションセンサが露出されていると、興趣を損ねるという問題点があった。
【０３４３】
そのために、センサ６３０は、装飾部材（枠体６１０）の背面側に配置される。この場合、センサ６３０を装飾部材の内縁側（枠体６１０の開口６１４）から奥側（外側）へ退避させれば、より視認され難くできるが、発光部および受光部（照射面６３１）を正面へ向けにくくなり、検出範囲が狭くなる。一方、センサ６３０を装飾部材の内縁側（枠体６１０の開口）に近づけて位置させれば、発光部および受光部を正面へ向けやすいため、検出範囲を前後方向に広くできるが、遊技者から視認されやすくなる。即ち、センサ６３０を、遊技者から視認され難くしつつ、物体を検出可能な範囲を確保することが困難であるという問題点があった。
【０３４４】
これに対し、本実施形態では、センサ６３０の照射面６３１から照射される光の一部が、センターカバー６２０のカバー部材６２１に照射されることで、カバー部材６２１の湾曲形状により、正面側（遊技者側）に反射される。これにより、センサ６３０を枠体６１０の開口６１４の奥へ退避させて、遊技者から視認され難くしつつ、物体を検出可能な範囲を確保することができる。なお、カバー部材６２１は、光透過性材料からなるので、液晶表示装置に表示される図柄の視認性を確保できる。
【０３４５】
また、カバー部材６２１正面側が凸の湾曲面とされるので、センサ６３０から発光された光をカバー部材６２１の正面で反射させる場合には、センサ６３０から近い位置では、反射の角度（反射角）をより鋭角とできる一方、セン６３０から遠い位置では、反射の角度（反射角）をより鈍角とすることができ、その分、物体を検出可能な範囲を拡大しやすくできる。
【０３４６】
さらに、照射領域Ｒ２に照射される光（カバー部材６２１で反射される光）は、物体に照射されて反射すると、カバー部材６２１側に反射される。この場合、反射光は、反射する物体の表面形状によりその進行方向が異なるが、複数の方向に反射される光をカバー部材６２１の正面で反射させることで、異なる方向に反射される光の進行方向をセンサ６３０側に向かう進行方向とすることができる。即ち、センサ６３０側に反射される光の量を多くすることで、センサ６３０の受光の検知動作を確実に行うことができる。
【０３４７】
カバー部材６２１の第１部分６２１ａは、枠体６１０の壁部６１２よりも正面側に位置され、第２部分６２１ｂは、枠体６１０の壁部６１２よりも背面側に位置される（図３９（ｂ）参照）。即ち、第１部分６２１ａは、ベース板６０の背面と略同一またはベース板６０（図２参照）の背面よりも正面側となる位置に配設され、第２部分６２１ｂは、ベース板６０の背面よりも背面側となる位置に配設される。
【０３４８】
これにより、センターフレーム６００の上部におけるセンターカバー６２０のカバー部材６２１と第３図柄表示装置８１との対向間の距離寸法を確保することができる。その結果、上述した上下変位ユニット４００の装飾部材４５０が上下方向に変位する際の前後方向の寸法を確保でき、装飾部材４５０を変位させることができる。また、装飾部材４５０が変位する後方のスペースとガラス８が配設される前方のスペースとの限られたスペース内において、カバー部材６２１の曲率を大きくすることができる。
【０３４９】
また、第１部分６２１ａが、ベース板６０の背面と略同一またはベース板６０（図２参照）の背面よりも正面側となる位置に配設されるので、上下変位ユニット４００の装飾部材４５０（回転ユニット５００）が第１部分６２１ａに干渉することをより確実に抑制でき、その分、変位部材の大型化を図ることができる。
【０３５０】
さらに、第２部分６２１ｂが、ベース板６０の背面よりも背面側となる位置に配設されるので、カバー部材６２１の曲率を大きくでき、カバー部材６２１の正面側を光の反射面として利用しやすくできる。即ち、センサ６３０を奥側に配置して遊技者から視認され難くしつつ、物体を検出可能な範囲を確保することができる。
【０３５１】
また、第１部分６２１ａが、カバー部材６２１の上方に位置されるので、遊技機１０が設置される店舗において、店舗の蛍光灯の照明がカバー部材６２１で反射されて正面側（遊技者側）に照射されることを抑制できる。
【０３５２】
即ち、カバー部材６２１の上方部分が背面側に湾曲するものであると、斜め上方から照射される店舗の蛍光灯の光が正面側に反射しやすい形状となるところ、カバー部材６２１の正面は、その法線方向が少なくとも水平方向よりも下方を指向する湾曲面として形成されるので、カバー部材６２１の正面へ入射された光を下方へ向けて反射させることができる。即ち、店舗内の天井に設置された蛍光灯や他の遊技機からの光がカバー部材６２１の正面へ入射された場合に、かかる光が遊技者に向けて反射されることを抑制でき、その結果、遊技者がまぶしく感じることや、第３図柄表示装置８１の視認性が悪化することを抑制できる。
【０３５３】
次に、図４１を参照して、センターフレーム６００と上下変位ユニット４００の回転ユニット５００との関係を説明する。
【０３５４】
図４１の（ａ）及び図４１（ｂ）は、回転ユニット５００及びセンターフレーム６００の断面図である。なお、図４１（ａ）では、回転ユニット５００が初期位置（基準位置）（延設方向を水平に向けた位置）が図示され、図４１（ｂ）は、回転ユニット５００がその回転軸を中心に９０度回転された様態が図示される。
【０３５５】
図４１（ａ）及び図４１（ｂ）に示すように、上下変位ユニット４００の装飾部材４５０が変位されて、第３図柄表示装置８１（図２参照）の正面側およびセンターフレーム６００の背面側に位置する際には、装飾部材４５０の回転ユニット５００とセンターフレーム６００のカバー部材６２１との対向間に所定の隙間が形成される。これにより、回転ユニット５００は、カバー部材６２１と衝突することなく回転することができる。
【０３５６】
この場合、第３図柄表示装置８１の前方で回転部材（回転ユニット５００）が回転する役物であると、その回転部材の回転により風の流れが発生し、その風の影響で流下する球が動いてしまうという問題点があった。
【０３５７】
特に、本実施形態では、球が転動するステージ６１１の上方に回転ユニット５００が位置するために、ステージ６１１の上部を転動する球が回転ユニット５００の回転による風の影響を受けやすい。
【０３５８】
これに対し、本実施形態では、カバー部材６２１の第２部分６２１ｂから連結される取付部６２３が、枠体６１０のステージ６１１の下側に凹設される締結孔６１３に締結される（即ち、センターカバー６２０の下端部分が枠体６１０の下端に連結される）ので、球の流下領域と回転ユニット５００の変位領域とを区画することができる。よって、回転ユニット５００の回転によって発生する風をカバー部材６２１（第２部分６２１ｂ）により遮ることができる。その結果、風の作用により球の流下が影響を受けることを抑制できる。また、回転ユニット５００の回転により風が発生し、その風により埃や粉じんが吹き飛ばされた場合でも、第２部分６２１ｂ（カバー部材６２１）により遮ることができるので、吹き飛ばされた埃や粉じんがセンサの発光・受光の航路上に舞い上がり、検出の精度が低下することを抑制できる。
【０３５９】
ここで、センターフレーム６００のステージ６１１には、そのステージ６１１を転動する球が、背面側に落下しないように背面壁が立設されるものが従来から知られている。しかし、かかる従来品では、回転ユニット５００の回転により発生した風が、ステージ６１１から立設される背面側の立設先端から正面側に回り込んで、或いは、遊技盤１３の正面側のガラス８で折り返されて、ステージ６１１上を転動する球に影響を与える。一方、ステージ６１１上を転動する球に風の影響を与えなくするために、背面壁を正面側まで湾曲させて、ステージの球の周囲を覆う形状とする（即ち、閉じた通路を形成する）と、ステージ６１１の上部を転動する球を遊技者が視認し難くなるため、遊技者の興趣が損なわれる。
【０３６０】
これに対し、カバー部材６２１の第２部分６２１ｂは、枠体６１０のステージ６１１を含む範囲に連結されるので回転ユニット５００が回転されることで発生する風を第２部分６２１ｂ（カバー部材６２１）により遮ることができる。その結果、ステージ６１１の周囲を覆う必要がないので、ステージ６１１の上部を転動する球を遊技者に視認されやすくしつつ、風の作用により、球の流下が影響を受けることを抑制できる。
【０３６１】
ここで、変位部材（上下変位ユニット４００）が変位する変位領域と球が流下する流下領域とを仕切板（センターカバー６２０）で区画してしまうと、遊技盤１３の背面側に配置される背面ケース３００には、第３図柄表示装置８１および上下変位ユニット４００を駆動させる駆動モータ４４１などの熱を発生する部材が多く配置されるために、熱が変位領域の内部（遊技盤１３の背面側）にこもり、遊技機１を制御する基板および第３図柄表示装置８１が破損するという問題点がある。
【０３６２】
これに対し、本実施形態では、カバー部材６２１の第１部分６２１ａは、枠体６１０に連結されず、枠体６１０の内周縁との間に所定の間隔を隔てて配設されるので、かかる所定の間隔を介して、遊技盤１３及びカバー部材６２１の背面側と正面側とを連通させることができる。従って、上下変位ユニット４００から発生する熱が、遊技盤１３及びカバー部材６２１の背面側にこもることを抑制できる。その結果、遊技盤１３の前方側の（後方側よりも）冷たい空気を遊技盤１３の背面側に送ることができるので、遊技機１を制御する基盤及び第３図柄表示装置８１が破損することを抑制できる。
【０３６３】
また、第１部分６２１ａと枠体６１０の内周縁との間の所定の間隔は、センターフレーム６００の上部に形成されるので、温められた空気を所定の間隔を介して遊技盤１３の正面側に流しやすくできる。即ち、遊技盤１３の背面側の温められた空気は、その熱により上昇されるので、上方に形成される第１部分６２１ａと枠体６１０の内周縁との間の所定の間隔から正面側に流しやすくできる。この結果、遊技盤１３及びカバー部材６２１の背面側に熱がこもることを抑制できる。
【０３６４】
なお、この場合、回転ユニット５００が回転されて風が発生されると、その風が第１部分６２１ａと枠体６１０の内周縁との間の所定の間隔から出て遊技盤１３の前方を流下する球に影響を与える恐れがある。
【０３６５】
これに対し、回転ユニット５００が回転されることで発生する風を、遊技領域のうちの上側の領域（遊技盤１３の開口の上側の領域）へ向けて流すことができ、風の作用により球の流下が影響を受けることを抑制できる。即ち、遊技領域のうちの上側の領域を流下する球は、球発射ユニット１１２ａから発射され遊技領域へ流入された初期の球であり、その速度が比較的速いため、例えば、センターフレーム６００のステージ６１１の上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０３６６】
次いで、図４２から図４６を参照して、振分け装置７００について説明する。
【０３６７】
初めに、図４２から図４５を参照して、振分け装置７００の全体構成について説明をする。図４２は、振分け装置７００の分解正面斜視図であり、図４３は、振分け装置７００の部分拡大正面図である。図４４は、図４３のＸＬＩＶ−ＸＬＩＶ線における振分け装置７００の断面図である。図４５（ａ）は、図４３のＸＬＶａ−ＸＬＶａ線における振分け装置７００の断面図であり、図４５（ｂ）は、図４５（ａ）のＸＬＶｂ−ＸＬＶｂ線における振分け装置７００の断面図であり、図４５（ｃ）は、図４３のＸＬＶｃ−ＸＬＶｃ線における振分け装置７００の断面図であり、図４５（ｄ）は、図４５のＸＬＶｄ−ＸＬＶｄ線における振分け装置７００の断面図である。
【０３６８】
なお、図４３では、振分け部材７６０の内周面、シーソー部材７６２、連通孔７５１及び回収孔７５２の外形が破線で図示される。なお、図４５（ｄ）では、開口７４４から払い出される球の経路が２点鎖線で図示される。
【０３６９】
図４２から図４５に示すように、振分け装置７００は、遊技盤１３のセンターフレーム６００の下側に配設され、ベース板６０に対して正面側（図４３紙面手前側）に配置される正面側形成部７１０と、ベース板６０に対して背面側（図４３紙面奥側）に配置される背面側形成部７２０と、を主に備えて形成される。
【０３７０】
正面側形成部７１０は、ベース板６０の正面側に取着される入賞部材７３０と、その入賞部材７３０の正面側に配設される屈曲部材７４０と、を主に備えて形成される。
【０３７１】
背面側形成部７２０は、ベース板６０の背面側に取着される介設部材７５０と、その介設部材７５０の背面側に配設される振分け部材７６０と、を主に備えて形成される。
【０３７２】
入賞部材７３０は、正面視横長矩形に形成されると共に、左右方向中央上部に位置する上述した第１入賞口６４と、その第１入賞口６４の下側に位置する第１電動役物６４０ａと、その第１電動役物６４０ａの左右方向両側に位置し前後方向に貫通形成される貫通孔７３１と、その貫通孔７３１の下側に位置し前後方向に貫通形成される下側挿通孔７３２と、を主に備えて形成される。
【０３７３】
貫通孔７３１は、その内部に後述する屈曲部材７４０の上側突出部７４１が挿通される部材であり、上側突出部７４１の背面視における外形よりも少し大きく開口する正面視略矩形状に形成される。また、貫通孔７３１の下面には、背面から正面に亘って上方に突設される突設壁７３１ａが形成される。
【０３７４】
突設壁７３１ａは、正面視における貫通孔７３１の左右方向中心線を対称に２つ並設されており、背面側から正面側に向かうにつれてその突設距離が小さく設定される。よって、後述する介設部材７５０及び振分け部材７６０により貫通孔７３１の内部を通過（転動）される球は、２つの突設壁７３１ａの左右方向中央位置に案内されると共に、背面側から正面側に向かって転動される。
【０３７５】
下側挿通孔７３２は、背面側に配設される介設部材７５０の回収孔７５２と連通される孔であり、介設部材７５０の回収孔７５２と対向する位置に形成される。また、下側挿通孔７３２は、下面側が湾曲される正面視略Ｄ字形状に開口され、正面視における左右方向中央位置に上面から下方に突出する第１突出部７３２ａと、下面から上方に突出する第２突出部７３２ｂと、を備える。
【０３７６】
第１突出部７３２ａは、正面側（図４５（ａ）右側）から背面側（図４５（ａ）左側）に向かうに従って突出距離が大きく形成される。第２突出部７３２ｂは、正面側から背面側にむかうに従って突出距離が小さく形成される。また、第１突出部７３２ａと第２突出部７３２ｂとの対向間の距離寸法は、球の直径寸法よりも少し大きく形成される。よって、下側挿通孔７３２の内部を球が通過する際には、第２突出部７３２ｂの正面側から背面側への傾斜により、球を背面側に転動させることができる。一方で、下側挿通孔７３２を挿通される際に球が上下方向に弾む際には、第１突出部７３２ａにより、上方への変位を抑制できる。
【０３７７】
下側挿通孔７３２の背面には、球の通過を検知するセンサＳＥは配設される。センサＳＥは、正面視略矩形状に形成されると共に、その側面に球の直径よりも少し大きい直径の貫通孔が形成される部材であり、その貫通孔の内部を球が通過することで球の通過を検出することができる。センサＳＥは、貫通孔の軸が下側挿通孔７３２の下面側の円弧軸と同軸上に位置して配設される。これにより、貫通孔の開口方向を背面側に向かうに従って少し下方に傾斜する様態とすることができるので、センサＳＥの貫通孔内部を通過する球が貫通孔の内側に留まることを抑制できる。
【０３７８】
屈曲部材７４０は、上述した入賞部材７３０の貫通孔７３１と下側挿通孔７３２との正面側に配設される部材であり、正面視におけるベース板６０（図２参照）の左右方向略中央位置を対称に２つ配設され、その外形形状は左右対称に形成される。
【０３７９】
また、屈曲部材７４０は、正面視において、遊技領域を形成する内レール６１（図２参照）との間に、球が通過可能な大きさの隙間が形成される位置に配置される。これにより、屈曲部材７４０の下側の遊技領域を流下する球が、屈曲部材７４０と内レール６１との間に挟まれて遊技領域に留まることが抑制される。
【０３８０】
屈曲部材７４０は、正面視略矩形の板状体から形成され、その背面から突出する上側突出部７４１と、その上側突出部７４１よりも下方から突出する下側突出部７４３と、上側突出部７４１及び下側突出部７４３の対向間に形成される開口７４４と、を備えて形成される。
【０３８１】
上側突出部７４１は、背面視において下側が開放する略Ｕ字形状に形成され、その外形が、入賞部材７３０の貫通孔７３１の内形よりも少し小さく設定される。これにより、屈曲部材７４０を入賞部材７３０に配置する際には、上側突出部７４１を貫通孔７３１の内部に挿入して配設できる。よって、屈曲部材７４０を入賞部材７３０へ配置する際には、上側突出部７４１を挿入して位置決めすることができるので、その組み付け工程を簡易にできる。
【０３８２】
また、上側突出部７４１は、背面視において下側が開放する略Ｕ字状に形成されるので、入賞部材７３０の貫通孔７３１に球を通過させて屈曲部材７４０側に転動させる際に、球が転動する転動面（下面）に入賞部材７３０と屈曲部材７４０との連結部分が形成されない。よって、球の転動を一定とすることができるので、球が貫通孔７３１の内部で停止することを抑制できる。即ち、球の転動面に入賞部材７３０と屈曲部材７４０との連結部分が形成されると、その連結部分を球が転動する際に抵抗が増えると共に、段さで球が跳ねるが、球の転動面に連結部をなくすことで、球の転動を安定的にして球が詰まることを抑制できる。
【０３８３】
また、この場合、上側突出部７４１を背面視円環形状に形成して、その円環の内側を球を通過させても同様に、球が転動する転動面に入賞部材７３０と屈曲部材７４０との連結部分が形成されないが、上側突出部７４１を円環形状に形成する分、屈曲部材７４０の部品形状が複雑となるために、製造コストが増加する。これに対し、本実施形態では上側突出部７４１が背面視略Ｕ字形状であるので、部品の形状を簡易にでき、製造コストが増加することを抑制できる。
【０３８４】
下側突出部７４３は、上側突出部７４１の下側に形成されると共に、上側が開放される背面視略Ｕ字形状に形成される。即ち、背面視すると、上側突出部７４１と下側突出部７４３との互いの開放部分が上下方向に対向する様態に形成される。
【０３８５】
下側突出部７４３は、入賞部材７３０の貫通孔７３１から屈曲部材７４０側に送球される球を入賞部材７３０の下側挿通孔７３２に送球するための経路（以下、「第２送球経路ＫＲ２」と称す）を形成するための部材であり、下側挿通孔７３２と前後方向に対向する位置に形成される。
【０３８６】
下側突出部７４３の背面側への突出距離は、球の直径よりも大きい寸法に設定される。また、下側突出部７４３の突出先端面が入賞部材７３０と当接した状態で屈曲部材７４０が入賞部材７３０に配置される。よって、屈曲部材７４０と入賞部材７３０との対向間の距離寸法が球の直径よりも大きくされ、屈曲部材７４０と入賞部材７３０との対向間に球が鉛直方向に送球される送球路（以下、「第１送球経路ＫＲ１」と称す）が形成される。
【０３８７】
屈曲部材７４０には、上側突出部７４１の上部内面から下側突出部７４３の下部内面に亘って突出する案内部７４２が形成される。案内部７４２は、側面視において背面側が開放される略Ｕ字形状に突出される。
【０３８８】
案内部７４２は、入賞部材７３０の貫通孔７３１から屈曲部材７４０（第１送球経路ＫＲ１）に送球される球を鉛直方向に送球した後に、入賞部材７３０の下側挿通孔７３２に送球する突壁であり、下側の内縁部の上下方向高さは、背面に配置される下側挿通孔７３２の下側の内縁部の高さよりも少し小さく形成される。
【０３８９】
案内部７４２は、背面側に配置される貫通孔７３１の正面視における左右方向中央線を対称に２つ形成される。これにより、２つの案内部７４２と当接して案内（背面側に折り返し）されるので、球が左右方向に位置ずれすることを抑制できる。
【０３９０】
なお、並設される案内部７４２の互いの突出先端面は、互いの対向する面に近づくほど、基部側に向かって傾斜して形成される（図４５（ｂ）参照）。これにより、２つの案内部７４２と当接して案内（背面側に折り返し）される球が、左右方向に位置ずれすることを効果的に抑制できる。
【０３９１】
上側突出部７４１には、背面視における左右の側面の内側に突出する側壁７４１ａが形成される。側壁７４１ａは、上下方向に所定の間隔を隔てて複数個（本実施形態では３つ）並設される。これにより、通常状態において上側突出部７４１の内側を送球される球が左右方向に転動した際には、側壁７４１ａの先端面と当接させてその送球を安定させることができる。一方、上側突出部７４１の内側を球が２つ連続して流れ、後ろを流れる球が先を流れる球に衝突する際には、先の球が、各側壁７４１ａの間に入ることで、左右方向に逃げる距離を確保して、上側突出部７４１の内側で球が詰まることを抑制できる。即ち、側壁７４１ａにより、上側突出部７４１の内側を送球される球を安定させることができる。
【０３９２】
開口７４４は、上側突出部７４１と下側突出部７４３との対向間に形成される所定の隙間であり、背面視における左右方向両側に形成される。また、開口７４４は、側面視において、背面側が開放する略Ｕ字形状に形成される。
【０３９３】
開口７４４は、上端が入賞部材７３０の貫通孔７３１の下面と略同一の上下方向高さに設定されると共に、下端の高さが、入賞部材７３０の下側挿通孔７３２の上下方向略中間位置の高さに設定される。これにより、屈曲部材７４０の内部に球が連続して送球される際に、先の球を開口７４４に逃がして屈曲部材７４０の内部に球が詰まることを抑制することができる。即ち、開口７４４は、第１送球経路ＫＲ１と第２送球経路ＫＲ２との連結部分の左右方向の側面に開口して形成される。
【０３９４】
振分け部材７６０は、正面視横長矩形に形成されると共に、正面側が開放された箱状体に形成される。また、振分け部材７６０は、正面視において左右方向略中央位置で屈曲されており、左右方向略中央位置から左右方向外側に向かうに従って下側に傾斜して形成される。また、振分け部材７６０の左右方向の両端部は、上述した入賞部材７３０の貫通孔７３１と対向する位置に設定される。
【０３９５】
振分け部材７６０は、正面視における左右方向中央位置から左右両側へ向けて下方傾斜する一対の傾斜面７６１と、その互いの傾斜面７６１の中央に配置されるシーソー部材７６２と、シーソー部材７６２の上方に形成される送球口７６３と、を主に備えて形成される。
【０３９６】
送球口７６３は、振分け部材７６０の正面側に開口を形成するための部材であり、入賞部材７３０の第１入賞口６４と対向する位置に形成される。これにより、振分け部材７６０が後述する介設部材７５０に配設されると、送球口７６３と介設部材７５０との対向間に空間Ａを形成することができる。
【０３９７】
空間Ａは、球の外径よりも大きい空間（即ち、球が通過可能な屈間）に形成されると共に、ベース板６０に穿設された貫通孔を介して入賞部材７３０の第１入賞口６４の内部空間と連結される（図４４参照）。これにより、第１入賞口６４に入賞される球を空間Ａの内部に送球して、その空間Ａの内部を送球させることができる。
【０３９８】
シーソー部材７６２は、円環形状に形成されると共に、その外縁部から軸周りに９０度の間隔を隔てて外側に突設される３つの突起７６２ａと、円環形状の内側に挿通される軸部７６２ｂと、を備えて形成される。
【０３９９】
軸部７６２ｂは、シーソー部材７６２を軸周りに回転させるための軸支部であり、円柱形状に形成されると共に、シーソー部材７６２の円環内側に挿通される。この状態で、軸部７６２ｂが、介設部材７５０と振分け部材７６０との間に挟持されることで、シーソー部材７６２は軸部７６２ｂを軸に回転可能に配置される。
【０４００】
突起７６２ａは、上述した空間Ａから球が送球される際に、球を左右の傾斜面７６１に交互に一球ずつ振り分けるための突起であり、中央部の突起７６２ａの先端が位置する方向と左右方向反対側に球が送球される。即ち、中央部の突起７６２ａにより空間Ａから送球される球を左右方向に送球することができる。両端に突設される突起７６２ａは、シーソー部材７６２の変位を規制すると共に、球の通過した際にかかかる重みにより、中央部の突起７６２ａの先端が位置する方向を変位させる（シーソー部材７６２を回転させる）部材であり、突起７６２ａの先端面と傾斜面７６１とが当接することでシーソー部材７６２の回転が規制される。一方、傾斜面７６１と当接していない突起７６２ａは、球が中央部の突起７６２ａに案内されると、案内された球がその突起７６２ａと衝突して下方に押し下げられる。これにより反対側の突起７６２ａが上方に変位されると共に、下方に変位された突起７６２ａの先端が傾斜面７６１と当接してその変位が規制される。
【０４０１】
傾斜面７６１は、上述したシーソー部材７６２によって左右に振り分けられた球が転動して送球される経路（以下、「第３送球経路ＫＲ３」と称す）の転動面であり、振分け部材７６０の左右方向中央位置から外側に向かって下降傾斜して形成される。これにより、振分け部材７６０のシーソー部材７６２によって左右に振り分けられた球は、傾斜面７６１上を転動されて、傾斜面７６１の下降側の端部に送球（転動）される。
【０４０２】
傾斜面７６１の下降側の端部には、その端部に向かうに従って、背面側の側面が前方に厚みを増すように介設部材７５０へ近接する方向へ傾斜して形成される。これにより、傾斜面７６１を転動してその端部まで送球された球を、振分け部材７６０の前方に配設される介設部材７５０の連通孔７５１に送球することができる。
【０４０３】
介設部材７５０は、正面視横長矩形状に形成されると共に、正面視における左右方向の中央下部に上述した可変入賞装置６５と、左右両側に前後方向に貫通される連通孔７５１と、その連通孔７５１の下側に開口される回収孔７５２と、を主に備えて形成される。
【０４０４】
連通孔７５１は、振分け部材７６０の左右両端部の正面側に形成されると共に、入賞部材７３０の貫通孔７３１の背面側に形成される。よって、振分け部材７６０の左右両端部の空間と、入賞部材７３０の貫通孔７３１の内部空間とが連通孔７５１を介して連結される。従って、上述した振分け部材７６０の傾斜面７６１の上部を転動する球を、連通孔７５１を通過させて、入賞部材７３０の貫通孔７３１に送球する経路（以下、「第４送球経路ＫＲ４」と称す）を形成することができる。
【０４０５】
回収孔７５２は、上述したように、入賞部材７３０の下側挿通孔７３２の背面側に開口形成される開口である。即ち、回収孔７５２は、センサＳＥの背面側に連結されており、センサＳＥを通過する球が、その回収孔７５２の開口に送球される。回収孔７５２は、店舗に設置される球を循環する装置に連結されており、回収孔７５２に回収される球は、循環装置により循環されて遊技球として再び球発射ユニット１１２ａから打出しされる。
【０４０６】
以上のように構成される振分け装置７００は、次のように送球される。第１入賞口６４から入る球は、振分け部材７６０に送球されて振分け部材７６０のシーソー部材７６２により左右方向どちらか一方の第３送球経路ＫＲ３に送球される。第３送球経路ＫＲ３を送球される球は、その第３送球経路ＫＲ３の端部まで送球されると、正面側に配置される介設部材７５０の連通孔７５１の内部の第４送球経路ＫＲ４に送球される。第４送球経路ＫＲ４を送球される球は、屈曲部材７４０の背面側の第１送球経路ＫＲ１に送球される。第１送球経路ＫＲ１を送球される球は、屈曲部材７４０の下側突出部７４３に案内されて第２送球経路ＫＲ２に送球される。第２送球経路ＫＲ２を送球される球は、入賞部材７３０の下側挿通孔７３２を通過してセンサＳＥの内部を通過した後に、介設部材３７５０の回収孔７５２に送球される。
【０４０７】
ここで、上述したように、入賞部材７３０の貫通孔７３１及び下側挿通孔７３２は、第１電動役物６４０ａの左右両側に形成されて、屈曲部材７４０が左右一対に配置されるので、一対の屈曲部材７４０における下側突出部７４３の間に第１電動役物６４０ａが位置される。
【０４０８】
この場合、第３送球経路ＫＲ３の下降傾斜の角度が小さく（傾斜面が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側挿通孔７３２における球詰まりを発生し難くできるが、第３送球経路ＫＲ３（振分け部材７６０）の配設に必要な高さ方向（上下方向）のスペースが嵩み、第１電動役物６４０ａの配設が困難となる。
【０４０９】
これに対し、本実施形態では、下側突出部７４３の側壁に開口７４４が形成されることで、かかる下側突出部７４３における球詰まりの発生し難くできるので、その分、第３送球経路ＫＲ３の下降傾斜の角度を小さく（下降傾斜を緩やかと）することができる。その結果、第３送球経路ＫＲ３（振分け部材７６０）の配設に必要な高さ方向のスペースが抑制でき、第１電動役物６４０ａの配設を可能とすることができる。即ち、屈曲部材７４０および第１電動役物６４０ａの配置は、従来品では不可能な配置であり、上述のように、下側突出部７４３の側壁に開口７４４を形成することで初めて可能となったものである。
【０４１０】
ここで、本実施形態では、遊技盤１３の中央には開口が形成（センターフレーム６００が配置）され、その開口を介して第３図柄表示装置８１を遊技者に視認させる。近年、第３図柄表示装置８１の大型化の要請に伴い、遊技盤１３の中央の開口（センターフレーム６００の枠体６１０の内周縁）も大きくなることで、遊技盤１３の中央の開口の下方縁部と遊技領域の下方縁部（内レール６１の下方内縁部）との間のスペースが狭くされる。そのため、従来品では、第３送球経路ＫＲ３および第１電動役物６４０ａに相当する部材を、遊技盤１３の中央の開口の下方縁部と遊技領域の下方縁部との間のスペースに配置することが困難であった。
【０４１１】
即ち、上述したように、第３送球経路ＫＲ３の下降傾斜の角度が小さく（下降傾斜が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側突出部７４３における球詰まりを発生し難くできるが、第３送球経路ＫＲ３の配設に必要な高さ方向のスペースが嵩み、第１電動役物６４０ａの配設が困難となる。また、下側突出部７４３（屈曲部材７４０）の上下方向における配設位置が下がる（低くなる）ため、かかる下側突出部７４３（屈曲部材７４０）と遊技領域の下方縁部（内レール６１）との間に球が通過可能な隙間を確保することが困難となり、下側突出部７４３（屈曲部材７４０）の両側にそれぞれ第１アウト口７１を設けることが必要となる。
【０４１２】
これに対し、本実施形態では、上述したように、下側突出部７４３の側壁に開口が形成されることで、かかる下側突出部７４３における球詰まりの発生し難くできるので、その分、第３送球経路ＫＲ３の下降傾斜の角度を小さく（下降傾斜を緩やかと）することができる。その結果、下側突出部７４３（屈曲部材７４０）の高さ方向（上下方向）における配設位置を上げる（高くする）ことができるので、かかる下側突出部７４３（屈曲部材７４０）と遊技領域の下方縁部（内レール６１の下方内縁部）との間に球が通過可能な隙間を確保することができる。よって、下側突出部７４３（屈曲部材７４０）の両側にそれぞれ第１アウト口７１を設けることを不要とできる。
【０４１３】
即ち、屈曲部材７４０および第１電動役物６４０ａの配置において、下側突出部７４３（屈曲部材７４０）と遊技領域の下方縁部との間に球が通過可能な隙間が形成された配置は、従来品では不可能な配置であり、上述のように、下側突出部７４３の側壁に開口を形成することで初めて可能となったものである。
【０４１４】
次に、図４６を参照して、屈曲部材７４０の案内部７４２の送球について説明する。図４６（ａ）は、遊技盤１３の断面図であり、図４６（ｂ）は、遊技盤１３の断面図である。なお、図４６（ａ）は図４５（ａ）に、図４６（ｂ）は図４５（ｂ）に、それぞれ対応する。
【０４１５】
図４６に示すように、入賞部材７３０の貫通孔７３１から屈曲部材７４０に２球の球がほぼ隙間の無い様態で（即ち、２球が連なって）送球されると、先の（先行する）球の一部が開口７４４の内に入りつつ背面側に送球されて、入賞部材７３０の下側挿通孔７３２に案内される。
【０４１６】
ここで、球の外径よりも少し大きな断面積の通路を形成して、その通路が屈曲するものであると、かかる通路に２球の球がほぼ隙間の無い状態で（２球が連なって）送球されると、先行する球に後行する球がおいつき、先行する球を後行する球が側壁に押しつけることで、両者が転動できなくなり、球詰まりが発生するという問題点があった。
【０４１７】
これに対し、本願では、第１送球経路ＫＲ１と第２送球経路ＫＲ２との連結部分に開口７４４が形成されるので、複数の球が連なった状態で下側突出部７４３を通過する場合に、先行する球に後行する球が追いついても、先行する球を側壁に押し付け難くでき、両者の転動を継続させやすくできる。その結果、球詰まりの発生を抑制できる。
【０４１８】
また、開口７４４は、第１送球経路ＫＲ１と第２送球経路ＫＲ２とが公差する位置に形成されるので、球が詰まり易い屈曲部分で球を詰まり難くすることができる。即ち、第１送球経路ＫＲ１と第２送球経路ＫＲ２とが交差する領域は、第１送球経路ＫＲ１を流下（落下）した球が方向転換して第２送球経路ＫＲ２の延設方向へ向けて転動を開始する位置であり、先行する球に後行する球が追いつきやすい。そのため、先行する球を後行する球が側壁に押し付けることで、両者が転動できなくなり、球詰まりが発生しやすい。
【０４１９】
これに対し、本実施形態では、開口７４４が、第１送球経路ＫＲ１と第２送球経路ＫＲ２とが交差する位置に形成されるので、先行する球に後行する球が追いついても、先行する球を開口７４４の対向間に逃がして（先行する球の一部を開口７４４内へ収容させて）側壁に押し付け難くでき、両者の転動を継続させやすくできる。その結果、球詰まりの発生を抑制できる。
【０４２０】
さらに、上述したように、開口７４４の下端の高さは、入賞部材７３０の下側挿通孔７３２の上下方向略中間位置の高さに設定されるので、第１送球経路ＫＲ１を落下（流下）する球が、第２送球経路ＫＲ２（下側突出部７４３）の底壁に到達した際に、かかる球を開口に受け入れやすくできる。よって、先行する球に後行する球が追い付いた場合でも、先行する球を開口７４４の対向間に逃がして側壁に押し付け難くでき、両者の転動を継続させやすくできる。その結果、球詰まりの発生を抑制できる。
【０４２１】
また、下側突出部７４３は、側面視において略Ｕ字形状に形成され、開口７４４の下端の高さを下側突出部７４３の底壁から所定距離だけ離間された位置に設置されるので、開口７４４の下端と第２送球経路ＫＲ２（下側突出部７４３）との間に側壁を残す（形成する）ことができる。よって、球が通過可能な大きさに開口が形成される場合であっても、かかる開口を介して、屈曲部材７４０から外部（遊技盤１３の正面側の遊技領域）へ不必要に球が流出することを抑制できる。
【０４２２】
なお、この場合、開口７４４の大きさが球が通過不能な大きさとされる場合には、通常は、開口７４４を利用して、先行する球を側壁に押し付け難くできるが、例外的に、後行する球が先行する球を開口７４４の中心へ押し付ける形態が形成され、先行する球が開口７４４に内嵌される（嵌り込む）場合がある。この場合には、後行する球の転動が、開口７４４に嵌り込んだ球に阻害され、球詰まりが発生する。
【０４２３】
これに対し、開口７４４は、球の外形よりも大きく開口される（球が通過可能な大きさに形成される）ので、後行する球が先行する球を開口７４４の中心へ押し付ける形態が形成された場合でも、先行する球を開口７４４から屈曲部材７４０の外部（遊技盤１３の正面側の遊技領域）へ排出することができ、先行する球が開口７４４に内嵌される（嵌り込む）ことを回避できる。これにより、後行の球の転動を継続させることができるので、球詰まりの発生を抑制できる。
【０４２４】
また、このように、球が通過可能な大きさで開口７４４が形成されると共に、その開口７４４が遊技盤１３の正面側（即ち、遊技領域）に配設されることで、遊技領域を流下する球を開口７４４から屈曲部材７４０へ流入させることができる。よって、遊技の興趣の向上を図ることができる。例えば、下側突出部７４３よりも下流に入賞球を検出するセンサが配設される場合には、下側突出部７４３よりも上流から屈曲部材７４０へ流入した球に加え、開口７４４から屈曲部材７４０へ流入した球も入賞球として検出させることができる。特に、この場合には、開口７４４（第１送球経路ＫＲ１と第２送球経路ＫＲ２とが交差する領域）は、遊技盤１３の正面側に配設されるので、開口７４４から屈曲部材７４０へ流入する球を遊技者に視認させることができる。よって、この点からも、遊技の興趣を高めることができる。
【０４２５】
第１送球経路ＫＲ１と第２送球経路ＫＲ２とが公差する領域には、案内部７４２の下方部分（即ち、回収孔７５２へ向けてっ湾曲しつつ下降傾斜される部分）が配設される。これにより、第１送球経路ＫＲ１を流下（落下）する球が方向転換して第２送球経路ＫＲ２の延設方向へ向けて転動を開始する際には、かかる球を案内部７４２の下降傾斜を利用して速やかに転動させることができる。これにより、後行する球が追いつくよりも前に、先行する球を転動させやすくでき、先行する球が後行する球によって背面側（第２送球経路ＫＲ２の延設方向に沿って球が転動する際の背面側）の側壁に押し付けられることを抑制できるので、両者の転動を継続させやすくできる。その結果、球詰まりの発生を抑制できる。
【０４２６】
また、開口７４４は、ベース板６０（図２参照）の正面側（遊技領域側）の位置に形成されるので、第１送球経路ＫＲ１と第２送球経路ＫＲ２との屈曲部分に球詰まりが発生した際には、店舗の運営者はガラス８を開放することで、正面側から開口７４４にアクセスすることができる。よって、球詰まりを解消する作業の作業性の向上を図ることができる。
【０４２７】
さらに、第１送球経路ＫＲ１と第２送球経路ＫＲ２との屈曲部分に埃やゴミ等が溜まった際には、店舗の運営者はガラス８を開放することで、正面側から開口７４４にアクセスして、開口７４４を介して屈曲部分の清掃をすることができる。よって、第１送球経路ＫＲ１と第２送球経路ＫＲ２を清掃する際の清掃性を向上することができる。
【０４２８】
次いで、図４７を参照して、発光装飾ユニット８００について説明する。図４７は、発光装飾ユニット８００の分解正面斜視図である。
【０４２９】
図４７に示すように、発光装飾ユニット８００は、背面ケース３００の底壁部３０１（図６参照）に配設される正面視横長矩形状のベース体８１０と、そのベース体８１０の正面側に配設される発光装置８２０と、その発光装置８２０の前面に覆設されると共に、光透過性材料からなるカバー部材８３０と、を主に備える。
【０４３０】
発光装置８２０の正面側には、複数の発光体（ＬＥＤ８２１）が全面にわたって分散して配設される。よって、ＬＥＤ８２１から発光された光は、カバー部材８３０の全面から遊技機正面側に出射される。
【０４３１】
次いで、図４８から図５０を参照して、第２実施形態における規制ユニット２４９０について説明する。なお、上記第１実施形態と同一の部分には同一の符号を付してその説明は省略する。
【０４３２】
初めに、図４８及び図４９を参照して、規制ユニット２４９０の全体構成について説明する。図４８は、第２実施形態における規制ユニット２４９０の分解正面斜視図である。図４９（ａ）は、規制ユニット２４９０の側面図であり、図４９（ｂ）は、規制ユニット２４９０の背面図であり、図４９（ｃ）は、図４９（ｂ）のＸＬＩＸｃ−ＸＬＩＸｃ線における規制ユニット２４９０の断面図である。
【０４３３】
図４８及び図４９に示すように、第２実施形態における規制ユニット２４９０では、ローラ部材４９２が回転部材２４９４に軸支されて、回転部材２４９４の回転によりローラ部材４９２の位置を調整可能に構成される。
【０４３４】
規制ユニット２４９０は、箱状体に形成されるケース部材２４９１と、そのケース部材２４９１の開放する側の外縁部に配設される外縁部材２４９３と、ケース部材２４９１と外縁部材２４９３との対向間に挟持されて回転可能に軸支される回転部材２４９４と、その回転部材２４９４に軸支されるローラ部材４９２と、を主に備えて形成される。
【０４３５】
ケース部材２４９１は、背面側が開口する箱形状に形成されると共に、第１実施形態におけるケース部材４９１よりも左右方向（図４９（ｂ）左右方向）の幅寸法が大きく形成される。また、ケース部材２４９１は、正面側の側面から突設する突設部４９１ａと、左右方向両側の側面に半円形状に切り欠かれる切欠き部２４９１ｂと、を主に備えて形成される。
【０４３６】
切欠き部２４９１ｂは、ケース部材２４９１の左右方向（図４９（ｂ）左右方向）両側の側面の上下方向（図４９（ｂ）上下方向）略中央位置に半円形状に切り欠かれて形成される。切欠き部２４９１ｂは、内部に後述する回転部材２４９４の軸部２４９４ｂを回転可能に軸支するための切り欠きであり、その内径が回転部材２４９４の外径よりも大きく設定される。
【０４３７】
外縁部材２４９３は、正面視縦長矩形状の枠状体に形成され、ケース部材２４９１の背面側（開放側）に配設される部材である。外縁部材２４９３は、その内形がケース部材２４９１の開口と略同一の形状に形成される。また、外縁部材２４９３の正面側（ケース部材４９１側）の側面には、内縁部の周囲に正面側に立設する立設部２４９３ａが形成される。
【０４３８】
立設部２４９３ａには、背面側に凹設される凹設部２４９３ａ１が形成される。凹設部２４９３ａ１は、ケース部材２４９２の切欠き部２４９１ｂと対向する位置に形成される。よって、後述する回転部材２４９４をケース部材２４９１の切欠き部２４９１ｂと凹設部２４９３ａ１との対向間に挟み込むことで、回転部材２４９４をケース部材２４９１に回転可能な状態で配設することができる。
【０４３９】
回転部材２４９４は、側面視長円形状の板状体から形成され、長手方向寸法がケース部材２４９１の内側部分の上下方向寸法より小さく設定される。回転部材２４９４は、長手方向中央部にケース部材２４９１に対して左右方向外側に円柱形状に突出する軸部２４９４ｂと、その軸部２４９４ｂを挟んだ両側に貫通形成される軸支孔２４９４ａと、軸部２４９４ｂの突出先端部から径方向外側に膨出する規制部２４９４ｃと、を備えて形成される。
【０４４０】
軸部２４９４ｂは、箱状体に形成されるケース部材２４９１の板厚よりも長く突設されており、その突設先端部に径方向に膨出する規制部２４９４ｃが形成される。これにより、軸部２４９４ｂをケース部材２４９１の切欠き部２４９１ｂに内嵌すると共に背面側から外縁部材２４９３の凹設部２４９３ａ１を配設することで、回転部材２４９４をケース部材２４９１に対して回転可能に軸支できると共に、規制部２４９４ｃによりケース部材２４９１に対して回転部材２４９４が左右方向へ変位すること規制できる。
【０４４１】
軸支孔２４９４ａは、内部にローラ部材４９２の軸部４９２ｂが挿通される開口であり、円形状に開口されると共に、その内径寸法が軸部４９２ｂの外径よりも大きく形成される。これにより、止め輪Ｅ１を外した状態のローラ部材４９２の軸部４９２ｂを軸支孔２４９４ａに挿通させたあと止め輪Ｅ１を軸部４９２ｂに外嵌することで、ローラ部材４９２を回転可能な状態で回転部材２４９４に配設できる。
【０４４２】
以上のように構成される規制ユニット２４９０は、次のようにして組み立てられる。
【０４４３】
まず、一対に配設される回転部材２４９４の軸支孔２４９４ａに、ローラ部材４９２の軸部４９２ｂが挿入されてローラ部材４９２が回転部材２４９４に軸支される。これにより、一対に配設される回転部材２４９４の対向間に、ローラ部材４９２を上下に２つ並設した状態で配置することができる。
【０４４４】
次に、回転部材２４９４の軸部２４９４ｂにねじりバネ（図示しない）を配設すると共にケース部材２４９１の切欠き部２４９１ｂに内嵌した後に、背面側から外縁部材２４９３を配設することで、回転部材２４９４をケース部材２４９１に対して軸部２４９４ｂを軸に回転可能に配設することができる。これにより、回転部材２４９４を回転変位させることで、回転部材２４９４に配設されるローラ部材４９２の位置を変位することができる。また、軸部２４９４ｂに配設したねじりバネにより、上下に並んで配設されるローラ部材４９２の上側に配設されるローラ部材４９２を正面側（図４９（ｃ）左側）に付勢した状態とすることができる。
【０４４５】
次に、図５０を参照して、装飾部材４５０が第２位置から第１位置に変位する際の、装飾部材４５０と規制ユニット２４９０との当接様態について説明する。図５０の（ａ）から（ｃ）は、上下変位ユニット４００の断面図である。なお、図５０（ａ）は図２４（ａ）に、図５０は図２４（ｂ）に、図２１（ｃ）は、図１８（ｃ）にそれぞれ対応する。
【０４４６】
図５０（ａ）に示すように、装飾部材４５０が、規制ユニット２４９０よりも上方に位置する際には、回転部材２４９４の軸部２４９４ｂに配設されるねじりバネ（図示しない）により回転部材２４９４が回転されて、下方側に配設されるローラ部材４９２よりも上方側に配設されるローラ部材４９２が正面側に位置される。
【０４４７】
これにより、図２１（ａ）に示す状態から、装飾部材４５０が下方に変位されて、図５０（ｂ）に示す、装飾部材４５０の下端面がケース部材２４９１の上下方向略中間位置と略同一の上下方向の位置に変位された際に、上方側に配設されるローラ部材４９２のローラ４９２ａが装飾部材４５０と当接して装飾部材４５０を抑え込む圧力を第１実施形態の規制ユニット２４９０よりも小さくできる。なお、この場合、回転部材２４９４は、ケース部材２４９１の内側に形成される図示しない突起と当接されており、上方側に配設されるローラ部材４９２が正面側に変位しない（回転部材２４９４の上方側が正面側に回転変位しない）様態とされる。
【０４４８】
従って、図２１（ｂ）に示す状態から、装飾部材４５０が、さらに下方に変位されて、図５０（ｃ）に示す、第１位置に変位される際に、装飾部材４５０に駆動力を付与する駆動モータ４４１の消費エネルギーが増加することを抑制できる。
【０４４９】
また、図５０（ｃ）に示す、装飾部材４５０が第１位置に変位された際には、下方側に配設されるローラ４９２ａが装飾部材４５０と当接される。これにより、下方側のローラ部材４９２が、背面側に押圧されて背面側に変位すると共に、上方側のローラ４９２ａが正面側に変位される。これにより、上方側に配設されるローラ４９２ａの装飾部材４５０に対する押圧力を高めることができる。その結果、装飾部材４５０が第１位置に配置される際には、上下に配設されるローラ部材４９２の押圧力により、装飾部材４５０を強固に保持することができる。一方、装飾部材４５０が変位途中に位置する際には、装飾部材４５０に作用する押圧力を小さくして、変位しやすい様態とすることができる。即ち、装飾部材４５０の変位に伴って、規制ユニット２４９０のから装飾部材４５０に作用される押圧力を変化させることができる。
【０４５０】
次いで、図５１から図５３を参照して、第３実施形態における振分け装置７００について説明する。なお、上記各実施形態と同一の部分には、同一の符号を付してその説明は省略する。
【０４５１】
初めに、図５１から図５３を参照して、振分け装置３７００の全体構成について説明する。図５１は、第３実施形態における振分け装置３７００の分解正面斜視図である。図５２は、振分け装置３７００の部分拡大正面図である。図５３（ａ）は、図５２のＬＩＩＩａ−ＬＩＩＩａ線における振分け装置３７００の断面図であり、図５３（ｂ）は、図５２（ｂ）のＬＩＩＩｂ−ＬＩＩＩｂ線における振分け装置３７００の断面図である。
【０４５２】
図５１から図５３に示すように、第３実施形態における振分け装置３７００では、第２入賞口６４０の開口が、振分け装置３７００に連結される。
【０４５３】
振分け装置３７００は、遊技盤１３のセンターフレーム６００の下方に配設され、ベース板６０に対して正面側に配設される正面側形成部３７１０と、ベース板６０に対して背面側に配設される正面側形成部３７１０と、を主に備えて形成される。
【０４５４】
正面側形成部３７１０は、ベース板６０に取着される入賞部材３７３０と、その入賞部材３７３０の正面側に配設される屈曲部材３７４０と、を主に備えて形成される。
【０４５５】
背面側形成部３７２０は、ベース板６０に取着される介設部材３７５０と、その介設部材３７５０の背面側に配設される振分け部材７６０と、振分け部材７６０の下方に位置し介設部材３７５０の背面側に配設される第２送球路３７７０と、を主に備えて形成される。
【０４５６】
入賞部材３７３０は、正面視横長矩形に形成されると共に、左右方向中央上部に上述した第１入賞口６４と、その第１入賞口６４の下側に第１電動役物６４０ａと、第１電動役物６４０ａの左右方向両側に前後方向に貫通形成される貫通孔７３１と、その貫通孔７３１の下方に前後方向に貫通形成される第２貫通孔３７３３と、その第２貫通孔３７３３の下方に前後方向に貫通形成される下側挿通孔７３２と、を主に備えて形成される。
【０４５７】
第２貫通孔３７３３は、その内部に球を通過させる開口であり、球の外径よりも少し大きく開口する正面視略矩形状に形成される。また、第２貫通孔３７３３は、第２入賞口６４０よりも下方に位置して形成されると共に、下面に背面側から正面側に分かって上方に突出する第２突設壁３７３３ａが形成される。
【０４５８】
第２突設壁３７３３ａは、正面視における第２貫通孔３７３３の左右方向中心線を対称に２つ並設されており、背面側から正面側に向かうにつれてその突出距離が小さく設定される。よって、後述する介設部材３７５０及び第２送球路により第２貫通孔３７３３の内部を球が通過する際には、その球を２つの第２突設壁３７３３ａの左右方向中央位置に案内できると共に、背面側から正面側に転動させることができる。
【０４５９】
屈曲部材３７４０は、上述した入賞部材３７３０の貫通孔７３１と第２貫通孔３７３３と下側挿通孔７３２との正面側に配設される部材であり、上述した第２入賞口６４０の左右両側に配設され、その一対の外形形状が左右対称に形成される。
【０４６０】
屈曲部材３７４０は、正面視略矩形の板状体から形成され、その背面側から突出する上側突出部７４１と、その上側突出部７４１よりも下方から突出する中間突出部３７４５と、その中間突出部３７４５よりも下方から突出する下側突出部７４３と、を備えて形成される。
【０４６１】
中間突出部３７４５は、背面視において上下方向（図５３（ｂ）上下方向）に長く形成される壁部であり、第２貫通孔３７３３の左右両側の位置に形成され、その上側側面が、第２貫通孔３７３３の上下方向略中間位置と同一の高さに形成される。一方、中間突出部３７４５の下側側面は第２貫通孔３７３３の底面よりも下方に位置して形成される。
【０４６２】
また、中間突出部３７４５と上側突出部７４１との対向間には、所定の隙間を有する第２開口３７４６が形成される。一方、中間突出部３７４５と下側突出部７４３との対向間には、所定の隙間を有する開口７４４が形成される。
【０４６３】
第２開口３７４６は、側面視背面側が開口する略Ｕ字形状に開口すると共に、その内形が球の外形よりも大きく形成される。即ち、第２開口３７４６は、球が通過可能な大きさに設定される。なお、第２開口３７４６の詳しい説明は後述する。
【０４６４】
第２送球路３７７０は、正面視横長矩形状に形成されると共に正面側が開放され一定の厚みの略箱形状に形成される。第２送球路３７７０は、第２入賞口６４０の内部に入る球を入賞部材３７３０の第２貫通孔３７３３に送球するための送球路であり、介設部材３７５０の背面側に配設されると、第２送球路３７７０の内側と介設部材３７５０との間に球を送球する送球路を形成できる。
【０４６５】
また、第２送球路３７７０は、正面視において左側端部が入賞部材３７３０の第２入賞口６４０の背面側に位置して配設されると共に、右側端部が入賞部材３７３０の第２貫通孔３７３３の背面側に位置して配設される。即ち、第２送球路３７７０は、正面視における左側端部が右側端部よりも上方に位置し、右側端部に向かって下方に傾倒する様態で介設部材３７５０に配設される。
【０４６６】
さらに、第２送球路３７７０は、正面視における左側端部が第２入賞口６４０に連結されると共に、右側端部が介設部材３７５０の第２連結孔３７５３に連結される。これにより、第２入賞口６４０の内部に入った球は、第２送球路３７７０の内部に送球された後に、第２送球路３７７０の内部を左側端部から右側端部に転動して介設部材３７５０の第２連結孔３７５３に送球される。
【０４６７】
介設部材３７５０は、正面視横長矩形に形成されると共に、左右方向中央下部に上述した可変入賞装置６５と、その可変入賞装置６５の左右両側に位置し前後方向に貫通形成される連通孔７５１と、その連通孔７５１の下方に位置し前後方向に貫通形成される回収孔７５２と、右側の連通孔７５１及び回収孔７５２との間に位置し前後方向に貫通形成される第２連結孔３７５３と、を備えて形成される。
【０４６８】
第２連結孔３７５３は、正面視略矩形状に貫通形成され、その内形が球の外形よりも大きく設定されると共に、入賞部材７３０の第２貫通孔３７３３の背面側の位置に形成される。これにより、上述した第２送球路３７７０の内側を転動される球は、第２連結孔３７５３の内部を通過されて、介設部材７５０の第２貫通孔３７３３に送球される。
【０４６９】
以上のように構成される振分け装置３７００は、次のように送球される。第１入賞口６４から入る球は、振分け部材７６０に送球されて振分け部材７６０のシーソー部材７６２により左右方向どちらか一方の傾斜面７６１に交互に送球される。傾斜面７６１を転動する球は、その傾斜面７６１の端部まで送球されると、正面側に配置される介設部材３７５０の連通孔７５１の内部を通過されて屈曲部材７４０の背面側に送球される。屈曲部材７４０，３７４０の背面側に送球される球は、屈曲部材７４０，３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７０】
第２入賞口６４０から入る球は、第２送球路３７７０に送球されて、第２送球路３７７０の内部を左側端部から右側端部まで送球される。第２送球路３７７０の右側端部まで送球される球は、正面側に配置される介設部材３７５０の第２連結孔３７５３の内部を通過され、入賞部材３７３０の第２貫通孔３７３３を通過した後に、屈曲部材３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７１】
よって、振分け装置３７００では、第２入賞口６４０から入る球を、入賞部材３７３０の正面視右側に配設したセンサＳＥで検出することができるので、第２入賞口６４０からの送球通路に新たにセンサＳＥを配設する必要がない。即ち、第１入賞口６４から入る球を検出するセンサＳＥが、第２入賞口６４０に入る球を検出するセンサＳＥの役割を兼用することができるので、その分、製品のコストを抑えることができる。
【０４７２】
次いで、図５４を参照して、屈曲部材３７４０の第２開口３７４６について説明する。図５４の（ａ）及び（ｂ）は、振分け装置３７００の断面図である。なお、図５４（ａ）は、図５３（ａ）に、図５４（ｂ）は、図５３（ｂ）にそれぞれ対応する。
【０４７３】
図５４に示すように、第１入賞口６４から球が入り送球されて、屈曲部材３７４０の背面側に送球される球と、第２入賞口６４０から球が入り送球されて、屈曲部材３７４０の背面側に送球される球とが、略同一のタイミングで屈曲部材３７４０の背面側に送球されると屈曲部材７４０の背面側互いの球が当接して球が詰まってしまう恐れがある。
【０４７４】
即ち、第２入賞口６４０から送球されて、入賞部材３７３０の第２貫通孔３７３３から屈曲部材３７４０に送球される球（以下、「下側の球」と称す）が、第１入賞口６４から送球されて、入賞部材３７３０の貫通孔７３１から屈曲部材３７４０の背面側に送球されて、屈曲部材３７４０の上方から下側に落下する球（以下、「上側の球」と称す）と衝突すると共に、第２貫通孔３７３３の正面側端部に引っ掛ることで、動けなくなり球が詰まる恐れある。
【０４７５】
これに対し、第３実施形態では、屈曲部材３７４０に第２開口３７４６が形成されるので、上側の球を第２開口３７４６から排出または第２開口３７４６の対向間に逃がすことで下側の球と上側の球との釣り合い状態を解消して屈曲部材３７４０の送球路内に球が詰まることを抑制することができる。
【０４７６】
即ち、下側の球に上側の球が乗り上げてつり合い状態が形成される際に、上側の球が位置する左右方向の側面に第２開口３７４６が形成されており、上側の球は、互いの球面形状により左右のどちらか寄りかかるので、上側の球が左右どちらかの第２開口３７４４の内部に送られる。これにより、下側の球と上側の球との釣り合い状体を解消することができる。よって、屈曲部材３７４０の送球路内に球が詰まることを抑制することができる。
【０４７７】
次いで、図５５を参照して、第４実施形態における振分け装置４７００について説明する。なお、上記各実施形態と同一の部分には、同一の符号を付してその説明は省略する。
【０４７８】
図５５（ａ）は、第４実施形態における振分け装置４７００の正面図であり、図５５（ｂ）は、図５５（ａ）のＬＶｂ−ＬＶｂ線における振分け装置４７００の断面図であり、図５５（ｃ）は、図５５（ｂ）のＬＶｃ−ＬＶｃ線における振分け装置４７００の断面図である。なお、図５５（ａ）から図５５（ｃ）では、球の通過する通過経路が破線で模式的に図示される。
【０４７９】
図５５（ａ）から図５５（ｃ）に示すように、第４実施形態における振分け装置４７００には、屈曲部材７４０の開口７４４の左右方向（図５５（ａ）左右方向）外側下方に入賞口４０６３が配設される。
【０４８０】
入賞口４０６３は、遊技領域を流下する球が内部に球通過可能な開口であり、遊技盤１３の正面側に配設される。入賞口４０６３は、背面側が後述する介設部材４７５０の第３連結孔４７５２ａに連結されており、入賞口４０６３の内部に入った球は、第３連通孔５４７５２ａに案内される。
【０４８１】
介設部材４７５０の回収孔７５２は、第２送球経路ＫＲ２の先端で下方に屈曲して形成され、その内部を球が通過して下方に送球される経路（第６送球経路ＫＲ６）が形成される。即ち、第６送球経路ＫＲ６と第２送球経路ＫＲ２とが連結される。
【０４８２】
第６送球経路ＫＲ６には、左右両側に突出する第３連結孔４７５２ａが形成され、その第３連結孔４７５２ａの下方部分に球の通過を検知するセンサＳＥが配設される。
【０４８３】
第３連結孔４７５２ａは、入賞口４０６３の背面側の開放部分に連結される。これにより、入賞口４０６３に入った球は、第３連結孔４７５２ａの内部に送球され、第６送球経路に送球される。
【０４８４】
また第３連結孔４７５２ａの通路上には、第６送球経路ＫＲ６に配設されるセンサＳＥと異なるセンサＳＥ２が配設される。これにより、第３連結孔４７５２ａの内部に入った球を検出することができる。
【０４８５】
これにより、屈曲部材７４０の開口７４４から排出される球は、入賞口４０６３に入賞させることができる。即ち、屈曲部材７４０に案内される球が、センサＳＥを通過する形態だけでなく、開口７４４から遊技領域へ流出する形態、更には、その流出した球が、入賞口４０６３内に入りセンサＳＥ２を通過する形態を形成でき、遊技に興趣を付与することができる。
【０４８６】
なお、入賞口４０６３は、開口７４４から遊技領域へ流出した球の全てを受け入れ可能な位置に配置されていても良く、或いは、開口７４４から遊技領域へ流出した球の状態に応じて、一部の球は受け入れると共に一部の球は受け入れられない位置に配設されていても良い。
【０４８７】
また、開口７４４は、第１送球通路ＫＲ１と第２送球通路ＫＲ２との連結部分に形成されるので、球詰まりが発生しそうな球を開口から遊技領域に払い出すことで、第１送球経路ＫＲ１と第２送球経路ＫＲ２との連結部分に球が詰まることを抑制できる。
【０４８８】
さらに、入賞口４０６３及び開口７４４が形成される屈曲部材７４０は、遊技盤１３の正面側に配置されるので、開口７４４から払い出され球が入賞口４０６３に入る態様を遊技者に視認可能にでき、遊技者に興趣と付与しやすくできる。
【０４８９】
第３連結孔４７５２ａは、第６送球経路ＫＲ６に配置されるセンサＳＥの上方に連結されるので、入賞口４０６３から入る球は、第３連結孔４７５２ａに配置されるセンサＳＥ２を通過するだけでなく、第６送球経路ＫＲ６に配置されるセンサＳＥを通過する。よって、入賞口４０６３から入る球により、２のセンサを通過させることができるので、遊技者に興趣を付与することができる。
【０４９０】
また、屈曲部材７４０に送球される球は、振分け部材７６０のシーソ―部材７６２により一球毎に左右に振り分けられるので、第１送球経路ＫＲ１と第２送球経路ＫＲ２との連結部分に球が連続して送球されることを抑制できる。よって、第１送球経路ＫＲ１と第２送球経路ＫＲ２との連結部分に球が詰まることを抑制できる。
【０４９１】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４９２】
上記各実施形態において、１の実施形態の一部または全部を他の１又は複数の実施形態の一部または全部と入れ替えて又は組み合わせて、遊技機を構成しても良い。
【０４９３】
上記第１実施形態では、センターフレーム６００に１のセンサ６３０が配設される場合を説明したが、必ずしもこれに限られるものではない。例えば、センターフレーム６００の左右方向中心線を対称に２のセンサ６３０を配置しても良く。３以上のセンサ６３０を配設しても良い。
【０４９４】
上記第１実施形態では、センサ６３０がセンターフレーム６００の枠体６１０に配設される場合を説明したが、必ずしもこれに限られるものではない。例えば、センサ６３０を上下変位ユニット４００の正面カバー４６０に配置しても良い。この場合、センサ６３０の照射範囲を広域にすることができるので、そのセンサ６３０の検出領域を拡大することができる。
【０４９５】
上記第１実施形態では、センターカバー６２０のカバー部材６２１を、正面側が凸の湾曲面として形成される場合を説明したが、必ずしもこれに限られるものではない。例えば、正面側中央部で断面略Ｖ字状に屈曲するものであっても良い。また、背面側に凸の湾曲面として形成しても良い。他には、一部に湾曲面が形成されるものであっても良い。少なくとも、センサ６３０から出射される光がカバー部材６３０に反射されて、遊技盤１３の前方の物体を検知できれば良い。
【０４９６】
上記第１実施形態では、センターカバー６２０のカバー部材６２１を、背面側に配設される第３図柄表示装置８１を遊技者に視認させる役割と、センサ６３０から出射される光を兼用する場合を説明したが、必ずしもこれに限られるものではなく、カバー部材６２１の領域を、第３図柄表示装置８１を遊技者に視認させ領域と、センサ６３０から出射される光を反射する領域と、の領域に領域を区切っても良い。この変形例について、図５６を参照して説明する。図５６は、変形例としてのセンターフレーム６００の断面図である。なお、上記各実施形態と同一の部分には同一の符号を付してその説明を省略する。また、図５６は、図４０（ｂ）の断面図と対応し、センターカバー６２０の断面のみが模式的に図示される。さらに、図５６は、センターフレーム６００の背面側に配置される第３図柄表示装置８１の外形が２点鎖線で図示される。
【０４９７】
図５６に示すように、センターフレーム６００のカバー部材６２１は、左右方向（図５６左右方向）の両端部に第２領域Ｒ２と、その両端の第２領域Ｒ２の中央側（第３図柄表示装置８１の正面側）に第１領域Ｒ１と、を備えて形成される。
【０４９８】
第１領域Ｒ１は、カバー部材６２１の背面側に配置される第３図柄表示装置８１を遊技者から視認可能にする領域であり、比較的透明度の高い光透過性の材量から形成される。第２領域Ｒ２は、センサ６３０から出射される光を遊技機１３の正面側（遊技者側）に反射させる領域である。なお、第１領域Ｒ１と第２領域Ｒ２との境界位置は、遊技機１３の正面側に位置する遊技者から視認可能であれば良いので、正面視における第３図柄表示装置８１の外形と略同一の位置が好ましい。また、この変形例では、理解を容易とするためにセンサ６３０を左右両端に配設した様態で説明する。
【０４９９】
この場合、例えば、第２領域Ｒ２の背面側または正面側に銀伯などの反射率の高い部材をコーティングしても良い。または、第２領域Ｒ２の背面側または正面側に銀色のシールを添付してよい。この場合、センサ６３０から照射される光を反射させやすくすることができるので、遊技盤１３の正面側の物体の検出をより確実に行うことができる。
【０５００】
他には、第２領域Ｒ２の部分を背面側に凸となる湾曲形状にしても良いし、第２領域Ｒ２の部分を平面にしても良い。この場合、センサ６３０から出射される光が第２領域Ｒ２で反射されて正面側に出射される範囲を広くすることができるので、センサ６３０の検出範囲を拡大することができる。
【０５０１】
上記各実施形態では、センサ６３０は、カバー部材６２１よりも前方に配設される場合を説明したが、必ずしもこれに限られるものではなく、例えば、センサ６３０を、カバー部材６２１よりも後方に配設してもよい。この場合、センサ６３０から出射された光はカバー部材６２１を透過されることで、遊技盤１３の正面側の物体を検知することができる。さらに、この場合、カバー部材６２０が正面側に凸の湾曲形状とされることで、センサ６３０から出射される光をカバー部材６３０に入射された際に、その照射角度を変化させることができる。即ち、正面側に凸の湾曲形状のカバー部材６３０を透過させることで、遊技盤１３の正面側に出射されるセンサ６３０の照射範囲を広くすることができる。
【０５０２】
上記各実施携帯では、振分け部材７６０の２の傾斜面７６１（第３送球経路ＫＲ３）が同じ長さで形成される場合を説明したが、必ずしもこれに限られるものではななく、２の傾斜面７６１（第３送球経路ＫＲ３）の長さをそれぞれ異なる長さにしてもよい。この場合、振分け部材７２０のシーソー部材７６２で左右に振分けられるそれぞれの球がセンサＳＥに検知されるまでの時間を左右の経路で異ならせることができるので、遊技者に興趣を与えることができる。
【０５０３】
上記第１及び第２実施形態では、ローラ４９２ａが、弾性体で形成される場合を説明したが、必ずしもこれに限られるものではない。例えば、ローラ４９２ａをゴムやウレタンよりも弾性率の低い素材で形成して、そのローラ４９２ａの外周面にゴムやウレタン等の弾性体の部材を外嵌するものであってもよい。この場合、弾性体の体積を小さくできるので、ローラ部材４９２の製造コストを抑えることができる。
【０５０４】
上記第１実施形態では、センターフレーム６００のカバー部材６２１の厚みを一定に形成する場合を説明したが、必ずしもこれに限られるものではなく、カバー部材６２１の厚みを変えてもよい。例えば、カバー部材６２１の断面形状を略Ｄ字形状に形成してもよい。この場合、カバー部材６２１は、凸レンズとなるので、カバー部材６２１の背面側に配置される第３図柄表示装置８１、装飾部材４５０を大きく表示することができる。
【０５０５】
上記第１実施形態では、ローラ４９２ａの弾性変形を利用して、ローラ４９２ａを、正面ベース４５２の当接面４５２ｈとケース部材４９１の膨出部４９１ｃとの間に挟み込む場合を説明したが、必ずしもこれに限られるものではなく、ローラ４９２ａの変位を利用するものであってもよい。例えば、ローラ４９２ａの軸部４９２ｂを変位可能に形成して、ローラ４９２ａを変位させて、正面ベース４５２の当接面４５２ｈとケース部材４９１の膨出部４９１ｃとの間に挟み込むものであってもよい。
【０５０６】
この場合、ローラ４９２ａの弾性変形を利用することなくローラ４９２ａを、正面ベース４５２の当接面４５２ｈとケース部材４９１の膨出部４９１ｃとの間に挟み込むことができるので、ローラ４９２ａをゴムやウレタンの弾性率の高い素材で形成する必要がなく、例えば、ゴムやウレタンよりも弾性率の低い樹脂で形成することができるので、その分、製造コストを抑えることができる。
【０５０７】
上記第３実施形態では、上部に配置されるローラ４９２ａが下部に配置されるローラ４９２ａよりも先に装飾部材４５０と当接する場合を説明したが、必ずしもこれに限られるものではなく、上部に配置されるローラ４９２ａが下部に配置されるローラ４９２ａよりよりも後に装飾部材４５０に当接するものであってもよい。
【０５０８】
例えば、初期位置（正面ベース４５２の当接面４５２ｈとローラ４９２ａとが離間した位置）における規制ユニット４９０の上部に配置されるローラ４９２ａは、正面ベース４５２の当接面４５２ｈと前後方向（図５０（ａ）左右方向）に所定の隙間を備えるように構成してもよい。この場合、装飾部材４５０が第１位置に変位する際に、第１及び第３実施形態よりも、ローラ４９２ａと当接するまでの時間が遅くされるので、装飾部材４５０を駆動する駆動モータ４４１の負荷（抵抗）が大きくなる時間を短くすることができる。
【０５０９】
上記第１実施形態では、照射規制部５４４とＬＥＤ５３２とが当接する状態で配置される場合を説明したが、必ずしもこれに限られるものではなく、照射規制部５４４とＬＥＤとの対向間に所定の隙間が形成されてもよい。この場合、照射孔５４３の両端を開放状態とすることができるので、照射孔５４３の内部に空気が留まる（滞留する）ことを抑制できる。即ち、照射孔５４３の内部に空気の流れを作ることができるので、ＬＥＤ５３２の動作で発生する熱を効率的に冷却することができる。
【０５１０】
上記第１実施形態では、粗面加工が凹凸の形状に形成される場合を説明したが、必ずしもこれに限られるものではなく、粗面加工が凸（突起）のみからなる面であっても良く、凹（窪み）のみからなる面であってもよい。また、粗面加工は、条または溝として延設されるものであってもよい。さらに、凹および凸の断面形状は、円形、打鍵、多角径、これらを組み合わせた形状のいずれであっても良い。即ち、基準位置よりも高い部分と低い部分とが形成され、光が、反射可能な複数の部分（面）が形成され、乱反射可能とされていれば、凹凸の形状は任意である。
【０５１１】
上記各実施形態において、煙を発生させる煙発生装置（煙発生手段）を遊技盤１３（ベース板６０）の背面側に設け、その煙発生装置から発生される煙を、回転ユニット５００の変位領域（回転領域）に導入するようにしても良い。即ち、第３図柄表示装置８１とセンターフレーム６００（センターカバー６２０）との間の空間に煙が充満された雰囲気を形成しても良い。これにより、ＬＥＤ５３２から発光された光を煙を通過させつつ遊技者に視認させることができ、かかるＬＥＤ５３２の点滅を際立たせることができる。また、煙により回転ユニット５００またはその背面側の部材を隠しつつ（遊技者から視認され難くしつつ）、ＬＥＤ５３２の点滅のみを視認させることができる。よって、ＬＥＤ５３２（光）による演出効果を高めることができる。
【０５１２】
なお、従来品では、回転ユニットの回転に伴って、煙が外周側に押し出されて、上述した空間に煙を充満させておくことが困難であった。よって、煙の効果を得ることが困難であった。これに対し、上述した各実施形態における回転ユニット５００によれば、上面ベース５１０及び下面ベース５２０に送風孔５１２，５２２が開口されると共に、上面ベース５１０及び下面ベース５２０を組み立てた構造体の背面側が開放されるので、送風孔５１２，５２２から取り込んだ外気を背面側から排気して、循環させることができる。よって、上述した空間に煙を充満させておく（回転ユニット５００の周囲に留まらせておく）ことができる。その結果、煙が充満した雰囲気中でＬＥＤ５３２を点滅させることができ、上述した効果を奏することができる。
【０５１３】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５１４】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５１５】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５１６】
以下に、本発明の遊技機に加えて上述した実施形態に含まれる各種発明の概念を示す。
【０５１７】
＜センターカバー６２０を一例とする発明の概念について＞
中央に開口を有する遊技盤と、その遊技盤の開口を介して視認可能に配設される液晶表示装置と、光を発光すると共に前記光の物体による反射光を受光することで前記液晶表示装置の正面側における前記物体の存在を検出するセンサ装置と、を備えた遊技機において、前記液晶表示装置の正面側に配設され、少なくとも正面が凸の湾曲面として形成されると共に光透過性材料からなる正面部材を備えることを特徴とする遊技機Ａ１。
【０５１８】
ここで、中央に開口を有する遊技盤と、その遊技盤の開口を介して視認可能に配設される液晶表示装置と、光を発光すると共にその光の物体（例えば、遊技者の手）による反射光を受光することで液晶表示装置の正面側における物体の存在を検出するセンサ装置（モーションセンサ）とを備えた遊技機が知られている（例えば、特開２０１４−２０８１３９号公報）。この場合、センサ装置が遊技者から視認可能に露出されると、遊技者の興趣が損なわれる。そのため、センサ装置は、装飾部材の背面側に配置され、遊技者から視認され難くされる。センサ装置は、装飾部材の側方の開放部分を介して、光を発光すると共にその光の物体による反射光を受光して物体の存在を検出するところ、センサ装置が装飾部材の側方の開放部分から離間して（奥側に後退して）配設されるほど、遊技者からは視認され難くできるが、物体を検出可能な範囲が狭くなり、センサ装置が装飾部材の側方の開放部分に近接して配設されるほど、物体を検出可能な範囲を広くできるが、遊技者から視認されやすくなる。即ち、センサ装置を遊技者から視認され難くしつつ、物体を検出可能な範囲を確保することが困難であるという問題点があった。
【０５１９】
これに対し、遊技機Ａ１によれば、液晶表示装置の正面側に配設され、少なくとも正面が凸の湾曲面として形成されると共に光透過性材料からなる正面部材を備えるので、センサ装置から発光された光を正面部材で反射させて物体に到達させることができると共に、物体による反射光を正面部材で反射させてセンサ装置に到達させることができる。よって、その分、センサ装置を装飾部材の側方の開放部分から離間させて（奥側に後退させて）配設することができるので、センサ装置を遊技者から視認され難くしつつ、物体を検出可能な範囲を確保することができる。なお、正面部材は光透過性材料からなるので、液晶表示装置に表示される図柄の視認性を確保できる。
【０５２０】
また、正面が凸の湾曲面とされるので、センサ装置から発光された光を正面部材の正面で反射させる場合には、センサ装置から近い位置では、反射の角度（反射角）をより鋭角とできる一方、センサ装置から遠い位置では、反射の角度（反射各）をより鈍角とすることができ、その分、物体を検出可能な範囲を拡大しやすくできる。なお、物体による反射光を正面部材の正面で反射させる場合も同様である。
【０５２１】
遊技機Ａ１において、前記正面部材は、少なくとも前記湾曲面として形成される部分の厚み寸法が略一定の値に設定されることを特徴とする遊技機Ａ２。
【０５２２】
遊技機Ａ２によれば、遊技機Ａ１の奏する効果に加え、正面部材は、少なくとも湾曲面として形成される部分の厚み寸法が略一定の値に設定されるので、正面部材が凸レンズとして作用することを抑制して、液晶表示装置に表示される図柄の視認性を確保できる。また、正面部材の背面側に空間を形成できるので、その分、他の部材（変位可能に形成される変位部材）が変位するためのスペースを確保できる。
【０５２３】
遊技機Ａ２において、前記液晶表示装置および正面部材の間を変位可能に形成される変位部材を備え、前記正面部材は、その正面部材の周縁のうちの第１部分が第２部分よりも正面側となる位置に配設されることを特徴とする遊技機Ａ３。
【０５２４】
遊技機Ａ３によれば、遊技機Ａ２の奏する効果に加え、正面部材は、その正面部材の周縁のうちの第１部分が第２部分よりも正面側となる位置に配設されるので、遊技盤の背面側と正面部材の背面側との間で変位部材が変位する際の通路として第１部分を利用することができる。一方で、正面部材の周縁のうちの第２部分が第１部分よりも背面側に位置するので、その分、限られたスペース内において、正面部材の曲率を大きくすることができる。
【０５２５】
前記正面部材の第１部分は、前記遊技盤の背面と略同一または遊技盤の背面よりも正面側となる位置に配設され、前記正面部材の第２部分は、前記遊技盤の背面よりも背面側となる位置に配設されることを特徴とする遊技機Ａ４。
【０５２６】
遊技機Ａ４によれば、遊技機Ａ３の奏する効果に加え、正面部材の第１部分は、遊技盤の背面と略同一または遊技盤の背面よりも正面側となる位置に配設されるので、変位部材が第１部分に干渉することをより確実に抑制でき、その分、変位部材の大型化を図ることができる。また、正面部材の第２部分は、遊技盤の背面よりも背面側となる位置に配設されるので、正面部材の曲率をより大きくすることができ、その分、正面部材の正面を光の反射面として利用しやすくできる。即ち、センサ装置を遊技者から視認され難くしつつ、物体を検出可能な範囲を確保することができる。
【０５２７】
遊技機Ａ３又はＡ４において、前記遊技盤の開口の内縁に配設されるセンターフレームを備え、前記変位部材は、前記遊技盤の背面側と前記正面部材の背面側との間で変位可能に形成される本体部材と、その本体部材に回転可能に配設される回転部材とを備え、前記正面部材の第２部分が前記センターフレームに連結されることを特徴とする遊技機Ａ５。
【０５２８】
遊技機Ａ５によれば、遊技機Ａ３又はＡ４の奏する効果に加え、第２部分がセンターフレームに連結されるので、変位部材（本体部材）が正面部材の背面側に変位され回転部材が回転されることで発生する風を第２部分（正面部材）により遮ることができる。その結果、風の作用により球の流下が影響を受けることを抑制できる。また、回転部材の回転により風が発生し、その風により埃や粉塵が吹き飛ばされた場合でも、第２部分（正面部材）により遮ることができるので、吹き飛ばされた埃や粉塵がセンサ装置の発光・受光の光路上に舞い上がり、検出の精度が低下することを抑制できる。
【０５２９】
遊技機Ａ５において、前記センターフレームは、球が転動可能に形成されるステージを備え、前記正面部材の第２部分は、前記センターフレームのうちの少なくともステージを含む範囲に連結されることを特徴とする遊技機Ａ６。
【０５３０】
ここで、センターフレームのステージには、そのステージを転動する球が背面側へ落下しないように、背面壁が立設されるものが従来から知られている。しかし、かかる従来品では、回転部材の回転により発生した風が、ステージから立設される背面壁の立設先端から正面側へ回り込んで、或いは、遊技盤の正面側のガラス板で折り返されて、ステージを転動する球に影響を与える。一方、ステージを転動する球に風の影響を与えなくするために、背面壁を正面側まで湾曲させて、ステージの球の周囲を覆う形状とする（即ち、閉じた通路を形成する）と、ステージを転動する球を遊技者が視認し難くなるため、遊技の興趣が損なわれる。
【０５３１】
これに対し、遊技機Ａ６によれば、遊技機Ａ５の奏する効果に加え、正面部材の第２部分は、センターフレームのうちの少なくともステージを含む範囲に連結されるので、回転部材が回転されることで発生する風を第２部分（正面部材）により遮ることができる。その結果、ステージの周囲を覆う必要がないので、ステージを転動する球を遊技者に視認させやすくしつつ、風の作用により球の流下が影響を受けることを抑制できる。
【０５３２】
遊技機Ａ５又はＡ６において、前記正面部材の第１部分は、前記遊技盤の開口における内縁またはセンターフレームとの間に所定の間隔を隔てて配設されることを特徴とする遊技機Ａ７。
【０５３３】
遊技機Ａ７によれば、遊技機Ａ５又はＡ６のいずれかにおいて、正面部材の第１部分は、前記遊技盤の開口における内縁またはセンターフレームとの間に所定の間隔を隔てて配設されるので、かかる所定の間隔を介して、遊技盤および正面部材の背面側と正面側とを連通させることができる。その結果、変位部材（本体部材または回転部材）から発生する熱が、遊技盤および正面部材の背面側にこもることを抑制できる。
【０５３４】
遊技機Ａ７において、前記正面部材の第１部分は、前記正面部材の周縁のうちの鉛直方向上側の領域に形成されることを特徴とする遊技機Ａ８。
【０５３５】
遊技機Ａ８によれば、遊技機Ａ７の奏する効果に加え、正面部材の第１部分は、その正面部材の周縁のうちの鉛直方向上側の領域に形成されるので、回転部材が回転されることで発生する風を、遊技領域のうちの上側の領域（遊技盤の開口の上側の領域）へ向けて流すことができ、風の作用により球の流下が影響を受けることを抑制できる。即ち、遊技領域のうちの上側の領域を流下する球は、発射装置から発射され遊技領域へ流入された初期の球であり、その速度が比較的速いため、例えば、センターフレームのステージ上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０５３６】
ここで、変位部材（本体部材または回転部材）から熱が発生すると、その熱により温められた空気は上昇されるところ、正面部材の第１部分は、正面部材の周縁のうちの鉛直方向上側の領域に形成される、即ち、遊技盤および正面部材の背面側と正面側とを連通させる隙間（所定の間隔）をより上側に形成することができる。その結果、変位部材（本体部材または回転部材）から発生する熱を、隙間を介して遊技盤および正面部材の正面側へ流しやすくして、遊技盤および正面部材の背面側に熱がこもることを抑制できる。
【０５３７】
遊技機Ａ１からＡ８のいずれかにおいて、前記正面部材の正面は、その法線方向が少なくとも水平方向よりも下方を指向する湾曲面として形成されることを特徴とする遊技機Ａ９。
【０５３８】
ここで、正面部材は、液晶表示装置の正面側に配設されるため、遊技者の顔にほぼ対面される（真正面に向かい合う）。そのため、正面部材の正面が凸の湾曲面として形成されると、店内の天井に設置された蛍光灯や他の遊技機からの光が遊技者へ向けて反射され、遊技者が眩しく感じると共に、液晶表示装置の視認性が悪化する（正面部材に蛍光灯や他の遊技機の光が映りこむことで、液晶表示装置が見え難くなる）恐れがある。
【０５３９】
これに対し、遊技機Ａ９によれば、遊技機Ａ１からＡ８の奏する効果に加え、正面部材の正面は、その法線方向が少なくとも水平方向よりも下方を指向する湾曲面として形成されるので、正面部材の正面へ入射された光を下方へ向けて反射させることができる。即ち、店内の天井に設置された蛍光灯や他の遊技機からの光が正面部材の正面へ入射された場合に、かかる光が遊技者へ向けて反射されることを抑制でき、その結果、遊技者が眩しく感じることや、液晶表示装置の視認性が悪化することを抑制できる。
【０５４０】
遊技機Ａ９において、前記正面部材の第１部分は、前記正面部材の周縁のうちの鉛直方向上側の領域に形成され、前記正面部材は、少なくとも前記湾曲面として形成される部分の厚み寸法が略一定の値に設定されると共に、鉛直方向上方に位置する前記正面ほど水平方向成分が大きくなることを特徴とする遊技機Ａ１０。
【０５４１】
遊技機Ａ１０によれば、遊技機Ａ９の奏する効果に加え、正面部材の第１部分は、正面部材の周縁のうちの鉛直方向上側の領域に形成され、正面部材は、少なくとも湾曲面として形成される部分の厚み寸法が略一定の値に設定されると共に、鉛直方向上方に位置する正面ほど水平方向成分が大きくなるので、変位部材（本体部材または回転部材）から発生した熱により温められた空気を、正面部材の背面に沿って上昇させることができると共に、その上昇した空気（熱）を、正面部材の第１部分（遊技盤および正面部材の背面側と正面側とを連通させる隙間（所定の間隔））から遊技盤および正面部材の正面側へ流しやすくできる。その結果、遊技盤および正面部材の背面側に熱がこもることを抑制できる。
【０５４２】
＜振分け装置７００を一例とする発明の概念について＞
球が通過可能な通路を形成する通路部材を備え、前記通路部材の一部に屈曲部が形成された遊技機において、前記通路部材は、前記屈曲部の側壁に開口形成される開口を備えることを特徴とする遊技機Ｂ１。
【０５４３】
ここで、球が通過可能な通路を形成する通路部材を備えた遊技機が知られている（例えば、特開２０１５−９７７６４号公報）。この場合、通路部材の一部に屈曲部を形成することも行われる。屈曲部を形成することで、球の送球方向（通路から遊技領域へ球を流出させる位置）を変更できるので、レイアウトの自由度を高めることができる。しかしながら、上述した従来の遊技機のように、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生することがあるという問題点があった。
【０５４４】
これに対し、遊技機Ｂ１によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０５４５】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０５４６】
遊技機Ｂ１において、前記通路部材の屈曲部は、略鉛直方向に延設される鉛直通路と、その鉛直通路から下降傾斜しつつ延設される延設通路とを備え、前記開口は、前記鉛直通路と前記延設通路とが交差する領域に形成されることを特徴とする遊技機Ｂ２。
【０５４７】
遊技機Ｂ２によれば、遊技機Ｂ１の奏する効果に加え、通路部材の屈曲部は、略鉛直方向に延設される鉛直通路と、その鉛直通路から下降傾斜しつつ延設される延設通路とを備え、開口は、鉛直通路と延設通路とが交差する領域に形成されるので、球詰まりの発生を抑制できる。
【０５４８】
即ち、鉛直通路と延設通路とが交差する領域は、鉛直通路を流下（落下）した球が方向転換して延設通路の延設方向へ向けて転動を開始する位置であり、先行する球に後行する球が追いつきやすい。そのため、先行する球を後行する球が側壁に押し付けることで、両者が転動できなくなり、球詰まりが発生しやすい。これに対し、遊技機Ｂ２によれば、かかる鉛直通路と延設通路とが交差する領域に開口が形成されるので、先行する球に後行する球が追いついても、先行する球を側壁に押し付け難くでき、両者の転動を継続させやすくできる。その結果、球詰まりの発生を抑制できる。
【０５４９】
遊技機Ｂ２において、前記開口は、前記鉛直通路と前記延設通路とが交差する領域であって、前記延設通路の延設方向に沿って球が転動する際の左右の側壁に形成されることを特徴とする遊技機Ｂ３。
【０５５０】
遊技機Ｂ３によれば、遊技機Ｂ２の奏する効果に加え、開口は、鉛直通路と延設通路とが交差する領域であって、延設通路の延設方向に沿って球が転動する際の左右の側壁に形成されるので、先行する球に後行する球が追いついた場合でも、先行する球を左右の側壁に押し付け難くでき、両者の転動を継続させやすくできる。その結果、球詰まりの発生を抑制できる。
【０５５１】
遊技機Ｂ３において、前記鉛直通路と前記延設通路とが交差する領域であって、転動面となる底壁および前記延設通路の延設方向に沿って球が転動する際の背面側の側壁には、前記延設通路の下降傾斜よりも大きな角度で下降傾斜される傾斜面が形成されることを特徴とする遊技機Ｂ４。
【０５５２】
遊技機Ｂ４によれば、遊技機Ｂ３の奏する効果に加え、鉛直通路と延設通路とが交差する領域であって、転動面となる底壁および前記延設通路の延設方向に沿って球が転動する際の背面側の側壁には、延設通路の下降傾斜よりも大きな角度で下降傾斜される傾斜面が形成されるので、鉛直通路を流下（落下）する球が方向転換して延設通路の延設方向へ向けて転動を開始する際には、かかる球を傾斜面の下降傾斜を利用して速やかに転動させることができる。これにより、後行する球が追いつくよりも前に、先行する球を転動させやすくでき、先行する球が後行する球によって背面側（延設通路の延設方向に沿って球が転動する際の背面側）の側壁に押し付けられることを抑制できるので、両者の転動を継続させやすくできる。その結果、球詰まりの発生を抑制できる。
【０５５３】
なお、傾斜面の傾斜は、直線状の傾斜、曲線状の傾斜、又は、これらを組み合わせた傾斜のいずれであっても良い。また、傾斜面の下降傾斜の角度は、その傾斜面の全域で、延設通路の下降傾斜の角度よりも大きな角度である必要はなく、少なくとも傾斜面の一部における下降傾斜の角度が延設通路の下降傾斜の角度よりも大きな角度であれば足りる趣旨である。
【０５５４】
遊技機Ｂ２からＢ４のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設されることを特徴とする遊技機Ｂ５。
【０５５５】
遊技機Ｂ５によれば、遊技機Ｂ２からＢ４のいずれかの奏する効果に加え、通路部材の屈曲部のうちの少なくとも鉛直通路と延設通路とが交差する領域（即ち、開口が形成される部分）が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。
【０５５６】
遊技機Ｂ２からＢ５のいずれかにおいて、前記開口は、前記鉛直通路と前記延設通路とが交差する領域における側壁であって、転動面となる底壁から球の半径に相当する高さ位置を含む範囲に形成されることを特徴とする遊技機Ｂ６。
【０５５７】
遊技機Ｂ６によれば、遊技機Ｂ２からＢ５のいずれかにおいて、開口は、鉛直通路と延設通路とが交差する領域における側壁であって、転動面となる底壁から球の半径に相当する高さ位置を含む範囲に形成されるので、鉛直通路を流下（落下）する球が延設通路の底壁に到達した際に、かかる球を開口に受け入れやすくできる。よって、先行する球に後行する球が追いついた場合でも、先行する球を側壁に押し付け難くでき、両者の転動を継続させやすくできる。その結果、球詰まりの発生を抑制できる。
【０５５８】
遊技機Ｂ２からＢ６のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設され、前記開口は、球が通過可能な大きさに形成されることを特徴とする遊技機Ｂ７。
【０５５９】
遊技機Ｂ７によれば、遊技機Ｂ２からＢ６のいずれかにおいて、通路部材の屈曲部のうちの少なくとも鉛直通路と前記延設通路とが交差する領域（即ち、開口が形成される部分）が遊技盤の正面側に配設され、開口は、球が通過可能な大きさで形成されるので、球詰まりの発生を抑制しやすくできる。
【０５６０】
即ち、開口の大きさが、球が通過不能な大きさとされる場合には、通常は、開口を利用して、先行する球を側壁に押し付け難くできるが、例外的に、後行する球が先行する球を開口の中心へ押し付ける形態が形成され、先行する球が開口に内嵌される（嵌り込む）場合がある。この場合には、後行する球の転動が、開口に嵌り込んだ球に阻害され、球詰まりが発生する。
【０５６１】
これに対し、遊技機Ｂ７によれば、後行する球が先行する球を開口の中心へ押し付ける形態が形成された場合でも、先行する球を開口から通路部材の外部（遊技盤の正面側の遊技領域）へ排出することができ、先行する球が開口に内嵌される（嵌り込む）ことを回避できる。これにより、後行の球の転動を継続させることができるので、球詰まりの発生を抑制できる。
【０５６２】
また、このように、球が通過可能な大きさで開口が形成されると共に、その開口が遊技盤の正面側（即ち、遊技領域）に配設されることで、遊技領域を流下する球を開口から通路部材へ流入させることができる。よって、遊技の興趣の向上を図ることができる。例えば、屈曲部よりも下流に入賞球を検出するセンサが配設される場合には、屈曲部よりも上流から通路部材へ流入した球に加え、開口から通路部材へ流入した球も入賞口として検出させることができる。特に、この場合には、開口（鉛直通路と前記延設通路とが交差する領域）は、遊技盤の正面側に配設されるので、開口から通路部材へ流入する球を遊技者に視認させることができる。
【０５６３】
遊技機７において、前記開口の内縁下端は、前記延設通路の底壁から所定距離だけ離間された位置に設定されることを特徴とする遊技機Ｂ８。
【０５６４】
遊技機Ｂ８によれば、遊技機Ｂ７の奏する効果に加え、開口の内縁下端は、延設通路の底壁から所定距離だけ離間された位置に設定されるので、開口の内縁下端と延設通路の底壁との間に側壁を残す（形成する）ことができる。よって、球が通過可能な大きさに開口が形成される場合であっても、かかる開口を介して、通路部材から外部（遊技領域）へ不必要に球が流出することを抑制できる。
【０５６５】
遊技機Ｂ１からＢ８において、前記通路部材は、前記屈曲部へ向けて下降傾斜して形成され前記屈曲部の上流側に連結される共に遊技領域の幅方向に沿って略直線状に延設される傾斜通路を備え、前記傾斜通路の上流側を遊技領域の幅方向中央に位置させると共に前記屈曲部を遊技領域の幅方向外側に位置させる姿勢で前記通路部材が一対配置されると共に、それら一対の通路部材における屈曲部の間に入賞装置が位置されることを特徴とする遊技機Ｂ９。
【０５６６】
遊技機Ｂ９によれば、通路部材は、屈曲部へ向けて下降傾斜して形成され屈曲部の上流側に連結される共に遊技領域の幅方向に沿って略直線状に延設される傾斜通路を備え、傾斜通路の上流側を遊技領域の幅方向中央に位置させると共に屈曲部を遊技領域の幅方向外側に位置させる姿勢で通路部材が一対配置されると共に、それら一対の通路部材における屈曲部の間に入賞装置が位置される。
【０５６７】
この場合、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。
【０５６８】
これに対し、遊技機Ｂ９によれば、屈曲部の側壁に開口が形成されることで、かかる屈曲部における球詰まりの発生し難くできるので、その分、傾斜通路の下降傾斜の角度を小さく（下降傾斜を緩やかと）することができる。その結果、傾斜通路の配設に必要な高さ方向のスペースが抑制でき、入賞装置の配設を可能とすることができる。即ち、遊技機Ｂ９記載の通路部材および入賞装置の配置は、従来品では不可能な配置であり、上述のように、屈曲部の側壁に開口を形成することで初めて可能となったものである。
【０５６９】
遊技機Ｂ９において、正面側に遊技領域が形成される遊技盤を備え、前記通路部材の屈曲部のうちの少なくとも前記鉛直通路と前記延設通路とが交差する領域が前記遊技盤の正面側に配設され、前記通路部材の屈曲部のうちの前記遊技盤の正面側に配設された部分と前記遊技領域の下方縁部との間には少なくとも球が通過可能な隙間が形成されることを特徴とする遊技機Ｂ１０。
【０５７０】
ここで、遊技盤の中央には開口が形成され、その開口を介して液晶表示装置を遊技者に視認させる。近年、液晶表示装置の大型化の要請に伴い、遊技盤中央の開口も大きくなることで、遊技盤中央の開口の下方縁部と遊技領域の下方縁部との間のスペースが狭くされる。そのため、従来品では、遊技機９記載の通路部材および入賞装置に相当する部材を、遊技盤中央の開口の下方縁部と遊技領域の下方縁部との間のスペースに配置することが困難であった。即ち、上述したように、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。また、屈曲部の上下方向における配設位置が下がる（低くなる）ため、かかる屈曲部と遊技領域の下方縁部との間に球が通過可能な隙間を確保することが困難となり、屈曲部の両側にそれぞれアウト口を設けることが必要となる。
【０５７１】
これに対し、遊技機Ｂ１０によれば、遊技機Ｂ９の奏する効果に加え、屈曲部の側壁に開口が形成されることで、かかる屈曲部における球詰まりの発生し難くできるので、その分、傾斜通路の下降傾斜の角度を小さく（下降傾斜を緩やかと）することができる。その結果、屈曲部の上下方向における配設位置を上げる（高くする）ことができるので、かかる屈曲部と遊技領域の下方縁部との間に球が通過可能な隙間を確保することができる。よって、屈曲部の両側にそれぞれアウト口を設けることを不要とできる。即ち、遊技機Ｂ９記載の通路部材および入賞装置の配置において、更に、遊技機Ｂ１０記載の配置（屈曲部と遊技領域の下方縁部との間に球が通過可能な隙間が形成された配置）は、従来品では不可能な配置であり、上述のように、屈曲部の側壁に開口を形成することで初めて可能となったものである。
【０５７２】
＜回転ユニット５００を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記本体部材は、前記発光手段の光を透過させる透過部と、回転方向に面する側壁に貫通形成される複数の貫通孔を備えることを特徴とする遊技機Ｃ１。
【０５７３】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。
【０５７４】
この場合、特開２０１５−１００３８５号公報の技術では、発光手段が露出されているため、外観が損なわれる。一方、特開２０１５−０５３９６８号公報の技術では、透光性を有する部材（押しボタン）を通して、発光手段の光を視認させる。よって、発光手段は露出されない。しかしながら、この場合、発光手段が配設された部材（リール）を回転させても、その回転は視認されないため、残像効果による残像表示を行う意味がない。即ち、複数の発光手段をマトリックス状に縦横に配列し、それら各発光手段の点滅を制御することによっても、同様の表示を行うことができる。
【０５７５】
そこで、本願出願人は、複数の発光手段が列設される基板を本体部材に収容し、その本体部材をベース部材に回転可能に軸支させた回転表示装置を考案した（本願出願時において未公知）。これによれば、発光手段が本体部材に収容されているので、発光手段が視認され難く、外観が損なわれない。また、本体部材の回転が視認可能な状態で、発光手段の点滅による残像表示を視認させるので、興趣を高められる。しかしながら、この場合、発光手段が本体部材に収容されるので、発光手段の冷却が困難であるという問題点を新たに見出した。発光手段（ＬＥＤ）やそれを制御するＩＣ・コンデンサ等は、基盤にはんだ付けされるところ、これら発光手段やＩＣ・コンデンサが動作する際の発熱を十分に冷却できない場合には、はんだが溶けて、接触不良を招く恐れがある。
【０５７６】
これに対し、遊技機Ｃ１によれば、本体部材は、回転方向に面する側壁に貫通形成される複数の貫通孔を備えるので、本体部材が回転される際に、複数の貫通孔から本体部材の内部へ外気を取り込むことができる。よって、発光手段が動作する際の発熱を冷却することができる。
【０５７７】
遊技機Ｃ１において、前記本体部材は、背面側が開放された容器状の形状に形成されることを特徴とする遊技機Ｃ２。
【０５７８】
遊技機Ｃ２によれば、遊技機Ｃ１の奏する効果に加え、本体部材は、背面側が開放された容器状の形状に形成されるので、側壁の貫通孔から取り込んだ外気を背面側から効率的に排気することができる。よって、発光手段が動作する際の発熱を冷却することができる。また、このように、本体部材の背面側から排気することで、かかる排気が、遊技領域を流下（又は、ステージを転動する）球に影響を与えることを抑制できる。
【０５７９】
遊技機Ｃ２において、前記本体部材は、本体部材の回転平面における直径方向に沿う長尺形状となる正面視矩形状に形成されると共に、正面側を形成する正面壁が長手方向端部側ほど背面側に後退する湾曲形状に形成されることを特徴とする遊技機Ｃ３。
【０５８０】
遊技機Ｃ３によれば、遊技機Ｃ２の奏する効果に加え、本体部材は、本体部材の回転平面における直径方向に沿う長尺形状となる正面視（即ち、回転軸方向視）矩形状に形成されるので、本体部材の回転に伴う遠心力を利用して、本体部材の内部の空気を長手方向端部側（回転時の径方向外方）へ流動させ、背面側から排気することができる。よって、かかる空気の流動に伴って、回転軸およびその近傍において、背面側から外気を本体部材へ取り込むことができる。即ち、回転軸およびその近傍では、回転速度が低いため、側壁の貫通孔からの外気の取り込み効率が悪い（又は取り込めない）ところ、遠心力を利用した空気の循環（回転軸およびその近傍における背面側から外気を取り込み、その取り込んだ外気を遠心力で長手方向端部側（回転時の径方向外方）へ流動させ、径方向外方側における背面側から排気する空気の流動）を形成することができる。その結果、発光手段が動作する際の発熱を冷却することができる。特に、回転軸およびその近傍に配設される発光手段の冷却を達成することができる。
【０５８１】
この場合、本体部材の正面側を形成する正面壁が、本体部材の回転平面に平行な形状であると（即ち、本体部材が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０５８２】
これに対し、遊技機Ｃ３によれば、正面側を形成する正面壁が長手方向端部側ほど背面側に後退する湾曲形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転軸およびその近傍に配設される発光手段の冷却をより確実に達成することができる。
【０５８３】
遊技機Ｃ２又はＣ３において、前記本体部材は、回転軸およびその回転軸の近傍における背面側の開放面積が、長手方向端部側における背面側の開放面積よりも大きくされることを特徴とする遊技機Ｃ４。
【０５８４】
遊技機Ｃ４によれば、遊技機Ｃ２又はＣ３の奏する効果に加え、本体部材は、回転軸およびその回転軸の近傍における背面側の開放面積が、長手方向端部側における背面側の開放面積よりも大きくされるので、回転に伴う遠心力を利用して、本体部材の内部の空気を長手方向端部側（回転時の径方向外方）へ流動させ、径方向外方側における背面側から排気することで、回転軸およびその近傍における背面側から外気を取り込む際に、その取込を効率的に行うことができる。
【０５８５】
遊技機Ｃ４において、前記本体部材は、回転軸およびその回転軸の近傍における背面側の開放部分が、回転軸と同心の円形に形成されることを特徴とする遊技機Ｃ５。
【０５８６】
遊技機Ｃ５によれば、遊技機Ｃ４の奏する効果に加え、本体部材は、回転軸およびその回転軸の近傍における背面側の開放部分が、回転軸と同心の円形に形成されるので、本体部材の回転に伴って、回転軸およびその近傍の背面側の外気が乱れる（回転方向の流動が形成される）ことを抑制できる。その結果、回転軸およびその近傍における背面側から外気を効率的に取り込むことができる。
【０５８７】
遊技機Ｃ２からＣ５のいずれかにおいて、前記ベース部材に本体部材を回転可能に軸支する軸部材を備え、その軸部材は、前記本体部材の背面側から背面側へ向かうに従って縮径されることを特徴とする遊技機Ｃ６。
【０５８８】
遊技機Ｃ６によれば、遊技機Ｃ２からＣ５のいずれかの奏する効果に加え、ベース部材に本体部材を回転可能に軸支する軸部材は、本体部材の背面側から背面側へ向かうに従って縮径されるので、本体部材の回転に伴って、回転軸およびその近傍における背面側から外気を取り込む際には、軸部材の外周面に沿う外気の流れを円滑とでき、流動抵抗を低減できる。その結果、回転軸およびその近傍における背面側から外気の取りこみを効率化できるので、回転軸およびその近傍に配設される発光手段の冷却をより確実に達成することができる。
【０５８９】
遊技機Ｃ１からＣ６のいずれかにおいて、前記基板は、前記発光手段が搭載される面またはその面と反対側の面を前記本体部材の側壁に対面させる姿勢で前記本体部材に収納されることを特徴とする遊技機Ｃ７。
【０５９０】
遊技機Ｃ７によれば、遊技機Ｃ１からＣ６のいずれかの奏する効果に加え、基板は、発光手段が搭載される面またはその面と反対側の面を本体部材の側壁に対面させる姿勢で本体部材に収納されるので、側壁に貫通形成された貫通孔から導入される外気を、発光手段又はＩＣ・コンデンサへ効率的に噴き付けて、放熱効果を高めることができる。その結果、発光手段又はＩＣ・コンデンサが動作する際の発熱を効果的に冷却することができる。また、基板が本体部材に収容される姿勢が、基板の表面または裏面を本体部材の側壁に対面させる姿勢とされることで、本体部材の正面視の幅寸法（長手方向に直交する方向の寸法）を小さくできる。その結果、本体部材（回転表示装置）が停止された状態において、その背面側に配設される部材や装置の視認性を確保できる。
【０５９１】
遊技機Ｃ１からＣ７のいずれかにおいて、前記回転表示装置の本体部材の変位領域に煙を発生させる煙発生手段を備えることを特徴とする遊技機Ｃ８。
【０５９２】
遊技機Ｃ８によれば、遊技機Ｃ１からＣ７のいずれかの奏する効果に加え、回転表示装置の本体部材の変位領域に煙を発生させる煙発生手段を備えるので、発光手段の点滅を際立たせることができる。また、煙により回転表示装置を隠しつつ、発光手段の点滅のみを視認させることができ、光による演出効果を高めることができる。
【０５９３】
なお、従来の回転表示装置では、本体部材の回転に伴って、煙が外周側に押し出されて、煙の効果を得ることが困難であったが、本発明によれば、本体部材に貫通孔が形成され、外気を循環させることができるので、煙を本体部材の周囲に留まらせることができる。その結果、煙が充満した雰囲気中で発光手段を点滅させることができ、上述した効果を奏することができる。
【０５９４】
煙発生装置としては、例えば、水性又は油性のオイル（リキッド）を加熱・気化させて煙（スモーク）を発生させるタイプ、リキッド（水性・油性）をコンプレッサーにて加圧・拡散させ、空気中に細かい粒子として滞留させるタイプ、炭酸ガスを噴出させるタイプなどが例示される。
【０５９５】
遊技機Ｃ８において、中央に開口を有する遊技盤と、その遊技盤の開口を介して視認可能に配設される液晶表示装置と、前記液晶表示装置の正面側に配設され、正面側に凸に湾曲して形成されると共に光透過性材料からなる正面部材とを備え、前記回転表示部材の少なくとも本体部材が前記液晶表示装置と前記正面部材との間に位置されることを特徴とする遊技機Ｃ９。
【０５９６】
遊技機Ｃ９によれば、遊技機Ｃ８の奏する効果に加え、中央に開口を有する遊技盤と、その遊技盤の開口を介して視認可能に配設される液晶表示装置と、液晶表示装置の正面側に配設され、正面側に凸に湾曲して形成されると共に光透過性材料からなる正面部材とを備え、回転表示部材の少なくとも本体部材が液晶表示装置と正面部材との間に位置されるので、煙発生装置から発生した煙を本体部材の変位領域に留まらせやすく（閉じ込めやすく）できる。よって、煙が充満する雰囲気中で発光手段を点滅させて、その点滅を際立たせることや、煙により回転表示装置を隠しつつ、発光手段の点滅のみを視認させることが行いやすくできる。その結果、光による演出効果を高めることができる。特に、正面部材が正面へ向けて凸に湾曲されるので、その正面部材の背面側の空間に煙を留めやすくできる。その結果、上述した煙を利用した光の演出効果を高めやすくできる。
【０５９７】
＜回転ユニット５００を一例とする発明の概念について＞
ベース部材と、そのベース部材に対して第１位置および第２位置の間で変位される本体部材と、その本体部材に変位可能に配設される変位部材とを備え、前記本体部材が少なくとも前記第１位置に配置された状態で前記変位部材が変位される遊技機において、前記ベース部材または本体部材の一方に回転可能に軸支される回転部材と、前記本体部材が前記第１位置に配置された状態で前記回転部材の外周面に当接可能に対面されると共に前記ベース部材または本体部材の他方に配設される当接部材とを備え、前記本体部材が第１位置へ配置される際の変位方向と前記回転部材の回転方向とが略平行に設定されることを特徴とする遊技機Ｄ１。
【０５９８】
ここで、ベース部材と、そのベース部材に対して第１位置および第２位置の間で変位される本体部材と、その本体部材に変位可能に配設される変位部材とを備え、本体部材が第１位置に配置された状態で変位部材が変位可能に形成された遊技機が知られている（例えば、特開２０１３−１６２９９０号公報）。
【０５９９】
この場合、本体部材が第１位置に配置され、変位部材が変位されると、その変位部材の変位に伴って、本体部材がベース部材に対してがたつくことがある。そこで、本体部材とベース部材とを係合させる係合手段を設け、がたつきを抑制するものがある。係合手段は、本体部材またはベース部材の一方に配設され付勢手段により付勢される係合部材と、その係合部材に係合可能に形成されると共に本体部材またはベース部材の他方に配設される被係合部材とを備え、ベース部材に対する本体部材の変位（第１位置へ向かう変位）を利用して、係合部材を付勢手段の付勢力に抗しつつ後退させ、本体部材が第１位置に配置されると、係合部材を付勢手段の付勢力で前進させて被係合部材に係合させる。これにより、ベース部材に対する本体部材の相対的な変位が係合手段の係合により規制され、変位部材の変位に伴う本体部材のベース部材に対するがたつきが抑制される。
【０６００】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（本体部材を第１位置から第２位置へ向けて変位させる）際にも、付勢手段の付勢力に抗して係合部材を後退させる必要があり、本体部材をベース部材に対して変位させる際に必要な駆動力が嵩むという問題点があった。
【０６０１】
これに対し、遊技機Ｄ１によれば、ベース部材または本体部材の一方に回転可能に軸支される回転部材と、本体部材が第１位置に配置された状態で回転部材の外周面に当接可能に対面されると共にベース部材または本体部材の他方に配設される当接部材とを備えるので、回転部材の外周面に当接部材が当接されることで、ベース部材に対する本体部材の相対的な変位を規制して、変位部材の変位に伴う本体部材のベース部材に対するがたつきを抑制できる。この場合、本体部材が第１位置へ配置される際の変位方向と回転部材の回転方向とが略平行に設定されるので、本体部材を第１位置へ配置する際および第１位置から第２位置へ変位させる際には、その変位に伴って回転部材を回転させることができるので、本体部材をベース部材に対して変位させる際に必要な駆動力を抑制できる。
【０６０２】
遊技機Ｄ１において、前記回転部材は、少なくとも外周面側が弾性変形可能な弾性体から形成されることを特徴とする遊技機Ｄ２。
【０６０３】
遊技機Ｄ２によれば、遊技機Ｄ１の奏する効果に加え、回転部材は、少なくとも外周面側が弾性変形可能な弾性体から形成されるので、回転部材の外周面に当接部材が当接される際には、回転部材の外周面側を弾性変形させて、当接部材に回転部材を保持させやすくできる。これにより、回転部材を回転し難くして、ベース部材に対する本体部材の相対的な変位を規制できるので、変位部材の変位に伴う本体部材のベース部材に対するがたつきを抑制できる。
【０６０４】
なお、弾性体としては、ゴムやウレタンなどに例示される粘弾性体であることが好ましい。この場合には、その制振効果によって、変位部材の変位に伴い本体部材からベース部材へ入力される振動を減衰・絶縁させる振動減衰機能または振動絶縁機能を果たすことができ、ベース部材側に配設される各種機器の摩耗や故障、締結部の緩みなどを抑制できるからである。特に、変位部材が周期的に変位される場合（例えば、バーサライタとして機能するために、比較的高速で回転される場合など）には、比較的小振幅かつ高周波数の振動が本体部材からベース部材へ入力されるため、粘弾性体を採用することが特に有効となる。
【０６０５】
遊技機Ｄ１又はＤ２において、前記回転部材は、径方向に変位可能に形成され、前記ベース部材または本体部材の一方は、前記本体部材が前記第１位置に配置された状態で、前記回転部材を挟んで前記当接部材と対向配置されると共に、回転部材の外周面に当接可能に対面される対向部材を備えることを特徴とする遊技機Ｄ３。
【０６０６】
遊技機Ｄ３によれば、遊技機Ｄ１又はＤ２の奏する効果に加え、回転部材は、径方向に変位可能に形成され、ベース部材または本体部材の一方は、本体部材が第１位置に配置された状態で、回転部材を挟んで当接部材と対向配置されると共に、回転部材の外周面に当接可能に対面される対向部材を備えるので、変位部材の変位に伴う本体部材のベース部材に対するがたつきにより、回転部材の外周面に当接部材が当接された際には、回転部材の反対側の外周面を対向部材に当接させることができる。即ち、当接部材と対向部材との間に回転部材を挟み込むことができる。これにより、回転部材を回転し難くして、ベース部材に対する本体部材の相対的な変位を規制できるので、変位部材の変位に伴う本体部材のベース部材に対するがたつきを抑制できる。
【０６０７】
なお、回転部材を径方向へ変位可能とする形態としては、例えば、回転部材を回転可能に軸支する軸が径方向に変位可能に形成される形態、回転部材を回転可能に軸支する軸の外径がその軸を受け入れる回転部材の挿通孔の内径よりも小さくされる形態、回転部材に固定される軸の外径がその軸を受け入れる本体部材またはベース部材の一方の挿通孔よりも小さくされる形態などが例示される。
【０６０８】
遊技機Ｄ３において、前記ベース部材または本体部材の一方に固定される軸を備え、前記回転部材は、前記軸が挿通される軸支孔を内周側に備える断面円環形状に弾性体から形成され、前記回転部材の径方向への変位は、前記弾性体が弾性変形されることで形成されることを特徴とする遊技機Ｄ４。
【０６０９】
遊技機Ｄ４によれば、遊技機Ｄ３の奏する効果に加え、回転部材の径方向への変位は、弾性体が弾性変形されることで形成されるので、変位部材の変位に伴う本体部材のベース部材に対するがたつきにより、当接部材と対向部材との間に回転部材が挟み込まれた場合には、回転部材（弾性体）の弾性回復力を利用して、当接部材および対向部材に回転部材をより強固に保持させやすくできる。これにより、回転部材を回転し難くして、ベース部材に対する本体部材の相対的な変位を規制できるので、変位部材の変位に伴う本体部材のベース部材に対するがたつきを抑制できる。
【０６１０】
また、このように、回転部材の径方向への変位を、弾性体の弾性変形を利用して行う構成とすることで、回転部材の軸支孔に挿通される軸を、径方向に可動な軸として形成する必要がなく、ベース部材または本体部材の一方に固定される軸として形成できる。これにより、構造を簡素化して、耐久性の向上と製品コストの削減とを図ることができる。
【０６１１】
遊技機Ｄ１からＤ４のいずれかにおいて、前記ベース部材または本体部材の一方には、前記回転部材が一対配設され、それら一対の回転部材は、前記本体部材が第１位置へ配置される際の変位方向に所定間隔を隔てつつ並設されることを特徴とする遊技機Ｄ５。
【０６１２】
遊技機Ｄ５によれば、遊技機Ｄ１からＤ４のいずれかの奏する効果に加え、ベース部材または本体部材の一方には、回転部材が一対配設され、それら一対の回転部材は、本体部材が第１位置へ配置される際の変位方向に所定間隔を隔てつつ並設されるので、本体部材をベース部材に対して変位させる際に必要な駆動力を抑制しつつ、変位部材の変位に伴う本体部材のベース部材に対するがたつきを効果的に抑制できる。
【０６１３】
即ち、回転部材の外周面に当接部材が当接されることで、ベース部材に対する本体部材の相対的な変位を規制するところ、当接部材に当接される対象が１の回転部材のみであると、回転部材が回転されて当接部材が傾倒するおそれがあり、かかる回転部材の回転に伴う当接部材の傾倒は、変位部材の変位に伴う本体部材のベース部材に対するがたつきの要因となる。
【０６１４】
これに対し、遊技機Ｄ５によれば、一対の回転部材が所定間隔を隔てつつ並設されるので、これら一対の回転部材に対して、当接部材が所定間隔を隔てて２カ所で当接されるので、回転部材を回転させずに当接することができ、当接部材が傾倒することを抑制できる。その結果、変位部材の変位に伴う本体部材のベース部材に対するがたつきを効果的に抑制できる。
【０６１５】
遊技機Ｄ１からＤ５のいずれかにおいて、前記当接部材は、前記回転部材が当接される当接面のうちの前記本体部材が第１位置へ配置される際に前記回転部材を受け入れる側の端部に前記当接面から離間するに従って下降傾斜される傾斜面が形成されることを特徴とする遊技機Ｄ６。
【０６１６】
遊技機Ｄ６によれば、遊技機Ｄ１からＤ５のいずれかの奏する効果に加え、当接部材は、回転部材が当接される当接面のうちの本体部材が第１位置へ配置される際に回転部材を受け入れる側の端部に当接面から離間するに従って下降傾斜される傾斜面が形成されるので、本体部材が第１位置へ配置される際には、傾斜面を利用して、回転部材を当接部材の当接面へ案内することができる。これにより、本体部材を第１位置へ配置する際に必要な駆動力を抑制できる。
【０６１７】
遊技機Ｄ１からＤ６のいずれかにおいて、前記回転部材が前記ベース部材に配設されると共に、前記当接部材が前記本体部材に配設されることを特徴とする遊技機Ｄ７。
【０６１８】
遊技機Ｄ７によれば、遊技機Ｄ１からＤ６のいずれかの奏する効果に加え、回転部材がベース部材に配設されると共に、当接部材が本体部材に配設されるので、比較的重量が嵩む回転部材を配設する必要ない分、本体部材を軽量化して、本体部材の変位に必要な駆動力を抑制できる。また、変位部材の変位に伴う本体部材のベース部材に対するがたつきを抑制する際には、振動源側となる本体部材を軽量化できることで、がたつきを抑制しやすくできる。
【０６１９】
遊技機Ｄ１からＤ７のいずれかにおいて、前記変位部材は、前記本体部材に回転可能に配設され、その変位部材の回転平面が、前記当接部材の前記回転部材に当接される当接面と前記回転部材の回転軸とにそれぞれ略平行とされることを特徴とする遊技機Ｄ８。
【０６２０】
遊技機Ｄ８によれば、遊技機Ｄ１からＤ７のいずれかの奏する効果に加え、変位部材は、本体部材に回転可能に配設され、その変位部材の回転平面が、当接部材の回転部材に当接される当接面と回転部材の回転軸とにそれぞれ略平行とされるので、本体部材を第１位置へ配置する際および第１位置から第２位置へ変位させる際に必要な駆動力を抑制しつつ、変位部材の変位（回転）に伴う本体部材のベース部材に対するがたつきを効果的に抑制できる。
【０６２１】
即ち、変位部材の変位形態が回転であるので、本体部材は、変位部材の歳差運動（変位部材の回転軸が円をえがくように振れる運動）に起因して、変位部材の回転平面を傾倒させる態様（モード）で振動される。よって、変位部材の回転平面が、当接部材の当接面と回転部材の回転軸とにそれぞれ略平行とされることで、当接部材の当接面を、回転部材の回転軸に直交する方向から回転部材の外周面に押し付けることができる。その結果、本体部材を第１位置へ配置する際および第１位置から第２位置へ変位させる際には、回転部材が回転されることで、本体部材の変位に必要な駆動力を抑制しつつ、回転部材の外周面への当接部材の当接により、変位部材の変位（回転）に伴う本体部材のベース部材に対するがたつきを効果的に抑制できる。
【０６２２】
遊技機Ｄ１からＤ８のいずれかにおいて、駆動力を発生する駆動手段と、その駆動力を前記本体部材へ伝達して前記第１位置および第２位置の間で変位させる伝達手段とを備え、前記伝達手段は、前記駆動手段の駆動力により第１軸を回転中心として回転される回転体およびその回転体の第１軸から偏心して前記回転体から突設されるピン部を有するクランク部材と、そのクランク部材のピン部が摺動する案内溝を有し前記ピン部が前記案内溝に沿って摺動することで第２軸を回転中心として回転されると共にその回転に伴って前記本体部材を変位させるアーム部材とを備え、前記本体部材が前記第１位置に配置された状態では、前記クランク部材の第１軸とピン部の軸心とを結ぶ直線が、前記アーム部材の第２軸と前記クランク部材のピン部の軸心とを結ぶ直線に対して略直交されることを特徴とする遊技機Ｄ９。
【０６２３】
遊技機Ｄ９によれば、遊技機Ｄ１からＤ８のいずれかの奏する効果に加え、本体部材のがたつきを効果的に抑制できる。
【０６２４】
ここで、本発明では、本体部材が第１位置へ配置される際の変位方向と回転部材の回転方向とが略平行に設定される。そのため、第１位置における本体部材のがたつき方向が、第１位置から第２位置へ又はその逆へ向かう方向であると、かかる方向に対しては、回転部材が回転しやすくなるため、その回転部材によるがたつき抑制の効果が発揮され難くなる。
【０６２５】
これに対し、遊技機Ｄ９によれば、本体部材が第１位置に配置された状態では、クランク部材の第１軸とピン部の軸心とを結ぶ直線が、アーム部材の第２軸とクランク部材のピン部の軸心とを結ぶ直線に対して略直交されるので、本体部材が、その変位によりアーム部材を回転させようとしても、クランク部材を回転させる方向の力成分が形成されない状態（即ち、死点）を形成できる。即ち、第１位置から第２位置へ又はその逆へ向かう方向の本体部材のがたつきを抑制できる。これにより、本体部材のがたつきの方向が、第１位置から第２位置へ又はその逆へ向かう方向（即ち、回転部材が回転しやすい方向）であっても、クランク部材およびアーム部材が死点を形成することで、本体部材のがたつきを効果的に抑制できる。
【０６２６】
＜規制ユニット４９０を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記基板は、前記発光手段が搭載される面を前記本体部材の回転軸と略平行とする姿勢で前記本体部材に収容されることを特徴とする遊技機Ｅ１。
【０６２７】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。しかしながら、上述した従来の技術では、基板の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置の回転が停止された状態において、その回転表示装置の背面側の視認性が阻害されるという問題点があった。
【０６２８】
これに対し、遊技機Ｅ１によれば、回転表示装置は、複数の発光手段が列設される基板と、その基板を収容する本体部材と、その本体部材を回転可能に軸支するベース部材とを備え、基板は、発光手段が搭載される面を本体部材の回転軸と略平行とする姿勢で本体部材に収容されるので、正面視（回転軸方向視）における本体部材の外形を抑制することができる。その結果、回転表示装置（本体部材）の回転が停止された状態において、その本体部材の背面側の視認性を向上させることができる。
【０６２９】
遊技機Ｅ１において、前記回転表示装置は、前記基板の前記発光手段が搭載される面に対向配置される対向部材を備えることを特徴とする遊技機Ｅ２。
【０６３０】
遊技機Ｅ２によれば、遊技機Ｅ１の奏する効果に加え、回転表示装置は、基板の発光手段が搭載される面に対向配置される対向部材を備えるので、発光手段から発光された光を対向部材で反射させて、回転表示装置の正面側（遊技者側）へ出射させることができる。よって、基板の姿勢を、発光手段が搭載される面を回転軸に略平行とする姿勢とした場合でも、発光手段の光（点滅）を遊技者に視認させ、残像効果による残像表示を行うことができる。
【０６３１】
遊技機Ｅ２において、前記対向部材は、前記基板に対向する面に凹設されると共に前記本体部材の回転軸に略平行な溝状に延設される複数の凹部を備え、それら複数の凹部に前記複数の発光手段がそれぞれ対面されることを特徴とする遊技機Ｅ３。
【０６３２】
遊技機Ｅ３によれば、遊技機Ｅ２の奏する効果に加え、対向部材は、基板に対向する面に凹設されると共に本体部材の回転軸に略平行な溝状に延設される複数の凹部を備え、それら複数の凹部に複数の発光手段がそれぞれ対面されるので、複数の発光手段からそれぞれ発光された光を、対向部材の複数の凹部をそれぞれ通じて、回転表示装置の正面側（遊技者側）へ出射させることができる。即ち、各発光手段から発光された光を各凹部で区画された状態で出射させることができるので、各発光手段の光の区切りを明確とできる。その結果、残像効果による残像表示の外形を明確とできる。
【０６３３】
遊技機Ｅ３において、前記対向部材の凹部は、前記回転表示装置の正面側と反対側の端部を区画する端部区画壁を備えることを特徴とする遊技機Ｅ４。
【０６３４】
遊技機Ｅ４によれば、遊技機Ｅ３の奏する効果に加え、対向部材の凹部は、回転表示装置の正面側と反対側の端部を区画する端部区画壁を備えるので、発光手段から発光され対向部材の凹部に照射された光を、端部区画壁により反射させて、回転表示装置の正面側（遊技者側）へ出射させることができる。よって、残像効果による残像表示の光の強さを高めることができる。
【０６３５】
遊技機Ｅ４において、前記凹部の端部区画壁は、前記回転表示装置の正面側ほど前記発光手段から離間する方向へ傾斜され、前記発光手段は、前記凹部の端部区画壁に対面する位置に配設されることを特徴とする遊技機Ｅ５。
【０６３６】
遊技機Ｅ５によれば、遊技機Ｅ４の奏する効果に加え、凹部の端部区画壁は、回転表示装置の正面側ほど発光手段から離間する方向へ傾斜され、発光手段は、凹部の端部区画壁に対面する位置に配設されるので、発光手段から発光された光を、端部区画壁に照射できるので、より強い光を回転表示装置の正面側（遊技者側）へ出射させることができる。よって、残像効果による残像表示の光の強さを高めることができる。
【０６３７】
遊技機Ｅ３からＥ５のいずれかにおいて、前記対向部材の凹部は、その内面の一部が凹凸面として形成されることを特徴とする遊技機Ｅ６。
【０６３８】
遊技機Ｅ６によれば、遊技機Ｅ３からＥ５のいずれかの奏する効果に加え、対向部材の凹部は、その内面の一部が凹凸面として形成されるので、発光手段から発光された光を、凹凸面により乱反射させて、均等に分散させた状態で、回転表示装置の正面側（遊技者側）へ出射させることができる。即ち、凹部の開口から出射される光が、その開口の一部に偏った状態で視認されることを抑制できる。
【０６３９】
なお、凹凸面の凹凸は、凸（突起）のみからなる面であっても良く、凹（窪み）のみからなる面であっても良い。凸または凹は、条または溝として延設されるものであっても良い。また、凸および凹の断面形状は、円形、楕円、多角形、これらを組み合わせた形状のいずれであっても良い。即ち、基準位置よりも高い部分と低い部分とが形成され、光が反射可能な複数の部分（面）が形成され、乱反射可能とされていれば、凹凸の形状は任意である。
【０６４０】
遊技機Ｅ６において、前記凹凸面は、前記対向部材の凹部の内面のうちの前記回転表示装置の正面側の端部から所定の範囲には、非形成とされ、前記所定の範囲の内面は、前記凹凸面よりも平滑な面として形成されることを特徴とする遊技機Ｅ７。
【０６４１】
遊技機Ｅ７によれば、遊技機Ｅ６の奏する効果に加え、凹凸面は、対向部材の凹部の内面のうちの回転表示装置の正面側の端部から所定の範囲には、非形成とされ、所定の範囲の内面は、凹凸面よりも平滑な面として形成されるので、回転表示装置の正面側（遊技者側）へ向けて光を出射させやすくすることができ、残像効果による残像表示の光の強さを高めることができる。即ち、対向部材の凹部の内面のうちの回転表示装置の正面側の端部から所定の範囲に凹凸面が形成されると、その凹凸面で光が乱反射して、回転表示装置の正面側（遊技者側）へ向けて出射する光を減少させてしまうところ、かかる所定の範囲の内面が、凹凸面よりも平滑な面とされることで、乱反射を抑制して、回転表示装置の正面側（遊技者側）へ向かう光を増加させることができる。
【０６４２】
遊技機Ｅ７において、前記凹凸面が非形成とされる前記所定の範囲は、前記回転表示装置の正面側の端部へ向かうに従って、その内面の断面積が大きくされることを特徴とする遊技機Ｅ８。
【０６４３】
遊技機Ｅ８によれば、遊技機Ｅ７の奏する効果に加え、凹凸面が非形成とされる所定の範囲は、回転表示装置の正面側の端部へ向かうに従って、その内面の断面積が大きくされる（即ち、拡径される）ので、回転表示装置の正面側（遊技者側）へ向けて出射される光に広がりを持たせることができる。即ち、発光領域として視認される面積を、発光手段の発光面（照射面）の面積よりも拡大できる。よって、発光手段を小型化できる。
【０６４４】
遊技機Ｅ６からＥ８のいずれかにおいて、前記対向部材の凹部は、列状に配設されると共に、前記本体部材の回転軸から径方向外方に離間して配設される前記凹凸面ほど、前記本体部材の回転軸に沿う方向の長さ寸法が大きくされることを特徴とする遊技機Ｅ９。
【０６４５】
遊技機Ｅ９によれば、遊技機Ｅ６からＥ８のいずれかの奏する効果に加え、対向部材の凹部は、本体部材の回転軸から径方向外方に離間して配設される凹凸面ほど、本体部材の回転軸に沿う方向の長さ寸法が大きくされるので、複数の凹部のそれぞれ視認される明度（光の明るさ）を均一化することができる。
【０６４６】
即ち、回転表示装置では、回転軸（回転中心）から径方向外方へ向かうほど変位速度（周速）が速くなるため、列状に配設した発光手段を同じ明るさで発光させると、回転軸に近い発光手段の光ほど、回転軸から遠い（径方向外方の）発光手段の光よりも、明度が高く（明るく）見える。
【０６４７】
これに対し、遊技機Ｅ９によれば、本体部材の回転軸から径方向外方に離間して配設される凹凸面ほど、本体部材の回転軸に沿う方向の長さ寸法が大きくされるので、本体部材の回転軸から径方向外方に離間する凹部（発光手段）ほど、凹凸面による乱反射を強くして（即ち、発光手段から直接遊技者に視認される光の割合を小さくして）、高い明度の光として視認させることができる。その結果、径方向の配設位置における目で見た明るさの差を抑制して、明度（光の明るさ）を均一化できる。
【０６４８】
遊技機Ｅ３からＥ９のいずれかにおいて、前記対向部材の凹部における前記回転表示装置の正面側の端部に覆設されると共に光透過性材料から形成されるカバー部材を備え、そのカバー部材には、少なくとも前記凹部の端部に対面する領域に凹凸面が形成されることを特徴とする遊技機Ｅ１０。
【０６４９】
遊技機Ｅ１０によれば、遊技機Ｅ３からＥ９のいずれかの奏する効果に加え、対向部材の凹部における回転表示装置の正面側の端部に覆設されると共に光透過性材料から形成されるカバー部材を備え、そのカバー部材には、少なくとも凹部の端部に対面する領域に凹凸面が形成されるので、かかる凹凸面により光を乱反射させた上で、回転表示装置の正面側（遊技者側）へ向けて出射させることができる。即ち、出射される光に広がりを持たせることができるので、発光領域として視認される面積を、発光手段の発光面（照射面）の面積よりも拡大できる。よって、発光手段を小型化できる。
【０６５０】
遊技機Ｅ３からＥ１０のいずれかにおいて、前記基板と前記対向部材との間に介設される板状の介設部材を備え、その介設部材は、前記複数の発光手段と前記複数の凹部とを通じさせる位置に貫通形成される貫通孔を備えることを特徴とする遊技機Ｅ１１。
【０６５１】
遊技機Ｅ１１によれば、遊技機Ｅ３からＥ１０のいずれかの奏する効果に加え、基板と対向部材との間に介設される板状の介設部材を備え、その介設部材は、複数の発光手段と複数の凹部とを通じさせる位置に貫通形成される貫通孔を備えるので、各発光手段の光を、対応する凹部へ確実に入射させ、隣接する凹部へ入射される（漏れる）ことを抑制できる。その結果、各発光手段から発光された光を対応する凹部のみから出射させることができ、残像効果による残像表示の外形を明確とできる。
【０６５２】
また、遊技機Ｅ１１によれば、発光手段の光を、貫通孔を介して、対応する凹部へ入射させる構造体を、対向部材および介設部材の二部材から形成するので、かかる構造体を一部材から構成する場合と比較して、構造を簡素化することができる。よって、製品コストの削減を図ることができる。
【０６５３】
遊技機Ｅ１１において、前記介設部材は、前記発光手段に当接する座部を備え、その座部に前記貫通孔が形成されることを特徴とする遊技機Ｅ１２。
【０６５４】
遊技機Ｅ１２によれば、遊技機Ｅ１１の奏する効果に加え、介設部材は、前記発光手段に当接する座部を備え、その座部に前記貫通孔が形成されるので、各発光手段の光を貫通孔へ入射させやすくでき、貫通孔の外へ漏れることを抑制できる。その結果、残像効果による残像表示の光の強さを高めることができる。また、座部が発光手段に当接されることで、隣接する発光手段の光が貫通孔へ入射されることを抑制できるので、残像効果による残像表示の外形を明確とできる。
【０６５５】
遊技機Ｅ１２において、前記発光手段の照射面が正面視円形に形成されると共に、その照射面の外径と略同一の内径の断面円形に前記貫通孔が形成され、それら照射面と貫通孔とが同心に配置されることを特徴とする遊技機Ｅ１３。
【０６５６】
遊技機Ｅ１３によれば、遊技機Ｅ１２の奏する効果に加え、発光手段の照射面が正面視円形に形成されると共に、その照射面の外径と略同一の内径の断面円形に前記貫通孔が形成され、それら照射面と貫通孔とが同心に配置されるので、発光手段から発光された光を、貫通孔を介して凹部へ効率的に入射させることができる。
【０６５７】
遊技機Ｅ１３において、前記貫通孔は、前記基板側から前記対向部材へ向けて内径が拡径されることを特徴とする遊技機Ｅ１４。
【０６５８】
遊技機Ｅ１４によれば、遊技機Ｅ１３の奏する効果に加え、貫通孔は、前記基板側から前記対向部材へ向けて内径が拡径されるので、発光手段から発光された光を、貫通孔を介して凹部へ効率的に入射させることができる。また、発光手段に当接する面積を確保できるので、各発光手段の光が貫通孔の外へ漏れることを抑制できる。その結果、残像効果による残像表示の光の強さを高めることができる。
【０６５９】
遊技機Ｅ１２からＥ１４のいずれかにおいて、前記座部は、前記介設部材の前記基板と対向する面から突出して形成されることを特徴とする遊技機Ｅ１５。
【０６６０】
遊技機Ｅ１５によれば、遊技機Ｅ１２からＥ１４のいずれかの奏する効果に加え、座部は、介設部材の基板と対向する面から突出して形成されるので、その突出の分、基板と対向部材との間に空間を形成することができ、発光手段の動作により発生する熱の放熱を行うことができる。
【０６６１】
遊技機Ｅ１５において、前記介設部材は、前記基板に対向する面に凹設されると共に前記座部の基部に沿って延設される溝状の溝部を備えることを特徴とする遊技機Ｅ１６。
【０６６２】
遊技機Ｅ１６によれば、遊技機Ｅ１５の奏する効果に加え、対向部材は、基板に対向する面に凹設されると共に座部の基部に沿って延設される溝状の溝部を備えるので、介設部材の剛性を確保しつつ、放熱効果を高めることができる。即ち、座部の基部に沿って延設される溝状の溝部を形成することで、介設部材に凹設される領域を最小として、その介設部材の剛性を確保しつつ、発光手段の動作により発生する熱が特に集中する部分に対して空間を拡大して、放熱効果を高めることができる。
【０６６３】
遊技機Ｅ１５又はＥ１６において、前記座部は、隣接する座部と互いの外周面どうしが連結されることを特徴とする遊技機Ｅ１７。
【０６６４】
遊技機Ｅ１７によれば、遊技機Ｅ１５又はＥ１６の奏する効果に加え、座部は、隣接する座部と互いの外周面どうしが連結されるので、介設部材の剛性を高めることができる。
【０６６５】
なお、この場合、座部の外周面を円形として、隣接する座部と互いの外周面どうしが連結するように構成しても良い。これにより、複数の座部どうしが連結された群は、外形が凸凹に形成されるので、空間を確保して、放熱効果を高めつつ、外形の凸凹を利用して、介設部材の剛性を高まることができる。
【０６６６】
＜振り分け装置４７００を一例とする発明の概念について＞
球が通過可能な通路を形成する通路部材と、その通路部材の下流側に配置されると共に球の通過に伴って所定の特典を付与する第１特典付与手段と、を備えた遊技機において、前記第１特典付与手段よりも上流側において前記通路部材の側壁に球が通過可能な大きさに開口形成される開口と、その開口から遊技領域に流出した球が通過可能に形成されると共に球の通過に伴って所定の特典を付与する第２特典付与手段とを備えることを特徴とする遊技機Ｆ１。
【０６６７】
ここで、球が通過可能な通路を形成する通路部材を備えた遊技機が知られている（例えば、特開２０１５−９７７６４号公報）。このような通路部材の下流側には、通路部材の球の通過を検出するセンサ装置が配設され、そのセンサ装置により球の通過が検出されると、所定の特典が付与される。しかしながら、上述した従来の遊技機では、通路部材は、その下流側（センサ装置）へ向けて球を案内する機能を有するのみであり、配設に要するスペースが嵩む一方で、遊技に興趣を付与することが困難であるという問題点があった。
【０６６８】
これに対し、遊技機Ｆ１によれば、通路部材に案内された球が、第１特典付与手段を通過されると、第１特典付与手段により所定の特典が付与される。この場合、第１特典付与手段よりも上流側において通路部材の側壁に球が通過可能な大きさに開口形成される開口と、その開口から遊技領域に流出した球が通過可能に形成されると共に球の通過に伴って所定の特典を付与する第２特典付与手段とを備えるので、通路部材を案内される途中で、球が開口から遊技領域へ流出する形態を形成できると共に、かかる流出した球が第２特典付与手段を通過した場合には、第２特典付与手段により所定の特典を付与することができる。これにより、通路部材に案内される球が、第１特典付与手段を通過する形態だけでなく、開口から遊技領域へ流出する形態、更には、その流出した球が第２特典付与手段を通過する形態を形成でき、遊技に興趣を付与することができる。
【０６６９】
なお、第２特典付与手段は、開口から遊技領域へ流出した球の全てを受け入れ可能な位置に配設されていても良く、或いは、開口から遊技領域へ流出した球の状態に応じて、一部の球は受け入れると共に一部の球は受け入れない位置に配設されていても良い。
【０６７０】
また、第１特典付与手段により付与される特典と、第２特典付与手段により付与される特典とは、同じ特典であっても良く、異なる特典であっても良い。
【０６７１】
遊技機Ｆ１において、前記通路部材は、そのの一部に形成される屈曲部を備え、前記開口は、前記屈曲部の側壁に開口形成されることを特徴とする遊技機Ｆ２。
【０６７２】
ここで、通路部材の一部に屈曲部を形成することで、球の送球方向を変更できるので、レイアウトの自由度を高めることができる。しかしながら、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生するという問題点があった。
【０６７３】
これに対し、遊技機Ｆ２によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０６７４】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０６７５】
遊技機Ｆ２において、正面側に遊技領域が形成される遊技盤を備え、前記通路部材の屈曲部のうちの少なくとも前記開口が形成される部分が前記遊技盤の正面側に配設されることを特徴とする遊技機Ｆ３。
【０６７６】
遊技機Ｆ３によれば、遊技機Ｆ２の奏する効果に加え、通路部材の屈曲部のうちの少なくとも開口が形成される部分が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。また、通路部材の開口から遊技球が遊技領域へ流出する際には、その流出する態様を遊技者に視認させることができるので、遊技の興趣を高めることができる。
【０６７７】
遊技機Ｆ３において、前記第２特典付与手段は少なくともその入球口が、前記遊技盤の正面側に配設されることを特徴とする遊技機Ｆ４。
【０６７８】
遊技機Ｆ４によれば、遊技機Ｆ３の奏する効果に加え、第２特典手段の少なくとも入球口が遊技盤の正面側に配設されるので、通路部材の開口から遊技球が遊技領域へ流出する際には、その流出した球が第２特典付与手段の入球口へ入球する態様を遊技者に視認させることができるので、遊技の興趣を高めることができる。
【０６７９】
遊技機Ｆ１からＦ４のいずれかにおいて、前記第２特典付与手段を前記通路部材へ接続し、前記第２特典付与手段を通過した球を前記通路部材へ案内する接続通路を備え、その接続通路は、前記第１特典付与手段よりも上流側において前記通路部材に接続されることを特徴とする遊技機Ｆ５。
【０６８０】
遊技機Ｆ５によれば、遊技機Ｆ１からＦ４の奏する効果に加え、第２特典付与手段を通路部材へ接続し、第２特典付与手段を通過した球を通路部材へ案内するする接続通路を備え、その接続通路は、第１特典付与手段よりも上流側において通路部材に接続されるので、通路部材を案内される途中で、球が開口から遊技領域へ流出すると共に、かかる流出した球が第２特典付与手段を通過した場合には、その球を接続通路で通路部材へ案内して、第１特典付与手段を通過させることができる。よって、第２特典付与手段による特典の付与に加え、第１特典付与手段による特典の付与も行うことができ、遊技の興趣を高めることができる。
【０６８１】
遊技機Ｆ１からＦ５のいずれかにおいて、入球した球を一方および他方へ交互に振り分ける振分手段を備え、前記通路部材は、一対配設され、前記一対の通路部材のうちの一方が前記振分手段の一方に接続されると共に他方が前記振分手段の他方に接続されることを特徴とする遊技機Ｆ６。
【０６８２】
遊技機Ｆ６によれば、遊技機Ｆ１からＦ５のいずれかの奏する効果に加え、入球した球を一方および他方へ交互に振り分ける振分手段を備え、通路部材は、一対配設され、一対の通路部材のうちの一方が振分手段の一方に接続されると共に他方が振分手段の他方に接続されるので、通路部材へ球を１球ずつ入球させることができる。即ち、複数の球が連なって通路部材へ入球されることを抑制できるので、通路部材での球の詰まりを抑制できる。
【０６８３】
遊技機Ａ１からＡ１０，Ｂ１からＢ１０，Ｃ１からＣ９、Ｄ１からＤ９、Ｅ１からＥ１７及びＦ１からＦ６のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６８４】
遊技機Ａ１からＡ１０，Ｂ１からＢ１０，Ｃ１からＣ９、Ｄ１からＤ９、Ｅ１からＥ１７及びＦ１からＦ６のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６８５】
遊技機Ａ１からＡ１０，Ｂ１からＢ１０，Ｃ１からＣ９、Ｄ１からＤ９、Ｅ１からＥ１７及びＦ１からＦ６のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０６８６】
１０                          パチンコ機（遊技機）
１３                          遊技盤
８１                          第３図柄表示装置（液晶表示装置）
４１６                        軸支部（第２軸）
４１７                        突起（第１軸）
４３０                        変位部材（アーム部材）
４３１                        駆動側摺動孔（摺動溝）
４４１                        駆動モータ（駆動手段）
４４３                        伝達ギヤ（クランク部材）
４４３ａ                      突起（ピン部）
４５０                        装飾部材（変位部材）
４５２                        正面ベース（本体部材）
４５２ｈ                      当接面（当接部材）
４９１ｃ                      膨出部（対向部材）
４９２                        ローラ部材（回転部材）
４９２ｂ                      軸部（軸）
５００                        回転ユニット（回転表示装置）
５１０                        上面ベース（本体部材の一部）
５１２，５２２                送風孔（貫通孔）
５２０                        下面ベース（本体部材の一部）
５３１                        基盤部材（基盤）
５３２                        ＬＥＤ（発光手段）
５４０                        中間板（介設部材）
５４３                        照射孔（貫通孔）
５４４                        照射規制部（座部）
５４６                        溝部
５５０                        正面カバー（透過部、カバー部材）
５６０                        反射板（対向部材）
５６３ａ                      傾斜面（対向部材）
５７０                        回転伝達ユニット（ベース部材、軸部材）
６１０                        枠体（センターフレーム）
６２１                        カバー部材（正面部材）
６２１ａ                      第１部分
６２１ｂ                      第２部分
６３０                        センサ（センサ装置）
６４０ａ                      第２入賞装置（入賞装置）
７４０                        通路部材（屈曲部材）
７４２                        案内部（傾斜面）
７４３                        下側突出部（屈曲部）
７４４                        開口
ＫＲ１                        第１送球経路（鉛直通路）
ＫＲ２                        第２送球経路（延設通路）
ＫＲ３                        第３送球経路（傾斜通路の一部）
ＫＲ４                        第４送球経路（傾斜通路の一部）
【図１】
2020185470.tif 000003
【図２】
2020185470.tif 000004
【図３】
2020185470.tif 000005
【図４】
2020185470.tif 000006
【図５】
2020185470.tif 000007
【図６】
2020185470.tif 000008
【図７】
2020185470.tif 000009
【図８】
2020185470.tif 000010
【図９】
2020185470.tif 000011
【図１０】
2020185470.tif 000012
【図１１】
2020185470.tif 000013
【図１２】
2020185470.tif 000014
【図１３】
2020185470.tif 000015
【図１４】
2020185470.tif 000016
【図１５】
2020185470.tif 000017
【図１６】
2020185470.tif 000018
【図１７】
2020185470.tif 000019
【図１８】
2020185470.tif 000020
【図１９】
2020185470.tif 000021
【図２０】
2020185470.tif 000022
【図２１】
2020185470.tif 000023
【図２２】
2020185470.tif 000024
【図２３】
2020185470.tif 000025
【図２４】
2020185470.tif 000026
【図２５】
2020185470.tif 000027
【図２６】
2020185470.tif 000028
【図２７】
2020185470.tif 000029
【図２８】
2020185470.tif 000030
【図２９】
2020185470.tif 000031
【図３０】
2020185470.tif 000032
【図３１】
2020185470.tif 000033
【図３２】
2020185470.tif 000034
【図３３】
2020185470.tif 000035
【図３４】
2020185470.tif 000036
【図３５】
2020185470.tif 000037
【図３６】
2020185470.tif 000038
【図３７】
2020185470.tif 000039
【図３８】
2020185470.tif 000040
【図３９】
2020185470.tif 000041
【図４０】
2020185470.tif 000042
【図４１】
2020185470.tif 000043
【図４２】
2020185470.tif 000044
【図４３】
2020185470.tif 000045
【図４４】
2020185470.tif 000046
【図４５】
2020185470.tif 000047
【図４６】
2020185470.tif 000048
【図４７】
2020185470.tif 000049
【図４８】
2020185470.tif 000050
【図４９】
2020185470.tif 000051
【図５０】
2020185470.tif 000052
【図５１】
2020185470.tif 000053
【図５２】
2020185470.tif 000054
【図５３】
2020185470.tif 000055
【図５４】
2020185470.tif 000056
【図５５】
2020185470.tif 000057
【図５６】
2020185470.tif 000058
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
遊技盤と、球が通過可能な通路を形成する通路部材と、その通路部材の下流側に配置され、球の通過に伴って所定の特典を付与可能な第１特典付与手段と、を備え、前記遊技盤よりも正面側に所定の遊技領域が形成された遊技機において、
前記第１特典付与手段よりも上流側において球が通過可能な大きさに形成され前記通路部材から前記所定の遊技領域へ球が流出可能に形成される流出部と、その流出部から流出した球が通過可能に形成される第２流路と、その第２流路に配置され、球の通過に伴って所定の特典を付与可能な第２特典付与手段とを備え、
前記流出部から流出した球が前記第２流路の前記第２特典付与手段を通過する第１態様と、前記流出部から流出した球が前記第２流路の第２特典付与手段を通過しない第２態様とが構成可能とされ、
前記通路部材は、前記流出部を含む少なくとも一部が前記遊技盤よりも正面側に配設され、
前記第２流路を通過した球が前記第１特典付与手段へ案内可能とされることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、球が通過可能な通路を形成する通路部材を備えた遊技機が知られている（特許文献１）。
【先行技術文献】
【特許文献】
【０００３】
【特許文献１】特開２０１５−９７７６４号公報
【発明の概要】
【発明が解決しようとする課題】
【０００４】
しかしながら、上述した遊技機では、遊技に興趣を付与することが困難であるという問題点があった。
【０００５】
本発明は、上記例示した問題点を解決するためになされたものであり、遊技に興趣を付与することができる遊技機を提供することを目的とする。
【課題を解決するための手段】
【０００６】
この目的を達成するために請求項１記載の遊技機は、遊技盤と、球が通過可能な通路を形成する通路部材と、その通路部材の下流側に配置され、球の通過に伴って所定の特典を付与可能な第１特典付与手段と、を備え、前記遊技盤よりも正面側に所定の遊技領域が形成されたものであり、前記第１特典付与手段よりも上流側において球が通過可能な大きさに形成され前記通路部材から前記所定の遊技領域へ球が流出可能に形成される流出部と、その流出部から流出した球が通過可能に形成される第２流路と、その第２流路に配置され、球の通過に伴って所定の特典を付与可能な第２特典付与手段とを備え、前記流出部から流出した球が前記第２流路の前記第２特典付与手段を通過する第１態様と、前記流出部から流出した球が前記第２流路の第２特典付与手段を通過しない第２態様とが構成可能とされ、前記通路部材は、前記流出部を含む少なくとも一部が前記遊技盤よりも正面側に配設され、前記第２流路を通過した球が前記第１特典付与手段へ案内可能とされる。
【０００７】
【０００８】
【発明の効果】
【０００９】
請求項１記載の遊技機によれば、遊技に興趣を付与することができる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】動作ユニットの正面斜視図である。
【図６】動作ユニットの分解正面斜視図である。
【図７】動作ユニットの正面図である。
【図８】動作ユニットの正面図である。
【図９】上下変位ユニットの正面図である。
【図１０】上下変位ユニットの背面図である。
【図１１】上下変位ユニットの正面斜視図である。
【図１２】上下変位ユニットの背面斜視図である。
【図１３】上下変位ユニットの正面斜視図である。
【図１４】上下変位ユニットの背面斜視図である。
【図１５】（ａ）は、上下変位ユニットの正面図であり、（ｂ）は、上下変位ユニットの背面図である。
【図１６】（ａ）は、上下変位ユニットの正面図であり、（ｂ）は、上下変位ユニットの背面図である。
【図１７】（ａ）は、上下変位ユニットの正面図であり、（ｂ）は、上下変位ユニットの背面図である。
【図１８】規制ユニットの分解正面斜視図である。
【図１９】ローラ部材の分解正面斜視図である。
【図２０】（ａ）は、規制ユニットの側面図であり、（ｂ）は、規制ユニットの背面図であり、（ｃ）は、図２０（ｂ）のＸＸｃ−ＸＸｃ線における規制ユニットの断面図である。
【図２１】第１位置における上下変位ユニットの正面図である。
【図２２】（ａ）は、図２１のＸＸＩＩ部における上下変位ユニットの拡大図であり、（ｂ）は、図２２（ａ）のＸＸＩＩｂ−ＸＸＩＩｂ線における上下変位ユニットの断面図である。
【図２３】（ａ）から（ｃ）は、上下変位ユニットの部分拡大正面図である。
【図２４】（ａ）は、図２３（ａ）のＸＸＩＶａ−ＸＸＩＶａ線における上下変位ユニットの断面図であり、（ｂ）は、図２３（ｂ）のＸＸＩＶｂ−ＸＸＩＶｂ線における上下変位ユニットの断面図であり、（ｃ）は、図２３（ｃ）のＸＸＩＶｃ−ＸＸＩＶｃ線における上下変位ユニットの断面図である。
【図２５】装飾部材の分解正面斜視図である。
【図２６】装飾部材の分解背面斜視図である。
【図２７】回転ユニットの分解正面斜視図である。
【図２８】回転ユニットの分解背面斜視図である。
【図２９】（ａ）は、回転ユニットの上面図であり、（ｂ）は、図２９（ａ）のＸＸＩＸｂ方向視における回転ユニットの正面図であり、（ｃ）は、図２９（ａ）のＸＸＩＸｃ−ＸＸＩＸｃ線における回転ユニットの断面図である。
【図３０】（ａ）は、中間部材の上面図であり、（ｂ）は、図３０（ａ）のＸＸＸｂ−ＸＸＸｂ線における中間部材の断面図である。
【図３１】（ａ）は、正面カバーの正面図であり、（ｂ）は、図３１（ａ）のＸＸＸＩｂ−ＸＸＸＩｂ線における正面カバーの部分拡大断面図である。
【図３２】（ａ）は、反射板の上面図であり、（ｂ）は、図３２（ａ）のＸＸＸＩＩｂ−ＸＸＸＩＩｂ線における反射板の部分拡大断面図である。
【図３３】（ａ）は、回転ユニットの上面図であり、図３３（ｂ）は、（ａ）のＸＸＸＩＩＩｂ−ＸＸＸＩＩＩｂ線における回転ユニットの断面図である。
【図３４】（ａ）及び（ｂ）は、図３３（ｂ）のＸＸＸＩＶ部における回転ユニットの部分拡大断面図である。
【図３５】（ａ）及び（ｂ）は、回転ユニットの正面図である。
【図３６】（ａ）及び（ｂ）は、回転ユニットの上面図である。
【図３７】センターフレームの分解正面斜視図である。
【図３８】センターフレームの分解背面斜視図である。
【図３９】（ａ）は、センターフレームの正面図であり、（ｂ）は、図３９（ａ）のＸＸＸＩＸｂ−ＸＸＸＩＸｂ線におけるセンターフレームの断面図である。
【図４０】（ａ）は、図３９（ａ）のＸＬａ−ＸＬａ線におけるセンターフレームの断面図であり、（ｂ）は、図３９（ａ）のＸＬｂ−ＸＬｂ線におけるセンターフレームの断面図である。
【図４１】（ａ）及び（ｂ）は、回転ユニットおよびセンターフレームの断面図である。
【図４２】振分け装置の分解正面斜視図である。
【図４３】振分け装置の部分拡大正面図である。
【図４４】図４３のＸＬＩＶ−ＸＬＩＶ線における振分け装置の断面図である。
【図４５】（ａ）は図４３のＸＬＶａ−ＸＬＶａ線における振分け装置の断面図であり、（ｂ）は、図４５（ａ）のＸＬＶｂ−ＸＬＶｂ線における振分け装置の断面図であり、（ｃ）は、図４３のＸＬＶｃ−ＸＬＶｃ線における振分け装置の断面図であり、（ｄ）は、図４５のＸＬＶｄ−ＸＬＶｄ線における振分け装置の断面図である。
【図４６】（ａ）は、振分け装置の断面図であり、（ｂ）は、振分け装置の断面図である。
【図４７】発光装飾ユニットの分解正面斜視図である。
【図４８】第２実施形態における規制ユニットの分解正面斜視図である。
【図４９】（ａ）は、規制ユニットの側面図であり、（ｂ）は、規制ユニットの背面図であり、（ｃ）は、図４９（ｂ）のＸＬＩＸｃ−ＸＬＩＸｃ線における規制ユニットの断面図である。
【図５０】（ａ）から（ｃ）は、上下変位ユニットの断面図である。
【図５１】第３実施形態における振分け装置の分解正面斜視図である。
【図５２】振分け装置の部分拡大正面図である。
【図５３】（ａ）は、図５２のＬＩＩＩａ−ＬＩＩＩａ線における振分け装置の断面図であり、（ｂ）は、図５２（ｂ）のＬＩＩＩｂ−ＬＩＩＩｂ線における振分け装置の断面図である。
【図５４】（ａ）及び（ｂ）は、振分け装置の断面図である。
【図５５】（ａ）は、第４実施形態における振分け装置の正面図であり、（ｂ）は、図５５（ａ）のＬＶｂ−ＬＶｂ線における振分け装置の断面図であり、（ｃ）は、図５５（ｂ）のＬＶｃ−ＬＶｃ線における振分け装置の断面図である。
【図５６】変形例としてのセンターフレーム６００の断面図である。
【発明を実施するための形態】
【００１３】
以下、本発明の実施形態について、添付図面を参照して説明する。まず、図１から図４７を参照し、第１実施形態として、本発明をパチンコ遊技機（以下、単に「パチンコ機」という）１に適用した場合の一実施形態について説明する。図１は、第１実施形態におけるパチンコ機１の正面図であり、図２はパチンコ機１の遊技盤１３の正面図であり、図３はパチンコ機１の背面図である。
【００１４】
図１に示すように、パチンコ機１は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１の前面から視認可能とされている。また、パチンコ機１においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６，６７、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２８】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３０】
また、第１図柄表示装置３７Ａ，３７Ｂは、ＬＥＤにより、パチンコ機１が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１の各種遊技状態を示唆することができる。
【００３１】
なお、本パチンコ機１では、第１入賞口６４，第２入賞口６４０のいずれかに入賞があったことを契機として抽選が行われる。パチンコ機１は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０に付随する第１電動役物６４０ａが開放される時間も変更され、通常中と比して長い時間が設定される。第１電動役物６４０ａが開放された状態（開放状態）にある場合は、その第１電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３５】
なお、確変中や時短中において、第２入賞口６４０に付随する第１電動役物６４０ａの開放時間を変更するのではなく、または、その開放時間を変更することに加えて、１回の当たりで第１電動役物６４０ａが開放する回数を通常中よりも増やす変更を行うものとしてもよい。また、確変中や時短中において、第２図柄の当たり確率は変更せず、第２入賞口６４０に付随する第１電動役物６４０ａが開放される時間および１回の当たりで第１電動役物６４０ａが開放する回数の少なくとも一方を変更するものとしてもよい。また、確変中や時短中において、第２入賞口６４０に付随する第１電動役物６４０ａが開放される時間や、１回の当たりで第１電動役物６４０ａおよび第２電動役物８２を開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６，６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム６００が配設されている。このセンターフレーム６００の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球が第１スルーゲート６６，６７を通過する毎に表示図柄（第２図柄（図示せず））としての「○」の図柄と「×」の図柄とを所定時間交互に点灯させる変動表示を行うものである。パチンコ機１では、球が第１スルーゲート６６，６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１は、第２図柄表示装置における変動表示が所定図柄（本実施形態においては「○」の図柄）で停止した場合に、第２入賞口６４０に付随された第１電動役物６４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の第１電動役物６４０ａが開放状態となる機会を遊技者に多く与えることができる。よって、確変中および時短中は、第２入賞口６４０へ球が入賞しやすい状態とすることができる。
【００４２】
なお、確変中または時短中において、当たり確率を高める、１回に当たりに対する第１電動役物６４０ａの開放時間や開放回数を増やすなど、その他の方法によっても、確変中または時短中に第２入賞口６４０および第３入賞口へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａの開放時間や開放回数を遊技状態にかかわらず一定にしてもよい。
【００４３】
第１スルーゲート６６、６７は、可変表示装置ユニット８０の両側の領域において遊技盤に組み付けられる。第１スルーゲート６６，６７は、遊技盤に発射された球のうち、遊技盤を流下する球の一部が通過可能に構成されている。第１スルーゲート６６，６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６，６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６，６７の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視下方には、球が入賞し得る第２入賞口６４０が配設されている。第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４９】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６，６７への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａが開放状態（拡大状態）となる回数が増える。更に、確変中または時短中は、第１電動役物６４０ａが開放される時間も、通常中より長くなる。よって、確変中または時短中は、通常時と比して、第２入賞口６４０へ球が入賞しやすい状態を作ることができる。
【００５１】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような第１電動役物６４０ａは有しておらず、球が常時入賞可能な状態となっている。
【００５２】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し、第１入賞口６４への入賞によって大当たり抽選の機会を多く得て、大当たりとなることを狙った方が、遊技者にとって有利となる。
【００５３】
一方、確変中や時短中は、第１スルーゲート６６，６７に球を通過させることで、第２入賞口６４０に付随する第１電動役物６４０ａが開放状態となりやすく、第２入賞口６４０に入賞しやすい状態であるので、第２入賞口６４０へ向けて、可変表示装置ユニット８０の右方を球が通過するように球を発射し、第１スルーゲート６６，６７を通過させて第１電動役物６４０ａを開放状態にすると共に、第２入賞口６４０への入賞によって１５Ｒ確変大当たりとなることを狙った方が、遊技者にとって有利となる。
【００５４】
このように、本実施形態のパチンコ機１は、パチンコ機１の遊技状態（確変中であるか、時短中であるか、通常中であるか）に応じて、遊技者に対し、球の発射の仕方を変えさせることができる。よって、遊技者に対して、球の打ち方に変化をもたらすことができるので、遊技を楽しませることができる。
【００５５】
第１入賞口６４の下側には可変入賞装置６５が配設されており、その略中央部分に横長矩形状の特定入賞口（大開放口）６５ａが設けられている。パチンコ機１においては、第１入賞口６４，第２入賞口６４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００５９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６０】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６１】
遊技盤１３には、球の落下方向を適宜分散、調整等するために多数の釘が植設されているとともに、風車等の各種部材（役物）とが配設されている。
【００６２】
図３に示すように、パチンコ機１の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１を初期状態に戻したい場合に電源投入時に操作される。
【００６８】
次に、図４を参照して、本パチンコ機１の電気的構成について説明する。図４は、パチンコ機１の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４４１，４５７が含まれる。
【００８１】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８２】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８４】
電源装置１１５は、パチンコ機１の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５から図８を参照して、動作ユニット２００の概略構成について説明する。図５は、動作ユニット２００の正面斜視図であり、図６は、動作ユニット２００の分解正面斜視図である。また、図７及び図８は、動作ユニット２００の正面図である。
【００８８】
なお、図７では、上下変位ユニット４００の左右両端に配設された変位部材４３０が、それぞれ退避位置に変位された状態が、図８では、上下変位ユニット４００の左右両端に配設された変位部材４３０がそれぞれ張出位置に変位された状態が、それぞれ図示される。
【００８９】
図５から図８に示すように、動作ユニット２００は、箱状に形成される背面ケース３００を備え、その背面ケース３００の内部空間には、その上方に上下変位ユニット４００が、下方に発光装飾ユニット８００が、それぞれ配設される。
【００９０】
背面ケース３００は、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【００９１】
上下変位ユニット４００は、背面ケース３００の底壁部３０１に配設される正面視略矩形に形成される背面ベース４２０と、その背面ベース４２０に変位可能に配設される変位部材４３０及び装飾部材４５０とを備え、これら変位部材４３０及び装飾部材４５０を、背面ケース３００の上方に退避する退避位置と、背面ケースの開口３０１ａ（即ち、第３図柄表示装置８１）の正面側に張り出す張出位置との間で変位させることができる（図７及び図８参照）。
【００９２】
この場合、装飾部材４５０には、回転ユニット５００が配設されており、回転ユニット５００を回転させると共に、回転ユニット５００に配設する照射ユニット５３０のＬＥＤを発光させることで、光の残像により模様や図柄を表示させることができる。かかる構造の詳細については後述する。
【００９３】
発光装飾ユニット８００は、ベース体８１０と、そのベース体８１０の正面側に配設される発光装置８２０とを主に備え、発光装置８２０の内部に配設された複数のＬＥＤ８２１から発光する光の様態（例えば、照射するＬＥＤ８２１の数）を変更することで、発光による演出を行う。なお、詳細については後述する。
【００９４】
次いで、図９から図４７を参照して、上下変位ユニット４００、回転ユニット５００、センターフレーム６００、振分け装置７００及び発光装飾ユニット８００の詳細構成を説明する。まず、図９から図２４を参照して、上下変位ユニット４００について説明する。
【００９５】
初めに、図９から図１４を参照して、上下変位ユニット４００の全体構成について説明する。図９は、上下変位ユニット４００の正面図であり、図１０は、上下変位ユニット４００の背面図である。図１１及び図１３は、上下変位ユニット４００の正面斜視図であり、図１２及び図１４は、上下変位ユニット４００の背面斜視図である。
【００９６】
図９から図１４に示すように、上下変位ユニット４００は、正面視略Ｌ字形状の正面ベース４１０とその正面ベース４１０の背面側に重ね合される背面ベース４２０と、正面ベース４１０の正面側に配置される駆動モータ４４１と、その駆動モータ４４１の駆動力により回転される変位部材４３０と、その変位部材４３０の一端側に連結されて変位部材４３０の変位に伴って上下方向（図９上下方向）に変位される装飾部材４５０と、正面ベース４１０の一端側の前方に配設される正面カバー４６０と、その正面カバー４６０と正面ベース４１０との対向間の隙間に配設されて装飾部材の摺動を案内する案内棒Ｐ１と、装飾部材４５０の左右方向端部に配設されて装飾部材４５０の変位を規制する側壁部材４７０と、正面ベース４１０の正面側に配設される回転規制部材４８０と、を主に備えて形成される。
【００９７】
なお、上下変位ユニット４００は、装飾部材４５０を除いたすべての部材が左右対称に一対配設され、その一対の対向間に装飾部材４５０が介設される。また、一対に配設される部材の詳細な説明は、正面視左側（図９左側）に配設される部材のみを説明し、正面視右側（図９右側）に配設される部材には、正面視左側の部材と同一の符号を付して、その説明は省略することとする。
【００９８】
正面ベース４１０は、正面視略Ｌ字形状の板状体から形成されると共に、略Ｌ字形状の長辺側を形成する第１片４１０Ｘと、略Ｌ字形状の短辺側を形成する第２片４１０Ｙとを主に備えて形成される。
【００９９】
第１片４１０Ｘは、その延設方向が上下方向（図９上下方向）と平行に配設される。また、第１片４１０Ｘは、左右方向外側端部（左側端部）の正面側に立設する立設部４１２と、上部に断面円弧状に凹設された上側凹溝４１３と、下部に断面円弧状に形成された下側凹溝４１４と、を主に備えて形成される。
【０１００】
立設部４１２は、後述する装飾部材４５０の摺動部４５１と当接して装飾部材４５０の後方への変位を規制する壁であり、第１片４１０Ｘの左側縁部の上部から下部に亘って形成される。
【０１０１】
上側凹溝４１３及び下側凹溝４１４は、その内側に後述する案内棒Ｐ１を内嵌する溝であり、案内棒Ｐ１の外径よりも大きな内径の半円弧状に凹設される。また、上側凹溝４１３及び下側凹溝４１４は、断面半円弧状に形成される軸が同一の直線上に位置して形成されると共に、上側凹溝４１３の上端部から下側凹溝４１４の下端部までの対向間の距離が、案内棒Ｐ１の軸方向寸法よりも大きく設定される。これにより、案内棒Ｐ１の両端部を上側凹溝４１３及び下側凹溝４１４に内嵌することができる。
【０１０２】
第２片４１０Ｙは、正面視縦長矩形に形成され、その中央部に前後方向に貫通する開口４１１と、背面側に突出する係合部４１５と、背面側に円柱形状に突出する軸支部４１６を主に備えて形成される。
【０１０３】
開口４１１は、正面ベース４１０の正面側に取着される駆動モータ４４１の軸部を正面ベース４１０の背面側に挿通するための開口であり、駆動モータ４４１の軸部に嵌合される伝達ギヤ４４２の外形よりも内径が大きく形成される。これにより、駆動モータ４４１が劣化等により故障した際には、駆動モータ４４１を正面ベース４１０から取り外して、開口４１１から伝達ギヤ４４２を上下変位ユニット４００から取り外すことができる。その結果、新しい駆動モータ４４１の軸部に伝達ギヤ４４２を取着した後に、伝達ギヤ４４２を開口４１１を挿通させて配置できるので、駆動モータ４４１の軸部を、正面ベース４１０と背面ベース４２０との対向間に配置された状態の伝達ギヤ４４３の軸孔に挿通させながら、駆動モータ４４１を正面ベース４１０に配置する場合に比べて、簡易に行うことができ、部品交換時の工数を削減することができる。また、この場合、駆動モータ４４１の軸部に伝達ギヤ４４３の軸孔を確実に嵌合させることができるので、部品交換した際の信頼性を向上することができる。
【０１０４】
係合部４１５は、後述するねじりバネＳＰ１の一端を係止するための突起であり、第２片４１０Ｙの背面側から突出すると共に、その突出先端が上下変位ユニット４００の左右方向中央側に屈曲した断面略Ｌ字形状に形成される。これにより、背面側への突出部分でねじりバネＳＰ１の軸周りの回転を規制すると共に、先端の屈曲部分でねじりバネＳＰ１の背面側への変位を規制することができる。
【０１０５】
軸支部４１６は、金属材料からなる円柱形状の棒部材であり、正面ベース４１０の背面側に一端側が嵌合される。
【０１０６】
駆動モータ４４１は、上下変位ユニット４００に駆動力を付与するモータであり、上述したように正面ベース４１０に配設されて、正面ベース４１０と背面ベース４２０との間に配設される伝達ギヤ４４２，４４３に駆動力を伝達することができる。
【０１０７】
伝達ギヤ４４２は、上述したように、軸孔が駆動モータ４４１の軸部に外嵌されて駆動モータ４４１に連結されるギヤであり、伝達ギヤ４４３と歯合して配設される。
【０１０８】
伝達ギヤ４４３は、その軸孔が正面ベース４１０の突起４１７を内嵌した状態で正面ベース４１０と背面ベース４２０との間に回転可能な状態で配設されるギヤであり、上述したように伝達ギヤ４４２と歯合した状態で配設される。よって、駆動モータ４４１の駆動力を伝達ギヤ４４２を介して、伝達ギヤ４４３に伝達できる。
【０１０９】
また、伝達ギヤ４４３は、背面側の側面にから突出する突起４４３ａを備える。突起４４３ａは、金属材料からなり、円柱形状に形成される棒部材であり、伝達ギヤ４４３の外周縁部に配設される。よって、上述したように駆動モータ４４１に駆動力が付与されて伝達ギヤ４４３が回転されると、突起４４３ａは、伝達ギヤ４４３の軸を中心とした円弧状に変位される。
【０１１０】
背面ベース４２０は、正面ベース４１０の第２片４１０Ｙの正面視形状と略同一の外形形状に形成される板部材であり、外縁部に正面側に立設する立設部４２１を備える。
【０１１１】
立設部４２１は、正面ベース４１０と背面ベース４２０との対向間に隙間を形成するための壁であり、立設距離が、変位部材４３０と伝達ギヤ４４３とを合わせた前後方向の寸法よりも大きい寸法に設定され、前方側の端面が正面ベース４１０の背面側に当接した状態で配設される。その結果、正面ベース４１０及び背面ベース４２０の対向間に伝達ギヤ４４２，４４３及び後述する変位部材４３０を配置する隙間を形成することができる。
【０１１２】
変位部材４３０は、正面視略Ｌ字形状に形成されると共に、その外縁部分が背面側に突出する略箱形状に形成される。また、変位部材４３０は、その屈曲部分に前後方向に円形に貫通形成される貫通孔４３３と、長辺側の一側に前後方向に貫通形成される装飾側摺動孔４３２と、短辺側の他側に前後方向に貫通形成される駆動側摺動孔４３１と、長辺側の一側に外縁部分の突出部から突出する変位側係合部４３４と、を主に備える。
【０１１３】
貫通孔４３３は、正面ベース４１０の軸支部４１６が挿入される孔であり、軸支部４１６の外径よりも大きい内径に形成される。よって、正面ベース４１０の軸支部４１６に貫通孔４３３を挿通した後に、正面ベース４１０と背面ベース４２０とが組み合されることで、正面ベース４１０に対して変位部材４３０を変位可能な状態で正面ベース４１０に配設することができる。
【０１１４】
駆動側摺動孔４３１は、伝達ギヤ４４３の突起４４３ａが挿通される長孔であり、短手方向の幅寸法が突起４４３ａの外径よりも大きく設定される。また、駆動側摺動孔４３１は、長手方向が変位部材４３０の短辺側の延設方向（長手方向）と同一方向に形成され、上述したように、伝達ギヤ４４３が駆動モータ４４１の駆動力により回転されると、伝達ギヤ４４３の突起４４３ａがその変位に伴って、駆動側摺動孔４３１の内側を摺動することで、変位部材４３０を貫通孔４３３を中心に回転させる。即ち、駆動モータ４４１を駆動させることで、変位部材４３０に貫通孔４３３を中心とした変位運動をさせることができる。
【０１１５】
装飾側摺動孔４３２は、後述する装飾部材４５０に配設されると共に円柱状に形成される支持部４５２ａが挿通される長孔であり、短手方向の幅寸法が支持部４５２ａの外径よりも大きく形成される。また、装飾側摺動孔４３２は、長手方向が変位部材４３０の長辺側の延設方向（長手方向）と同一方向に形成される。装飾側摺動孔４３２は、上述したように、変位部材４３０が貫通孔４３３を軸に回転されると、貫通孔４３３を中心とした円弧状の変位軌跡とされる。
【０１１６】
変位側係合部４３４は、後述するねじりバネＳＰ１の他端側を係合する突起であり、変位部材４３０の背面側に突設される外縁部分の内周面から突出して形成される。また、変位側係合部４３４は、正面視略Ｌ字に屈曲した変位部材４３０の屈曲内側の側面に形成される。これにより、変位側係合部４３４とが変位部材４３０の背面側との内側に、ねじりバネＳＰ１の他端側を係合させることができる。
【０１１７】
ねじりバネＳＰ１は、そのねじり部分が変位部材４３０の貫通孔４３３（正面ベース４１０の軸支部４１６）の周囲に配設されると共に、変位部材４３０の回転軸周りに正面視左回転（上下変位ユニット４００の正面視右側を構成する変位部材４３０には、その回転軸周りに正面視右回転）の付勢力を与えた状態で、一端側が正面ベース４１０の係合部４１５に、他端側が変位部材４３０の変位側係合部４３４に、それぞれ係合される。これにより、変位部材４３０は、正面ベース４１０に対して貫通孔４３３（正面ベース４１０の軸支部４１６）の軸周りに左回転（上下変位ユニット４００の正面視右側を構成する変位部材４３０は右回転）する方向に常に付勢される。
【０１１８】
装飾部材４５０は、上述したように、左右一対に構成される上下変位ユニット４００の一対の対向間に介設される部材であり、左右方向の大きさが、左右対称に配設される正面ベース４１０の左右方向の外側端部間の距離寸法と同一に設定される。
【０１１９】
装飾部材４５０は、下側が開放した正面視コ字状に形成され、その中央部分を構成する正面ベース４５２と、その正面ベース４５２の左右方向両端部に連結される摺動部４５１と、正面ベース４５２の背面を覆設する背面ベース４５３と、正面ベース４５２の正面側に回転可能に配置される回転ユニット５００と、を主に備えて形成される。
【０１２０】
正面ベース４５２は、正面視横長矩形状の板状体から形成されると共に、上下の端面が背面側に屈曲する断面コ字状に形成される。正面ベース４５２は、背面側から突出する支持部４５２ａと、左右方向両端部から正面側に突出する係合部４５２ｂと、左右方向両端の正面側に平滑に形成される当接面４５２ｈと、その当接面４５２ｈの下端に形成される傾斜面４５２ｇと、を主に備えて形成される。
【０１２１】
支持部４５２ａは、上述したように、変位部材４３０の装飾側摺動孔４３２に挿入される棒部材であり、円柱形状の棒状体に形成される。これにより、変位部材４３０がモータ４４１の駆動力により変位されて、変位部材４３０の装飾側摺動孔４３２が貫通孔４３３を軸に回転変位すると、装飾側摺動孔４３２の内部に挿入された支持部４５２ａが装飾側摺動孔４３２の変位に伴って変位される。その結果、支持部４５２ａが変位されることで、装飾部材４５０を変位させることができる。
【０１２２】
係合部４５２ｂは、後述する付勢ばねＳＰ２の他端が係合される突起であり、正面ベース４５２の両端部の正面側から鉤形状に突設される。
【０１２３】
当接面４５２ｈは、後述する規制ユニット４９０のローラ４９２ａと当接する平滑面であり、ローラ４９２ａが転動できる平滑な面に形成される。傾斜面４５２ｇは、当接面４５２ｈの下端部分に下方に向かって正面側から背面側に傾斜する面である。これにより、後述する規制ユニット４９０と装飾部材４５０とを当接させやすくできる。なお、規制ユニット４９０と装飾部材４５０との当接についての詳しい説明は後述する。
【０１２４】
摺動部４５１は、上下方向に延設された断面矩形状の棒状体であり、正面ベース４５２の左右両端部に連結して配設される。また、摺動部４５１は、上下方向に開口した貫通孔４５１ａを備える。貫通孔４５１ａは、内部に案内棒Ｐ１を挿通する開口であり、案内棒Ｐ１の外径よりも大きい内径の円形に形成される。
【０１２５】
これにより、駆動モータ４４１の駆動力により変位部材４３０が変位され、上述したように装飾部材４５０が変位されると、正面ベース４５２の両端に配設された摺動部４５１によりその変位の方向が規制される。その結果、装飾部材４５０は、案内棒Ｐ１の軸方向（上下方向）に沿って変位される。即ち、装飾部材４５０は、駆動モータ４４１から駆動力が付与されることで、上下方向にスライド変位することができる。
【０１２６】
背面ベース４５３は、左右方向略中央位置の正面ベース４５２の背面側に覆設される板部材であり、正面ベース４５２の中央部分と正面視における外形の大きさが略同一に形成される。これにより、正面ベース４５２と背面ベース４５３との内部空間にギヤ４５４〜４５６を回転可能に配設できる。また、背面ベース４５３の背面には、回転ユニット５００に回転の駆動力及び制御信号を出力する駆動モータ４５７が取着される。なお、ギヤ４５４〜４５６、駆動モータ４５７の詳しい説明は後述する。
【０１２７】
正面カバー４６０は、正面ベース４１０の第１片４１０Ｘの前方側に対向して配設され、第１片４１０Ｘの前方を覆設する部材であり、正面視において第１片４１０Ｘの外形形状と略同一の形状に形成される。正面カバー４６０は、その外側縁部から背面側に立設する立設壁４６１を備え、背面側が開放する箱状体に形成される。
【０１２８】
立設壁４６１は、上側を形成する側面から上方に突設される上側溝形成部材４６２と、下側を形成する側面から下方に突設される下側溝形成部材４６３と、を備える。
【０１２９】
上側溝形成部材４６２は、正面ベース４１０の上側凹溝４１３と対向する位置に形成されると共に、背面側に半円弧状に凹設される凹溝４６２ａが形成される。一方、下側溝形成部材４６３は、正面ベース４１０の下側凹溝４１４と対向する位置に形成されると共に、背面側に半円弧状に凹設される凹溝４６３ａが形成される。
【０１３０】
凹溝４６２ａ，４６３ａは、その内側に、案内棒Ｐ１を内嵌する溝であり、案内棒Ｐ１の外径よりも大きな内径の半円弧状に凹設される。また、凹溝４６２ａ，４６３ａは、半円弧状に凹設される軸が同一の直線上に形成されると共に、凹溝４６２ａの上端部から凹溝４６３ａの下端部までの対向間の距離が、案内棒Ｐ１の軸方向寸法よりも大きく設定される。これにより、案内棒Ｐ１の両端部を凹溝４６２ａ，４６３ａに内嵌することができる。
【０１３１】
従って、正面カバー４６０を、正面ベース４１０の前方に配設した際に、上側凹溝４１３及び凹溝４６２ａと下側凹溝４１４及び凹溝４６３ａとの対向間に案内棒Ｐを挟持することができ、正面ベース４１０に案内棒Ｐ１を脱落不能な状態で配設することができる。その結果、案内棒Ｐ１が挿通される装飾部材４５０の摺動部４５１を正面ベース４１０に対して脱落不可能に保持することができる。
【０１３２】
また、上下変位ユニット４００の左右方向外側に形成される正面カバー４６０の立設壁４６１と、正面ベース４１０の第１片４１０Ｘに形成される立設部４１２との前後方向の対向間の距離寸法は、装飾部材４５０の摺動部４５１の前後方向の厚み寸法と略同一、若しくは、少し大きく設定され、その対向間に摺動部４５１の左右方向外側の端部が配置される。これにより、上述したように、装飾部材４５０が上下方向に変位される際に、装飾部材４５０が前後方向にがたつくことを抑制することができる。
【０１３３】
側壁部材４７０は、上下変位ユニット４００の左右方向中央側の両端に配設される部材であり、側面視において背面側に屈曲した略Ｌ字形状の板状体から形成される。また、側壁部材４７０の正面側の端面には、左右方向外側に屈曲する壁面が形成され、その壁面に、後述する規制ユニット４９０が取着される。
【０１３４】
さらに、側壁部材４７０には、上下変位ユニット４００に対して左右方向（図９左右方向）中央側の側面に凹凸や色彩などにより模様が付されて、遊技者が遊技盤１３のセンターフレーム８６（図２参照）の中央の開口部を介してその側壁部材４７０の模様を視認可能に配設される。これにより、側壁部材４７０よりも左右方向外側に配設される上下変位ユニット４００（例えば、正面カバー４６０など）を遊技者から視認不能にできる。
【０１３５】
回転規制部材４８０は、正面視横長矩形の板状体から形成され、背面側に前後方向に軸を備える円環形状のローラ４８１が回転可能に取着される。また、回転規制部材４８０は、正面視においてその外形が正面ベース４１０の第２片４１０Ｙ外形に比べて略半分に形成され、正面ベース４１０の前方に所定の間隙を備えて配設される。
【０１３６】
回転規制部材４８０は、後述する回転ユニット５００を初期位置に復帰させる部材であり、ローラ４８１と上面ベース５１０とが当接することにより、回転ユニット５００の初期位置を規定することができる。
【０１３７】
付勢ばねＳＰ２は、正面ベース４１０と装飾部材４５０とを連結して、装飾部材４５０を上方に付勢するコイルスプリングであり、一端が正面ベース４１０の係合部４１８に係合されて、他端が装飾部材４５０の係合部４１２ｂに係合される。これにより、装飾部材４５０は、正面ベース４１０に対して常に上方に向かって付勢される。従って、後述する変位によって、装飾部材４５０が第２位置から第１位置に変位された際には、装飾部材４５０を第２位置へ変位させやすくすることができる。また、付勢ばねＳＰ２は、中央部でローラ４１９の外周面に沿って屈曲される。これにより、付勢ばねＳＰ２の長さを確保でき付勢力が増加しすぎることを抑制できる。
【０１３８】
次いで、以上のように構成された上下変位ユニット４００の動作について、図１５から図１７を参照して説明する。
【０１３９】
図１５から図１７の（ａ）は、上下変位ユニット４００の正面図であり、図１５（ａ）は上昇位置に配置された状態に、図１６（ａ）は上昇位置と下降位置との間に配置された状態に、図１７（ａ）は、下降位置に配置された状態に、それぞれ対応する。
【０１４０】
図１５（ｂ）は図１５（ａ）における、図１６（ｂ）は図１６（ａ）における、図１７（ｂ）は図１７（ａ）における、上下変位ユニット４００の背面図にそれぞれ対応する。なお、図１５（ｂ）、図１６（ｂ）及び図１７（ｂ）では、理解を容易とするために、背面ベース４２０を取り外した状態が図示される。
【０１４１】
図１５（ａ）及び図１５（ｂ）に示すように、上下変位ユニット４００が上昇位置に配置された状態（以下、この状態を「第２位置」と称す）では、変位部材４３０がその一側（装飾側摺動孔４３２が形成される長辺側）を上方に振り上げた状態とされ、装飾部材４５０が最上方に位置される。装飾部材４５０の支持部４５２ａは、変位部材４３０の装飾側摺動孔４３２の内側であって、貫通孔４３３の軸から径方向外側端部に近接して位置される。
【０１４２】
また、この状態では、変位部材４３０の一側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、変位部材４３０に連結される装飾部材４５０の重みで変位部材４３０が回転変位することを抑制することができる。
【０１４３】
図１５（ａ）及び図１５（ｂ）に示す状態から、一対の駆動モータ４４１がそれぞれ回転駆動され、各伝達ギヤ４４３が回転されると、その伝達ギヤ４４３の突起４４３ａが、変位部材４３０の駆動側摺動孔４３１を摺動して、左右の変位部材４３０をそれぞれ下方へ押し下げる。
【０１４４】
これにより、左右の変位部材４３０が、貫通孔４３３の軸を回転中心として回転され、図１６（ａ）及び図１６（ｂ）に示すように、装飾部材４５０が下方へ変位される。この状態から、一対の駆動モータ４４１の回転駆動により、各伝達ギヤ４４３が更に回転されると、左右の変位部材４３０が更に下方へ押し下げられて、図１７（ａ）及び図１７（ｂ）に示すように、装飾部材４５０が下降位置（以下、この状態を「第１位置」と称す）に配置される。
【０１４５】
図１７（ａ）及び図１７（ｂ）に示すように、上下変位ユニット４００が第１位置に配置された状態では、左右の変位部材４３０がその一側（駆動側摺動孔４３１が形成される短辺側）を下方に振り下げた姿勢とされることで、装飾部材４５０が最下方に位置し第３図柄表示装置８１（図２参照）の前面側に張りだされた状態とされる。
【０１４６】
また、この場合（上下変位ユニット４００が下降位置に配置された場合）、変位部材４３０の装飾側摺動孔４３２は、上下変位ユニット４００の左右方向中央部に向かって下方傾斜となり、貫通孔４３３から径方向外側の端部側に装飾部材４５０の支持部４５２ａの側面が当接される。これにより、支持部４５２ａには、装飾部材４５０の重みが、重力方向に変位する力と、上下変位ユニット４００の左右方向から中央部に向かう方向の力とを作用させることができる。その結果、後述する装飾部材４５０の回転ユニット５００の変位動作により、装飾部材４５０が上下左右方向にがたつくことを抑制することができる。
【０１４７】
さらに、変位部材４３０の他側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、装飾部材４５０が、後述する回転ユニット５００の変位動作により上下方向にがたついた際に、そのがたつきにより変位部材４３０が変位されることを抑制できる。その結果、装飾部材４５０ががたつくｌｐｔｐを抑制することができる。
【０１４８】
また、装飾部材４５０の両端部の前方に、規制ユニット４９０が配置される。これにより、装飾部材４５０の前後方向の変位を規制することができる。なお、規制ユニット４９０の詳しい説明は後述する。
【０１４９】
次いで、図１８から図２４を参照して規制ユニット４９０について説明する。
【０１５０】
初めに、図１８から図２０を参照して、規制ユニット４９０の全体構成を説明する。図１８は、規制ユニット４９０の分解正面斜視図であり、図１９は、ローラ部材４９２の分解正面斜視図である。図２０（ａ）は、規制ユニット４９０の側面図であり、図２０（ｂ）は、規制ユニット４９０の背面図であり、図２０（ｃ）は、図２０（ｂ）のＸＸｃ−ＸＸｃ線における規制ユニット４９０の断面図である。
【０１５１】
図１８から図２０に示すように、規制ユニット４９０は、背面側が開口する箱状に形成されるケース部材４９１と、そのケース部材４９１の内部に配設されるローラ部材４９２と、ケース部材４９１の開放した（開口側の）外縁に配設される外縁部材４９３と、を主に備えて形成される。
【０１５２】
ケース部材４９１は、正面側の側面から突設する突設部４９１ａと、左右方向両側の側面に半円形状に切り欠かれる切欠き部４９１ｂと、開口と対向する内側側面から背面側に膨出する膨出部４９１ｃと、を主に備えて形成される。
【０１５３】
突設部４９１ａは、上述した側壁部材４７０にケース部材４９１を締結するための突起であり、正面側に締結孔が穿設され、その締結孔に正面側から側壁部材４７０を介してねじを締結することで、側壁部材４７０に規制ユニット４９０を配設することができる。
【０１５４】
切欠き部４９１ｂは、ケース部材４９１の左右方向両側の側面に上下方向に２つ並んで半円形状に切り欠かれて形成される。切欠き部４９１ｂは、内部にローラ部材４９２のカラー４９２ｃを挿入するための切り欠きであり、その内径がローラ部材４９２のカラー４９２ｃの外径よりも大きく設定される。
【０１５５】
膨出部４９１ｃは、ケース部材４９１の開放側と対向する側面（正面壁の背面）の上下方向（図２０（ｃ）上下方向）中央よりも下方側から膨出して形成される。また、膨出部４９１ｃは、ローラ部材４９２のローラ４９２ａとの間に所定の隙間を備える。
【０１５６】
ローラ部材４９２は、弾性部材から軸直断面視円環形状に形成されるローラ４９２ａと、そのローラ４９２ａの内部に挿入される軸部４９２ｂと、軸部４９２ｂに軸支されると共にローラ４９２ａの両側に配設される一対のカラー４９２ｃと、そのカラー４９２ｃよりも外側の軸部４９２ｂに外嵌される一対の止め輪Ｅ１と、を備えて構成される。
【０１５７】
軸部４９２ｂは、ローラ４９２ａの内周に挿通される部材であり、ローラ４９２ａの内周の内径と略同一の円柱形状に形成されると共に、軸方向寸法がケース部材４９１の左右方向の側面間の幅寸法よりも大きく設定される。また、軸部４９２ｂの軸方向両端部には、軸方向に凹設される凹部４９２ｂ１が形成される。凹部４９２ｂ１は、軸部４９２ｂの全周に亘って形成され、軸方向の外径が、後述する止め輪Ｅ１の内径よりも小さく形成される。
【０１５８】
カラー４９２ｃは、正面視円環形状に形成されると共に、断面略階段形状に形成され、小径筒部４９２ｃ１とその小径筒部４９２ｃ１よりも外径の大きい大径筒部４９２ｃ２とから形成される。また、カラー４９２ｃの内径（小径筒部４９２ｃ１及び大径筒部４９２ｃ２の内径）は、軸部４９２ｂの外径よりも小さく形成され、内部に軸部４９２ｂを挿通することができる。
【０１５９】
小径筒部４９２ｃ１は、ケース部材４９１の切欠き部４９１ｂに内嵌される部分であり、上述したように、小径筒部４９２ｃ１の外径がケース部材４９１の切欠き部４９１ｂの内径よりも大きく形成される。
【０１６０】
大径筒部４９２ｃ２は、ローラ部材４９２がケース部材４９１に配設された際に、左右方向の変位を規制するための部材であり、大径筒部４９２ｃ２の外径がケース部材４９１の切欠き部４９１ｂの内径よりも大きく設定される。また、ローラ４９２ａの軸方向両端に配設される一対の大径筒部４９２ｃ２の軸方向外側の側面間の距離寸法は、ケース部材４９１の開口する内側における左右の側面の対向間の距離寸法よりも小さく形成される。
【０１６１】
止め輪Ｅ１は、Ｅリング（Ｅ型止め輪）であり、軸部４９２ｂの凹部４９２ｂ１に、開口部分を広げて凹部４９２ｂ１の周囲にはめ込まれる。即ち、止め輪Ｅ１の内周の内径は、凹部４９２ｂ１の外径と略同一に設定される。
【０１６２】
以上のように構成されるローラ部材４９２は、次のようにして組み立てられる。まず、軸部４９２ｂの一方の端部側の凹部４９２ｂ１に止め輪Ｅ１を外嵌した後に、他方の端部から１のカラー４９２ｃに小径筒部４９２ｃ１を一方側（止め輪Ｅ１を外嵌した側）に向けた状態で軸部４９２ｂを挿通させる。次に、軸部４９２ｂに他方の端部からローラ４９２ａを挿通させた後に、１のカラー４９２ｃを大径筒部４９２ｃ２を一方側に向けた（止め輪Ｅ１を外嵌した側）状態で軸部４９２ｂに挿通させる。その後、軸部４９２ｂの他方側の凹部４９２ｂ１に１の止め輪Ｅ１を外嵌する。
【０１６３】
これにより、一対の止め輪Ｅ１の対向間の軸部４９２ｂに軸支されるローラ４９２ａ及び一対のカラー４９２ｃは、止め輪Ｅ１により左右方向の変位が規制される。その結果、ローラ４９２ａ及び一対のカラー４９２ｃを軸部４９２ｂから外れないようにできる。
【０１６４】
外縁部材４９３は、正面視縦長矩形状の枠状体に形成され、ケース部材４９１の背面側（開放側）に配設される部材である。外縁部材４９３は、正面視における内周の形状がケース部材４９１の背面視における開口の内周の形状と略同一の形状に形成される。また、外縁部材４９３の正面側（ケース部材４９１側）の側面には、内縁部の周囲に正面側に立設する立設部４９３ａが形成される。
【０１６５】
立設部４９３ａには、背面側に凹設される凹設部４９３ａ１が形成される。凹設部４９３ａ１は、ケース部材４９１の切欠き部４９１ｂと対向する位置に形成される。よって、ローラ部材４９２のカラー４９２ｃをケース部材４９１の切欠き部４９１ｂと凹設部４９３ａ１との対向間に挟み込むことで、ローラ部材４９２をケース部材４９１に配設することができる。
【０１６６】
以上のように構成されるローラ部材４９２は、次のようにして組み立てられる。初めに、ケース部材４９１の切欠き部４９１ｂに、ローラ部材４９２の軸方向両端部に配設されたカラー４９２ｃを軸支する様態で上下に２つ配設する。次に、ケース部材４９１の背面側から外縁部材４９３を立設部４９３ａ側を正面側にした（ケース部材４９１側に向けた）状態で、ケース部材４９１に締結固定する。これにより、ローラ部材４９２がケース部材４９１に対して回転可能に配設されると共に、ケース部材４９１から落下することを抑制することができる。
【０１６７】
次に、図２１から図２４を参照して、規制ユニット４９０の動作について説明する。
【０１６８】
図２１は、第１位置における上下変位ユニット４００の正面図である。図２２（ａ）は、図２１のＸＸＩＩ部における上下変位ユニット４００の拡大図であり、図２２（ｂ）は、図２２（ａ）のＸＸＩＩｂ−ＸＸＩＩｂ線における上下変位ユニット４００の断面図である。なお、図２２（ａ）では、ローラ４９２ａ及び装飾部材４５０の外形が破線で図示される。
【０１６９】
図２３（ａ）から図２３（ｃ）は、上下変位ユニット４００の部分拡大正面図であり、図２４（ａ）は、図２３（ａ）のＸＸＩＶａ−ＸＸＩＶａ線における上下変位ユニット４００の断面図であり、図２４（ｂ）は、図２３（ｂ）のＸＸＩＶｂ−ＸＸＩＶｂ線における上下変位ユニット４００の断面図であり、図２４（ｃ）は、図２３（ｃ）のＸＸＩＶｃ−ＸＸＩＶｃ線における上下変位ユニット４００の断面図である。なお、図２３（ａ）から図２３（ｃ）は、上下変位ユニット４００の遷移状態が図示され、ローラ４９２ａ及び装飾部材４５０の外形が破線で図示される。
【０１７０】
図２１及び図２２に示すように、上下変位ユニット４００が第１位置に位置する際には、装飾部材４５０が下方に位置される。この場合、上述したように、装飾部材４５０の両端部は、規制ユニット４９０の背面側に位置される。
【０１７１】
この場合、装飾部材４５０が第１位置に配置され、後述する回転ユニット５００が回転されると、その回転変位に伴って、装飾部材４５０が正面ベース４１０に対してがたつくことがある。そこで、装飾部材４５０と正面ベース４１０とを係合させる係合手段を設け、がたつきを抑制するものがある。係合手段は、装飾部材４５０又は正面ベース４１０の一方に配設され付勢手段により付勢される係合部材と、その係合部材に係合可能に形成されると共に装飾部材４５０又は正面ベース４１０の他方に配設される被係合部材とを備え、正面ベース４１０に対する装飾部材４５０の変位（第１位置へ向かう変位）を利用して、係合部材を付勢手段の付勢力に抗しつつ後退させ、装飾部材４５０が第１位置に配置されると、係合部材を付勢手段の付勢力で前進させて被係合部材に係合させる。これにより、正面ベース４１０に対する本体部材の相対的な変位が係合手段の係合により規制され、変位部材の変位に伴う本体部材のベース部材に対するがたつきが抑制される。
【０１７２】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（装飾部材４５０を第１位置から第２位置へ向けて変位させる）際にも、付勢手段の付勢力に抗して係合部材を後退させる必要があり、装飾部材４５０を正面ベース４１０に対して変位させる際に必要な駆動力が嵩むという問題点があった。
【０１７３】
これに対し、本実施形態では、装飾部材４５０の正面ベース４５２の当接面４５２ｈが、規制ユニット４９０のローラ４９２ａと当接した様態とされるので、正面ベース４１０の相対的な変位を規制して、回転ユニット５００の回転変位に伴う装飾部材４５０の正面ベース４１０に対するがたつきを抑制できる。
【０１７４】
この場合、装飾部材４５０が第１位置へ配置されるされる際の変位方向と規制ユニット４９０のローラ部材４９２の回転方向とが略平行に設定されるので、装飾部材４５０を第１位置へ変位させる際には、その変位に伴って規制ユニット４９０のローラ部材４９２を回転されることができるので、装飾部材４５０を正面ベース４１０に対して変位させるされ位に必要な駆動力を抑制できる。
【０１７５】
また、ローラ４９２ａは、上述したように弾性変形可能な弾性体から形成されるので、正面ベース４５２の当接面４５２ｈに規制ユニット４９０のローラ４９２ａが当接される際には、ローラ４９２ａの外周面側を弾性変形させて、正面ベース４５２にローラ４９２ａを保持させやすくできる。これにより、ローラ４９２ａを回転し難くして装飾部材４５０の正面ベース４１０に対するがたつきを抑制できる。
【０１７６】
なお、弾性体としては、ゴムやウレタンなどに例示される粘弾性体であることが好ましい。この場合には、その制振効果によって、回転ユニット５００の変位に伴い装飾部材４５０から正面ベース４１０へ入力される振動を減衰・絶縁させる振動減衰機能または振動絶縁機能を果たすことができ、正面ベース４１０側に配設される各種機器の摩耗や故障、締結部の緩みなどを抑制できるからである。特に、回転ユニット５００が周期的に変位される場合（例えば、バーサライタとして機能するために、比較的高速で回転される場合など）には、比較的小振幅かつ高周波数の振動が装飾部材４５０から正面ベース４１０へ入力されるため、粘弾性体を採用することが特に有効となる。
【０１７７】
また、装飾部材４５０と規制ユニット４９０（ローラ４９２ａ）とが当接した際に、ローラ４９２ａが弾性変形される分、上下変位ユニット４００の製品精度および組み付け誤差を吸収することができる。よって、部品を成形する際の精度を高くする必要がなくなり、部品の製造コストを安価にすることができる。その結果、製品の製造コストを削減することができる。
【０１７８】
さらに、装飾部材４５０と規制ユニット４９０（ローラ４９２ａ）とが当接する際の衝突音をローラ４９２ａの弾性変形により吸収できるので、遊技者に、装飾部材４５０が変位する際の音が聞こえることを抑制することができ、遊技者の興趣を損なうことを抑制することができる。また、ローラ４９２ａの回転軸方向は、装飾部材４５０の変位方向と直交する向きであるので、装飾部材４５０の変位に伴ってローラ４９２ａを回転させることができ、装飾部材４５０とローラ４９２ａとが当接して変位する際に、互いの部材がこすれる音を抑制できる。即ち、変位部材に突起を当接させて変位部材の停止の補助やがたつきを抑制するものであると、変位部材が突起とが当接状態で変位する際に互いの部材が擦れ合って音が発生する。
【０１７９】
これに対し、本実施形態では、ローラ４９２ａと装飾部材４５０とを当接させた後で、ローラ４９２ａを装飾部材４５０の変位方向に沿って回転させることができるので、ローラ４９２ａと装飾部材４５０とが擦れることを抑制でき、装飾部材４５０とローラ４９２ａとが擦れる音を発生することを抑制できる。
【０１８０】
また、正面ベース４１０に対する装飾部材４５０の規制が、正面ベース４１０に締結固定される側壁部材４７０の規制ユニット４９０により可能であるので、装飾部材４５０に比較的重量が嵩む規制ユニット４９０を配設する必要がない分、装飾部材４５０を軽量化して装飾部材４５０の変位に必要な駆動力を抑制できる、また、回転ユニット５００の変位に伴う装飾部材４５０の正面ベース４１０に対するがたつきを抑制する際には、振動源となる装飾部材４５０を軽量化できるので、がたつきを抑制しやすくできる。
【０１８１】
次に、図２３及び図２４を参照して、装飾部材４５０が第２位置から第１位置に変位する際の、装飾部材４５０と規制ユニット４９０との当接様態を説明する。
【０１８２】
図２３（ａ）及び図２４（ａ）に示すように、装飾部材４５０が、規制ユニット４９０よりも上方に位置する際には、ローラ４９２ａの外周面は、装飾部材４５０やケース部材４９１と当接することなく配置される。
【０１８３】
図２３（ａ）及び図２４（ａ）に示す状態から、装飾部材４５０が下方に変位されて、図２３（ｂ）及び図２４（ｂ）に示すように、装飾部材４５０の下端面がケース部材４９１の上下方向略中間位置と略同一の上下方向の位置に変位された際には、規制ユニット４９０の上方に配設されるローラ４９２ａの外周面と、装飾部材４５０の前面とが当接した状態とされる。これにより、装飾部材４５０が、前後左右にがたつくことを抑制することができる。
【０１８４】
即ち、上側に配設されるローラ４９２ａが、装飾部材４５０に押し出されて径方向に変位されつつ回転して、装飾部材４５０と前後方向（図２４（ｂ）左右方向）に当接した様態とされるので、装飾部材４５０が前後方向にがたつくことを抑制される。また、ローラ４９２ａは、軸部４９２ｂの軸周りの一方向に回転可能であり、装飾部材４５０が左右に動く方向には回転することができないので、装飾部材４５０が左右方向にがたつくことを抑制することができる。
【０１８５】
一方、ローラ４９２ａは、軸部４９２ｂの軸周りに回転可能であるので、ローラ４９２ａと回転ユニット５００とが当接された状態であっても、第１位置では、装飾部材４５０を上下方向に変位させることができる。
【０１８６】
また、上述したように、正面ベース４５２の当接面４５２ｈの下端には、傾斜面４５２ｇが形成されるので、装飾部材４５０が第１位置へ配置される際には、傾斜面４５２ｇを利用してローラ４９２ａを当接面４５２ｈの正面側に案内することができる。これにより、装飾部材４５０を第１位置へ配置する際に必要な駆動力を抑制できる。
【０１８７】
図２３（ｂ）及び図２４（ｂ）に示す状態から、装飾部材４５０がさらに下方に変位されて第１位置に位置されると、規制ユニット４９０に配設される２つのローラ４９２ａの外周面と装飾部材４５０の前面とを当接させた状態とすることができる。
【０１８８】
ここで、上下に変位される装飾部材４５０のがたつきを、その装飾部材４５０の変位方向に沿って回転する回転体（ローラ４９２ａ）で抑制するものであると、回転体（ローラ４９２ａ）が装飾部材４５０の変位方向に沿ってすることを規制して、上下方向のがたつきに対して装飾部材４５０が変位しないように規制することが難しい。
【０１８９】
これに対し、本実施形態では、上述したように、変位部材４３０の他側（駆動側摺動孔４３１が形成される短辺側）の回転方向が、伝達ギヤ４４３の回転軸と突起４４３ａとを結んだ直線の方向と略一致するので、装飾部材４５０を第１位置で上下方向にがたつくことを抑制することができる。即ち、本実施形態では、規制ユニット４９０により装飾部材４５０の変位を第１位置へ変位する上下方向の変位のみを許容することができると共に、第２位置では、伝達ギヤ４４３と変位部材４３０とが死点を形成することで、装飾部材４５０が上下方向にがたつくことを抑制することができる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９０】
また、上下方向に並んで配設されるローラ４９２ａの下方に配置されるローラ４９２ａは、装飾部材４５０だけでなく、ケース部材４９１の膨出部４９１ｃと当接した様態とされる。
【０１９１】
即ち、下側に配設されるローラ４９２ａは、装飾部材４５０と当接された際に、そのローラ４９２ａのゴム成分が正面側（図２４（ｃ）右側）に押し出される（弾性変形される）ことで、正面側の外周面をケース部材４９１の膨出部４９１ｃの側面に当接させて、装飾部材４５０の当接面４５２ｈとケース部材４９１の膨出部４９１ｃとの間にローラ４９２ａを挟み込むことができる。これにより、ローラ４９２ａが、軸部４９２ｂ周りに回転する際の抵抗を増加させて、ローラ４９２ａを回転し難くできる。従って、装飾部材４５０が上下方向に変位する際の抵抗を増加できる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９２】
ここで、装飾部材４５０の当接面４５２ｈとケース部材４９１の膨出部４９１ｃとの間にローラ４９２ａを挟み込む様態としては、ローラ４９２ａの軸部４９２ｂを前後方向（図２４（ｃ）左右方向）に変位させて、ローラ４９２ａを装飾部材の当接面４５２ｈとケース部材４９１の膨出部４９１ｃとの間に挟む様態を形成することも考えられるが、この場合、ローラ４９２ａの軸部４９２ｂを径方向に変位可能にさせる構造が必要となる。
【０１９３】
これに対し、本実施形態では、ローラ４９２ａを弾性体から形成して、その弾性変形を利用して、ローラ４９２ａを装飾部材４５０の当接面４５２ｈとケース部材４９１の膨出部４９１ｃとの間に挟むことができるので、ローラ４９２ａの軸部４９２ｂを径方向に変位可能に形成する必要がなく、軸部４９２ｂを正面ベース４１０に固定される軸として形成できる。これにより、構造を簡素化して、耐久性の向上と製品コストの削減とを図ることができる。
【０１９４】
また、ローラ４９２ａが弾性変位して、装飾部材４５０の当接面４５２ｈとケース部材４９１の膨出部４９１ｃとの間に挟まれるので、回転ユニット５００の変位に伴う装飾部材４５０の正面ベース４１０に対するがたつきにより、装飾部材４５０及びケース部材４９１の膨出部４９１ｃとの間にローラ４９２ａが挟み込まれた場合には、ローラ４９２ａの弾性回復力を利用して、装飾部材４５０及びケース部材４９１の膨出部４９１ｃにローラ４９２ａをより強固に保持させやすくできる。これにより、ローラ４９２ａを回転し難くして、正面ベース４１０に対する装飾部材４５０の相対的ながたつきを抑制できるので、回転ユニット５００の回転変位に伴う装飾部材４５０の正面ベース４１０に対するがたつきを抑制できる。
【０１９５】
さらに、装飾部材４５０が上方から下端の位置に変位するに従って、変位抵抗を増加させることができるので、第１位置で装飾部材４５０を停止させる際に、その停止動作により、他の部品が破損することを抑制することができる。
【０１９６】
即ち、本実施形態では、装飾部材４５０の中央部に回転ユニットを備えるので、重力方向に変位されて停止する際に、各部品に装飾部材４５０の重みに加えて、変位した際の運動エネルギーが作用するので、部品が破損しやすい。
【０１９７】
一方で、本実施形態では、第１位置に変位される際に、その停止の動作を補助をすることができるので、より破損し易い方向の停止の動作の補助ができる。その結果、部品が破損することを効果的に抑制することができ、製品の信頼性を向上することができる。
【０１９８】
さらに、ローラ４９２ａは、装飾部材４５０の変位方向に沿って上下に２つ並設されるので、装飾部材４５０の当接面４５２ｈが、所定の間隔を隔てて２箇所で当接される。よって、装飾部材４５０が傾倒することを抑制でき、回転ユニット５００の上面ベース５１０に対するがたつきを抑制できる。その結果、回転ユニット５００の回転変位に伴う装飾部材４５０の正面ベース４１０に対するがたつきを効果的に抑制できる。
【０１９９】
また、後述する回転ユニット５００の回転平面は正面ベース４５２の当接面４５２ｈ（即ち、ローラ４９２ａが当接される面）と略同一に設定される。即ち、回転ユニット５００の回転平面は、正面ベース４５２の当接面４５２ｈとローラ４９２ａの回転軸とのそれぞれに平行に配置される。これにより、装飾部材４５０を第１位置へ配置する際および第１位置から第２位置へ変位させる際に必要な駆動力を抑制しつつ、回転ユニット５００の回転変位に伴う装飾部材４５０の正面ベース４１０に対するがたつきを効果的に抑制できる。
【０２００】
詳しく説明すると、回転ユニット５００の変位形態が回転であるので、装飾部材４５０は、回転ユニット５００の歳差運動（回転ユニット５００の回転軸が円をえがくように振れる運動）に起因して、回転ユニット５００の回転平面を傾倒させる態様（モード）で振動される。よって、回転ユニット５００の回転平面が、正面ベース４５２の当接面４５２ｈと回転ユニット５００の回転軸とにそれぞれ略平行とされることで、正面ベース４５２の当接面４５２ｈ（即ち、ローラ４９２ａが当接される面）を、ローラ４９２ａの回転軸に直交する方向からローラ４９２ａの外周面に押し付けることができる。その結果、装飾部材４５０を第１位置へ配置する際および第１位置から第２位置へ変位させる際には、ローラ４９２ａが回転されることで、装飾部材４５０の変位に必要な駆動力を抑制しつつ、ローラ４９２ａの外周面への正面ベース４５２の当接面４５２ｈの当接により、回転ユニット５００の変位（回転）に伴う装飾部材４５０の正面ベース４１０に対するがたつきを効果的に抑制できる。
【０２０１】
次に図２５から図３６を参照して、装飾部材４５０に配設される回転ユニット５００について説明する。
【０２０２】
初めに、図２５及び図２６を参照して、装飾部材４５０の全体構成について詳細な説明をする。図２５は、装飾部材４５０の分解正面斜視図であり、図２６は、装飾部材４５０の分解背面斜視図である。
【０２０３】
図２５及び図２６に示すように、装飾部材４５０は、正面ベース４５２と背面ベース４５３との対向間に配設されるギヤ４５４〜４５６と、背面ベース４５３の背面側に取着される駆動モータ４５７と、正面ベース４５２の背面側に取着される信号伝達機構４５８と、を主に備えて形成される。
【０２０４】
正面ベース４５２は、その中央部に背面側に凹設される凹部４５２ｃが形成される。凹部４５２ｃは、正面視円環状に凹設され、その軸部分に前後方向に貫通形成される挿通孔４５２ｆと、左右方向の両端部の側面に左右方向に開口された開口４５２ｄ，４５２ｅが形成される。
【０２０５】
背面ベース４５３は、正面ベース４５２の正面視形状よりも小さい正面視横長矩形状の板状体から形成され、中央部に前後方向に開口する開口４５３ｂと、正面視右側に円形状に前後方向に開口する挿通孔４５３ａと、正面側に円柱形状に突出する軸支部４５３ｃ，４５３ｄと、を主に備えて形成される。
【０２０６】
挿通孔４５３ａは、後述する駆動モータ４５７の軸部が挿通される開口であり、駆動モータ４５７の軸部と対向する位置に開口されると共に、駆動モータ４５７の軸部の外径よりも大きい内径の円形に開口される。開口４５３ｂは、後述する信号伝達機構４５８を挿通させる開口であり、信号伝達機構４５８の正面視形状よりも大きい内形の孔形状に形成される。
【０２０７】
軸支部４５３ｃ，４５３ｄは、後述するギヤ４５５，４５６の軸部分に挿通される軸部であり、各ギヤ４５５，４５６の内径よりも小さい外径の円柱形状に設定される。
【０２０８】
駆動モータ４５７は、内部に位置検出用のエンコーダが組み込まれたモータであり、モータの回転角度および回転速度を検出できる。駆動モータ４５７は、上述したように背面ベース４５３の背面に取着され、駆動モータ４５７の軸部が背面ベース４５３の挿通孔４５３ａに挿通されると共に、背面ベース４５３の正面側からネジやボルト等で締結固定される。
【０２０９】
ギヤ４５４は、ギヤ４５５に歯合されると共に、背面ベース４５３の挿通孔４５３ａを挿通された駆動モータ４５７の軸部に固着されて配設される。また、ギヤ４５４は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４が回転されると共に、そのギヤ４５４に歯合されるギヤ４５５に回転の駆動力を伝達できる。
【０２１０】
ギヤ４５５は、後述する回転ユニット５００の背面ベース５７１（図２６参照）に歯合されると共に、軸孔が背面ベース４５３の前方に突出する軸支部４５３ｃを挿通して軸支部４５３ｃを軸に回転可能に配設される。また、ギヤ４５５は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４からギヤ４５５に回転の駆動力が伝達されて、背面ベース５７１が回転される。その結果、回転ユニット５００が回転される。
【０２１１】
なお、ギヤ４５５は、その一部が正面ベース４５２の第１開口４５２ｄに挿通されて配設され、正面ベース４５２の前方に配設される回転ユニット５００の背面ベース５７１に歯合される。
【０２１２】
回転ユニット５００の背面ベース５７１には、ギヤ４５６が歯合される。ギヤ４５６は、初期位置（基準位置）を検出するための突起がその側面（軸方向端面）に突設される部材であり、その軸孔が背面ベース４５３の軸支部４５３ｄに外嵌されて背面ベース４５３に配設される。また、ギヤ４５６は、その一部が第２開口４５２ｅに挿通され背面ベース５７１に歯合される。さらに、ギヤ４５６は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与され、ギヤ４５４、ギヤ４５５及び回転ユニット５００（背面ベース５７１）が回転されると、背面ベース５７１から回転の駆動力が伝達されてギヤ４５６が回転される。その結果、回転ユニット５００の初期位置を検出することができる。
【０２１３】
この場合、ギヤ４５６の外周面に刻設されるギヤ歯の歯数と、回転ユニット５００の背面ベース５７１の外周面に刻設されるギヤ５７１ａ１のギヤ歯の歯数とは同一に設定されており、回転ユニット５００の１回転毎にギヤ４５６を１回転させることができる。これにより、初期の位置検出（基準位置）を簡易に行うことができる。
【０２１４】
信号伝達機構４５８は、回転する回転ユニット５００の照射ユニット５３０に電力や信号を伝達するスリップリングであり、前方から突出される軸部４５８ａが回転できるように構成される。また、軸部４５８ａは、断面略Ｄ字状に形成されると共に、その内部に通路が開口されてその通路に電気配線が挿通される。
【０２１５】
背面ベース４５３の開口４５３ｂを挿通させて、正面ベース４５２の背面側に信号伝達機構４５８が取着されると、信号伝達機構４５８の軸部４５８ａがその軸部４５８ａの内部に挿通された電気配線と共に正面ベース４５２の前方から突出された様態とされる。
【０２１６】
次に、図２７から図２９を参照して、回転ユニット５００の全体構成を説明する。図２７は、回転ユニット５００の分解正面斜視図であり、図２８は、回転ユニット５００の分解背面斜視図である。図２９（ａ）は、回転ユニット５００の上面図であり、図２９（ｂ）は、図２９（ａ）のＸＸＩＸｂ方向視における回転ユニット５００の正面図であり、図２９（ｃ）は、図２９（ａ）のＸＸＩＸｃ−ＸＸＩＸｃ線における回転ユニット５００の断面図である。なお、回転ユニット５００の説明は、初期位置（基準位置）における状態での説明をするものとする。
【０２１７】
図２７から図２９に示すように、回転ユニット５００は、上の側面を形成する上面ベース５１０と、下の側面を形成する下面ベース５２０と、上面ベース５１０の下方に配設される照射ユニット５３０と、その照射ユニット５３０の下方に配設される中間部材５４０と、その中間部材５４０の下方に配設される反射板５６０と、反射板５６０の前方に配設される正面カバー５５０と、上面ベース５１０と下面ベース５２０との背面側に配設される回転伝達ユニット５７０と、を主に備えて形成される。
【０２１８】
回転伝達ユニット５７０は、駆動モータ４５７の回転を上面ベース５１０及び下面ベース５２０へ伝達するためのユニットであり、背面側に配設される背面ベース５７１と、正面側に配設される正面ベース５７２と、正面ベース５７２及び背面ベース５７１の対向間に挟持されるベアリングＢＲと、そのベアリングＢＲの内側に配設される締結部材５７３と、を主に備えて形成される。
【０２１９】
背面ベース５７１は、正面視円環形状に形成され、その内周縁部から背面側に背面視円環形状に膨出する膨出部５７１ａが形成される。膨出部５７１ａには、その外側側面にギヤ５７１ａ１が刻設される。ギヤ５７１ａ１は、上述したように、ギヤ４５５に歯合される。これにより、駆動モータ４５７に駆動力を付与することで、回転の駆動力が各ギヤ４５４，４５５を介して背面ベース５７１（ギヤ５７１ａ１）伝達され、回転ユニット５００が回転される。
【０２２０】
正面ベース５７２は、正面視円環形状に形成されると共に、外周縁部から立設される外側立設部５７２ａと、内周円部から正面視Ｕ字形状に立設する内側立設部５７２ｂと、を備える。
【０２２１】
外側立設部５７２ａは、背面ベース５７１の前面と正面ベース５７２の背面との間に隙間を形成して、その対向間にベアリングＢＲと締結部材５７３とを挟持するための壁部であり、ベアリングＢＲの軸方向の幅寸法と略同一の立設高さに設定されると共に、ベアリングＢＲの外径と略同一の内形に設定される。
【０２２２】
また、外側立設部５７２ａの立設先端側の側面は、背面ベース５７１の前面と当接されると共に、背面ベース５７１の背面側から挿通されたネジが締結固定される。これにより、背面ベース５７１と正面ベース５７２とが締結固定される。
【０２２３】
内側立設部５７２ｂは、上述した信号伝達機構４５８の軸部４５８ａが回転される際に、回転ユニット５００の内部と信号伝達機構４５８の軸部４５８ａとを連結する配線がねじれることを抑制する部材であり、背面視略Ｕ字形状に立設され、その内形が信号伝達機構４５８の軸部４５８ａの正面視形状の外形と略同一または少し大きく形成される。
【０２２４】
よって、回転ユニット５００を正面ベース４５２に配設する際に、内側立設部５７２ｂを信号伝達機構４５８の軸部４５８ａに外嵌することができる。従って、回転ユニット５００が回転されると、内側立設部５７２ｂと信号伝達機構４５８の軸部４５８ａとの互いの平面部分が噛み合い、信号伝達機構４５８の軸部４５８ａを回転させることができる。その結果、回転ユニット５００と信号伝達機構４５８とを連結する配線がねじれることを抑制することができる。
【０２２５】
ベアリングＢＲは、回転ユニット５００を正面ベース４５２に対して回転させた際に、その回転が正面ベース４５２に伝達されることを抑制する部材であり、内径および外径の異なる円環形状の金属部材を２つ組み合わせると共に、その両部材の間に球状もしくは円柱形状の金属体を嵌め込んで形成される。
【０２２６】
ベアリングＢＲの外径は、正面ベース５７２の外側立設部５７２ａの内径と略同一に設定される。これにより、ベアリングＢＲを正面ベース５７２の外側立設部５７２ａに固定させて配設することができる。この場合、背面ベース５７１の内径は、ベアリングＢＲの外径よりも小さく設定される。よって、正面ベース５７２と背面ベース５７１との対向間にベアリングＢＲを挟持した際に、ベアリングＢＲが回転伝達ユニット５７０から外れることが抑制される。
【０２２７】
締結部材５７３は、回転ユニット５００を正面ベース４５２に締結する部材である。締結部材５７３は、正面視円環形状に形成されると共に、正面側の外周面から突出される突壁部５７３ａを備える。
【０２２８】
締結部材５７３の外径は、ベアリングＢＲの内径と略同一に形成される。一方、締結部材５７３の内径は、正面ベース５７２の内側立設部５７２ｂの外形よりも大きく形成される。これにより、締結部材５７３は、その外縁部がベアリングＢＲの内縁部に内嵌されると共に、内縁部に正面ベースの内側立設部５７２ｂを挿通させた様態で回転伝達ユニット５７０に配設される。
【０２２９】
突壁部５７３ａは、組み上げられた回転伝達ユニット５７０から締結部材５７３が取り外されることを抑制するための突出部であり、締結部材５７３の外周面から一定の突出寸法で全周に亘って突出形成され、その外径寸法がベアリングＢＲの内径よりも大きく設定される。よって、締結部材５７３をベアリングＢＲの正面側からベアリングＢＲに内嵌させることで、組み上げられた回転伝達ユニット５７０から締結部材５７３が取り外されることを抑制できる。
【０２３０】
詳しく説明すると、締結部材５７３をベアリングＢＲの前方からベアリングＢＲに内嵌させることで締結部材５７３をベアリングＢＲに対して後方に移動させることを規制することができる。一方、締結部材５７３の正面側への移動は、ベアリングＢＲが正面ベース５７２と背面ベース５７１との対向間に配設されることで、締結部材５７３の正面側の側面と正面ベース５７２の背面側の側面とが当接されて規制される。その結果、組み上げられた回転伝達ユニット５７０から締結部材５７３が外れることを抑制できる。
【０２３１】
また、ベアリングＢＲを外嵌した締結部材５７３が正面ベース４５２に締結されるので、回転ユニット５００が回転された際の回転運動を正面ベース４５２に伝達することを抑制できる。
【０２３２】
即ち、回転ユニット５００が回転された際には、ベアリングＢＲの外側に配設される円環形状の金属体のみを回転させて、内側に配設される円環形状の金属体にその回転を非伝達とすることで、締結部材５７３が回転されることを抑制できる。その結果、装飾部材４５０に対して回転ユニット５００を回転させることができる。
【０２３３】
上面ベース５１０は、上面視した際に背面側（図２９（ａ）上側）に湾曲する円弧形状に形成されると共に、その前縁部が下方（図２９（ａ）紙面奥側）に湾曲する湾曲形状に形成される。また、上面ベース５１０は、左右方向（図２９（ｂ）左右方向）中央部に正面視半円状に膨出する装飾部５１１と、上下方向（板圧方向）に貫通される送風孔５１２と、下側に円柱形状に突出する押圧部５１３とを主に備えて形成される。
【０２３４】
装飾部５１１は、上述した回転伝達ユニット５７０の正面ベース５７２の上部側と締結される部分であり、背面側に正面ベース５７２と締結される締結孔が穿設されると共に、正面視した際の半円形状の半径が、正面ベース５７２の外径の半径よりも大きく形成される。これにより、回転伝達ユニット５７０の正面ベース５７２と締結されて、正面視した際に正面ベース５７２の上部側を視認不能とすることができる。
【０２３５】
送風孔５１２は、上下方向（図２９（ｃ）上下方向）に貫通する貫通孔であり、前後方向（図２９（ａ）上下方向）に長く開口される長孔形状に形成される。また、送風孔５１２は、上面ベース５１０の円弧形状に沿って左右方向に複数個が形成される。
【０２３６】
押圧部５１３は、上面ベース５１０を下面ベース５２０と組み合わせた際に、その対向間に挟持する照射ユニット５３０と上面ベース５１０との間に隙間を形成すると共に、照射ユニット５３０が動くことを規制するための突起であり、その突出高さが、照射ユニット５３０の上面側の側面までの高さに設定される（図２９（ｃ）参照）。また、押圧部５１３は、上面ベース５１０の背面側の縁部に複数個突出形成される。
【０２３７】
下面ベース５２０は、上面ベース５１０と略同一の形状に形成されると共に、回転伝達ユニット５７０の軸を中心に上面ベース５１０と対称に配置される。なお、下面ベースに形成される装飾部５２１及び送風孔５２２は、上面ベース５１０に形成される装飾部５１１及び送風孔５１２と同一形状であるのでその詳しい説明は省略する。
【０２３８】
なお、下面ベース５２０の装飾部５２１は、回転伝達ユニット５７０の正面ベース５７２の下部側と締結される部分であり、回転伝達ユニット５７０の正面ベース５７２と締結されて、正面視した際に正面ベース５７２の下部側を視認不能とすることができる。よって、上面ベース５１０と下面ベース５２０とを合わせることで、回転ユニット５００を回転させる際の機構を遊技者が目視することで、遊技者の興趣が損なうことを抑制できる。
【０２３９】
照射ユニット５３０は、基盤部材５３１と、その基盤部材５３１の下面側に配設されるＬＥＤ５３２とを主に備えて形成される。
【０２４０】
基盤部材５３１は、上面視の外形形状が、上面ベース５１０の上面視形状よりも少し小さい外形形状の板状体から形成される。これにより、上面ベース５１０と下面ベース５２０とを上下方向に組み合わせて配設した際に、基盤部材５３１を上下方向から視認不能とすることができる。
【０２４１】
また、基盤部材５３１は、正面側の縁部に上下方向に貫通する貫通孔５３１ａが形成される。貫通孔５３１ａは、基盤部材５３１の配置がずれることを抑制する部材であり、その詳しい説明は後述する。基盤部材５３１には、上述した信号伝達機構４５８の軸部４５８ｂの配線が連結される。これにより、基盤部材５３１に組み込まれたＩＣやコンデンサを介して後述するＬＥＤ５３２から光を照射することができる。
【０２４２】
ＬＥＤ５３２は、表面実装型ＬＥＤとして形成され、正面視における外形（樹脂セラミックから成型されたキャビティの外形）が矩形に形成されると共に、光を照射する照射面（キャビティ内に封入されたエポキシやシリコンなどの封入樹脂の表面）が正面視円形状に形成される。また、ＬＥＤ５３２は、基盤部材５３１の下面側に配設されると共に、基盤部材５３１の上面視円弧形状に沿って左右方向に複数個が並んで配設される。これにより、ＬＥＤ５３２は、後述する反射板５６０に光を照射することができる。
【０２４３】
中間部材５４０は、上面視の外形が上面ベース５１０の上面視形状と略同一の板状体から形成される。これにより、上面ベース５１０と下面ベース５２０とを上下方向に組み合わせて配設した際に、その対向間に中間部材５４０を配設することができる。
【０２４４】
正面カバー５５０は、透明な光透過性材料から形成されると共に、上面視円弧形状に形成される。また、正面カバー５５０は、中間部材５４０側に配置される。
【０２４５】
反射板５６０は、外面に銀色の装飾（メッキ）が施されると共に、上面視の外形が上面ベース５１０の上面視形状と略同一の板状体から形成される。また、反射板５６０は、正面側の側面が後方に切り欠かれた凹欠部５６４を備える。
【０２４６】
凹欠部５６４は、上述した正面カバー５５０がその切り欠き部分に挿入されることで、正面カバー５５０の前面を上面ベース５１０、下面ベース５２０及び中間部材５４０の前面と略同一の位置にして配設できる。即ち、正面カバー５５０の前後方向の幅寸法は、反射板５６０の凹欠部５６４の前面から上面ベース５１０、下面ベース５２０及び中間部材５４０の前面までの距離寸法に設定されて形成される。これにより、正面カバー５５０を回転ユニット５００から突出して配設されることを抑制することができる。その結果、回転ユニット５００を凹凸の少ない一体のユニットとして組み上げることができ、回転ユニット５００を視認した際に、部品毎の外形形状を分かり難くして、遊技者の興趣が損なわれることを抑制できる。
【０２４７】
次に、図３０を参照して、中間部材５４０の詳細な説明をする。図３０（ａ）は、中間部材５４０の上面図であり、図３０（ｂ）は、図３０（ａ）のＸＸＸｂ−ＸＸＸｂ線における中間部材５４０の部分拡大断面図である。
【０２４８】
図３０（ａ）及び図３０（ｂ）に示すように、中間部材５４０は、上面視した際に外縁部から上方向（上面ベース５１０が配設される方向）に立設する第１外縁部５４１及び第２外縁部５４２と、上下方向に貫通形成される照射孔５４３と、その照射孔５４３の周囲から突設される照射規制部５４４と、正面側の縁部に突設される突設部５４５と、照射規制部５４４の外周縁部に凹設される溝部５４６、を主に備えて形成される。
【０２４９】
第１外縁部５４１は、中間部材５４０の正面側の外縁部に形成される。第１外縁部５４１の正面側（図３０（ａ）下側）の上面視における湾曲形状の内径寸法は、照射ユニット５３０の基盤部材５３１の上面視における正面側の湾曲形状の外径寸法と略同一に設定される。また、第１外縁部５４１の立設寸法は、基盤部材５３１の厚み寸法（上下方向寸法）よりも大きく設定される。よって、回転ユニット５００が組み上げられた際には、照射ユニット５３０を第１外縁部５４１により遮蔽して、正面側から視認不能とすることができる。
【０２５０】
第２外縁部５４２は、中間部材５４０の背面側の外縁部に形成される。第２外縁部５４２の背面側（図３０（ａ）上側）の上面視における形状は、照射ユニット５３０の基盤部材５３１の上面視における背面側の形状と略同一に形成される。また、第２外縁部５４２の立設寸法は、第１外縁部５４１よりも低く設定される。よって、回転ユニット５００が組み上げられた際には、照射ユニット５３０の下側側面が第２外縁部５４２の立設先端面に当接した様態で配設される。よって、導入した外気を背面へスムーズに排出できくる。
【０２５１】
照射孔５４３は、照射ユニット５３０に配設される複数のＬＥＤ５３２から照射される光をそれぞれ個別に分割するための孔であり、照射ユニット５３０に配設されるＬＥＤ５３２と対向する位置に開口される。これにより、隣合うＬＥＤ５３２の光が、他の範囲を照射することを抑制できる。また、照射ユニット５３０側の照射孔５４３の内径は、ＬＥＤ５３２の照射面の外径と略同一に設定され、それらの互いの軸が同軸上に配置される。これにより、ＬＥＤ５３２から発光された光を照射孔５４３を介して、後述する反射板５６０の反射部５６３へ効率的に入射させることができる。
【０２５２】
また、照射孔５４３は、上面側（ＬＥＤ５３２側）から下面側に向かって内径が大きく形成される。これにより、ＬＥＤ５３２から発光された光を照射孔５４３を介して、反射板５６０の反射部５６３へ効率的に入射させることができる。
【０２５３】
照射規制部５４４は、上述した照射孔５４３の周囲に突設される。これにより、ＬＥＤ５３２と中間部材５４０の上面との対向間の隙間を小さくすることができるので、ＬＥＤ５３２の光を照射孔５４３へ入射しやすくでき、照射孔５４３の外へ漏れることを抑制できる。その結果、残像効果による残像表示の光の強さを高めることができる。
【０２５４】
また、照射規制部５４４の突出寸法は、第２外縁部５４２の立設寸法と略同一に設定され、回転ユニット５００が組み上げられた際に、照射規制部５４４の突出先端面と照射ユニット５３０のＬＥＤ５３２とが当接される。これにより、隣接するＬＥＤの光が照射孔５４３へ入射されることを抑制できるので、残像効果による残像表示の外径を明確とできる。また、照射ユニット５３０側の照射孔５４３の内径は、ＬＥＤ５３２の照射面の外径と略同一に設定されるので、ＬＥＤ５３２に当接する照射規制部５４４の面積を確保できるので、各ＬＥＤ５３２の光が照射孔５４３の外へ漏れ出ることを抑制できる。その結果、残像効果による残像表示の光の強さを高めることができる。
【０２５５】
さらに、照射規制部５４４は、隣接する照射規制部５４４と互いの外周面どうしが連結されるので、中間部材５４０の剛性を高めることができる。この場合、照射規制部５４４は外周面が円形に形成され、隣接する照射規制部５４４と互いの外周面どうしが連結される。即ち、複数の照射規制部５４４どうしが連結された群は、外形が凸凹（外方に凸の円弧が複数連なる形状）に形成されるので、空間（表面積）を確保して、放熱効果を高めつつ、外形の凸凹を利用して、中間部材５４０の剛性を高めることができる。
【０２５６】
突設部５４５は、照射ユニット５３０が前後左右に動くことを規制する突起であり、回転ユニット５００が組み上げられた際に、基盤部材５３１の貫通孔５３１ａに挿通される位置に形成される。また、突設部５４５は、外径形状の異なる円柱を上下に組み合わせた形状に形成され、基部側の大径部５４５ａとその大径部５４５ａよりも小径とされる先端側の小径部５４５ｂとから形成される。
【０２５７】
大径部５４５ａは、中間部材５４０に照射ユニット５３０を配設した際に、中間部材５４０と基盤部材５３１との対向間に所定の隙間を形成するための突部であり、基盤部材５３１の貫通孔５３１ａの内径よりも大きい外形に設定されると共に、その突出寸法が、第２外縁部５４２の立設寸法と略同一に設定される。
【０２５８】
これにより、中間部材５４０に照射ユニット５３０を配設した際に、正面側の中間部材５４０と照射ユニット５３０の基盤部材５３１との対向間隔が規定される。一方、背面側の中間部材５４０と照射ユニット５３０の基盤部材５３１との対向間隔は、第２外縁部５４２により規定される。また、大径部５４５ａの突出距離と第２外縁部５４２の立設距離とが略同一に設定されるので、照射ユニット５３０の基盤部材５３１上下方向の側面を中間部材５４０の上下方向の側面に対して平行に配設することができる。
【０２５９】
小径部５４５ｂは、中間部材５４０に照射ユニット５３０を配設した際に、中間部材５４０に対して、照射ユニット５３０を位置決めするための突部であり、基盤部材５３１の貫通孔５３１ａの内径と略同一もしくは少し小さい外径に設定される。よって、中間部材５４０に照射ユニット５３０を配設する際に、中間部材５４０の小径部５４５ｂに基盤部材５３１の貫通孔５３１ａを外嵌させることで、中間部材５４０に対する照射ユニット５３０を前後左右方向への移動を規定できる。
【０２６０】
溝部５４６は、照射規制部５４４の基部に沿って延設されると共に、断面コ字状に凹設される溝である。溝部５４６の凹設の分、中間部材５４０の側面と外気とが接触する面積が増えるので、中間部材５４０の放熱性が向上される。また、中間部材５４０の剛性を確保しつつ、放熱効果を高めることができる。即ち、照射規制部５４４の基部に沿って延設される溝状の溝部５４６を形成することで、中間部材５４０に凹設される領域を最小として、その中間部材５４０の剛性を確保しつつ、ＬＥＤ５３２の動作により、発生する熱が特に集中する部分に対して空間を拡大して、放熱効果を高めることができる。
【０２６１】
なお、溝部５４６の溝幅は、照射規制部５４４の外周縁部から照射孔５４３までの距離寸法よりも小さく設定され、溝部５４６の凹設深さは、中間部材５４０の板厚の半分よりも小さく設定される。
【０２６２】
次に、図３１を参照して、正面カバー５５０の詳細な説明をする。図３１（ａ）は、正面カバー５５０の正面図であり、図３１（ｂ）は、図３１（ａ）のＸＸＸＩｂ−ＸＸＸＩｂ線における正面カバー５５０の部分拡大断面図である。なお、図３１（ｂ）では、拡散部５５１が模式的に図示される。
【０２６３】
図３１（ａ）及び図３１（ｂ）に示すように、正面カバー５５０は、下側（図３１（ｂ）左側）の内縁側（図３１（ｂ）上側）の側面に、拡散部５５１を備えて形成される。
【０２６４】
拡散部５５１は、粗面加工された部分であり、拡散部５５１に照射される光を、その粗面により乱反射させて拡散させることができる。なお、粗面加工とは、表面に凹凸を形成する加工様態のことである。
【０２６５】
次に、図３２を参照して、反射板５６０の詳細な説明をする。図３２（ａ）は、反射板５６０の上面図であり、図３２（ｂ）は、図３２（ａ）のＸＸＸＩＩｂ−ＸＸＸＩＩｂ線における反射板５６０の部分拡大断面図である。なお、図３２（ｂ）では、反射部５６３が模式的に図示される。
【０２６６】
図３２（ａ）及び図３２（ｂ）に示すように、反射板５６０は、上面側（図３２（ａ）紙面手前側）に立設する仕切壁５６１と、その仕切壁５６１に囲まれた領域の上面に形成される反射部５６３と、背面側の縁部に沿って立設する立設壁５６２と、を主に備えて形成される。
【０２６７】
仕切壁５６１は、上面視において、正面側（図３２（ａ）下側）が開放するＵ字状に立設されると共に、反射板５６０の正面側の縁部に沿ってに左右方向に複数個が並んで形成される。また、隣合う互いの立設壁５６２は、正面方向に延設される壁部が組み合わされて（兼用されて）１の壁部とされる。これにより、仕切壁５６１を並設するスペースを小さくすることができる。その結果、仕切壁５６１を形成する個数を最大とすることができる。
【０２６８】
反射部５６３は、上面視において、反射板５６０の正面側の縁部と仕切壁５６１との間に囲まれる領域の上面がレーザー加工等により粗面加工されて形成される。また、反射部５６３は、反射板５６０の上面および下面と平行な側面から形成される水平部５６３ａと、水平部５６３ａと連結して水平部５６３ａから離間するに従って反射板５６０の板厚が拡大する方向に傾斜する傾斜面５６３ｂと、を主に備えて形成される。
【０２６９】
水平部５６３ａは、反射板５６０の上面および下面と平行な側面のうち、正面側の縁部以外の側面に形成される。即ち、正面側の縁部には、水平部５６３ａ（反射部５６３）が形成されず、粗面加工されない。これにより、反射板５６０の正面側の縁部を保持して反射部５６３を形成することができる。その結果、粗面加工する際の保持部分を反射板５６０に別途形成する必要がなく、製造コストを低くすることができる。
【０２７０】
傾斜面５６３ｂは、主に、上面側に配設される照射ユニット５３０のＬＥＤ５３２から照射される光を正面側に反射させる部分であり、ＬＥＤ５３２の照射面に対して正面側に４５度傾けた傾斜面に形成される。
【０２７１】
また、水平部５６３ａと傾斜面５６３ｂとの連結位置は、その連結する直線が、ＬＥＤ５３２の照射面の軸を通過する位置に設定される。これにより、ＬＥＤ５３２から照射される光のうちの背面側に向かって照射される光は、傾斜面５６３ｂによって効果的に正面側に反射させることができる。一方、ＬＥＤ５３２から照射される光のうちの正面側に照射される光は、水平部５６３ａによって、正面側に反射させることができる。
【０２７２】
立設壁５６２は、上述したように、反射板５６０の背面側の縁部に沿って立設され、その立設高さが、仕切壁５６１の立設高さと同一の高さに設定される。これにより、回転ユニット５００を組み上げた（反射板５６０の上部に中間部材５４０を配置した）際に、立設壁５６２と仕切壁５６１との間に空間を形成することができる。即ち、反射板５６０と中間部材５４０との間に空気層を形成することができる。その結果、反射板５６０及び中間部材５４０の内部に熱が蓄えられることを抑制することができ、回転ユニット５００が熱を蓄えて、回転ユニット５００に配設される照射ユニット５３０の基盤部材５３１が破損することを抑制することができる。
【０２７３】
以上のように、構成される回転ユニット５００は次のようにして組み上げられる。初めに、ベアリングＢＲの内円部分に締結部材５７３を正面側から内嵌すると共に、締結部材５７３の内円部分を正面ベース５７２の内側立設部５７２ｂに外嵌する。正面ベース５７２、ベアリングＢＲ及び締結部材５７３を一体にした後に、その背面側に背面ベース５７１を配設して正面ベース５７２と背面ベース５７１とを締結して回転伝達ユニット５７０をユニットとして組み上げる。
【０２７４】
回転ユニット５００の前方部分（回転伝達ユニット５７０を除いた部分）は、反射板５６０の下側に下面ベース５２０が配置されて、下面ベース５２０と反射板５６０とが締結される。下面ベース５２０と反射板５６０とが締結固定された後に、反射板５６０の上面側に中間部材５４０が正面側に正面カバー５５０を挟んだ状態で重ね合される。その中間部材５４０の上面に照射ユニット５３０が、その貫通孔５３１ａを中間部材５４０の突設部５４５の小径部５４５ｂに外嵌した状態で、配設される。この状態で、上面ベース５１０を上方から配置すると共に、中間部材５４０と締結することで、回転ユニット５００の前方部分（回転伝達ユニット５７０を除いた部分）がユニットとして組み上げられる。
【０２７５】
次に、回転ユニット５００の前方部分の後方に回転伝達ユニット５７０を配置すると共に、回転ユニット５００と回転伝達ユニット５７０とを締結することで回転ユニット５００が１のユニットとして組み上げられる。
【０２７６】
次に、図３３及び図３４を参照して、照射ユニット５３０のＬＥＤ５３２から照射される光について説明する。図３３（ａ）は、回転ユニット５００の上面図であり、図３３（ｂ）は、図３３（ａ）のＸＸＸＩＩＩｂ−ＸＸＸＩＩＩｂ線における回転ユニット５００の断面図である。図３４の（ａ）及び（ｂ）は、図３３（ｂ）のＸＸＸＩＶ部における回転ユニット５００の部分拡大断面図である。
【０２７７】
なお、図３３（ａ）では、回転ユニット５００から上面ベース５１０及び照射ユニット５３０が取り外された状態が図示される。また、図３４（ａ）及び図３４（ｂ）では、ＬＥＤ５３２から照射される光が２点鎖線で図示される。
【０２７８】
図３３（ａ）及び図３３（ｂ）に示すように、中間部材５４０の照射孔５４３の下方には、仕切壁５６１に囲まれることで１の領域として区画された反射部５６３が配置される。上述したように、各照射孔５４３の上側には、各ＬＥＤ５３２が配置されるので、それぞれのＬＥＤ５３２から照射される光をそれぞれ異なる位置の反射部５６３に照射させることができる。即ち、各ＬＥＤ５３２から発光された光を、各反射部５６３で区画された状態で出射させることができるので、各ＬＥＤ５３２の光の区切りを明確とできる。その結果、各ＬＥＤ５３２から発光された光を対応する反射部５６３のみから出射させることができるのでき、残像効果による残像表示の外形を明確とできる。
【０２７９】
また、ＬＥＤ５３２の光を、中間部材５４０の照射孔５４３を介して、対応する反射板５６０の反射部５６３へ入射させる構造体を反射板５６０及び中間部材５４０の２部材から形成するので、かかる構造体を一部材から構成する場合と比較して、構造を簡素化することができる。よって、製品コストの削減を図ることができる。
【０２８０】
図３４（ａ）に示すように、照射ユニット５３０のＬＥＤ５３２から反射板５６０の傾斜面５６３ｂに照射される光は、傾斜面５６３ｂの粗面により乱反射されて、正面側（図３４（ａ）下側）に反射され、正面カバー５５０を透過して、遊技機正面側に出射される。即ち、ＬＥＤ５３２から照射される光を、回転ユニット５００の前方（正面側）に出射させることができる。従って、基盤部材５３１の姿勢を、ＬＥＤ５３２が搭載される面を回転ユニット５００の回転軸に略平行とする場合でも、ＬＥＤ５３２の光（点滅）を遊技者に視認させ、残像効果による残像表示を行うことができる。
【０２８１】
また、反射板５６０の傾斜面５６３ｂにより、ＬＥＤ５３２から照射される光を効率的に遊技者側に出射させることができる。よって、より強い光を回転ユニット５００の正面側へ出射させることができる。従って、残像効果による残像表示の光の強さを高めることができる。
【０２８２】
なお、ＬＥＤ５３２から反射部５６３の傾斜面５６３ｂに照射される光の中には、傾斜面５６３ｂの粗面により乱反射されて、中間部材５４０及び反射板５６０の対向する面に反射される光がある。中間部材５４０及び反射板５６０の対向する面に反射される光は、その面（中間部材５４０及び反射板５６０の対向する面）により再び反射されることで正面カバー５５０に照射される。
【０２８３】
この場合、上述したように中間部材５４０は、光の吸収率が黒色よりも低い白色で形成されるので、中間部材５４０に反射される光を、再び反射させやすくできる。一方、反射板５６０は、上述したように、外面に銀色の装飾が施されており、反射板５６０に反射される光を、再び反射させやすくできる。
【０２８４】
よって、ＬＥＤ５３２から反射部５６３に照射される光を、粗面により乱反射させて、均等に分散させた状態で、回転ユニット５００の正面側（遊技者側へ）出射させることができる。即ち、反射部５６３の開口から出射される光が、その開口の一部に偏った状態で視認されることを抑制できる。
【０２８５】
図３４（ｂ）に示すように、照射ユニット５３０のＬＥＤ５３２から反射板５６０の水平部５６３ａに照射される光は、水平部５６３ａの粗面により乱反射されて、正面側（図３４（ｂ）下側）に反射される。よって、ＬＥＤ５３２から照射される光を、正面カバー５５０を通過させて、正面側に出射させることができる。
【０２８６】
なお、反射板５６０の正面側端部には、水平部５６３ａの粗面が非形成とされるので、回転ユニット５００の正面側（遊技者側）へ向けて光を出射させやすくすることができ、残像効果による残像表示の光の強さを高めることができる。即ち、反射板５６０の内面のうちの回転ユニット５００の正面側の端部に粗面加工が施されると、その粗面で光が乱反射して、回転ユニット５００の正面側（打遊技者側）へ向けて出射する光を減少させてしまうところ、反射板５６０の正面側端部が非形成とされ、少なくとも反射部５６３に加工される粗面よりも平坦な平滑面とされるので、乱反射を抑制して、回転ユニット５００の正面側（遊技者側）へ向かう光を増加させることができる。
【０２８７】
また、仕切壁５６１は、水平部５６３ａよりも正面側の端部（反射部５６３の粗面加工が非形成（平滑面）とされる部分）において、正面側（凹欠部５６４が形成される側）の端部に向かうに従って先細りの形状とされるので、水平部５６３ａの粗面加工の非形成とされる部分は、回転ユニット５００の正面側の端部へ向かうに従ってその内面の断面積が大きくされる（拡径される）。よって、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２８８】
さらに、反射板５６０（回転ユニット５００）の正面側は、左右方向中央部（回転軸）を中心として端部に向かうほど背面側に湾曲して形成されるので、反射板５６０の正面側（凹欠部５６４が形成される側）の端部は、回転ユニット５００の回転軸から径方向に離間するほど、仕切壁５６１で仕切られたそれぞれの領域における正面側（凹欠部５６４が形成される側）の端部の長さ寸法が大きくされる。これにより、複数の反射部５６３のそれぞれの視認される明度（光の明るさ）を均一にすることができる。
【０２８９】
即ち、回転ユニット５００では、回転軸（回転中心）から径方向外方へ向かうほど変位速度（周速）が速くなるため、列状に配設したＬＥＤ５３２を同じ明るさで発光させると、回転軸に近いＬＥＤ５３２の光ほど、回転軸から遠い（径方向外方の）ＬＥＤ５３２の光よりも、明度が高く（明るく）見える。
【０２９０】
これに対し、本実施形態では、反射板５６０の正面側の端部が、回転ユニット５００の回転軸から径方向に離間するほど、仕切壁５６１で仕切られたそれぞれの領域における正面側（凹欠部５６４が形成される側）の端部の長さ寸法が大きくされるので、回転ユニット５００の回転軸から径方向外方に離間する反射部５６３（ＬＥＤ５３２）ほど、粗面による乱反射を強くして（即ち、ＬＥＤ５３２から直接遊技者に視認される光の割合を小さくして）、高い明度の光として視認させることができる。その結果、径方向の配設位置における目で見た明るさの差を抑制して、明度（光の明るさ）を均一化できる。
【０２９１】
また、回転ユニット５００の軸方向と平行な方向の反射板５６０の水平部５６３ａの長さ寸法は、回転ユニット５００の回転軸から径方向に離間するに従って大きくされるので、数の反射部５６３のそれぞれの視認される明度（光の明るさ）を均一にすることができる。
【０２９２】
正面カバー５５０に照射される光は、正面カバー５５０の内周面に形成される拡散部５５１により光の進行方向を拡散させることができる。即ち、正面カバー５５０の拡散部５５１の粗面により、拡散部５５１に照射される光の進行方向を複数の異なる方向に曲げることができる。その結果、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２９３】
また、ここで、ＬＥＤ５３２の光を直接（光透過性材料の部材を透過させないで）遊技者に視認させるものであると、ＬＥＤ５３２の光は、前方への指向性が高いため、遊技者が眩しく感じる恐れがあった。
【０２９４】
これに対し、本実施形態では、ＬＥＤ５３２から照射される光を乱反射させる面を、反射板５６０と正面カバー５５０との２箇所に形成するので、ＬＥＤ５３２から照射される光の指向性を弱くできる。これにより、遊技者が照射された光を視認して眩しく感じることを抑制できる。
【０２９５】
ここで、複数の発光手段（ＬＥＤ５３２）を有し回転位置に応じて発光手段を点滅させることで、残像効果による表示を行うものが知られている。しかしながら、従来の発光手段では、基盤（基盤部材５３１）の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置（回転ユニット５００）の回転が停止された状態において、その回転ユニット５００の背面側の視認性が阻害されるという問題点があった。
【０２９６】
これに対し、本実施形態では、回転ユニット５００は、複数のＬＥＤ５３２が列設される基盤部材５３１が、ＬＥＤ５３２が搭載される面を回転ユニット５００の回転軸と略平行とする姿勢で、上面ベース５１０と下面ベース５２０との間に配設されるので、正面視（回転軸方向視）における上面ベース５１０及び下面ベース５２０の外形を抑制することができる。その結果、回転ユニット５００の回転が停止された状態において、上面ベース５１０及び下面ベース５２０の背面側の視認性を向上させることができる。
【０２９７】
次に、図３５及び図３６を参照して、回転ユニット５００の回転について説明する。
【０２９８】
図３５（ａ）及び図３５（ｂ）は、回転ユニット５００の正面図である。図３６（ａ）及び図３６（ｂ）は、回転ユニット５００の上面図である。
【０２９９】
なお、図３５（ａ）から図３６（ｂ）では、回転ユニット５００により生じる空気の流れが２点鎖線で図示され気流Ｋの符号が付与される。また、上面ベース５１０及び下面ベース５２０の送風孔５１２，５２２が破線で図示される。
【０３００】
さらに、本実施形態では、回転ユニット５００が正面視左回転される際の説明のみとし、正面視右回転される際は、回転ユニット５００の回転軸を中心に気流Ｋの流れが反転するのみであるので、その説明は省略する。
【０３０１】
図３５（ａ）及び図３５（ｂ）に示すように、回転ユニット５００が上述した駆動モータ４５７の駆動力により回転されると、その回転により外部の空気が送風孔５１２，５２２から侵入して回転ユニット５００の内部に気流Ｋが発生する。
【０３０２】
この場合、送風孔５１２，５２２が、回転ユニット５００の回転方向に対して、接線方向に開口されるので、回転ユニット５００の回転する際に、送風孔５１２，５２２を介して、回転ユニット５００の外部の空気を回転ユニット５００の内部に侵入させやすくできる。
【０３０３】
詳しく説明すると、回転ユニット５００が正面視左方向に回転されると、初期位置において、正面視右側に形成される上面ベース５１０の送風孔５１２及び正面視左側に形成される下面ベース５２０の送風孔５２２が、その送風孔５１２，５２２に空気を取り込む（挿通させる）方向に変位される。その結果、回転ユニット５００の回転する際に、回転ユニット５００の外部の空気を回転ユニット５００の内部に侵入させやすくできる。従って、ＬＥＤ５３２が動作する際の発熱を冷却することができる。
【０３０４】
なお、上面ベース５１０の送風孔５１２及び下面ベース５２０の送風孔５２２が回転軸に対して点対象に形成されるので、回転ユニット５００が正面視右方向に回転する際には、初期位置における回転ユニット５００の正面視左側に形成される上面ベース５１０の送風孔５１２及び正面視右側に形成される下面ベース５２０の送風孔５２２により、外部の空気を回転ユニット５００の内部に取り込みやすくできる。即ち、回転ユニット５００が右方向に回転した場合でも、上述した場合（回転ユニット５００が正面視左側に回転した場合）と同様の作用効果を奏する。
【０３０５】
ここで、回転体（回転ユニット５００）の内部にＬＥＤ（ＬＥＤ５３２）が搭載される基盤（基盤部材５３１）を配設して、回転体を回転駆動させながらＬＥＤを発光するものであると、ＬＥＤやＩＣ・コンデンサが動作する際の発熱を十分に冷却できない場合には、基盤にはんだ付けされたＬＥＤや、それを制御するＩＣ・コンデンサ等のはんだが溶けて、接触不良を招く恐れがある。
【０３０６】
これに対し、本実施形態では、送風孔５１２，５２２が、回転ユニット５００の回転方向に対して、接線方向に開口されるので、回転ユニット５００の回転により、回転ユニット５００の内部に外気を取り込むことができる。よって、ＬＥＤが動作する際の、発熱を冷却することができる。
【０３０７】
送風孔５１２，５２２から回転ユニット５００の内部に取り込まれた空気は、主に、照射ユニット５３０又は反射板５６０と衝突して分散される。回転ユニット５００の背面側（図３５（ａ）紙面奥側）に分散される気流Ｋは、上面ベース５１０と下面ベース５２０との背面側の開口（対向間の隙間）から回転ユニット５００の外側に送風されて大気中に放出される。
【０３０８】
一方、図３６（ａ）示すように、回転ユニット５００の正面側（図３５（ａ）紙面手前側）に分散される気流Ｋは、回転ユニット５００の回転の遠心力により、回転軸から径方向外側へと送風されて、回転ユニット５００の外側に送風されて大気中に放出される（図３５（ａ）参照）。
【０３０９】
即ち、回転ユニット５００は、上面ベース５１０と下面ベース５２０とを組み合わせた形状が、背面側が開放された容器状の形状に形成されるので、送風孔５１２，５２２から取り込んだ外気を背面側から効率的に排気することができる、よって、ＬＥＤ５３２が動作する際に発熱を冷却することができる。また、このように、上面ベース５１０及び下面ベース５２０の背面側から排気することで、かかる排気が、遊技領域を流下する（又は、ステージを転動する）球に影響を与えることを抑制できる。
【０３１０】
また、本実施形態では、上面ベース５１０及び下面ベース５２０が、上面ベース５１０及び下面ベース５２０の回転平面における直径方向に沿って長尺形状となる正面視（即ち、回転軸方向視）矩形状に形成されるので、上面ベース５１０及び下面ベース５２０の回転に伴う遠心力を利用して、上面ベース５１０及び下面ベース５２０の内部の空気を長手方向端部側（回転時の径方向外方）へ流動させ、背面側から排気することができる。よって、かかる空気の流動に伴って、回転伝達ユニット５７０近傍において、背面側から外気を上面ベース５１０及び下面ベース５２０へ取り込むことができる。
【０３１１】
即ち、回転伝達ユニット５７０近傍では、回転速度が低いため、側壁の送風孔５１２，５２２からの外気の取り込み効率が悪い（又は取り込めない）ところ、遠心力を利用した空気の循環（回転伝達ユニット５７０近傍における背面側から外気を取り込み、その取り込んだ外気を遠心力で長手方向端部側（回転時の径方向外方）へ流動させ、径方向外方側における背面側から排気する空気の流動）を形成することができる。その結果、ＬＥＤ５３２が動作する際の発熱を冷却することができる。特に、回転伝達ユニット５７０近傍に配設されるＬＥＤ５３２の冷却を達成することができる。
【０３１２】
また、図３６（ｂ）に示すように、回転ユニット５００の内部の空気が回転ユニット５００の回転により径方向外側に押し出されると、回転ユニット５００の中央側の内圧が低下するために、回転ユニット５００の回転伝達ユニット５７０と上面ベース５１０及び下面ベース５２０との背面側の隙間から外部の空気が取り込まれる。その結果、回転伝達ユニット５７０の近傍に配設されるＬＥＤ５３２の冷却をより確実に達成することができる。
【０３１３】
この場合、上面ベース５１０及び下面ベース５２０の正面側を形成する正面壁（上面ベース５１０の前縁部が下方（図２９（ａ）紙面奥側）（下面ベース５２０は前縁部が上方）に湾曲した部分）が、上面ベース５１０及び下面ベース５２０の回転平面に平行な形状であると（即ち、上面ベース５１０及び下面ベース５２０の回転軸に直交する方向視における形状が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０３１４】
これに対し、本実施形態では、上面ベース５１０及び下面ベース５２０の正面側（上面ベース５１０の前縁部が下方（図２９（ａ）紙面奥側）（下面ベース５２０は前縁部が上方）に湾曲した部分）の形状が左右方向中央部から外側に向かって湾曲した形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転伝達ユニット５７０近傍に配設されるＬＥＤ５３２の冷却をより確実に達成することができる。
【０３１５】
さらに、上面ベース５１０及び下面ベース５２０の背面側の対向間の距離寸法（図３５（ａ）上下方向の寸法）は、回転伝達ユニット５７０近傍における背面側の距離寸法が、長手方向端部側における背面側の距離寸法よりも大きくされるので、回転に伴う遠心力を利用して、上面ベース５１０及び下面ベース５２０の内部の空気を長手方向端部側（回転時の径方向外方）へ流動させ、径方向外方側における背面側から排気することで、回転伝達ユニット５７０近傍における背面側から外気を取り込む際に、その取込を効率的に行うことができる。
【０３１６】
また、回転伝達ユニット５７０近傍における背面側の開放部分（上面ベース５１０の装飾部５１１及び下面ベース５２０の装飾部５２１の内周）が、回転軸と同心の円形に形成されるので、上面ベース５１０及び下面ベース５２０の回転に伴って、回転伝達ユニット５７０近傍の背面側の外気が乱れる（回転方向の流動が形成される）ことを抑制できる。その結果、回転伝達ユニット５７０近傍における背面側から外気を効率的に取り込むことができる。
【０３１７】
さらに、正面ベース５７２の外側立設部５７２ａの外周面が背面側から正面側に向かって窄まる形状に形成されるので、回転ユニット５００が上面ベース５１０の装飾部５１１及び下面ベース５２０の装飾部５２１と回転伝達ユニット５７０との隙間から空気を取り込む際の気流Ｋに渦が発生することを抑制することができる。従って、回転ユニット５００の左右方向中央部を流れる気流Ｋの流れをスムーズにすることができ、回転伝達ユニット５７０近傍における背面側から外気を取り込む際に、その取込を効率的に行うことができる。
【０３１８】
次いで、図３７から図４１を参照して、センターフレーム６００について説明する。
【０３１９】
初めに、図３７及び図３８を参照して、センターフレーム６００の全体構成について説明する。図３７は、センターフレーム６００の分解正面斜視図であり、図３８は、センターフレーム６００の分解背面斜視図である。
【０３２０】
図３７及び図３８に示すように、センターフレーム６００は、正面視円環形状に形成される枠体６１０と、その枠体６１０の内周部分を覆う様態に配設されるセンターカバー６２０と、枠体６１０に取着されるセンサ６３０と、を主に備えて形成される。
【０３２１】
枠体６１０は、正面視における内周の縁部の下方部分からセンターカバー６２０側（背面側）に突出するステージ６１１と、外周の側面から径方向外側に突出される壁部６１２と、背面側の縁部に正面側に向かって円形状に凹設される締結孔６１３と、背面側に配設されるセンサ６３０の照射面６３１の前方が開口する開口６１４と、を主に備えて形成される。
【０３２２】
また、枠体６１０は、第３図柄表示装置８１（図２参照）を取り囲む様態で遊技盤１３の中央部に配設され、ガラス８を介して遊技者から視認可能とされる部材であり、正面側の側面に模様や絵が描かれる。
【０３２３】
ステージ６１１は、枠体６１０の下方側の内縁部から背面側に屈曲して形成され、その上面に、正面側の端部に第１凹設部６１１ａが、背面側の端部に第２凹設部６１１ｂが、それぞれ凹設される。
【０３２４】
ステージ６１１は、その上面で球を転動させると共に、第１凹設部６１１ａもしくは第２凹設部６１２ｂのどちらか一方の傾斜を利用してステージ６１１の上面から球を落下させて、第１入賞口６４に球が入賞し易い状態を形成することができる。よって、遊技領域を流下する球の流下経路を複数個形成することができるので、遊技者に興趣を与えることができる。
【０３２５】
なお、第１凹設部６１１ａは、ステージ６１１の上部を転動する球を、遊技盤１３の正面側（ベース板６０の正面側）に落下させる溝であり、正面側に向かって凹設深さが深く形成される。第２凹設部６１１ｂは、ステージ６１１の左右方向中央の背面部に形成される開口に球を送球するための溝であり、背面側に向かって凹設深さが深く形成される。
【０３２６】
壁部６１２は、組み上げられたセンターフレーム６００をベース板６０（図２参照）に配設する際にベース板６０に対して前後方向の位置決めとなる部分であり、ベース板６０の中央部分に前後方向に貫通形成される開口の内形形状よりも大きい外形に形成される。これにより、ベース板６０の開口内部にセンターフレーム６００を正面側から挿入した際に、ベース板６０の正面側の側面に壁部６１２の背面側の側面が当接して、ベース板６０に対してセンターフレーム６００を位置決めすることができる。
【０３２７】
締結孔６１３は、枠体６１０の背面側に複数個凹設される孔であり、後述するセンターカバー６２０の貫通孔６２３ａと対向する位置に形成される。開口６１４は、後述するセンサ６３０から照射されるセンサ光を正面側に照射するための開口であり、センサ６３０のセンサ光が照射される照射面６３１と対向する位置に形成される。
【０３２８】
センターカバー６２０は、光透過性材料の樹脂材料から形成され、正面視略円形状に形成され枠体６１０の内周側に配設されるカバー部材６２１と、そのカバー部材６２１の左右の縁部から正面側に立設される側壁部６２２と、その側壁部６２２の立設先端面およびカバー部材６２１の下側縁部から外側に突設される取付部６２３と、を主に備えて形成される。
【０３２９】
カバー部材６２１は、正面視において左右方向中央上部から外側に向かうにつれて背面側に湾曲する（正面側が凸の湾曲面となる）厚みが一定の板状体に形成される。左右方向中央部の上方側の周縁（以下、「第１部分６２１ａと称す）が、左右両端および下端の周縁（以下、「第２部分」と称す）よりも前方に位置して形成される。
【０３３０】
カバー部材６２１は、厚みが一定の板状体から形成されるので、凸レンズとして作用することを抑制して、背面側に配置される第３図柄表示装置８１の視認性を確保することができる。
【０３３１】
また、カバー部材６２１は、厚みが一定の板状体から形成されるので、正面視において左右方向中央部が正面側に向かって湾曲する分、カバー部材６２１と第３図柄表示装置８１との対向間に空間を形成することができる。これにより、上述した上下変位ユニット４００の装飾部材４５０が変位して演出する空間を確保できる。
【０３３２】
側壁部６２２は、枠体６１０にセンターカバー６２０を取り付け可能にするため壁部であり、上述したようにカバー部材６２１が背面側に湾曲されるので、その分、枠体６１０の背面とセンターカバー６２０の正面との対向間の距離が大きくなるところ、側壁部６２２により、枠体６１０の背面とセンターカバー６２０の正面の対向間の距離を小さくする（無くす）ことができる。
【０３３３】
即ち、側壁部６２２の正面側への立設寸法は、枠体６１０にセンターカバー６２０を配設した際の、枠体６１０の背面とセンターカバー６２０の正面との対向間の距離寸法に設定されており、これにより、枠体６１０とセンターカバー６２０とを組み合せた際に、カバー部材６２１の第１部分６２１ａが枠体６１０の正面側に突出され過ぎることを抑制できる。
【０３３４】
取付部６２３は、枠体６１０にセンターカバー６２０を取り付けるための突出部であり、前後方向に貫通形成された貫通孔６２３ａが複数個形成される。上述したように、貫通孔６２３ａと対向する位置の枠体６１０の背面には、締結孔６１３が穿設されており、図示しないねじ等を貫通孔６２３ａを挿通させると共に、締結孔６１３に締結することで、枠体６１０とセンターカバー６２０とが締結固定される。
【０３３５】
センサ６３０は、遊技者の動作を検知するためのモーションセンサ、であり赤外線等の光を照射する発光部と、その発光部から照射された光が物体によって反射される反射光を受光する受光部と、を有する照射面６３１を備える。
【０３３６】
センサ６３０は、枠体６１０を上下方向に３等分した際の下から２／３のほどの高さに配設されると共に、枠体６１０の右側に配設される。また、センサ６３０は、その照射面６３１をセンターフレーム６００の中央正面側に傾けた状態で配設される。これにより、センサ６３０の照射面６３１から照射される光は、遊技盤１３の正面側中央部からガラス８を介して遊技者側に出射される。
【０３３７】
次に、図３９及び図４０を参照してセンサ６３０から照射されるセンサ光について説明する。
【０３３８】
図３９（ａ）は、センターフレーム６００の正面図であり、図３９（ｂ）は、図３９（ａ）のＸＸＸＩＸｂ−ＸＸＸＩＸｂ線におけるセンターフレーム６００の断面図である。図４０（ａ）は、図３９（ａ）のＸＬａ−ＸＬａ線におけるセンターフレーム６００の断面図であり、図４０（ｂ）は、図３９（ａ）のＸＬｂ−ＸＬｂ線におけるセンターフレーム６００の断面図である。
【０３３９】
なお、図３９（ａ）及び図４０（ｂ）では、センターフレーム６００の前方に照射されるセンサ６３０の光の照射領域が２点鎖線で図示され、照射領域Ｒ１，Ｒ２のとして図示される。また、図３９（ｂ）では、センサ６３０が破線で図示される。さらに、図４０（ｂ）及び図４０（ｂ）では、センサ６３０及びセンサ６３０から照射される光が２点鎖線で図示されると共に、センターフレーム６００の前方（遊技盤１３の前方）に配設されるガラス８が２点鎖線で図示される。
【０３４０】
図３９及び図４０に示すように、センサ６３０は、カバー部材６２１の第２部分６２１ｂよりも前方に配設される。これにより、センサ６３０から照射される光が、カバー部材６２１を介して（透過して）、遊技機正面側に出射されることがなくなり、センサ６３０から照射される光がカバー部材６２１に遮られることを抑制できる。また、センサ６３０は、正面側に枠体６１０の装飾部分が配置される。これにより、センサ６３０を遊技者側（正面側）から視認し難くすることができる。
【０３４１】
センサ６３０から照射される光は、センサ６３０の照射面６３１から直接ガラス８に照射されてガラス８の正面側から出射する照射領域Ｒ１の領域と、センターカバー６２０のカバー部材６２１の正面に照射された光が反射されてガラス８の正面側から出射する照射領域Ｒ２の領域とに出射される。
【０３４２】
ここで、モーションセンサ（センサ６３０）を遊技機に配設して、液晶装置（第３図柄表示装置８１）の前面側の遊技者の動作を検出する遊技機では、モーションセンサが露出されていると、興趣を損ねるという問題点があった。
【０３４３】
そのために、センサ６３０は、装飾部材（枠体６１０）の背面側に配置される。この場合、センサ６３０を装飾部材の内縁側（枠体６１０の開口６１４）から奥側（外側）へ退避させれば、より視認され難くできるが、発光部および受光部（照射面６３１）を正面へ向けにくくなり、検出範囲が狭くなる。一方、センサ６３０を装飾部材の内縁側（枠体６１０の開口）に近づけて位置させれば、発光部および受光部を正面へ向けやすいため、検出範囲を前後方向に広くできるが、遊技者から視認されやすくなる。即ち、センサ６３０を、遊技者から視認され難くしつつ、物体を検出可能な範囲を確保することが困難であるという問題点があった。
【０３４４】
これに対し、本実施形態では、センサ６３０の照射面６３１から照射される光の一部が、センターカバー６２０のカバー部材６２１に照射されることで、カバー部材６２１の湾曲形状により、正面側（遊技者側）に反射される。これにより、センサ６３０を枠体６１０の開口６１４の奥へ退避させて、遊技者から視認され難くしつつ、物体を検出可能な範囲を確保することができる。なお、カバー部材６２１は、光透過性材料からなるので、液晶表示装置に表示される図柄の視認性を確保できる。
【０３４５】
また、カバー部材６２１正面側が凸の湾曲面とされるので、センサ６３０から発光された光をカバー部材６２１の正面で反射させる場合には、センサ６３０から近い位置では、反射の角度（反射角）をより鋭角とできる一方、セン６３０から遠い位置では、反射の角度（反射角）をより鈍角とすることができ、その分、物体を検出可能な範囲を拡大しやすくできる。
【０３４６】
さらに、照射領域Ｒ２に照射される光（カバー部材６２１で反射される光）は、物体に照射されて反射すると、カバー部材６２１側に反射される。この場合、反射光は、反射する物体の表面形状によりその進行方向が異なるが、複数の方向に反射される光をカバー部材６２１の正面で反射させることで、異なる方向に反射される光の進行方向をセンサ６３０側に向かう進行方向とすることができる。即ち、センサ６３０側に反射される光の量を多くすることで、センサ６３０の受光の検知動作を確実に行うことができる。
【０３４７】
カバー部材６２１の第１部分６２１ａは、枠体６１０の壁部６１２よりも正面側に位置され、第２部分６２１ｂは、枠体６１０の壁部６１２よりも背面側に位置される（図３９（ｂ）参照）。即ち、第１部分６２１ａは、ベース板６０の背面と略同一またはベース板６０（図２参照）の背面よりも正面側となる位置に配設され、第２部分６２１ｂは、ベース板６０の背面よりも背面側となる位置に配設される。
【０３４８】
これにより、センターフレーム６００の上部におけるセンターカバー６２０のカバー部材６２１と第３図柄表示装置８１との対向間の距離寸法を確保することができる。その結果、上述した上下変位ユニット４００の装飾部材４５０が上下方向に変位する際の前後方向の寸法を確保でき、装飾部材４５０を変位させることができる。また、装飾部材４５０が変位する後方のスペースとガラス８が配設される前方のスペースとの限られたスペース内において、カバー部材６２１の曲率を大きくすることができる。
【０３４９】
また、第１部分６２１ａが、ベース板６０の背面と略同一またはベース板６０（図２参照）の背面よりも正面側となる位置に配設されるので、上下変位ユニット４００の装飾部材４５０（回転ユニット５００）が第１部分６２１ａに干渉することをより確実に抑制でき、その分、変位部材の大型化を図ることができる。
【０３５０】
さらに、第２部分６２１ｂが、ベース板６０の背面よりも背面側となる位置に配設されるので、カバー部材６２１の曲率を大きくでき、カバー部材６２１の正面側を光の反射面として利用しやすくできる。即ち、センサ６３０を奥側に配置して遊技者から視認され難くしつつ、物体を検出可能な範囲を確保することができる。
【０３５１】
また、第１部分６２１ａが、カバー部材６２１の上方に位置されるので、遊技機１０が設置される店舗において、店舗の蛍光灯の照明がカバー部材６２１で反射されて正面側（遊技者側）に照射されることを抑制できる。
【０３５２】
即ち、カバー部材６２１の上方部分が背面側に湾曲するものであると、斜め上方から照射される店舗の蛍光灯の光が正面側に反射しやすい形状となるところ、カバー部材６２１の正面は、その法線方向が少なくとも水平方向よりも下方を指向する湾曲面として形成されるので、カバー部材６２１の正面へ入射された光を下方へ向けて反射させることができる。即ち、店舗内の天井に設置された蛍光灯や他の遊技機からの光がカバー部材６２１の正面へ入射された場合に、かかる光が遊技者に向けて反射されることを抑制でき、その結果、遊技者がまぶしく感じることや、第３図柄表示装置８１の視認性が悪化することを抑制できる。
【０３５３】
次に、図４１を参照して、センターフレーム６００と上下変位ユニット４００の回転ユニット５００との関係を説明する。
【０３５４】
図４１の（ａ）及び図４１（ｂ）は、回転ユニット５００及びセンターフレーム６００の断面図である。なお、図４１（ａ）では、回転ユニット５００が初期位置（基準位置）（延設方向を水平に向けた位置）が図示され、図４１（ｂ）は、回転ユニット５００がその回転軸を中心に９０度回転された様態が図示される。
【０３５５】
図４１（ａ）及び図４１（ｂ）に示すように、上下変位ユニット４００の装飾部材４５０が変位されて、第３図柄表示装置８１（図２参照）の正面側およびセンターフレーム６００の背面側に位置する際には、装飾部材４５０の回転ユニット５００とセンターフレーム６００のカバー部材６２１との対向間に所定の隙間が形成される。これにより、回転ユニット５００は、カバー部材６２１と衝突することなく回転することができる。
【０３５６】
この場合、第３図柄表示装置８１の前方で回転部材（回転ユニット５００）が回転する役物であると、その回転部材の回転により風の流れが発生し、その風の影響で流下する球が動いてしまうという問題点があった。
【０３５７】
特に、本実施形態では、球が転動するステージ６１１の上方に回転ユニット５００が位置するために、ステージ６１１の上部を転動する球が回転ユニット５００の回転による風の影響を受けやすい。
【０３５８】
これに対し、本実施形態では、カバー部材６２１の第２部分６２１ｂから連結される取付部６２３が、枠体６１０のステージ６１１の下側に凹設される締結孔６１３に締結される（即ち、センターカバー６２０の下端部分が枠体６１０の下端に連結される）ので、球の流下領域と回転ユニット５００の変位領域とを区画することができる。よって、回転ユニット５００の回転によって発生する風をカバー部材６２１（第２部分６２１ｂ）により遮ることができる。その結果、風の作用により球の流下が影響を受けることを抑制できる。また、回転ユニット５００の回転により風が発生し、その風により埃や粉じんが吹き飛ばされた場合でも、第２部分６２１ｂ（カバー部材６２１）により遮ることができるので、吹き飛ばされた埃や粉じんがセンサの発光・受光の航路上に舞い上がり、検出の精度が低下することを抑制できる。
【０３５９】
ここで、センターフレーム６００のステージ６１１には、そのステージ６１１を転動する球が、背面側に落下しないように背面壁が立設されるものが従来から知られている。しかし、かかる従来品では、回転ユニット５００の回転により発生した風が、ステージ６１１から立設される背面側の立設先端から正面側に回り込んで、或いは、遊技盤１３の正面側のガラス８で折り返されて、ステージ６１１上を転動する球に影響を与える。一方、ステージ６１１上を転動する球に風の影響を与えなくするために、背面壁を正面側まで湾曲させて、ステージの球の周囲を覆う形状とする（即ち、閉じた通路を形成する）と、ステージ６１１の上部を転動する球を遊技者が視認し難くなるため、遊技者の興趣が損なわれる。
【０３６０】
これに対し、カバー部材６２１の第２部分６２１ｂは、枠体６１０のステージ６１１を含む範囲に連結されるので回転ユニット５００が回転されることで発生する風を第２部分６２１ｂ（カバー部材６２１）により遮ることができる。その結果、ステージ６１１の周囲を覆う必要がないので、ステージ６１１の上部を転動する球を遊技者に視認されやすくしつつ、風の作用により、球の流下が影響を受けることを抑制できる。
【０３６１】
ここで、変位部材（上下変位ユニット４００）が変位する変位領域と球が流下する流下領域とを仕切板（センターカバー６２０）で区画してしまうと、遊技盤１３の背面側に配置される背面ケース３００には、第３図柄表示装置８１および上下変位ユニット４００を駆動させる駆動モータ４４１などの熱を発生する部材が多く配置されるために、熱が変位領域の内部（遊技盤１３の背面側）にこもり、遊技機１を制御する基板および第３図柄表示装置８１が破損するという問題点がある。
【０３６２】
これに対し、本実施形態では、カバー部材６２１の第１部分６２１ａは、枠体６１０に連結されず、枠体６１０の内周縁との間に所定の間隔を隔てて配設されるので、かかる所定の間隔を介して、遊技盤１３及びカバー部材６２１の背面側と正面側とを連通させることができる。従って、上下変位ユニット４００から発生する熱が、遊技盤１３及びカバー部材６２１の背面側にこもることを抑制できる。その結果、遊技盤１３の前方側の（後方側よりも）冷たい空気を遊技盤１３の背面側に送ることができるので、遊技機１を制御する基盤及び第３図柄表示装置８１が破損することを抑制できる。
【０３６３】
また、第１部分６２１ａと枠体６１０の内周縁との間の所定の間隔は、センターフレーム６００の上部に形成されるので、温められた空気を所定の間隔を介して遊技盤１３の正面側に流しやすくできる。即ち、遊技盤１３の背面側の温められた空気は、その熱により上昇されるので、上方に形成される第１部分６２１ａと枠体６１０の内周縁との間の所定の間隔から正面側に流しやすくできる。この結果、遊技盤１３及びカバー部材６２１の背面側に熱がこもることを抑制できる。
【０３６４】
なお、この場合、回転ユニット５００が回転されて風が発生されると、その風が第１部分６２１ａと枠体６１０の内周縁との間の所定の間隔から出て遊技盤１３の前方を流下する球に影響を与える恐れがある。
【０３６５】
これに対し、回転ユニット５００が回転されることで発生する風を、遊技領域のうちの上側の領域（遊技盤１３の開口の上側の領域）へ向けて流すことができ、風の作用により球の流下が影響を受けることを抑制できる。即ち、遊技領域のうちの上側の領域を流下する球は、球発射ユニット１１２ａから発射され遊技領域へ流入された初期の球であり、その速度が比較的速いため、例えば、センターフレーム６００のステージ６１１の上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０３６６】
次いで、図４２から図４６を参照して、振分け装置７００について説明する。
【０３６７】
初めに、図４２から図４５を参照して、振分け装置７００の全体構成について説明をする。図４２は、振分け装置７００の分解正面斜視図であり、図４３は、振分け装置７００の部分拡大正面図である。図４４は、図４３のＸＬＩＶ−ＸＬＩＶ線における振分け装置７００の断面図である。図４５（ａ）は、図４３のＸＬＶａ−ＸＬＶａ線における振分け装置７００の断面図であり、図４５（ｂ）は、図４５（ａ）のＸＬＶｂ−ＸＬＶｂ線における振分け装置７００の断面図であり、図４５（ｃ）は、図４３のＸＬＶｃ−ＸＬＶｃ線における振分け装置７００の断面図であり、図４５（ｄ）は、図４５のＸＬＶｄ−ＸＬＶｄ線における振分け装置７００の断面図である。
【０３６８】
なお、図４３では、振分け部材７６０の内周面、シーソー部材７６２、連通孔７５１及び回収孔７５２の外形が破線で図示される。なお、図４５（ｄ）では、開口７４４から払い出される球の経路が２点鎖線で図示される。
【０３６９】
図４２から図４５に示すように、振分け装置７００は、遊技盤１３のセンターフレーム６００の下側に配設され、ベース板６０に対して正面側（図４３紙面手前側）に配置される正面側形成部７１０と、ベース板６０に対して背面側（図４３紙面奥側）に配置される背面側形成部７２０と、を主に備えて形成される。
【０３７０】
正面側形成部７１０は、ベース板６０の正面側に取着される入賞部材７３０と、その入賞部材７３０の正面側に配設される屈曲部材７４０と、を主に備えて形成される。
【０３７１】
背面側形成部７２０は、ベース板６０の背面側に取着される介設部材７５０と、その介設部材７５０の背面側に配設される振分け部材７６０と、を主に備えて形成される。
【０３７２】
入賞部材７３０は、正面視横長矩形に形成されると共に、左右方向中央上部に位置する上述した第１入賞口６４と、その第１入賞口６４の下側に位置する第１電動役物６４０ａと、その第１電動役物６４０ａの左右方向両側に位置し前後方向に貫通形成される貫通孔７３１と、その貫通孔７３１の下側に位置し前後方向に貫通形成される下側挿通孔７３２と、を主に備えて形成される。
【０３７３】
貫通孔７３１は、その内部に後述する屈曲部材７４０の上側突出部７４１が挿通される部材であり、上側突出部７４１の背面視における外形よりも少し大きく開口する正面視略矩形状に形成される。また、貫通孔７３１の下面には、背面から正面に亘って上方に突設される突設壁７３１ａが形成される。
【０３７４】
突設壁７３１ａは、正面視における貫通孔７３１の左右方向中心線を対称に２つ並設されており、背面側から正面側に向かうにつれてその突設距離が小さく設定される。よって、後述する介設部材７５０及び振分け部材７６０により貫通孔７３１の内部を通過（転動）される球は、２つの突設壁７３１ａの左右方向中央位置に案内されると共に、背面側から正面側に向かって転動される。
【０３７５】
下側挿通孔７３２は、背面側に配設される介設部材７５０の回収孔７５２と連通される孔であり、介設部材７５０の回収孔７５２と対向する位置に形成される。また、下側挿通孔７３２は、下面側が湾曲される正面視略Ｄ字形状に開口され、正面視における左右方向中央位置に上面から下方に突出する第１突出部７３２ａと、下面から上方に突出する第２突出部７３２ｂと、を備える。
【０３７６】
第１突出部７３２ａは、正面側（図４５（ａ）右側）から背面側（図４５（ａ）左側）に向かうに従って突出距離が大きく形成される。第２突出部７３２ｂは、正面側から背面側にむかうに従って突出距離が小さく形成される。また、第１突出部７３２ａと第２突出部７３２ｂとの対向間の距離寸法は、球の直径寸法よりも少し大きく形成される。よって、下側挿通孔７３２の内部を球が通過する際には、第２突出部７３２ｂの正面側から背面側への傾斜により、球を背面側に転動させることができる。一方で、下側挿通孔７３２を挿通される際に球が上下方向に弾む際には、第１突出部７３２ａにより、上方への変位を抑制できる。
【０３７７】
下側挿通孔７３２の背面には、球の通過を検知するセンサＳＥは配設される。センサＳＥは、正面視略矩形状に形成されると共に、その側面に球の直径よりも少し大きい直径の貫通孔が形成される部材であり、その貫通孔の内部を球が通過することで球の通過を検出することができる。センサＳＥは、貫通孔の軸が下側挿通孔７３２の下面側の円弧軸と同軸上に位置して配設される。これにより、貫通孔の開口方向を背面側に向かうに従って少し下方に傾斜する様態とすることができるので、センサＳＥの貫通孔内部を通過する球が貫通孔の内側に留まることを抑制できる。
【０３７８】
屈曲部材７４０は、上述した入賞部材７３０の貫通孔７３１と下側挿通孔７３２との正面側に配設される部材であり、正面視におけるベース板６０（図２参照）の左右方向略中央位置を対称に２つ配設され、その外形形状は左右対称に形成される。
【０３７９】
また、屈曲部材７４０は、正面視において、遊技領域を形成する内レール６１（図２参照）との間に、球が通過可能な大きさの隙間が形成される位置に配置される。これにより、屈曲部材７４０の下側の遊技領域を流下する球が、屈曲部材７４０と内レール６１との間に挟まれて遊技領域に留まることが抑制される。
【０３８０】
屈曲部材７４０は、正面視略矩形の板状体から形成され、その背面から突出する上側突出部７４１と、その上側突出部７４１よりも下方から突出する下側突出部７４３と、上側突出部７４１及び下側突出部７４３の対向間に形成される開口７４４と、を備えて形成される。
【０３８１】
上側突出部７４１は、背面視において下側が開放する略Ｕ字形状に形成され、その外形が、入賞部材７３０の貫通孔７３１の内形よりも少し小さく設定される。これにより、屈曲部材７４０を入賞部材７３０に配置する際には、上側突出部７４１を貫通孔７３１の内部に挿入して配設できる。よって、屈曲部材７４０を入賞部材７３０へ配置する際には、上側突出部７４１を挿入して位置決めすることができるので、その組み付け工程を簡易にできる。
【０３８２】
また、上側突出部７４１は、背面視において下側が開放する略Ｕ字状に形成されるので、入賞部材７３０の貫通孔７３１に球を通過させて屈曲部材７４０側に転動させる際に、球が転動する転動面（下面）に入賞部材７３０と屈曲部材７４０との連結部分が形成されない。よって、球の転動を一定とすることができるので、球が貫通孔７３１の内部で停止することを抑制できる。即ち、球の転動面に入賞部材７３０と屈曲部材７４０との連結部分が形成されると、その連結部分を球が転動する際に抵抗が増えると共に、段さで球が跳ねるが、球の転動面に連結部をなくすことで、球の転動を安定的にして球が詰まることを抑制できる。
【０３８３】
また、この場合、上側突出部７４１を背面視円環形状に形成して、その円環の内側を球を通過させても同様に、球が転動する転動面に入賞部材７３０と屈曲部材７４０との連結部分が形成されないが、上側突出部７４１を円環形状に形成する分、屈曲部材７４０の部品形状が複雑となるために、製造コストが増加する。これに対し、本実施形態では上側突出部７４１が背面視略Ｕ字形状であるので、部品の形状を簡易にでき、製造コストが増加することを抑制できる。
【０３８４】
下側突出部７４３は、上側突出部７４１の下側に形成されると共に、上側が開放される背面視略Ｕ字形状に形成される。即ち、背面視すると、上側突出部７４１と下側突出部７４３との互いの開放部分が上下方向に対向する様態に形成される。
【０３８５】
下側突出部７４３は、入賞部材７３０の貫通孔７３１から屈曲部材７４０側に送球される球を入賞部材７３０の下側挿通孔７３２に送球するための経路（以下、「第２送球経路ＫＲ２」と称す）を形成するための部材であり、下側挿通孔７３２と前後方向に対向する位置に形成される。
【０３８６】
下側突出部７４３の背面側への突出距離は、球の直径よりも大きい寸法に設定される。また、下側突出部７４３の突出先端面が入賞部材７３０と当接した状態で屈曲部材７４０が入賞部材７３０に配置される。よって、屈曲部材７４０と入賞部材７３０との対向間の距離寸法が球の直径よりも大きくされ、屈曲部材７４０と入賞部材７３０との対向間に球が鉛直方向に送球される送球路（以下、「第１送球経路ＫＲ１」と称す）が形成される。
【０３８７】
屈曲部材７４０には、上側突出部７４１の上部内面から下側突出部７４３の下部内面に亘って突出する案内部７４２が形成される。案内部７４２は、側面視において背面側が開放される略Ｕ字形状に突出される。
【０３８８】
案内部７４２は、入賞部材７３０の貫通孔７３１から屈曲部材７４０（第１送球経路ＫＲ１）に送球される球を鉛直方向に送球した後に、入賞部材７３０の下側挿通孔７３２に送球する突壁であり、下側の内縁部の上下方向高さは、背面に配置される下側挿通孔７３２の下側の内縁部の高さよりも少し小さく形成される。
【０３８９】
案内部７４２は、背面側に配置される貫通孔７３１の正面視における左右方向中央線を対称に２つ形成される。これにより、２つの案内部７４２と当接して案内（背面側に折り返し）されるので、球が左右方向に位置ずれすることを抑制できる。
【０３９０】
なお、並設される案内部７４２の互いの突出先端面は、互いの対向する面に近づくほど、基部側に向かって傾斜して形成される（図４５（ｂ）参照）。これにより、２つの案内部７４２と当接して案内（背面側に折り返し）される球が、左右方向に位置ずれすることを効果的に抑制できる。
【０３９１】
上側突出部７４１には、背面視における左右の側面の内側に突出する側壁７４１ａが形成される。側壁７４１ａは、上下方向に所定の間隔を隔てて複数個（本実施形態では３つ）並設される。これにより、通常状態において上側突出部７４１の内側を送球される球が左右方向に転動した際には、側壁７４１ａの先端面と当接させてその送球を安定させることができる。一方、上側突出部７４１の内側を球が２つ連続して流れ、後ろを流れる球が先を流れる球に衝突する際には、先の球が、各側壁７４１ａの間に入ることで、左右方向に逃げる距離を確保して、上側突出部７４１の内側で球が詰まることを抑制できる。即ち、側壁７４１ａにより、上側突出部７４１の内側を送球される球を安定させることができる。
【０３９２】
開口７４４は、上側突出部７４１と下側突出部７４３との対向間に形成される所定の隙間であり、背面視における左右方向両側に形成される。また、開口７４４は、側面視において、背面側が開放する略Ｕ字形状に形成される。
【０３９３】
開口７４４は、上端が入賞部材７３０の貫通孔７３１の下面と略同一の上下方向高さに設定されると共に、下端の高さが、入賞部材７３０の下側挿通孔７３２の上下方向略中間位置の高さに設定される。これにより、屈曲部材７４０の内部に球が連続して送球される際に、先の球を開口７４４に逃がして屈曲部材７４０の内部に球が詰まることを抑制することができる。即ち、開口７４４は、第１送球経路ＫＲ１と第２送球経路ＫＲ２との連結部分の左右方向の側面に開口して形成される。
【０３９４】
振分け部材７６０は、正面視横長矩形に形成されると共に、正面側が開放された箱状体に形成される。また、振分け部材７６０は、正面視において左右方向略中央位置で屈曲されており、左右方向略中央位置から左右方向外側に向かうに従って下側に傾斜して形成される。また、振分け部材７６０の左右方向の両端部は、上述した入賞部材７３０の貫通孔７３１と対向する位置に設定される。
【０３９５】
振分け部材７６０は、正面視における左右方向中央位置から左右両側へ向けて下方傾斜する一対の傾斜面７６１と、その互いの傾斜面７６１の中央に配置されるシーソー部材７６２と、シーソー部材７６２の上方に形成される送球口７６３と、を主に備えて形成される。
【０３９６】
送球口７６３は、振分け部材７６０の正面側に開口を形成するための部材であり、入賞部材７３０の第１入賞口６４と対向する位置に形成される。これにより、振分け部材７６０が後述する介設部材７５０に配設されると、送球口７６３と介設部材７５０との対向間に空間Ａを形成することができる。
【０３９７】
空間Ａは、球の外径よりも大きい空間（即ち、球が通過可能な屈間）に形成されると共に、ベース板６０に穿設された貫通孔を介して入賞部材７３０の第１入賞口６４の内部空間と連結される（図４４参照）。これにより、第１入賞口６４に入賞される球を空間Ａの内部に送球して、その空間Ａの内部を送球させることができる。
【０３９８】
シーソー部材７６２は、円環形状に形成されると共に、その外縁部から軸周りに９０度の間隔を隔てて外側に突設される３つの突起７６２ａと、円環形状の内側に挿通される軸部７６２ｂと、を備えて形成される。
【０３９９】
軸部７６２ｂは、シーソー部材７６２を軸周りに回転させるための軸支部であり、円柱形状に形成されると共に、シーソー部材７６２の円環内側に挿通される。この状態で、軸部７６２ｂが、介設部材７５０と振分け部材７６０との間に挟持されることで、シーソー部材７６２は軸部７６２ｂを軸に回転可能に配置される。
【０４００】
突起７６２ａは、上述した空間Ａから球が送球される際に、球を左右の傾斜面７６１に交互に一球ずつ振り分けるための突起であり、中央部の突起７６２ａの先端が位置する方向と左右方向反対側に球が送球される。即ち、中央部の突起７６２ａにより空間Ａから送球される球を左右方向に送球することができる。両端に突設される突起７６２ａは、シーソー部材７６２の変位を規制すると共に、球の通過した際にかかかる重みにより、中央部の突起７６２ａの先端が位置する方向を変位させる（シーソー部材７６２を回転させる）部材であり、突起７６２ａの先端面と傾斜面７６１とが当接することでシーソー部材７６２の回転が規制される。一方、傾斜面７６１と当接していない突起７６２ａは、球が中央部の突起７６２ａに案内されると、案内された球がその突起７６２ａと衝突して下方に押し下げられる。これにより反対側の突起７６２ａが上方に変位されると共に、下方に変位された突起７６２ａの先端が傾斜面７６１と当接してその変位が規制される。
【０４０１】
傾斜面７６１は、上述したシーソー部材７６２によって左右に振り分けられた球が転動して送球される経路（以下、「第３送球経路ＫＲ３」と称す）の転動面であり、振分け部材７６０の左右方向中央位置から外側に向かって下降傾斜して形成される。これにより、振分け部材７６０のシーソー部材７６２によって左右に振り分けられた球は、傾斜面７６１上を転動されて、傾斜面７６１の下降側の端部に送球（転動）される。
【０４０２】
傾斜面７６１の下降側の端部には、その端部に向かうに従って、背面側の側面が前方に厚みを増すように介設部材７５０へ近接する方向へ傾斜して形成される。これにより、傾斜面７６１を転動してその端部まで送球された球を、振分け部材７６０の前方に配設される介設部材７５０の連通孔７５１に送球することができる。
【０４０３】
介設部材７５０は、正面視横長矩形状に形成されると共に、正面視における左右方向の中央下部に上述した可変入賞装置６５と、左右両側に前後方向に貫通される連通孔７５１と、その連通孔７５１の下側に開口される回収孔７５２と、を主に備えて形成される。
【０４０４】
連通孔７５１は、振分け部材７６０の左右両端部の正面側に形成されると共に、入賞部材７３０の貫通孔７３１の背面側に形成される。よって、振分け部材７６０の左右両端部の空間と、入賞部材７３０の貫通孔７３１の内部空間とが連通孔７５１を介して連結される。従って、上述した振分け部材７６０の傾斜面７６１の上部を転動する球を、連通孔７５１を通過させて、入賞部材７３０の貫通孔７３１に送球する経路（以下、「第４送球経路ＫＲ４」と称す）を形成することができる。
【０４０５】
回収孔７５２は、上述したように、入賞部材７３０の下側挿通孔７３２の背面側に開口形成される開口である。即ち、回収孔７５２は、センサＳＥの背面側に連結されており、センサＳＥを通過する球が、その回収孔７５２の開口に送球される。回収孔７５２は、店舗に設置される球を循環する装置に連結されており、回収孔７５２に回収される球は、循環装置により循環されて遊技球として再び球発射ユニット１１２ａから打出しされる。
【０４０６】
以上のように構成される振分け装置７００は、次のように送球される。第１入賞口６４から入る球は、振分け部材７６０に送球されて振分け部材７６０のシーソー部材７６２により左右方向どちらか一方の第３送球経路ＫＲ３に送球される。第３送球経路ＫＲ３を送球される球は、その第３送球経路ＫＲ３の端部まで送球されると、正面側に配置される介設部材７５０の連通孔７５１の内部の第４送球経路ＫＲ４に送球される。第４送球経路ＫＲ４を送球される球は、屈曲部材７４０の背面側の第１送球経路ＫＲ１に送球される。第１送球経路ＫＲ１を送球される球は、屈曲部材７４０の下側突出部７４３に案内されて第２送球経路ＫＲ２に送球される。第２送球経路ＫＲ２を送球される球は、入賞部材７３０の下側挿通孔７３２を通過してセンサＳＥの内部を通過した後に、介設部材３７５０の回収孔７５２に送球される。
【０４０７】
ここで、上述したように、入賞部材７３０の貫通孔７３１及び下側挿通孔７３２は、第１電動役物６４０ａの左右両側に形成されて、屈曲部材７４０が左右一対に配置されるので、一対の屈曲部材７４０における下側突出部７４３の間に第１電動役物６４０ａが位置される。
【０４０８】
この場合、第３送球経路ＫＲ３の下降傾斜の角度が小さく（傾斜面が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側挿通孔７３２における球詰まりを発生し難くできるが、第３送球経路ＫＲ３（振分け部材７６０）の配設に必要な高さ方向（上下方向）のスペースが嵩み、第１電動役物６４０ａの配設が困難となる。
【０４０９】
これに対し、本実施形態では、下側突出部７４３の側壁に開口７４４が形成されることで、かかる下側突出部７４３における球詰まりの発生し難くできるので、その分、第３送球経路ＫＲ３の下降傾斜の角度を小さく（下降傾斜を緩やかと）することができる。その結果、第３送球経路ＫＲ３（振分け部材７６０）の配設に必要な高さ方向のスペースが抑制でき、第１電動役物６４０ａの配設を可能とすることができる。即ち、屈曲部材７４０および第１電動役物６４０ａの配置は、従来品では不可能な配置であり、上述のように、下側突出部７４３の側壁に開口７４４を形成することで初めて可能となったものである。
【０４１０】
ここで、本実施形態では、遊技盤１３の中央には開口が形成（センターフレーム６００が配置）され、その開口を介して第３図柄表示装置８１を遊技者に視認させる。近年、第３図柄表示装置８１の大型化の要請に伴い、遊技盤１３の中央の開口（センターフレーム６００の枠体６１０の内周縁）も大きくなることで、遊技盤１３の中央の開口の下方縁部と遊技領域の下方縁部（内レール６１の下方内縁部）との間のスペースが狭くされる。そのため、従来品では、第３送球経路ＫＲ３および第１電動役物６４０ａに相当する部材を、遊技盤１３の中央の開口の下方縁部と遊技領域の下方縁部との間のスペースに配置することが困難であった。
【０４１１】
即ち、上述したように、第３送球経路ＫＲ３の下降傾斜の角度が小さく（下降傾斜が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側突出部７４３における球詰まりを発生し難くできるが、第３送球経路ＫＲ３の配設に必要な高さ方向のスペースが嵩み、第１電動役物６４０ａの配設が困難となる。また、下側突出部７４３（屈曲部材７４０）の上下方向における配設位置が下がる（低くなる）ため、かかる下側突出部７４３（屈曲部材７４０）と遊技領域の下方縁部（内レール６１）との間に球が通過可能な隙間を確保することが困難となり、下側突出部７４３（屈曲部材７４０）の両側にそれぞれ第１アウト口７１を設けることが必要となる。
【０４１２】
これに対し、本実施形態では、上述したように、下側突出部７４３の側壁に開口が形成されることで、かかる下側突出部７４３における球詰まりの発生し難くできるので、その分、第３送球経路ＫＲ３の下降傾斜の角度を小さく（下降傾斜を緩やかと）することができる。その結果、下側突出部７４３（屈曲部材７４０）の高さ方向（上下方向）における配設位置を上げる（高くする）ことができるので、かかる下側突出部７４３（屈曲部材７４０）と遊技領域の下方縁部（内レール６１の下方内縁部）との間に球が通過可能な隙間を確保することができる。よって、下側突出部７４３（屈曲部材７４０）の両側にそれぞれ第１アウト口７１を設けることを不要とできる。
【０４１３】
即ち、屈曲部材７４０および第１電動役物６４０ａの配置において、下側突出部７４３（屈曲部材７４０）と遊技領域の下方縁部との間に球が通過可能な隙間が形成された配置は、従来品では不可能な配置であり、上述のように、下側突出部７４３の側壁に開口を形成することで初めて可能となったものである。
【０４１４】
次に、図４６を参照して、屈曲部材７４０の案内部７４２の送球について説明する。図４６（ａ）は、遊技盤１３の断面図であり、図４６（ｂ）は、遊技盤１３の断面図である。なお、図４６（ａ）は図４５（ａ）に、図４６（ｂ）は図４５（ｂ）に、それぞれ対応する。
【０４１５】
図４６に示すように、入賞部材７３０の貫通孔７３１から屈曲部材７４０に２球の球がほぼ隙間の無い様態で（即ち、２球が連なって）送球されると、先の（先行する）球の一部が開口７４４の内に入りつつ背面側に送球されて、入賞部材７３０の下側挿通孔７３２に案内される。
【０４１６】
ここで、球の外径よりも少し大きな断面積の通路を形成して、その通路が屈曲するものであると、かかる通路に２球の球がほぼ隙間の無い状態で（２球が連なって）送球されると、先行する球に後行する球がおいつき、先行する球を後行する球が側壁に押しつけることで、両者が転動できなくなり、球詰まりが発生するという問題点があった。
【０４１７】
これに対し、本願では、第１送球経路ＫＲ１と第２送球経路ＫＲ２との連結部分に開口７４４が形成されるので、複数の球が連なった状態で下側突出部７４３を通過する場合に、先行する球に後行する球が追いついても、先行する球を側壁に押し付け難くでき、両者の転動を継続させやすくできる。その結果、球詰まりの発生を抑制できる。
【０４１８】
また、開口７４４は、第１送球経路ＫＲ１と第２送球経路ＫＲ２とが公差する位置に形成されるので、球が詰まり易い屈曲部分で球を詰まり難くすることができる。即ち、第１送球経路ＫＲ１と第２送球経路ＫＲ２とが交差する領域は、第１送球経路ＫＲ１を流下（落下）した球が方向転換して第２送球経路ＫＲ２の延設方向へ向けて転動を開始する位置であり、先行する球に後行する球が追いつきやすい。そのため、先行する球を後行する球が側壁に押し付けることで、両者が転動できなくなり、球詰まりが発生しやすい。
【０４１９】
これに対し、本実施形態では、開口７４４が、第１送球経路ＫＲ１と第２送球経路ＫＲ２とが交差する位置に形成されるので、先行する球に後行する球が追いついても、先行する球を開口７４４の対向間に逃がして（先行する球の一部を開口７４４内へ収容させて）側壁に押し付け難くでき、両者の転動を継続させやすくできる。その結果、球詰まりの発生を抑制できる。
【０４２０】
さらに、上述したように、開口７４４の下端の高さは、入賞部材７３０の下側挿通孔７３２の上下方向略中間位置の高さに設定されるので、第１送球経路ＫＲ１を落下（流下）する球が、第２送球経路ＫＲ２（下側突出部７４３）の底壁に到達した際に、かかる球を開口に受け入れやすくできる。よって、先行する球に後行する球が追い付いた場合でも、先行する球を開口７４４の対向間に逃がして側壁に押し付け難くでき、両者の転動を継続させやすくできる。その結果、球詰まりの発生を抑制できる。
【０４２１】
また、下側突出部７４３は、側面視において略Ｕ字形状に形成され、開口７４４の下端の高さを下側突出部７４３の底壁から所定距離だけ離間された位置に設置されるので、開口７４４の下端と第２送球経路ＫＲ２（下側突出部７４３）との間に側壁を残す（形成する）ことができる。よって、球が通過可能な大きさに開口が形成される場合であっても、かかる開口を介して、屈曲部材７４０から外部（遊技盤１３の正面側の遊技領域）へ不必要に球が流出することを抑制できる。
【０４２２】
なお、この場合、開口７４４の大きさが球が通過不能な大きさとされる場合には、通常は、開口７４４を利用して、先行する球を側壁に押し付け難くできるが、例外的に、後行する球が先行する球を開口７４４の中心へ押し付ける形態が形成され、先行する球が開口７４４に内嵌される（嵌り込む）場合がある。この場合には、後行する球の転動が、開口７４４に嵌り込んだ球に阻害され、球詰まりが発生する。
【０４２３】
これに対し、開口７４４は、球の外形よりも大きく開口される（球が通過可能な大きさに形成される）ので、後行する球が先行する球を開口７４４の中心へ押し付ける形態が形成された場合でも、先行する球を開口７４４から屈曲部材７４０の外部（遊技盤１３の正面側の遊技領域）へ排出することができ、先行する球が開口７４４に内嵌される（嵌り込む）ことを回避できる。これにより、後行の球の転動を継続させることができるので、球詰まりの発生を抑制できる。
【０４２４】
また、このように、球が通過可能な大きさで開口７４４が形成されると共に、その開口７４４が遊技盤１３の正面側（即ち、遊技領域）に配設されることで、遊技領域を流下する球を開口７４４から屈曲部材７４０へ流入させることができる。よって、遊技の興趣の向上を図ることができる。例えば、下側突出部７４３よりも下流に入賞球を検出するセンサが配設される場合には、下側突出部７４３よりも上流から屈曲部材７４０へ流入した球に加え、開口７４４から屈曲部材７４０へ流入した球も入賞球として検出させることができる。特に、この場合には、開口７４４（第１送球経路ＫＲ１と第２送球経路ＫＲ２とが交差する領域）は、遊技盤１３の正面側に配設されるので、開口７４４から屈曲部材７４０へ流入する球を遊技者に視認させることができる。よって、この点からも、遊技の興趣を高めることができる。
【０４２５】
第１送球経路ＫＲ１と第２送球経路ＫＲ２とが公差する領域には、案内部７４２の下方部分（即ち、回収孔７５２へ向けてっ湾曲しつつ下降傾斜される部分）が配設される。これにより、第１送球経路ＫＲ１を流下（落下）する球が方向転換して第２送球経路ＫＲ２の延設方向へ向けて転動を開始する際には、かかる球を案内部７４２の下降傾斜を利用して速やかに転動させることができる。これにより、後行する球が追いつくよりも前に、先行する球を転動させやすくでき、先行する球が後行する球によって背面側（第２送球経路ＫＲ２の延設方向に沿って球が転動する際の背面側）の側壁に押し付けられることを抑制できるので、両者の転動を継続させやすくできる。その結果、球詰まりの発生を抑制できる。
【０４２６】
また、開口７４４は、ベース板６０（図２参照）の正面側（遊技領域側）の位置に形成されるので、第１送球経路ＫＲ１と第２送球経路ＫＲ２との屈曲部分に球詰まりが発生した際には、店舗の運営者はガラス８を開放することで、正面側から開口７４４にアクセスすることができる。よって、球詰まりを解消する作業の作業性の向上を図ることができる。
【０４２７】
さらに、第１送球経路ＫＲ１と第２送球経路ＫＲ２との屈曲部分に埃やゴミ等が溜まった際には、店舗の運営者はガラス８を開放することで、正面側から開口７４４にアクセスして、開口７４４を介して屈曲部分の清掃をすることができる。よって、第１送球経路ＫＲ１と第２送球経路ＫＲ２を清掃する際の清掃性を向上することができる。
【０４２８】
次いで、図４７を参照して、発光装飾ユニット８００について説明する。図４７は、発光装飾ユニット８００の分解正面斜視図である。
【０４２９】
図４７に示すように、発光装飾ユニット８００は、背面ケース３００の底壁部３０１（図６参照）に配設される正面視横長矩形状のベース体８１０と、そのベース体８１０の正面側に配設される発光装置８２０と、その発光装置８２０の前面に覆設されると共に、光透過性材料からなるカバー部材８３０と、を主に備える。
【０４３０】
発光装置８２０の正面側には、複数の発光体（ＬＥＤ８２１）が全面にわたって分散して配設される。よって、ＬＥＤ８２１から発光された光は、カバー部材８３０の全面から遊技機正面側に出射される。
【０４３１】
次いで、図４８から図５０を参照して、第２実施形態における規制ユニット２４９０について説明する。なお、上記第１実施形態と同一の部分には同一の符号を付してその説明は省略する。
【０４３２】
初めに、図４８及び図４９を参照して、規制ユニット２４９０の全体構成について説明する。図４８は、第２実施形態における規制ユニット２４９０の分解正面斜視図である。図４９（ａ）は、規制ユニット２４９０の側面図であり、図４９（ｂ）は、規制ユニット２４９０の背面図であり、図４９（ｃ）は、図４９（ｂ）のＸＬＩＸｃ−ＸＬＩＸｃ線における規制ユニット２４９０の断面図である。
【０４３３】
図４８及び図４９に示すように、第２実施形態における規制ユニット２４９０では、ローラ部材４９２が回転部材２４９４に軸支されて、回転部材２４９４の回転によりローラ部材４９２の位置を調整可能に構成される。
【０４３４】
規制ユニット２４９０は、箱状体に形成されるケース部材２４９１と、そのケース部材２４９１の開放する側の外縁部に配設される外縁部材２４９３と、ケース部材２４９１と外縁部材２４９３との対向間に挟持されて回転可能に軸支される回転部材２４９４と、その回転部材２４９４に軸支されるローラ部材４９２と、を主に備えて形成される。
【０４３５】
ケース部材２４９１は、背面側が開口する箱形状に形成されると共に、第１実施形態におけるケース部材４９１よりも左右方向（図４９（ｂ）左右方向）の幅寸法が大きく形成される。また、ケース部材２４９１は、正面側の側面から突設する突設部４９１ａと、左右方向両側の側面に半円形状に切り欠かれる切欠き部２４９１ｂと、を主に備えて形成される。
【０４３６】
切欠き部２４９１ｂは、ケース部材２４９１の左右方向（図４９（ｂ）左右方向）両側の側面の上下方向（図４９（ｂ）上下方向）略中央位置に半円形状に切り欠かれて形成される。切欠き部２４９１ｂは、内部に後述する回転部材２４９４の軸部２４９４ｂを回転可能に軸支するための切り欠きであり、その内径が回転部材２４９４の外径よりも大きく設定される。
【０４３７】
外縁部材２４９３は、正面視縦長矩形状の枠状体に形成され、ケース部材２４９１の背面側（開放側）に配設される部材である。外縁部材２４９３は、その内形がケース部材２４９１の開口と略同一の形状に形成される。また、外縁部材２４９３の正面側（ケース部材４９１側）の側面には、内縁部の周囲に正面側に立設する立設部２４９３ａが形成される。
【０４３８】
立設部２４９３ａには、背面側に凹設される凹設部２４９３ａ１が形成される。凹設部２４９３ａ１は、ケース部材２４９２の切欠き部２４９１ｂと対向する位置に形成される。よって、後述する回転部材２４９４をケース部材２４９１の切欠き部２４９１ｂと凹設部２４９３ａ１との対向間に挟み込むことで、回転部材２４９４をケース部材２４９１に回転可能な状態で配設することができる。
【０４３９】
回転部材２４９４は、側面視長円形状の板状体から形成され、長手方向寸法がケース部材２４９１の内側部分の上下方向寸法より小さく設定される。回転部材２４９４は、長手方向中央部にケース部材２４９１に対して左右方向外側に円柱形状に突出する軸部２４９４ｂと、その軸部２４９４ｂを挟んだ両側に貫通形成される軸支孔２４９４ａと、軸部２４９４ｂの突出先端部から径方向外側に膨出する規制部２４９４ｃと、を備えて形成される。
【０４４０】
軸部２４９４ｂは、箱状体に形成されるケース部材２４９１の板厚よりも長く突設されており、その突設先端部に径方向に膨出する規制部２４９４ｃが形成される。これにより、軸部２４９４ｂをケース部材２４９１の切欠き部２４９１ｂに内嵌すると共に背面側から外縁部材２４９３の凹設部２４９３ａ１を配設することで、回転部材２４９４をケース部材２４９１に対して回転可能に軸支できると共に、規制部２４９４ｃによりケース部材２４９１に対して回転部材２４９４が左右方向へ変位すること規制できる。
【０４４１】
軸支孔２４９４ａは、内部にローラ部材４９２の軸部４９２ｂが挿通される開口であり、円形状に開口されると共に、その内径寸法が軸部４９２ｂの外径よりも大きく形成される。これにより、止め輪Ｅ１を外した状態のローラ部材４９２の軸部４９２ｂを軸支孔２４９４ａに挿通させたあと止め輪Ｅ１を軸部４９２ｂに外嵌することで、ローラ部材４９２を回転可能な状態で回転部材２４９４に配設できる。
【０４４２】
以上のように構成される規制ユニット２４９０は、次のようにして組み立てられる。
【０４４３】
まず、一対に配設される回転部材２４９４の軸支孔２４９４ａに、ローラ部材４９２の軸部４９２ｂが挿入されてローラ部材４９２が回転部材２４９４に軸支される。これにより、一対に配設される回転部材２４９４の対向間に、ローラ部材４９２を上下に２つ並設した状態で配置することができる。
【０４４４】
次に、回転部材２４９４の軸部２４９４ｂにねじりバネ（図示しない）を配設すると共にケース部材２４９１の切欠き部２４９１ｂに内嵌した後に、背面側から外縁部材２４９３を配設することで、回転部材２４９４をケース部材２４９１に対して軸部２４９４ｂを軸に回転可能に配設することができる。これにより、回転部材２４９４を回転変位させることで、回転部材２４９４に配設されるローラ部材４９２の位置を変位することができる。また、軸部２４９４ｂに配設したねじりバネにより、上下に並んで配設されるローラ部材４９２の上側に配設されるローラ部材４９２を正面側（図４９（ｃ）左側）に付勢した状態とすることができる。
【０４４５】
次に、図５０を参照して、装飾部材４５０が第２位置から第１位置に変位する際の、装飾部材４５０と規制ユニット２４９０との当接様態について説明する。図５０の（ａ）から（ｃ）は、上下変位ユニット４００の断面図である。なお、図５０（ａ）は図２４（ａ）に、図５０は図２４（ｂ）に、図２１（ｃ）は、図１８（ｃ）にそれぞれ対応する。
【０４４６】
図５０（ａ）に示すように、装飾部材４５０が、規制ユニット２４９０よりも上方に位置する際には、回転部材２４９４の軸部２４９４ｂに配設されるねじりバネ（図示しない）により回転部材２４９４が回転されて、下方側に配設されるローラ部材４９２よりも上方側に配設されるローラ部材４９２が正面側に位置される。
【０４４７】
これにより、図２１（ａ）に示す状態から、装飾部材４５０が下方に変位されて、図５０（ｂ）に示す、装飾部材４５０の下端面がケース部材２４９１の上下方向略中間位置と略同一の上下方向の位置に変位された際に、上方側に配設されるローラ部材４９２のローラ４９２ａが装飾部材４５０と当接して装飾部材４５０を抑え込む圧力を第１実施形態の規制ユニット２４９０よりも小さくできる。なお、この場合、回転部材２４９４は、ケース部材２４９１の内側に形成される図示しない突起と当接されており、上方側に配設されるローラ部材４９２が正面側に変位しない（回転部材２４９４の上方側が正面側に回転変位しない）様態とされる。
【０４４８】
従って、図２１（ｂ）に示す状態から、装飾部材４５０が、さらに下方に変位されて、図５０（ｃ）に示す、第１位置に変位される際に、装飾部材４５０に駆動力を付与する駆動モータ４４１の消費エネルギーが増加することを抑制できる。
【０４４９】
また、図５０（ｃ）に示す、装飾部材４５０が第１位置に変位された際には、下方側に配設されるローラ４９２ａが装飾部材４５０と当接される。これにより、下方側のローラ部材４９２が、背面側に押圧されて背面側に変位すると共に、上方側のローラ４９２ａが正面側に変位される。これにより、上方側に配設されるローラ４９２ａの装飾部材４５０に対する押圧力を高めることができる。その結果、装飾部材４５０が第１位置に配置される際には、上下に配設されるローラ部材４９２の押圧力により、装飾部材４５０を強固に保持することができる。一方、装飾部材４５０が変位途中に位置する際には、装飾部材４５０に作用する押圧力を小さくして、変位しやすい様態とすることができる。即ち、装飾部材４５０の変位に伴って、規制ユニット２４９０のから装飾部材４５０に作用される押圧力を変化させることができる。
【０４５０】
次いで、図５１から図５３を参照して、第３実施形態における振分け装置７００について説明する。なお、上記各実施形態と同一の部分には、同一の符号を付してその説明は省略する。
【０４５１】
初めに、図５１から図５３を参照して、振分け装置３７００の全体構成について説明する。図５１は、第３実施形態における振分け装置３７００の分解正面斜視図である。図５２は、振分け装置３７００の部分拡大正面図である。図５３（ａ）は、図５２のＬＩＩＩａ−ＬＩＩＩａ線における振分け装置３７００の断面図であり、図５３（ｂ）は、図５２（ｂ）のＬＩＩＩｂ−ＬＩＩＩｂ線における振分け装置３７００の断面図である。
【０４５２】
図５１から図５３に示すように、第３実施形態における振分け装置３７００では、第２入賞口６４０の開口が、振分け装置３７００に連結される。
【０４５３】
振分け装置３７００は、遊技盤１３のセンターフレーム６００の下方に配設され、ベース板６０に対して正面側に配設される正面側形成部３７１０と、ベース板６０に対して背面側に配設される正面側形成部３７１０と、を主に備えて形成される。
【０４５４】
正面側形成部３７１０は、ベース板６０に取着される入賞部材３７３０と、その入賞部材３７３０の正面側に配設される屈曲部材３７４０と、を主に備えて形成される。
【０４５５】
背面側形成部３７２０は、ベース板６０に取着される介設部材３７５０と、その介設部材３７５０の背面側に配設される振分け部材７６０と、振分け部材７６０の下方に位置し介設部材３７５０の背面側に配設される第２送球路３７７０と、を主に備えて形成される。
【０４５６】
入賞部材３７３０は、正面視横長矩形に形成されると共に、左右方向中央上部に上述した第１入賞口６４と、その第１入賞口６４の下側に第１電動役物６４０ａと、第１電動役物６４０ａの左右方向両側に前後方向に貫通形成される貫通孔７３１と、その貫通孔７３１の下方に前後方向に貫通形成される第２貫通孔３７３３と、その第２貫通孔３７３３の下方に前後方向に貫通形成される下側挿通孔７３２と、を主に備えて形成される。
【０４５７】
第２貫通孔３７３３は、その内部に球を通過させる開口であり、球の外径よりも少し大きく開口する正面視略矩形状に形成される。また、第２貫通孔３７３３は、第２入賞口６４０よりも下方に位置して形成されると共に、下面に背面側から正面側に分かって上方に突出する第２突設壁３７３３ａが形成される。
【０４５８】
第２突設壁３７３３ａは、正面視における第２貫通孔３７３３の左右方向中心線を対称に２つ並設されており、背面側から正面側に向かうにつれてその突出距離が小さく設定される。よって、後述する介設部材３７５０及び第２送球路により第２貫通孔３７３３の内部を球が通過する際には、その球を２つの第２突設壁３７３３ａの左右方向中央位置に案内できると共に、背面側から正面側に転動させることができる。
【０４５９】
屈曲部材３７４０は、上述した入賞部材３７３０の貫通孔７３１と第２貫通孔３７３３と下側挿通孔７３２との正面側に配設される部材であり、上述した第２入賞口６４０の左右両側に配設され、その一対の外形形状が左右対称に形成される。
【０４６０】
屈曲部材３７４０は、正面視略矩形の板状体から形成され、その背面側から突出する上側突出部７４１と、その上側突出部７４１よりも下方から突出する中間突出部３７４５と、その中間突出部３７４５よりも下方から突出する下側突出部７４３と、を備えて形成される。
【０４６１】
中間突出部３７４５は、背面視において上下方向（図５３（ｂ）上下方向）に長く形成される壁部であり、第２貫通孔３７３３の左右両側の位置に形成され、その上側側面が、第２貫通孔３７３３の上下方向略中間位置と同一の高さに形成される。一方、中間突出部３７４５の下側側面は第２貫通孔３７３３の底面よりも下方に位置して形成される。
【０４６２】
また、中間突出部３７４５と上側突出部７４１との対向間には、所定の隙間を有する第２開口３７４６が形成される。一方、中間突出部３７４５と下側突出部７４３との対向間には、所定の隙間を有する開口７４４が形成される。
【０４６３】
第２開口３７４６は、側面視背面側が開口する略Ｕ字形状に開口すると共に、その内形が球の外形よりも大きく形成される。即ち、第２開口３７４６は、球が通過可能な大きさに設定される。なお、第２開口３７４６の詳しい説明は後述する。
【０４６４】
第２送球路３７７０は、正面視横長矩形状に形成されると共に正面側が開放され一定の厚みの略箱形状に形成される。第２送球路３７７０は、第２入賞口６４０の内部に入る球を入賞部材３７３０の第２貫通孔３７３３に送球するための送球路であり、介設部材３７５０の背面側に配設されると、第２送球路３７７０の内側と介設部材３７５０との間に球を送球する送球路を形成できる。
【０４６５】
また、第２送球路３７７０は、正面視において左側端部が入賞部材３７３０の第２入賞口６４０の背面側に位置して配設されると共に、右側端部が入賞部材３７３０の第２貫通孔３７３３の背面側に位置して配設される。即ち、第２送球路３７７０は、正面視における左側端部が右側端部よりも上方に位置し、右側端部に向かって下方に傾倒する様態で介設部材３７５０に配設される。
【０４６６】
さらに、第２送球路３７７０は、正面視における左側端部が第２入賞口６４０に連結されると共に、右側端部が介設部材３７５０の第２連結孔３７５３に連結される。これにより、第２入賞口６４０の内部に入った球は、第２送球路３７７０の内部に送球された後に、第２送球路３７７０の内部を左側端部から右側端部に転動して介設部材３７５０の第２連結孔３７５３に送球される。
【０４６７】
介設部材３７５０は、正面視横長矩形に形成されると共に、左右方向中央下部に上述した可変入賞装置６５と、その可変入賞装置６５の左右両側に位置し前後方向に貫通形成される連通孔７５１と、その連通孔７５１の下方に位置し前後方向に貫通形成される回収孔７５２と、右側の連通孔７５１及び回収孔７５２との間に位置し前後方向に貫通形成される第２連結孔３７５３と、を備えて形成される。
【０４６８】
第２連結孔３７５３は、正面視略矩形状に貫通形成され、その内形が球の外形よりも大きく設定されると共に、入賞部材７３０の第２貫通孔３７３３の背面側の位置に形成される。これにより、上述した第２送球路３７７０の内側を転動される球は、第２連結孔３７５３の内部を通過されて、介設部材７５０の第２貫通孔３７３３に送球される。
【０４６９】
以上のように構成される振分け装置３７００は、次のように送球される。第１入賞口６４から入る球は、振分け部材７６０に送球されて振分け部材７６０のシーソー部材７６２により左右方向どちらか一方の傾斜面７６１に交互に送球される。傾斜面７６１を転動する球は、その傾斜面７６１の端部まで送球されると、正面側に配置される介設部材３７５０の連通孔７５１の内部を通過されて屈曲部材７４０の背面側に送球される。屈曲部材７４０，３７４０の背面側に送球される球は、屈曲部材７４０，３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７０】
第２入賞口６４０から入る球は、第２送球路３７７０に送球されて、第２送球路３７７０の内部を左側端部から右側端部まで送球される。第２送球路３７７０の右側端部まで送球される球は、正面側に配置される介設部材３７５０の第２連結孔３７５３の内部を通過され、入賞部材３７３０の第２貫通孔３７３３を通過した後に、屈曲部材３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７１】
よって、振分け装置３７００では、第２入賞口６４０から入る球を、入賞部材３７３０の正面視右側に配設したセンサＳＥで検出することができるので、第２入賞口６４０からの送球通路に新たにセンサＳＥを配設する必要がない。即ち、第１入賞口６４から入る球を検出するセンサＳＥが、第２入賞口６４０に入る球を検出するセンサＳＥの役割を兼用することができるので、その分、製品のコストを抑えることができる。
【０４７２】
次いで、図５４を参照して、屈曲部材３７４０の第２開口３７４６について説明する。図５４の（ａ）及び（ｂ）は、振分け装置３７００の断面図である。なお、図５４（ａ）は、図５３（ａ）に、図５４（ｂ）は、図５３（ｂ）にそれぞれ対応する。
【０４７３】
図５４に示すように、第１入賞口６４から球が入り送球されて、屈曲部材３７４０の背面側に送球される球と、第２入賞口６４０から球が入り送球されて、屈曲部材３７４０の背面側に送球される球とが、略同一のタイミングで屈曲部材３７４０の背面側に送球されると屈曲部材７４０の背面側互いの球が当接して球が詰まってしまう恐れがある。
【０４７４】
即ち、第２入賞口６４０から送球されて、入賞部材３７３０の第２貫通孔３７３３から屈曲部材３７４０に送球される球（以下、「下側の球」と称す）が、第１入賞口６４から送球されて、入賞部材３７３０の貫通孔７３１から屈曲部材３７４０の背面側に送球されて、屈曲部材３７４０の上方から下側に落下する球（以下、「上側の球」と称す）と衝突すると共に、第２貫通孔３７３３の正面側端部に引っ掛ることで、動けなくなり球が詰まる恐れある。
【０４７５】
これに対し、第３実施形態では、屈曲部材３７４０に第２開口３７４６が形成されるので、上側の球を第２開口３７４６から排出または第２開口３７４６の対向間に逃がすことで下側の球と上側の球との釣り合い状態を解消して屈曲部材３７４０の送球路内に球が詰まることを抑制することができる。
【０４７６】
即ち、下側の球に上側の球が乗り上げてつり合い状態が形成される際に、上側の球が位置する左右方向の側面に第２開口３７４６が形成されており、上側の球は、互いの球面形状により左右のどちらか寄りかかるので、上側の球が左右どちらかの第２開口３７４４の内部に送られる。これにより、下側の球と上側の球との釣り合い状体を解消することができる。よって、屈曲部材３７４０の送球路内に球が詰まることを抑制することができる。
【０４７７】
次いで、図５５を参照して、第４実施形態における振分け装置４７００について説明する。なお、上記各実施形態と同一の部分には、同一の符号を付してその説明は省略する。
【０４７８】
図５５（ａ）は、第４実施形態における振分け装置４７００の正面図であり、図５５（ｂ）は、図５５（ａ）のＬＶｂ−ＬＶｂ線における振分け装置４７００の断面図であり、図５５（ｃ）は、図５５（ｂ）のＬＶｃ−ＬＶｃ線における振分け装置４７００の断面図である。なお、図５５（ａ）から図５５（ｃ）では、球の通過する通過経路が破線で模式的に図示される。
【０４７９】
図５５（ａ）から図５５（ｃ）に示すように、第４実施形態における振分け装置４７００には、屈曲部材７４０の開口７４４の左右方向（図５５（ａ）左右方向）外側下方に入賞口４０６３が配設される。
【０４８０】
入賞口４０６３は、遊技領域を流下する球が通過可能な開口であり、遊技盤１３の正面側に配設される。入賞口４０６３は、背面側が後述する介設部材４７５０の第３連結孔４７５２ａに連結されており、入賞口４０６３の内部に入った球は、第３連通孔５４７５２ａに案内される。
【０４８１】
介設部材４７５０の回収孔７５２は、第２送球経路ＫＲ２の先端で下方に屈曲して形成され、その内部を球が通過して下方に送球される経路（第６送球経路ＫＲ６）が形成される。即ち、第６送球経路ＫＲ６と第２送球経路ＫＲ２とが連結される。
【０４８２】
第６送球経路ＫＲ６には、左右両側に突出する第３連結孔４７５２ａが形成され、その第３連結孔４７５２ａの下方部分に球の通過を検知するセンサＳＥが配設される。
【０４８３】
第３連結孔４７５２ａは、入賞口４０６３の背面側の開放部分に連結される。これにより、入賞口４０６３に入った球は、第３連結孔４７５２ａの内部に送球され、第６送球経路に送球される。
【０４８４】
また第３連結孔４７５２ａの通路上には、第６送球経路ＫＲ６に配設されるセンサＳＥと異なるセンサＳＥ２が配設される。これにより、第３連結孔４７５２ａの内部に入った球を検出することができる。
【０４８５】
これにより、屈曲部材７４０の開口７４４から排出される球は、入賞口４０６３に入賞させることができる。即ち、屈曲部材７４０に案内される球が、センサＳＥを通過する形態だけでなく、開口７４４から遊技領域へ流出する形態、更には、その流出した球が、入賞口４０６３内に入りセンサＳＥ２を通過する形態を形成でき、遊技に興趣を付与することができる。
【０４８６】
なお、入賞口４０６３は、開口７４４から遊技領域へ流出した球の全てを受け入れ可能な位置に配置されていても良く、或いは、開口７４４から遊技領域へ流出した球の状態に応じて、一部の球は受け入れると共に一部の球は受け入れられない位置に配設されていても良い。
【０４８７】
また、開口７４４は、第１送球通路ＫＲ１と第２送球通路ＫＲ２との連結部分に形成されるので、球詰まりが発生しそうな球を開口から遊技領域に払い出すことで、第１送球経路ＫＲ１と第２送球経路ＫＲ２との連結部分に球が詰まることを抑制できる。
【０４８８】
さらに、入賞口４０６３及び開口７４４が形成される屈曲部材７４０は、遊技盤１３の正面側に配置されるので、開口７４４から払い出され球が入賞口４０６３に入る態様を遊技者に視認可能にでき、遊技者に興趣と付与しやすくできる。
【０４８９】
第３連結孔４７５２ａは、第６送球経路ＫＲ６に配置されるセンサＳＥの上方に連結されるので、入賞口４０６３から入る球は、第３連結孔４７５２ａに配置されるセンサＳＥ２を通過するだけでなく、第６送球経路ＫＲ６に配置されるセンサＳＥを通過する。よって、入賞口４０６３から入る球により、２のセンサを通過させることができるので、遊技者に興趣を付与することができる。
【０４９０】
また、屈曲部材７４０に送球される球は、振分け部材７６０のシーソ―部材７６２により一球毎に左右に振り分けられるので、第１送球経路ＫＲ１と第２送球経路ＫＲ２との連結部分に球が連続して送球されることを抑制できる。よって、第１送球経路ＫＲ１と第２送球経路ＫＲ２との連結部分に球が詰まることを抑制できる。
【０４９１】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４９２】
上記各実施形態において、１の実施形態の一部または全部を他の１又は複数の実施形態の一部または全部と入れ替えて又は組み合わせて、遊技機を構成しても良い。
【０４９３】
上記第１実施形態では、センターフレーム６００に１のセンサ６３０が配設される場合を説明したが、必ずしもこれに限られるものではない。例えば、センターフレーム６００の左右方向中心線を対称に２のセンサ６３０を配置しても良く。３以上のセンサ６３０を配設しても良い。
【０４９４】
上記第１実施形態では、センサ６３０がセンターフレーム６００の枠体６１０に配設される場合を説明したが、必ずしもこれに限られるものではない。例えば、センサ６３０を上下変位ユニット４００の正面カバー４６０に配置しても良い。この場合、センサ６３０の照射範囲を広域にすることができるので、そのセンサ６３０の検出領域を拡大することができる。
【０４９５】
上記第１実施形態では、センターカバー６２０のカバー部材６２１を、正面側が凸の湾曲面として形成される場合を説明したが、必ずしもこれに限られるものではない。例えば、正面側中央部で断面略Ｖ字状に屈曲するものであっても良い。また、背面側に凸の湾曲面として形成しても良い。他には、一部に湾曲面が形成されるものであっても良い。少なくとも、センサ６３０から出射される光がカバー部材６３０に反射されて、遊技盤１３の前方の物体を検知できれば良い。
【０４９６】
上記第１実施形態では、センターカバー６２０のカバー部材６２１を、背面側に配設される第３図柄表示装置８１を遊技者に視認させる役割と、センサ６３０から出射される光を兼用する場合を説明したが、必ずしもこれに限られるものではなく、カバー部材６２１の領域を、第３図柄表示装置８１を遊技者に視認させ領域と、センサ６３０から出射される光を反射する領域と、の領域に領域を区切っても良い。この変形例について、図５６を参照して説明する。図５６は、変形例としてのセンターフレーム６００の断面図である。なお、上記各実施形態と同一の部分には同一の符号を付してその説明を省略する。また、図５６は、図４０（ｂ）の断面図と対応し、センターカバー６２０の断面のみが模式的に図示される。さらに、図５６は、センターフレーム６００の背面側に配置される第３図柄表示装置８１の外形が２点鎖線で図示される。
【０４９７】
図５６に示すように、センターフレーム６００のカバー部材６２１は、左右方向（図５６左右方向）の両端部に第２領域Ｒ２と、その両端の第２領域Ｒ２の中央側（第３図柄表示装置８１の正面側）に第１領域Ｒ１と、を備えて形成される。
【０４９８】
第１領域Ｒ１は、カバー部材６２１の背面側に配置される第３図柄表示装置８１を遊技者から視認可能にする領域であり、比較的透明度の高い光透過性の材量から形成される。第２領域Ｒ２は、センサ６３０から出射される光を遊技機１３の正面側（遊技者側）に反射させる領域である。なお、第１領域Ｒ１と第２領域Ｒ２との境界位置は、遊技機１３の正面側に位置する遊技者から視認可能であれば良いので、正面視における第３図柄表示装置８１の外形と略同一の位置が好ましい。また、この変形例では、理解を容易とするためにセンサ６３０を左右両端に配設した様態で説明する。
【０４９９】
この場合、例えば、第２領域Ｒ２の背面側または正面側に銀伯などの反射率の高い部材をコーティングしても良い。または、第２領域Ｒ２の背面側または正面側に銀色のシールを添付してよい。この場合、センサ６３０から照射される光を反射させやすくすることができるので、遊技盤１３の正面側の物体の検出をより確実に行うことができる。
【０５００】
他には、第２領域Ｒ２の部分を背面側に凸となる湾曲形状にしても良いし、第２領域Ｒ２の部分を平面にしても良い。この場合、センサ６３０から出射される光が第２領域Ｒ２で反射されて正面側に出射される範囲を広くすることができるので、センサ６３０の検出範囲を拡大することができる。
【０５０１】
上記各実施形態では、センサ６３０は、カバー部材６２１よりも前方に配設される場合を説明したが、必ずしもこれに限られるものではなく、例えば、センサ６３０を、カバー部材６２１よりも後方に配設してもよい。この場合、センサ６３０から出射された光はカバー部材６２１を透過されることで、遊技盤１３の正面側の物体を検知することができる。さらに、この場合、カバー部材６２０が正面側に凸の湾曲形状とされることで、センサ６３０から出射される光をカバー部材６３０に入射された際に、その照射角度を変化させることができる。即ち、正面側に凸の湾曲形状のカバー部材６３０を透過させることで、遊技盤１３の正面側に出射されるセンサ６３０の照射範囲を広くすることができる。
【０５０２】
上記各実施携帯では、振分け部材７６０の２の傾斜面７６１（第３送球経路ＫＲ３）が同じ長さで形成される場合を説明したが、必ずしもこれに限られるものではななく、２の傾斜面７６１（第３送球経路ＫＲ３）の長さをそれぞれ異なる長さにしてもよい。この場合、振分け部材７２０のシーソー部材７６２で左右に振分けられるそれぞれの球がセンサＳＥに検知されるまでの時間を左右の経路で異ならせることができるので、遊技者に興趣を与えることができる。
【０５０３】
上記第１及び第２実施形態では、ローラ４９２ａが、弾性体で形成される場合を説明したが、必ずしもこれに限られるものではない。例えば、ローラ４９２ａをゴムやウレタンよりも弾性率の低い素材で形成して、そのローラ４９２ａの外周面にゴムやウレタン等の弾性体の部材を外嵌するものであってもよい。この場合、弾性体の体積を小さくできるので、ローラ部材４９２の製造コストを抑えることができる。
【０５０４】
上記第１実施形態では、センターフレーム６００のカバー部材６２１の厚みを一定に形成する場合を説明したが、必ずしもこれに限られるものではなく、カバー部材６２１の厚みを変えてもよい。例えば、カバー部材６２１の断面形状を略Ｄ字形状に形成してもよい。この場合、カバー部材６２１は、凸レンズとなるので、カバー部材６２１の背面側に配置される第３図柄表示装置８１、装飾部材４５０を大きく表示することができる。
【０５０５】
上記第１実施形態では、ローラ４９２ａの弾性変形を利用して、ローラ４９２ａを、正面ベース４５２の当接面４５２ｈとケース部材４９１の膨出部４９１ｃとの間に挟み込む場合を説明したが、必ずしもこれに限られるものではなく、ローラ４９２ａの変位を利用するものであってもよい。例えば、ローラ４９２ａの軸部４９２ｂを変位可能に形成して、ローラ４９２ａを変位させて、正面ベース４５２の当接面４５２ｈとケース部材４９１の膨出部４９１ｃとの間に挟み込むものであってもよい。
【０５０６】
この場合、ローラ４９２ａの弾性変形を利用することなくローラ４９２ａを、正面ベース４５２の当接面４５２ｈとケース部材４９１の膨出部４９１ｃとの間に挟み込むことができるので、ローラ４９２ａをゴムやウレタンの弾性率の高い素材で形成する必要がなく、例えば、ゴムやウレタンよりも弾性率の低い樹脂で形成することができるので、その分、製造コストを抑えることができる。
【０５０７】
上記第３実施形態では、上部に配置されるローラ４９２ａが下部に配置されるローラ４９２ａよりも先に装飾部材４５０と当接する場合を説明したが、必ずしもこれに限られるものではなく、上部に配置されるローラ４９２ａが下部に配置されるローラ４９２ａよりよりも後に装飾部材４５０に当接するものであってもよい。
【０５０８】
例えば、初期位置（正面ベース４５２の当接面４５２ｈとローラ４９２ａとが離間した位置）における規制ユニット４９０の上部に配置されるローラ４９２ａは、正面ベース４５２の当接面４５２ｈと前後方向（図５０（ａ）左右方向）に所定の隙間を備えるように構成してもよい。この場合、装飾部材４５０が第１位置に変位する際に、第１及び第３実施形態よりも、ローラ４９２ａと当接するまでの時間が遅くされるので、装飾部材４５０を駆動する駆動モータ４４１の負荷（抵抗）が大きくなる時間を短くすることができる。
【０５０９】
上記第１実施形態では、照射規制部５４４とＬＥＤ５３２とが当接する状態で配置される場合を説明したが、必ずしもこれに限られるものではなく、照射規制部５４４とＬＥＤとの対向間に所定の隙間が形成されてもよい。この場合、照射孔５４３の両端を開放状態とすることができるので、照射孔５４３の内部に空気が留まる（滞留する）ことを抑制できる。即ち、照射孔５４３の内部に空気の流れを作ることができるので、ＬＥＤ５３２の動作で発生する熱を効率的に冷却することができる。
【０５１０】
上記第１実施形態では、粗面加工が凹凸の形状に形成される場合を説明したが、必ずしもこれに限られるものではなく、粗面加工が凸（突起）のみからなる面であっても良く、凹（窪み）のみからなる面であってもよい。また、粗面加工は、条または溝として延設されるものであってもよい。さらに、凹および凸の断面形状は、円形、打鍵、多角径、これらを組み合わせた形状のいずれであっても良い。即ち、基準位置よりも高い部分と低い部分とが形成され、光が、反射可能な複数の部分（面）が形成され、乱反射可能とされていれば、凹凸の形状は任意である。
【０５１１】
上記各実施形態において、煙を発生させる煙発生装置（煙発生手段）を遊技盤１３（ベース板６０）の背面側に設け、その煙発生装置から発生される煙を、回転ユニット５００の変位領域（回転領域）に導入するようにしても良い。即ち、第３図柄表示装置８１とセンターフレーム６００（センターカバー６２０）との間の空間に煙が充満された雰囲気を形成しても良い。これにより、ＬＥＤ５３２から発光された光を煙を通過させつつ遊技者に視認させることができ、かかるＬＥＤ５３２の点滅を際立たせることができる。また、煙により回転ユニット５００またはその背面側の部材を隠しつつ（遊技者から視認され難くしつつ）、ＬＥＤ５３２の点滅のみを視認させることができる。よって、ＬＥＤ５３２（光）による演出効果を高めることができる。
【０５１２】
なお、従来品では、回転ユニットの回転に伴って、煙が外周側に押し出されて、上述した空間に煙を充満させておくことが困難であった。よって、煙の効果を得ることが困難であった。これに対し、上述した各実施形態における回転ユニット５００によれば、上面ベース５１０及び下面ベース５２０に送風孔５１２，５２２が開口されると共に、上面ベース５１０及び下面ベース５２０を組み立てた構造体の背面側が開放されるので、送風孔５１２，５２２から取り込んだ外気を背面側から排気して、循環させることができる。よって、上述した空間に煙を充満させておく（回転ユニット５００の周囲に留まらせておく）ことができる。その結果、煙が充満した雰囲気中でＬＥＤ５３２を点滅させることができ、上述した効果を奏することができる。
【０５１３】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５１４】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５１５】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５１６】
以下に、本発明の遊技機に加えて上述した実施形態に含まれる各種発明の概念を示す。
【０５１７】
＜センターカバー６２０を一例とする発明の概念について＞
中央に開口を有する遊技盤と、その遊技盤の開口を介して視認可能に配設される液晶表示装置と、光を発光すると共に前記光の物体による反射光を受光することで前記液晶表示装置の正面側における前記物体の存在を検出するセンサ装置と、を備えた遊技機において、前記液晶表示装置の正面側に配設され、少なくとも正面が凸の湾曲面として形成されると共に光透過性材料からなる正面部材を備えることを特徴とする遊技機Ａ１。
【０５１８】
ここで、中央に開口を有する遊技盤と、その遊技盤の開口を介して視認可能に配設される液晶表示装置と、光を発光すると共にその光の物体（例えば、遊技者の手）による反射光を受光することで液晶表示装置の正面側における物体の存在を検出するセンサ装置（モーションセンサ）とを備えた遊技機が知られている（例えば、特開２０１４−２０８１３９号公報）。この場合、センサ装置が遊技者から視認可能に露出されると、遊技者の興趣が損なわれる。そのため、センサ装置は、装飾部材の背面側に配置され、遊技者から視認され難くされる。センサ装置は、装飾部材の側方の開放部分を介して、光を発光すると共にその光の物体による反射光を受光して物体の存在を検出するところ、センサ装置が装飾部材の側方の開放部分から離間して（奥側に後退して）配設されるほど、遊技者からは視認され難くできるが、物体を検出可能な範囲が狭くなり、センサ装置が装飾部材の側方の開放部分に近接して配設されるほど、物体を検出可能な範囲を広くできるが、遊技者から視認されやすくなる。即ち、センサ装置を遊技者から視認され難くしつつ、物体を検出可能な範囲を確保することが困難であるという問題点があった。
【０５１９】
これに対し、遊技機Ａ１によれば、液晶表示装置の正面側に配設され、少なくとも正面が凸の湾曲面として形成されると共に光透過性材料からなる正面部材を備えるので、センサ装置から発光された光を正面部材で反射させて物体に到達させることができると共に、物体による反射光を正面部材で反射させてセンサ装置に到達させることができる。よって、その分、センサ装置を装飾部材の側方の開放部分から離間させて（奥側に後退させて）配設することができるので、センサ装置を遊技者から視認され難くしつつ、物体を検出可能な範囲を確保することができる。なお、正面部材は光透過性材料からなるので、液晶表示装置に表示される図柄の視認性を確保できる。
【０５２０】
また、正面が凸の湾曲面とされるので、センサ装置から発光された光を正面部材の正面で反射させる場合には、センサ装置から近い位置では、反射の角度（反射角）をより鋭角とできる一方、センサ装置から遠い位置では、反射の角度（反射各）をより鈍角とすることができ、その分、物体を検出可能な範囲を拡大しやすくできる。なお、物体による反射光を正面部材の正面で反射させる場合も同様である。
【０５２１】
遊技機Ａ１において、前記正面部材は、少なくとも前記湾曲面として形成される部分の厚み寸法が略一定の値に設定されることを特徴とする遊技機Ａ２。
【０５２２】
遊技機Ａ２によれば、遊技機Ａ１の奏する効果に加え、正面部材は、少なくとも湾曲面として形成される部分の厚み寸法が略一定の値に設定されるので、正面部材が凸レンズとして作用することを抑制して、液晶表示装置に表示される図柄の視認性を確保できる。また、正面部材の背面側に空間を形成できるので、その分、他の部材（変位可能に形成される変位部材）が変位するためのスペースを確保できる。
【０５２３】
遊技機Ａ２において、前記液晶表示装置および正面部材の間を変位可能に形成される変位部材を備え、前記正面部材は、その正面部材の周縁のうちの第１部分が第２部分よりも正面側となる位置に配設されることを特徴とする遊技機Ａ３。
【０５２４】
遊技機Ａ３によれば、遊技機Ａ２の奏する効果に加え、正面部材は、その正面部材の周縁のうちの第１部分が第２部分よりも正面側となる位置に配設されるので、遊技盤の背面側と正面部材の背面側との間で変位部材が変位する際の通路として第１部分を利用することができる。一方で、正面部材の周縁のうちの第２部分が第１部分よりも背面側に位置するので、その分、限られたスペース内において、正面部材の曲率を大きくすることができる。
【０５２５】
前記正面部材の第１部分は、前記遊技盤の背面と略同一または遊技盤の背面よりも正面側となる位置に配設され、前記正面部材の第２部分は、前記遊技盤の背面よりも背面側となる位置に配設されることを特徴とする遊技機Ａ４。
【０５２６】
遊技機Ａ４によれば、遊技機Ａ３の奏する効果に加え、正面部材の第１部分は、遊技盤の背面と略同一または遊技盤の背面よりも正面側となる位置に配設されるので、変位部材が第１部分に干渉することをより確実に抑制でき、その分、変位部材の大型化を図ることができる。また、正面部材の第２部分は、遊技盤の背面よりも背面側となる位置に配設されるので、正面部材の曲率をより大きくすることができ、その分、正面部材の正面を光の反射面として利用しやすくできる。即ち、センサ装置を遊技者から視認され難くしつつ、物体を検出可能な範囲を確保することができる。
【０５２７】
遊技機Ａ３又はＡ４において、前記遊技盤の開口の内縁に配設されるセンターフレームを備え、前記変位部材は、前記遊技盤の背面側と前記正面部材の背面側との間で変位可能に形成される本体部材と、その本体部材に回転可能に配設される回転部材とを備え、前記正面部材の第２部分が前記センターフレームに連結されることを特徴とする遊技機Ａ５。
【０５２８】
遊技機Ａ５によれば、遊技機Ａ３又はＡ４の奏する効果に加え、第２部分がセンターフレームに連結されるので、変位部材（本体部材）が正面部材の背面側に変位され回転部材が回転されることで発生する風を第２部分（正面部材）により遮ることができる。その結果、風の作用により球の流下が影響を受けることを抑制できる。また、回転部材の回転により風が発生し、その風により埃や粉塵が吹き飛ばされた場合でも、第２部分（正面部材）により遮ることができるので、吹き飛ばされた埃や粉塵がセンサ装置の発光・受光の光路上に舞い上がり、検出の精度が低下することを抑制できる。
【０５２９】
遊技機Ａ５において、前記センターフレームは、球が転動可能に形成されるステージを備え、前記正面部材の第２部分は、前記センターフレームのうちの少なくともステージを含む範囲に連結されることを特徴とする遊技機Ａ６。
【０５３０】
ここで、センターフレームのステージには、そのステージを転動する球が背面側へ落下しないように、背面壁が立設されるものが従来から知られている。しかし、かかる従来品では、回転部材の回転により発生した風が、ステージから立設される背面壁の立設先端から正面側へ回り込んで、或いは、遊技盤の正面側のガラス板で折り返されて、ステージを転動する球に影響を与える。一方、ステージを転動する球に風の影響を与えなくするために、背面壁を正面側まで湾曲させて、ステージの球の周囲を覆う形状とする（即ち、閉じた通路を形成する）と、ステージを転動する球を遊技者が視認し難くなるため、遊技の興趣が損なわれる。
【０５３１】
これに対し、遊技機Ａ６によれば、遊技機Ａ５の奏する効果に加え、正面部材の第２部分は、センターフレームのうちの少なくともステージを含む範囲に連結されるので、回転部材が回転されることで発生する風を第２部分（正面部材）により遮ることができる。その結果、ステージの周囲を覆う必要がないので、ステージを転動する球を遊技者に視認させやすくしつつ、風の作用により球の流下が影響を受けることを抑制できる。
【０５３２】
遊技機Ａ５又はＡ６において、前記正面部材の第１部分は、前記遊技盤の開口における内縁またはセンターフレームとの間に所定の間隔を隔てて配設されることを特徴とする遊技機Ａ７。
【０５３３】
遊技機Ａ７によれば、遊技機Ａ５又はＡ６のいずれかにおいて、正面部材の第１部分は、前記遊技盤の開口における内縁またはセンターフレームとの間に所定の間隔を隔てて配設されるので、かかる所定の間隔を介して、遊技盤および正面部材の背面側と正面側とを連通させることができる。その結果、変位部材（本体部材または回転部材）から発生する熱が、遊技盤および正面部材の背面側にこもることを抑制できる。
【０５３４】
遊技機Ａ７において、前記正面部材の第１部分は、前記正面部材の周縁のうちの鉛直方向上側の領域に形成されることを特徴とする遊技機Ａ８。
【０５３５】
遊技機Ａ８によれば、遊技機Ａ７の奏する効果に加え、正面部材の第１部分は、その正面部材の周縁のうちの鉛直方向上側の領域に形成されるので、回転部材が回転されることで発生する風を、遊技領域のうちの上側の領域（遊技盤の開口の上側の領域）へ向けて流すことができ、風の作用により球の流下が影響を受けることを抑制できる。即ち、遊技領域のうちの上側の領域を流下する球は、発射装置から発射され遊技領域へ流入された初期の球であり、その速度が比較的速いため、例えば、センターフレームのステージ上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０５３６】
ここで、変位部材（本体部材または回転部材）から熱が発生すると、その熱により温められた空気は上昇されるところ、正面部材の第１部分は、正面部材の周縁のうちの鉛直方向上側の領域に形成される、即ち、遊技盤および正面部材の背面側と正面側とを連通させる隙間（所定の間隔）をより上側に形成することができる。その結果、変位部材（本体部材または回転部材）から発生する熱を、隙間を介して遊技盤および正面部材の正面側へ流しやすくして、遊技盤および正面部材の背面側に熱がこもることを抑制できる。
【０５３７】
遊技機Ａ１からＡ８のいずれかにおいて、前記正面部材の正面は、その法線方向が少なくとも水平方向よりも下方を指向する湾曲面として形成されることを特徴とする遊技機Ａ９。
【０５３８】
ここで、正面部材は、液晶表示装置の正面側に配設されるため、遊技者の顔にほぼ対面される（真正面に向かい合う）。そのため、正面部材の正面が凸の湾曲面として形成されると、店内の天井に設置された蛍光灯や他の遊技機からの光が遊技者へ向けて反射され、遊技者が眩しく感じると共に、液晶表示装置の視認性が悪化する（正面部材に蛍光灯や他の遊技機の光が映りこむことで、液晶表示装置が見え難くなる）恐れがある。
【０５３９】
これに対し、遊技機Ａ９によれば、遊技機Ａ１からＡ８の奏する効果に加え、正面部材の正面は、その法線方向が少なくとも水平方向よりも下方を指向する湾曲面として形成されるので、正面部材の正面へ入射された光を下方へ向けて反射させることができる。即ち、店内の天井に設置された蛍光灯や他の遊技機からの光が正面部材の正面へ入射された場合に、かかる光が遊技者へ向けて反射されることを抑制でき、その結果、遊技者が眩しく感じることや、液晶表示装置の視認性が悪化することを抑制できる。
【０５４０】
遊技機Ａ９において、前記正面部材の第１部分は、前記正面部材の周縁のうちの鉛直方向上側の領域に形成され、前記正面部材は、少なくとも前記湾曲面として形成される部分の厚み寸法が略一定の値に設定されると共に、鉛直方向上方に位置する前記正面ほど水平方向成分が大きくなることを特徴とする遊技機Ａ１０。
【０５４１】
遊技機Ａ１０によれば、遊技機Ａ９の奏する効果に加え、正面部材の第１部分は、正面部材の周縁のうちの鉛直方向上側の領域に形成され、正面部材は、少なくとも湾曲面として形成される部分の厚み寸法が略一定の値に設定されると共に、鉛直方向上方に位置する正面ほど水平方向成分が大きくなるので、変位部材（本体部材または回転部材）から発生した熱により温められた空気を、正面部材の背面に沿って上昇させることができると共に、その上昇した空気（熱）を、正面部材の第１部分（遊技盤および正面部材の背面側と正面側とを連通させる隙間（所定の間隔））から遊技盤および正面部材の正面側へ流しやすくできる。その結果、遊技盤および正面部材の背面側に熱がこもることを抑制できる。
【０５４２】
＜振分け装置７００を一例とする発明の概念について＞
球が通過可能な通路を形成する通路部材を備え、前記通路部材の一部に屈曲部が形成された遊技機において、前記通路部材は、前記屈曲部の側壁に開口形成される開口を備えることを特徴とする遊技機Ｂ１。
【０５４３】
ここで、球が通過可能な通路を形成する通路部材を備えた遊技機が知られている（例えば、特開２０１５−９７７６４号公報）。この場合、通路部材の一部に屈曲部を形成することも行われる。屈曲部を形成することで、球の送球方向（通路から遊技領域へ球を流出させる位置）を変更できるので、レイアウトの自由度を高めることができる。しかしながら、上述した従来の遊技機のように、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生することがあるという問題点があった。
【０５４４】
これに対し、遊技機Ｂ１によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０５４５】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０５４６】
遊技機Ｂ１において、前記通路部材の屈曲部は、略鉛直方向に延設される鉛直通路と、その鉛直通路から下降傾斜しつつ延設される延設通路とを備え、前記開口は、前記鉛直通路と前記延設通路とが交差する領域に形成されることを特徴とする遊技機Ｂ２。
【０５４７】
遊技機Ｂ２によれば、遊技機Ｂ１の奏する効果に加え、通路部材の屈曲部は、略鉛直方向に延設される鉛直通路と、その鉛直通路から下降傾斜しつつ延設される延設通路とを備え、開口は、鉛直通路と延設通路とが交差する領域に形成されるので、球詰まりの発生を抑制できる。
【０５４８】
即ち、鉛直通路と延設通路とが交差する領域は、鉛直通路を流下（落下）した球が方向転換して延設通路の延設方向へ向けて転動を開始する位置であり、先行する球に後行する球が追いつきやすい。そのため、先行する球を後行する球が側壁に押し付けることで、両者が転動できなくなり、球詰まりが発生しやすい。これに対し、遊技機Ｂ２によれば、かかる鉛直通路と延設通路とが交差する領域に開口が形成されるので、先行する球に後行する球が追いついても、先行する球を側壁に押し付け難くでき、両者の転動を継続させやすくできる。その結果、球詰まりの発生を抑制できる。
【０５４９】
遊技機Ｂ２において、前記開口は、前記鉛直通路と前記延設通路とが交差する領域であって、前記延設通路の延設方向に沿って球が転動する際の左右の側壁に形成されることを特徴とする遊技機Ｂ３。
【０５５０】
遊技機Ｂ３によれば、遊技機Ｂ２の奏する効果に加え、開口は、鉛直通路と延設通路とが交差する領域であって、延設通路の延設方向に沿って球が転動する際の左右の側壁に形成されるので、先行する球に後行する球が追いついた場合でも、先行する球を左右の側壁に押し付け難くでき、両者の転動を継続させやすくできる。その結果、球詰まりの発生を抑制できる。
【０５５１】
遊技機Ｂ３において、前記鉛直通路と前記延設通路とが交差する領域であって、転動面となる底壁および前記延設通路の延設方向に沿って球が転動する際の背面側の側壁には、前記延設通路の下降傾斜よりも大きな角度で下降傾斜される傾斜面が形成されることを特徴とする遊技機Ｂ４。
【０５５２】
遊技機Ｂ４によれば、遊技機Ｂ３の奏する効果に加え、鉛直通路と延設通路とが交差する領域であって、転動面となる底壁および前記延設通路の延設方向に沿って球が転動する際の背面側の側壁には、延設通路の下降傾斜よりも大きな角度で下降傾斜される傾斜面が形成されるので、鉛直通路を流下（落下）する球が方向転換して延設通路の延設方向へ向けて転動を開始する際には、かかる球を傾斜面の下降傾斜を利用して速やかに転動させることができる。これにより、後行する球が追いつくよりも前に、先行する球を転動させやすくでき、先行する球が後行する球によって背面側（延設通路の延設方向に沿って球が転動する際の背面側）の側壁に押し付けられることを抑制できるので、両者の転動を継続させやすくできる。その結果、球詰まりの発生を抑制できる。
【０５５３】
なお、傾斜面の傾斜は、直線状の傾斜、曲線状の傾斜、又は、これらを組み合わせた傾斜のいずれであっても良い。また、傾斜面の下降傾斜の角度は、その傾斜面の全域で、延設通路の下降傾斜の角度よりも大きな角度である必要はなく、少なくとも傾斜面の一部における下降傾斜の角度が延設通路の下降傾斜の角度よりも大きな角度であれば足りる趣旨である。
【０５５４】
遊技機Ｂ２からＢ４のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設されることを特徴とする遊技機Ｂ５。
【０５５５】
遊技機Ｂ５によれば、遊技機Ｂ２からＢ４のいずれかの奏する効果に加え、通路部材の屈曲部のうちの少なくとも鉛直通路と延設通路とが交差する領域（即ち、開口が形成される部分）が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。
【０５５６】
遊技機Ｂ２からＢ５のいずれかにおいて、前記開口は、前記鉛直通路と前記延設通路とが交差する領域における側壁であって、転動面となる底壁から球の半径に相当する高さ位置を含む範囲に形成されることを特徴とする遊技機Ｂ６。
【０５５７】
遊技機Ｂ６によれば、遊技機Ｂ２からＢ５のいずれかにおいて、開口は、鉛直通路と延設通路とが交差する領域における側壁であって、転動面となる底壁から球の半径に相当する高さ位置を含む範囲に形成されるので、鉛直通路を流下（落下）する球が延設通路の底壁に到達した際に、かかる球を開口に受け入れやすくできる。よって、先行する球に後行する球が追いついた場合でも、先行する球を側壁に押し付け難くでき、両者の転動を継続させやすくできる。その結果、球詰まりの発生を抑制できる。
【０５５８】
遊技機Ｂ２からＢ６のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設され、前記開口は、球が通過可能な大きさに形成されることを特徴とする遊技機Ｂ７。
【０５５９】
遊技機Ｂ７によれば、遊技機Ｂ２からＢ６のいずれかにおいて、通路部材の屈曲部のうちの少なくとも鉛直通路と前記延設通路とが交差する領域（即ち、開口が形成される部分）が遊技盤の正面側に配設され、開口は、球が通過可能な大きさで形成されるので、球詰まりの発生を抑制しやすくできる。
【０５６０】
即ち、開口の大きさが、球が通過不能な大きさとされる場合には、通常は、開口を利用して、先行する球を側壁に押し付け難くできるが、例外的に、後行する球が先行する球を開口の中心へ押し付ける形態が形成され、先行する球が開口に内嵌される（嵌り込む）場合がある。この場合には、後行する球の転動が、開口に嵌り込んだ球に阻害され、球詰まりが発生する。
【０５６１】
これに対し、遊技機Ｂ７によれば、後行する球が先行する球を開口の中心へ押し付ける形態が形成された場合でも、先行する球を開口から通路部材の外部（遊技盤の正面側の遊技領域）へ排出することができ、先行する球が開口に内嵌される（嵌り込む）ことを回避できる。これにより、後行の球の転動を継続させることができるので、球詰まりの発生を抑制できる。
【０５６２】
また、このように、球が通過可能な大きさで開口が形成されると共に、その開口が遊技盤の正面側（即ち、遊技領域）に配設されることで、遊技領域を流下する球を開口から通路部材へ流入させることができる。よって、遊技の興趣の向上を図ることができる。例えば、屈曲部よりも下流に入賞球を検出するセンサが配設される場合には、屈曲部よりも上流から通路部材へ流入した球に加え、開口から通路部材へ流入した球も入賞口として検出させることができる。特に、この場合には、開口（鉛直通路と前記延設通路とが交差する領域）は、遊技盤の正面側に配設されるので、開口から通路部材へ流入する球を遊技者に視認させることができる。
【０５６３】
遊技機７において、前記開口の内縁下端は、前記延設通路の底壁から所定距離だけ離間された位置に設定されることを特徴とする遊技機Ｂ８。
【０５６４】
遊技機Ｂ８によれば、遊技機Ｂ７の奏する効果に加え、開口の内縁下端は、延設通路の底壁から所定距離だけ離間された位置に設定されるので、開口の内縁下端と延設通路の底壁との間に側壁を残す（形成する）ことができる。よって、球が通過可能な大きさに開口が形成される場合であっても、かかる開口を介して、通路部材から外部（遊技領域）へ不必要に球が流出することを抑制できる。
【０５６５】
遊技機Ｂ１からＢ８において、前記通路部材は、前記屈曲部へ向けて下降傾斜して形成され前記屈曲部の上流側に連結される共に遊技領域の幅方向に沿って略直線状に延設される傾斜通路を備え、前記傾斜通路の上流側を遊技領域の幅方向中央に位置させると共に前記屈曲部を遊技領域の幅方向外側に位置させる姿勢で前記通路部材が一対配置されると共に、それら一対の通路部材における屈曲部の間に入賞装置が位置されることを特徴とする遊技機Ｂ９。
【０５６６】
遊技機Ｂ９によれば、通路部材は、屈曲部へ向けて下降傾斜して形成され屈曲部の上流側に連結される共に遊技領域の幅方向に沿って略直線状に延設される傾斜通路を備え、傾斜通路の上流側を遊技領域の幅方向中央に位置させると共に屈曲部を遊技領域の幅方向外側に位置させる姿勢で通路部材が一対配置されると共に、それら一対の通路部材における屈曲部の間に入賞装置が位置される。
【０５６７】
この場合、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。
【０５６８】
これに対し、遊技機Ｂ９によれば、屈曲部の側壁に開口が形成されることで、かかる屈曲部における球詰まりの発生し難くできるので、その分、傾斜通路の下降傾斜の角度を小さく（下降傾斜を緩やかと）することができる。その結果、傾斜通路の配設に必要な高さ方向のスペースが抑制でき、入賞装置の配設を可能とすることができる。即ち、遊技機Ｂ９記載の通路部材および入賞装置の配置は、従来品では不可能な配置であり、上述のように、屈曲部の側壁に開口を形成することで初めて可能となったものである。
【０５６９】
遊技機Ｂ９において、正面側に遊技領域が形成される遊技盤を備え、前記通路部材の屈曲部のうちの少なくとも前記鉛直通路と前記延設通路とが交差する領域が前記遊技盤の正面側に配設され、前記通路部材の屈曲部のうちの前記遊技盤の正面側に配設された部分と前記遊技領域の下方縁部との間には少なくとも球が通過可能な隙間が形成されることを特徴とする遊技機Ｂ１０。
【０５７０】
ここで、遊技盤の中央には開口が形成され、その開口を介して液晶表示装置を遊技者に視認させる。近年、液晶表示装置の大型化の要請に伴い、遊技盤中央の開口も大きくなることで、遊技盤中央の開口の下方縁部と遊技領域の下方縁部との間のスペースが狭くされる。そのため、従来品では、遊技機９記載の通路部材および入賞装置に相当する部材を、遊技盤中央の開口の下方縁部と遊技領域の下方縁部との間のスペースに配置することが困難であった。即ち、上述したように、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。また、屈曲部の上下方向における配設位置が下がる（低くなる）ため、かかる屈曲部と遊技領域の下方縁部との間に球が通過可能な隙間を確保することが困難となり、屈曲部の両側にそれぞれアウト口を設けることが必要となる。
【０５７１】
これに対し、遊技機Ｂ１０によれば、遊技機Ｂ９の奏する効果に加え、屈曲部の側壁に開口が形成されることで、かかる屈曲部における球詰まりの発生し難くできるので、その分、傾斜通路の下降傾斜の角度を小さく（下降傾斜を緩やかと）することができる。その結果、屈曲部の上下方向における配設位置を上げる（高くする）ことができるので、かかる屈曲部と遊技領域の下方縁部との間に球が通過可能な隙間を確保することができる。よって、屈曲部の両側にそれぞれアウト口を設けることを不要とできる。即ち、遊技機Ｂ９記載の通路部材および入賞装置の配置において、更に、遊技機Ｂ１０記載の配置（屈曲部と遊技領域の下方縁部との間に球が通過可能な隙間が形成された配置）は、従来品では不可能な配置であり、上述のように、屈曲部の側壁に開口を形成することで初めて可能となったものである。
【０５７２】
＜回転ユニット５００を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記本体部材は、前記発光手段の光を透過させる透過部と、回転方向に面する側壁に貫通形成される複数の貫通孔を備えることを特徴とする遊技機Ｃ１。
【０５７３】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。
【０５７４】
この場合、特開２０１５−１００３８５号公報の技術では、発光手段が露出されているため、外観が損なわれる。一方、特開２０１５−０５３９６８号公報の技術では、透光性を有する部材（押しボタン）を通して、発光手段の光を視認させる。よって、発光手段は露出されない。しかしながら、この場合、発光手段が配設された部材（リール）を回転させても、その回転は視認されないため、残像効果による残像表示を行う意味がない。即ち、複数の発光手段をマトリックス状に縦横に配列し、それら各発光手段の点滅を制御することによっても、同様の表示を行うことができる。
【０５７５】
そこで、本願出願人は、複数の発光手段が列設される基板を本体部材に収容し、その本体部材をベース部材に回転可能に軸支させた回転表示装置を考案した（本願出願時において未公知）。これによれば、発光手段が本体部材に収容されているので、発光手段が視認され難く、外観が損なわれない。また、本体部材の回転が視認可能な状態で、発光手段の点滅による残像表示を視認させるので、興趣を高められる。しかしながら、この場合、発光手段が本体部材に収容されるので、発光手段の冷却が困難であるという問題点を新たに見出した。発光手段（ＬＥＤ）やそれを制御するＩＣ・コンデンサ等は、基盤にはんだ付けされるところ、これら発光手段やＩＣ・コンデンサが動作する際の発熱を十分に冷却できない場合には、はんだが溶けて、接触不良を招く恐れがある。
【０５７６】
これに対し、遊技機Ｃ１によれば、本体部材は、回転方向に面する側壁に貫通形成される複数の貫通孔を備えるので、本体部材が回転される際に、複数の貫通孔から本体部材の内部へ外気を取り込むことができる。よって、発光手段が動作する際の発熱を冷却することができる。
【０５７７】
遊技機Ｃ１において、前記本体部材は、背面側が開放された容器状の形状に形成されることを特徴とする遊技機Ｃ２。
【０５７８】
遊技機Ｃ２によれば、遊技機Ｃ１の奏する効果に加え、本体部材は、背面側が開放された容器状の形状に形成されるので、側壁の貫通孔から取り込んだ外気を背面側から効率的に排気することができる。よって、発光手段が動作する際の発熱を冷却することができる。また、このように、本体部材の背面側から排気することで、かかる排気が、遊技領域を流下（又は、ステージを転動する）球に影響を与えることを抑制できる。
【０５７９】
遊技機Ｃ２において、前記本体部材は、本体部材の回転平面における直径方向に沿う長尺形状となる正面視矩形状に形成されると共に、正面側を形成する正面壁が長手方向端部側ほど背面側に後退する湾曲形状に形成されることを特徴とする遊技機Ｃ３。
【０５８０】
遊技機Ｃ３によれば、遊技機Ｃ２の奏する効果に加え、本体部材は、本体部材の回転平面における直径方向に沿う長尺形状となる正面視（即ち、回転軸方向視）矩形状に形成されるので、本体部材の回転に伴う遠心力を利用して、本体部材の内部の空気を長手方向端部側（回転時の径方向外方）へ流動させ、背面側から排気することができる。よって、かかる空気の流動に伴って、回転軸およびその近傍において、背面側から外気を本体部材へ取り込むことができる。即ち、回転軸およびその近傍では、回転速度が低いため、側壁の貫通孔からの外気の取り込み効率が悪い（又は取り込めない）ところ、遠心力を利用した空気の循環（回転軸およびその近傍における背面側から外気を取り込み、その取り込んだ外気を遠心力で長手方向端部側（回転時の径方向外方）へ流動させ、径方向外方側における背面側から排気する空気の流動）を形成することができる。その結果、発光手段が動作する際の発熱を冷却することができる。特に、回転軸およびその近傍に配設される発光手段の冷却を達成することができる。
【０５８１】
この場合、本体部材の正面側を形成する正面壁が、本体部材の回転平面に平行な形状であると（即ち、本体部材が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０５８２】
これに対し、遊技機Ｃ３によれば、正面側を形成する正面壁が長手方向端部側ほど背面側に後退する湾曲形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転軸およびその近傍に配設される発光手段の冷却をより確実に達成することができる。
【０５８３】
遊技機Ｃ２又はＣ３において、前記本体部材は、回転軸およびその回転軸の近傍における背面側の開放面積が、長手方向端部側における背面側の開放面積よりも大きくされることを特徴とする遊技機Ｃ４。
【０５８４】
遊技機Ｃ４によれば、遊技機Ｃ２又はＣ３の奏する効果に加え、本体部材は、回転軸およびその回転軸の近傍における背面側の開放面積が、長手方向端部側における背面側の開放面積よりも大きくされるので、回転に伴う遠心力を利用して、本体部材の内部の空気を長手方向端部側（回転時の径方向外方）へ流動させ、径方向外方側における背面側から排気することで、回転軸およびその近傍における背面側から外気を取り込む際に、その取込を効率的に行うことができる。
【０５８５】
遊技機Ｃ４において、前記本体部材は、回転軸およびその回転軸の近傍における背面側の開放部分が、回転軸と同心の円形に形成されることを特徴とする遊技機Ｃ５。
【０５８６】
遊技機Ｃ５によれば、遊技機Ｃ４の奏する効果に加え、本体部材は、回転軸およびその回転軸の近傍における背面側の開放部分が、回転軸と同心の円形に形成されるので、本体部材の回転に伴って、回転軸およびその近傍の背面側の外気が乱れる（回転方向の流動が形成される）ことを抑制できる。その結果、回転軸およびその近傍における背面側から外気を効率的に取り込むことができる。
【０５８７】
遊技機Ｃ２からＣ５のいずれかにおいて、前記ベース部材に本体部材を回転可能に軸支する軸部材を備え、その軸部材は、前記本体部材の背面側から背面側へ向かうに従って縮径されることを特徴とする遊技機Ｃ６。
【０５８８】
遊技機Ｃ６によれば、遊技機Ｃ２からＣ５のいずれかの奏する効果に加え、ベース部材に本体部材を回転可能に軸支する軸部材は、本体部材の背面側から背面側へ向かうに従って縮径されるので、本体部材の回転に伴って、回転軸およびその近傍における背面側から外気を取り込む際には、軸部材の外周面に沿う外気の流れを円滑とでき、流動抵抗を低減できる。その結果、回転軸およびその近傍における背面側から外気の取りこみを効率化できるので、回転軸およびその近傍に配設される発光手段の冷却をより確実に達成することができる。
【０５８９】
遊技機Ｃ１からＣ６のいずれかにおいて、前記基板は、前記発光手段が搭載される面またはその面と反対側の面を前記本体部材の側壁に対面させる姿勢で前記本体部材に収納されることを特徴とする遊技機Ｃ７。
【０５９０】
遊技機Ｃ７によれば、遊技機Ｃ１からＣ６のいずれかの奏する効果に加え、基板は、発光手段が搭載される面またはその面と反対側の面を本体部材の側壁に対面させる姿勢で本体部材に収納されるので、側壁に貫通形成された貫通孔から導入される外気を、発光手段又はＩＣ・コンデンサへ効率的に噴き付けて、放熱効果を高めることができる。その結果、発光手段又はＩＣ・コンデンサが動作する際の発熱を効果的に冷却することができる。また、基板が本体部材に収容される姿勢が、基板の表面または裏面を本体部材の側壁に対面させる姿勢とされることで、本体部材の正面視の幅寸法（長手方向に直交する方向の寸法）を小さくできる。その結果、本体部材（回転表示装置）が停止された状態において、その背面側に配設される部材や装置の視認性を確保できる。
【０５９１】
遊技機Ｃ１からＣ７のいずれかにおいて、前記回転表示装置の本体部材の変位領域に煙を発生させる煙発生手段を備えることを特徴とする遊技機Ｃ８。
【０５９２】
遊技機Ｃ８によれば、遊技機Ｃ１からＣ７のいずれかの奏する効果に加え、回転表示装置の本体部材の変位領域に煙を発生させる煙発生手段を備えるので、発光手段の点滅を際立たせることができる。また、煙により回転表示装置を隠しつつ、発光手段の点滅のみを視認させることができ、光による演出効果を高めることができる。
【０５９３】
なお、従来の回転表示装置では、本体部材の回転に伴って、煙が外周側に押し出されて、煙の効果を得ることが困難であったが、本発明によれば、本体部材に貫通孔が形成され、外気を循環させることができるので、煙を本体部材の周囲に留まらせることができる。その結果、煙が充満した雰囲気中で発光手段を点滅させることができ、上述した効果を奏することができる。
【０５９４】
煙発生装置としては、例えば、水性又は油性のオイル（リキッド）を加熱・気化させて煙（スモーク）を発生させるタイプ、リキッド（水性・油性）をコンプレッサーにて加圧・拡散させ、空気中に細かい粒子として滞留させるタイプ、炭酸ガスを噴出させるタイプなどが例示される。
【０５９５】
遊技機Ｃ８において、中央に開口を有する遊技盤と、その遊技盤の開口を介して視認可能に配設される液晶表示装置と、前記液晶表示装置の正面側に配設され、正面側に凸に湾曲して形成されると共に光透過性材料からなる正面部材とを備え、前記回転表示部材の少なくとも本体部材が前記液晶表示装置と前記正面部材との間に位置されることを特徴とする遊技機Ｃ９。
【０５９６】
遊技機Ｃ９によれば、遊技機Ｃ８の奏する効果に加え、中央に開口を有する遊技盤と、その遊技盤の開口を介して視認可能に配設される液晶表示装置と、液晶表示装置の正面側に配設され、正面側に凸に湾曲して形成されると共に光透過性材料からなる正面部材とを備え、回転表示部材の少なくとも本体部材が液晶表示装置と正面部材との間に位置されるので、煙発生装置から発生した煙を本体部材の変位領域に留まらせやすく（閉じ込めやすく）できる。よって、煙が充満する雰囲気中で発光手段を点滅させて、その点滅を際立たせることや、煙により回転表示装置を隠しつつ、発光手段の点滅のみを視認させることが行いやすくできる。その結果、光による演出効果を高めることができる。特に、正面部材が正面へ向けて凸に湾曲されるので、その正面部材の背面側の空間に煙を留めやすくできる。その結果、上述した煙を利用した光の演出効果を高めやすくできる。
【０５９７】
＜回転ユニット５００を一例とする発明の概念について＞
ベース部材と、そのベース部材に対して第１位置および第２位置の間で変位される本体部材と、その本体部材に変位可能に配設される変位部材とを備え、前記本体部材が少なくとも前記第１位置に配置された状態で前記変位部材が変位される遊技機において、前記ベース部材または本体部材の一方に回転可能に軸支される回転部材と、前記本体部材が前記第１位置に配置された状態で前記回転部材の外周面に当接可能に対面されると共に前記ベース部材または本体部材の他方に配設される当接部材とを備え、前記本体部材が第１位置へ配置される際の変位方向と前記回転部材の回転方向とが略平行に設定されることを特徴とする遊技機Ｄ１。
【０５９８】
ここで、ベース部材と、そのベース部材に対して第１位置および第２位置の間で変位される本体部材と、その本体部材に変位可能に配設される変位部材とを備え、本体部材が第１位置に配置された状態で変位部材が変位可能に形成された遊技機が知られている（例えば、特開２０１３−１６２９９０号公報）。
【０５９９】
この場合、本体部材が第１位置に配置され、変位部材が変位されると、その変位部材の変位に伴って、本体部材がベース部材に対してがたつくことがある。そこで、本体部材とベース部材とを係合させる係合手段を設け、がたつきを抑制するものがある。係合手段は、本体部材またはベース部材の一方に配設され付勢手段により付勢される係合部材と、その係合部材に係合可能に形成されると共に本体部材またはベース部材の他方に配設される被係合部材とを備え、ベース部材に対する本体部材の変位（第１位置へ向かう変位）を利用して、係合部材を付勢手段の付勢力に抗しつつ後退させ、本体部材が第１位置に配置されると、係合部材を付勢手段の付勢力で前進させて被係合部材に係合させる。これにより、ベース部材に対する本体部材の相対的な変位が係合手段の係合により規制され、変位部材の変位に伴う本体部材のベース部材に対するがたつきが抑制される。
【０６００】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（本体部材を第１位置から第２位置へ向けて変位させる）際にも、付勢手段の付勢力に抗して係合部材を後退させる必要があり、本体部材をベース部材に対して変位させる際に必要な駆動力が嵩むという問題点があった。
【０６０１】
これに対し、遊技機Ｄ１によれば、ベース部材または本体部材の一方に回転可能に軸支される回転部材と、本体部材が第１位置に配置された状態で回転部材の外周面に当接可能に対面されると共にベース部材または本体部材の他方に配設される当接部材とを備えるので、回転部材の外周面に当接部材が当接されることで、ベース部材に対する本体部材の相対的な変位を規制して、変位部材の変位に伴う本体部材のベース部材に対するがたつきを抑制できる。この場合、本体部材が第１位置へ配置される際の変位方向と回転部材の回転方向とが略平行に設定されるので、本体部材を第１位置へ配置する際および第１位置から第２位置へ変位させる際には、その変位に伴って回転部材を回転させることができるので、本体部材をベース部材に対して変位させる際に必要な駆動力を抑制できる。
【０６０２】
遊技機Ｄ１において、前記回転部材は、少なくとも外周面側が弾性変形可能な弾性体から形成されることを特徴とする遊技機Ｄ２。
【０６０３】
遊技機Ｄ２によれば、遊技機Ｄ１の奏する効果に加え、回転部材は、少なくとも外周面側が弾性変形可能な弾性体から形成されるので、回転部材の外周面に当接部材が当接される際には、回転部材の外周面側を弾性変形させて、当接部材に回転部材を保持させやすくできる。これにより、回転部材を回転し難くして、ベース部材に対する本体部材の相対的な変位を規制できるので、変位部材の変位に伴う本体部材のベース部材に対するがたつきを抑制できる。
【０６０４】
なお、弾性体としては、ゴムやウレタンなどに例示される粘弾性体であることが好ましい。この場合には、その制振効果によって、変位部材の変位に伴い本体部材からベース部材へ入力される振動を減衰・絶縁させる振動減衰機能または振動絶縁機能を果たすことができ、ベース部材側に配設される各種機器の摩耗や故障、締結部の緩みなどを抑制できるからである。特に、変位部材が周期的に変位される場合（例えば、バーサライタとして機能するために、比較的高速で回転される場合など）には、比較的小振幅かつ高周波数の振動が本体部材からベース部材へ入力されるため、粘弾性体を採用することが特に有効となる。
【０６０５】
遊技機Ｄ１又はＤ２において、前記回転部材は、径方向に変位可能に形成され、前記ベース部材または本体部材の一方は、前記本体部材が前記第１位置に配置された状態で、前記回転部材を挟んで前記当接部材と対向配置されると共に、回転部材の外周面に当接可能に対面される対向部材を備えることを特徴とする遊技機Ｄ３。
【０６０６】
遊技機Ｄ３によれば、遊技機Ｄ１又はＤ２の奏する効果に加え、回転部材は、径方向に変位可能に形成され、ベース部材または本体部材の一方は、本体部材が第１位置に配置された状態で、回転部材を挟んで当接部材と対向配置されると共に、回転部材の外周面に当接可能に対面される対向部材を備えるので、変位部材の変位に伴う本体部材のベース部材に対するがたつきにより、回転部材の外周面に当接部材が当接された際には、回転部材の反対側の外周面を対向部材に当接させることができる。即ち、当接部材と対向部材との間に回転部材を挟み込むことができる。これにより、回転部材を回転し難くして、ベース部材に対する本体部材の相対的な変位を規制できるので、変位部材の変位に伴う本体部材のベース部材に対するがたつきを抑制できる。
【０６０７】
なお、回転部材を径方向へ変位可能とする形態としては、例えば、回転部材を回転可能に軸支する軸が径方向に変位可能に形成される形態、回転部材を回転可能に軸支する軸の外径がその軸を受け入れる回転部材の挿通孔の内径よりも小さくされる形態、回転部材に固定される軸の外径がその軸を受け入れる本体部材またはベース部材の一方の挿通孔よりも小さくされる形態などが例示される。
【０６０８】
遊技機Ｄ３において、前記ベース部材または本体部材の一方に固定される軸を備え、前記回転部材は、前記軸が挿通される軸支孔を内周側に備える断面円環形状に弾性体から形成され、前記回転部材の径方向への変位は、前記弾性体が弾性変形されることで形成されることを特徴とする遊技機Ｄ４。
【０６０９】
遊技機Ｄ４によれば、遊技機Ｄ３の奏する効果に加え、回転部材の径方向への変位は、弾性体が弾性変形されることで形成されるので、変位部材の変位に伴う本体部材のベース部材に対するがたつきにより、当接部材と対向部材との間に回転部材が挟み込まれた場合には、回転部材（弾性体）の弾性回復力を利用して、当接部材および対向部材に回転部材をより強固に保持させやすくできる。これにより、回転部材を回転し難くして、ベース部材に対する本体部材の相対的な変位を規制できるので、変位部材の変位に伴う本体部材のベース部材に対するがたつきを抑制できる。
【０６１０】
また、このように、回転部材の径方向への変位を、弾性体の弾性変形を利用して行う構成とすることで、回転部材の軸支孔に挿通される軸を、径方向に可動な軸として形成する必要がなく、ベース部材または本体部材の一方に固定される軸として形成できる。これにより、構造を簡素化して、耐久性の向上と製品コストの削減とを図ることができる。
【０６１１】
遊技機Ｄ１からＤ４のいずれかにおいて、前記ベース部材または本体部材の一方には、前記回転部材が一対配設され、それら一対の回転部材は、前記本体部材が第１位置へ配置される際の変位方向に所定間隔を隔てつつ並設されることを特徴とする遊技機Ｄ５。
【０６１２】
遊技機Ｄ５によれば、遊技機Ｄ１からＤ４のいずれかの奏する効果に加え、ベース部材または本体部材の一方には、回転部材が一対配設され、それら一対の回転部材は、本体部材が第１位置へ配置される際の変位方向に所定間隔を隔てつつ並設されるので、本体部材をベース部材に対して変位させる際に必要な駆動力を抑制しつつ、変位部材の変位に伴う本体部材のベース部材に対するがたつきを効果的に抑制できる。
【０６１３】
即ち、回転部材の外周面に当接部材が当接されることで、ベース部材に対する本体部材の相対的な変位を規制するところ、当接部材に当接される対象が１の回転部材のみであると、回転部材が回転されて当接部材が傾倒するおそれがあり、かかる回転部材の回転に伴う当接部材の傾倒は、変位部材の変位に伴う本体部材のベース部材に対するがたつきの要因となる。
【０６１４】
これに対し、遊技機Ｄ５によれば、一対の回転部材が所定間隔を隔てつつ並設されるので、これら一対の回転部材に対して、当接部材が所定間隔を隔てて２カ所で当接されるので、回転部材を回転させずに当接することができ、当接部材が傾倒することを抑制できる。その結果、変位部材の変位に伴う本体部材のベース部材に対するがたつきを効果的に抑制できる。
【０６１５】
遊技機Ｄ１からＤ５のいずれかにおいて、前記当接部材は、前記回転部材が当接される当接面のうちの前記本体部材が第１位置へ配置される際に前記回転部材を受け入れる側の端部に前記当接面から離間するに従って下降傾斜される傾斜面が形成されることを特徴とする遊技機Ｄ６。
【０６１６】
遊技機Ｄ６によれば、遊技機Ｄ１からＤ５のいずれかの奏する効果に加え、当接部材は、回転部材が当接される当接面のうちの本体部材が第１位置へ配置される際に回転部材を受け入れる側の端部に当接面から離間するに従って下降傾斜される傾斜面が形成されるので、本体部材が第１位置へ配置される際には、傾斜面を利用して、回転部材を当接部材の当接面へ案内することができる。これにより、本体部材を第１位置へ配置する際に必要な駆動力を抑制できる。
【０６１７】
遊技機Ｄ１からＤ６のいずれかにおいて、前記回転部材が前記ベース部材に配設されると共に、前記当接部材が前記本体部材に配設されることを特徴とする遊技機Ｄ７。
【０６１８】
遊技機Ｄ７によれば、遊技機Ｄ１からＤ６のいずれかの奏する効果に加え、回転部材がベース部材に配設されると共に、当接部材が本体部材に配設されるので、比較的重量が嵩む回転部材を配設する必要ない分、本体部材を軽量化して、本体部材の変位に必要な駆動力を抑制できる。また、変位部材の変位に伴う本体部材のベース部材に対するがたつきを抑制する際には、振動源側となる本体部材を軽量化できることで、がたつきを抑制しやすくできる。
【０６１９】
遊技機Ｄ１からＤ７のいずれかにおいて、前記変位部材は、前記本体部材に回転可能に配設され、その変位部材の回転平面が、前記当接部材の前記回転部材に当接される当接面と前記回転部材の回転軸とにそれぞれ略平行とされることを特徴とする遊技機Ｄ８。
【０６２０】
遊技機Ｄ８によれば、遊技機Ｄ１からＤ７のいずれかの奏する効果に加え、変位部材は、本体部材に回転可能に配設され、その変位部材の回転平面が、当接部材の回転部材に当接される当接面と回転部材の回転軸とにそれぞれ略平行とされるので、本体部材を第１位置へ配置する際および第１位置から第２位置へ変位させる際に必要な駆動力を抑制しつつ、変位部材の変位（回転）に伴う本体部材のベース部材に対するがたつきを効果的に抑制できる。
【０６２１】
即ち、変位部材の変位形態が回転であるので、本体部材は、変位部材の歳差運動（変位部材の回転軸が円をえがくように振れる運動）に起因して、変位部材の回転平面を傾倒させる態様（モード）で振動される。よって、変位部材の回転平面が、当接部材の当接面と回転部材の回転軸とにそれぞれ略平行とされることで、当接部材の当接面を、回転部材の回転軸に直交する方向から回転部材の外周面に押し付けることができる。その結果、本体部材を第１位置へ配置する際および第１位置から第２位置へ変位させる際には、回転部材が回転されることで、本体部材の変位に必要な駆動力を抑制しつつ、回転部材の外周面への当接部材の当接により、変位部材の変位（回転）に伴う本体部材のベース部材に対するがたつきを効果的に抑制できる。
【０６２２】
遊技機Ｄ１からＤ８のいずれかにおいて、駆動力を発生する駆動手段と、その駆動力を前記本体部材へ伝達して前記第１位置および第２位置の間で変位させる伝達手段とを備え、前記伝達手段は、前記駆動手段の駆動力により第１軸を回転中心として回転される回転体およびその回転体の第１軸から偏心して前記回転体から突設されるピン部を有するクランク部材と、そのクランク部材のピン部が摺動する案内溝を有し前記ピン部が前記案内溝に沿って摺動することで第２軸を回転中心として回転されると共にその回転に伴って前記本体部材を変位させるアーム部材とを備え、前記本体部材が前記第１位置に配置された状態では、前記クランク部材の第１軸とピン部の軸心とを結ぶ直線が、前記アーム部材の第２軸と前記クランク部材のピン部の軸心とを結ぶ直線に対して略直交されることを特徴とする遊技機Ｄ９。
【０６２３】
遊技機Ｄ９によれば、遊技機Ｄ１からＤ８のいずれかの奏する効果に加え、本体部材のがたつきを効果的に抑制できる。
【０６２４】
ここで、本発明では、本体部材が第１位置へ配置される際の変位方向と回転部材の回転方向とが略平行に設定される。そのため、第１位置における本体部材のがたつき方向が、第１位置から第２位置へ又はその逆へ向かう方向であると、かかる方向に対しては、回転部材が回転しやすくなるため、その回転部材によるがたつき抑制の効果が発揮され難くなる。
【０６２５】
これに対し、遊技機Ｄ９によれば、本体部材が第１位置に配置された状態では、クランク部材の第１軸とピン部の軸心とを結ぶ直線が、アーム部材の第２軸とクランク部材のピン部の軸心とを結ぶ直線に対して略直交されるので、本体部材が、その変位によりアーム部材を回転させようとしても、クランク部材を回転させる方向の力成分が形成されない状態（即ち、死点）を形成できる。即ち、第１位置から第２位置へ又はその逆へ向かう方向の本体部材のがたつきを抑制できる。これにより、本体部材のがたつきの方向が、第１位置から第２位置へ又はその逆へ向かう方向（即ち、回転部材が回転しやすい方向）であっても、クランク部材およびアーム部材が死点を形成することで、本体部材のがたつきを効果的に抑制できる。
【０６２６】
＜規制ユニット４９０を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記基板は、前記発光手段が搭載される面を前記本体部材の回転軸と略平行とする姿勢で前記本体部材に収容されることを特徴とする遊技機Ｅ１。
【０６２７】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。しかしながら、上述した従来の技術では、基板の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置の回転が停止された状態において、その回転表示装置の背面側の視認性が阻害されるという問題点があった。
【０６２８】
これに対し、遊技機Ｅ１によれば、回転表示装置は、複数の発光手段が列設される基板と、その基板を収容する本体部材と、その本体部材を回転可能に軸支するベース部材とを備え、基板は、発光手段が搭載される面を本体部材の回転軸と略平行とする姿勢で本体部材に収容されるので、正面視（回転軸方向視）における本体部材の外形を抑制することができる。その結果、回転表示装置（本体部材）の回転が停止された状態において、その本体部材の背面側の視認性を向上させることができる。
【０６２９】
遊技機Ｅ１において、前記回転表示装置は、前記基板の前記発光手段が搭載される面に対向配置される対向部材を備えることを特徴とする遊技機Ｅ２。
【０６３０】
遊技機Ｅ２によれば、遊技機Ｅ１の奏する効果に加え、回転表示装置は、基板の発光手段が搭載される面に対向配置される対向部材を備えるので、発光手段から発光された光を対向部材で反射させて、回転表示装置の正面側（遊技者側）へ出射させることができる。よって、基板の姿勢を、発光手段が搭載される面を回転軸に略平行とする姿勢とした場合でも、発光手段の光（点滅）を遊技者に視認させ、残像効果による残像表示を行うことができる。
【０６３１】
遊技機Ｅ２において、前記対向部材は、前記基板に対向する面に凹設されると共に前記本体部材の回転軸に略平行な溝状に延設される複数の凹部を備え、それら複数の凹部に前記複数の発光手段がそれぞれ対面されることを特徴とする遊技機Ｅ３。
【０６３２】
遊技機Ｅ３によれば、遊技機Ｅ２の奏する効果に加え、対向部材は、基板に対向する面に凹設されると共に本体部材の回転軸に略平行な溝状に延設される複数の凹部を備え、それら複数の凹部に複数の発光手段がそれぞれ対面されるので、複数の発光手段からそれぞれ発光された光を、対向部材の複数の凹部をそれぞれ通じて、回転表示装置の正面側（遊技者側）へ出射させることができる。即ち、各発光手段から発光された光を各凹部で区画された状態で出射させることができるので、各発光手段の光の区切りを明確とできる。その結果、残像効果による残像表示の外形を明確とできる。
【０６３３】
遊技機Ｅ３において、前記対向部材の凹部は、前記回転表示装置の正面側と反対側の端部を区画する端部区画壁を備えることを特徴とする遊技機Ｅ４。
【０６３４】
遊技機Ｅ４によれば、遊技機Ｅ３の奏する効果に加え、対向部材の凹部は、回転表示装置の正面側と反対側の端部を区画する端部区画壁を備えるので、発光手段から発光され対向部材の凹部に照射された光を、端部区画壁により反射させて、回転表示装置の正面側（遊技者側）へ出射させることができる。よって、残像効果による残像表示の光の強さを高めることができる。
【０６３５】
遊技機Ｅ４において、前記凹部の端部区画壁は、前記回転表示装置の正面側ほど前記発光手段から離間する方向へ傾斜され、前記発光手段は、前記凹部の端部区画壁に対面する位置に配設されることを特徴とする遊技機Ｅ５。
【０６３６】
遊技機Ｅ５によれば、遊技機Ｅ４の奏する効果に加え、凹部の端部区画壁は、回転表示装置の正面側ほど発光手段から離間する方向へ傾斜され、発光手段は、凹部の端部区画壁に対面する位置に配設されるので、発光手段から発光された光を、端部区画壁に照射できるので、より強い光を回転表示装置の正面側（遊技者側）へ出射させることができる。よって、残像効果による残像表示の光の強さを高めることができる。
【０６３７】
遊技機Ｅ３からＥ５のいずれかにおいて、前記対向部材の凹部は、その内面の一部が凹凸面として形成されることを特徴とする遊技機Ｅ６。
【０６３８】
遊技機Ｅ６によれば、遊技機Ｅ３からＥ５のいずれかの奏する効果に加え、対向部材の凹部は、その内面の一部が凹凸面として形成されるので、発光手段から発光された光を、凹凸面により乱反射させて、均等に分散させた状態で、回転表示装置の正面側（遊技者側）へ出射させることができる。即ち、凹部の開口から出射される光が、その開口の一部に偏った状態で視認されることを抑制できる。
【０６３９】
なお、凹凸面の凹凸は、凸（突起）のみからなる面であっても良く、凹（窪み）のみからなる面であっても良い。凸または凹は、条または溝として延設されるものであっても良い。また、凸および凹の断面形状は、円形、楕円、多角形、これらを組み合わせた形状のいずれであっても良い。即ち、基準位置よりも高い部分と低い部分とが形成され、光が反射可能な複数の部分（面）が形成され、乱反射可能とされていれば、凹凸の形状は任意である。
【０６４０】
遊技機Ｅ６において、前記凹凸面は、前記対向部材の凹部の内面のうちの前記回転表示装置の正面側の端部から所定の範囲には、非形成とされ、前記所定の範囲の内面は、前記凹凸面よりも平滑な面として形成されることを特徴とする遊技機Ｅ７。
【０６４１】
遊技機Ｅ７によれば、遊技機Ｅ６の奏する効果に加え、凹凸面は、対向部材の凹部の内面のうちの回転表示装置の正面側の端部から所定の範囲には、非形成とされ、所定の範囲の内面は、凹凸面よりも平滑な面として形成されるので、回転表示装置の正面側（遊技者側）へ向けて光を出射させやすくすることができ、残像効果による残像表示の光の強さを高めることができる。即ち、対向部材の凹部の内面のうちの回転表示装置の正面側の端部から所定の範囲に凹凸面が形成されると、その凹凸面で光が乱反射して、回転表示装置の正面側（遊技者側）へ向けて出射する光を減少させてしまうところ、かかる所定の範囲の内面が、凹凸面よりも平滑な面とされることで、乱反射を抑制して、回転表示装置の正面側（遊技者側）へ向かう光を増加させることができる。
【０６４２】
遊技機Ｅ７において、前記凹凸面が非形成とされる前記所定の範囲は、前記回転表示装置の正面側の端部へ向かうに従って、その内面の断面積が大きくされることを特徴とする遊技機Ｅ８。
【０６４３】
遊技機Ｅ８によれば、遊技機Ｅ７の奏する効果に加え、凹凸面が非形成とされる所定の範囲は、回転表示装置の正面側の端部へ向かうに従って、その内面の断面積が大きくされる（即ち、拡径される）ので、回転表示装置の正面側（遊技者側）へ向けて出射される光に広がりを持たせることができる。即ち、発光領域として視認される面積を、発光手段の発光面（照射面）の面積よりも拡大できる。よって、発光手段を小型化できる。
【０６４４】
遊技機Ｅ６からＥ８のいずれかにおいて、前記対向部材の凹部は、列状に配設されると共に、前記本体部材の回転軸から径方向外方に離間して配設される前記凹凸面ほど、前記本体部材の回転軸に沿う方向の長さ寸法が大きくされることを特徴とする遊技機Ｅ９。
【０６４５】
遊技機Ｅ９によれば、遊技機Ｅ６からＥ８のいずれかの奏する効果に加え、対向部材の凹部は、本体部材の回転軸から径方向外方に離間して配設される凹凸面ほど、本体部材の回転軸に沿う方向の長さ寸法が大きくされるので、複数の凹部のそれぞれ視認される明度（光の明るさ）を均一化することができる。
【０６４６】
即ち、回転表示装置では、回転軸（回転中心）から径方向外方へ向かうほど変位速度（周速）が速くなるため、列状に配設した発光手段を同じ明るさで発光させると、回転軸に近い発光手段の光ほど、回転軸から遠い（径方向外方の）発光手段の光よりも、明度が高く（明るく）見える。
【０６４７】
これに対し、遊技機Ｅ９によれば、本体部材の回転軸から径方向外方に離間して配設される凹凸面ほど、本体部材の回転軸に沿う方向の長さ寸法が大きくされるので、本体部材の回転軸から径方向外方に離間する凹部（発光手段）ほど、凹凸面による乱反射を強くして（即ち、発光手段から直接遊技者に視認される光の割合を小さくして）、高い明度の光として視認させることができる。その結果、径方向の配設位置における目で見た明るさの差を抑制して、明度（光の明るさ）を均一化できる。
【０６４８】
遊技機Ｅ３からＥ９のいずれかにおいて、前記対向部材の凹部における前記回転表示装置の正面側の端部に覆設されると共に光透過性材料から形成されるカバー部材を備え、そのカバー部材には、少なくとも前記凹部の端部に対面する領域に凹凸面が形成されることを特徴とする遊技機Ｅ１０。
【０６４９】
遊技機Ｅ１０によれば、遊技機Ｅ３からＥ９のいずれかの奏する効果に加え、対向部材の凹部における回転表示装置の正面側の端部に覆設されると共に光透過性材料から形成されるカバー部材を備え、そのカバー部材には、少なくとも凹部の端部に対面する領域に凹凸面が形成されるので、かかる凹凸面により光を乱反射させた上で、回転表示装置の正面側（遊技者側）へ向けて出射させることができる。即ち、出射される光に広がりを持たせることができるので、発光領域として視認される面積を、発光手段の発光面（照射面）の面積よりも拡大できる。よって、発光手段を小型化できる。
【０６５０】
遊技機Ｅ３からＥ１０のいずれかにおいて、前記基板と前記対向部材との間に介設される板状の介設部材を備え、その介設部材は、前記複数の発光手段と前記複数の凹部とを通じさせる位置に貫通形成される貫通孔を備えることを特徴とする遊技機Ｅ１１。
【０６５１】
遊技機Ｅ１１によれば、遊技機Ｅ３からＥ１０のいずれかの奏する効果に加え、基板と対向部材との間に介設される板状の介設部材を備え、その介設部材は、複数の発光手段と複数の凹部とを通じさせる位置に貫通形成される貫通孔を備えるので、各発光手段の光を、対応する凹部へ確実に入射させ、隣接する凹部へ入射される（漏れる）ことを抑制できる。その結果、各発光手段から発光された光を対応する凹部のみから出射させることができ、残像効果による残像表示の外形を明確とできる。
【０６５２】
また、遊技機Ｅ１１によれば、発光手段の光を、貫通孔を介して、対応する凹部へ入射させる構造体を、対向部材および介設部材の二部材から形成するので、かかる構造体を一部材から構成する場合と比較して、構造を簡素化することができる。よって、製品コストの削減を図ることができる。
【０６５３】
遊技機Ｅ１１において、前記介設部材は、前記発光手段に当接する座部を備え、その座部に前記貫通孔が形成されることを特徴とする遊技機Ｅ１２。
【０６５４】
遊技機Ｅ１２によれば、遊技機Ｅ１１の奏する効果に加え、介設部材は、前記発光手段に当接する座部を備え、その座部に前記貫通孔が形成されるので、各発光手段の光を貫通孔へ入射させやすくでき、貫通孔の外へ漏れることを抑制できる。その結果、残像効果による残像表示の光の強さを高めることができる。また、座部が発光手段に当接されることで、隣接する発光手段の光が貫通孔へ入射されることを抑制できるので、残像効果による残像表示の外形を明確とできる。
【０６５５】
遊技機Ｅ１２において、前記発光手段の照射面が正面視円形に形成されると共に、その照射面の外径と略同一の内径の断面円形に前記貫通孔が形成され、それら照射面と貫通孔とが同心に配置されることを特徴とする遊技機Ｅ１３。
【０６５６】
遊技機Ｅ１３によれば、遊技機Ｅ１２の奏する効果に加え、発光手段の照射面が正面視円形に形成されると共に、その照射面の外径と略同一の内径の断面円形に前記貫通孔が形成され、それら照射面と貫通孔とが同心に配置されるので、発光手段から発光された光を、貫通孔を介して凹部へ効率的に入射させることができる。
【０６５７】
遊技機Ｅ１３において、前記貫通孔は、前記基板側から前記対向部材へ向けて内径が拡径されることを特徴とする遊技機Ｅ１４。
【０６５８】
遊技機Ｅ１４によれば、遊技機Ｅ１３の奏する効果に加え、貫通孔は、前記基板側から前記対向部材へ向けて内径が拡径されるので、発光手段から発光された光を、貫通孔を介して凹部へ効率的に入射させることができる。また、発光手段に当接する面積を確保できるので、各発光手段の光が貫通孔の外へ漏れることを抑制できる。その結果、残像効果による残像表示の光の強さを高めることができる。
【０６５９】
遊技機Ｅ１２からＥ１４のいずれかにおいて、前記座部は、前記介設部材の前記基板と対向する面から突出して形成されることを特徴とする遊技機Ｅ１５。
【０６６０】
遊技機Ｅ１５によれば、遊技機Ｅ１２からＥ１４のいずれかの奏する効果に加え、座部は、介設部材の基板と対向する面から突出して形成されるので、その突出の分、基板と対向部材との間に空間を形成することができ、発光手段の動作により発生する熱の放熱を行うことができる。
【０６６１】
遊技機Ｅ１５において、前記介設部材は、前記基板に対向する面に凹設されると共に前記座部の基部に沿って延設される溝状の溝部を備えることを特徴とする遊技機Ｅ１６。
【０６６２】
遊技機Ｅ１６によれば、遊技機Ｅ１５の奏する効果に加え、対向部材は、基板に対向する面に凹設されると共に座部の基部に沿って延設される溝状の溝部を備えるので、介設部材の剛性を確保しつつ、放熱効果を高めることができる。即ち、座部の基部に沿って延設される溝状の溝部を形成することで、介設部材に凹設される領域を最小として、その介設部材の剛性を確保しつつ、発光手段の動作により発生する熱が特に集中する部分に対して空間を拡大して、放熱効果を高めることができる。
【０６６３】
遊技機Ｅ１５又はＥ１６において、前記座部は、隣接する座部と互いの外周面どうしが連結されることを特徴とする遊技機Ｅ１７。
【０６６４】
遊技機Ｅ１７によれば、遊技機Ｅ１５又はＥ１６の奏する効果に加え、座部は、隣接する座部と互いの外周面どうしが連結されるので、介設部材の剛性を高めることができる。
【０６６５】
なお、この場合、座部の外周面を円形として、隣接する座部と互いの外周面どうしが連結するように構成しても良い。これにより、複数の座部どうしが連結された群は、外形が凸凹に形成されるので、空間を確保して、放熱効果を高めつつ、外形の凸凹を利用して、介設部材の剛性を高まることができる。
【０６６６】
＜振り分け装置４７００を一例とする発明の概念について＞
球が通過可能な通路を形成する通路部材と、その通路部材の下流側に配置されると共に球の通過に伴って所定の特典を付与する第１特典付与手段と、を備えた遊技機において、前記第１特典付与手段よりも上流側において前記通路部材の側壁に球が通過可能な大きさに開口形成される開口と、その開口から遊技領域に流出した球が通過可能に形成されると共に球の通過に伴って所定の特典を付与する第２特典付与手段とを備えることを特徴とする遊技機Ｆ１。
【０６６７】
ここで、球が通過可能な通路を形成する通路部材を備えた遊技機が知られている（例えば、特開２０１５−９７７６４号公報）。このような通路部材の下流側には、通路部材の球の通過を検出するセンサ装置が配設され、そのセンサ装置により球の通過が検出されると、所定の特典が付与される。しかしながら、上述した従来の遊技機では、通路部材は、その下流側（センサ装置）へ向けて球を案内する機能を有するのみであり、配設に要するスペースが嵩む一方で、遊技に興趣を付与することが困難であるという問題点があった。
【０６６８】
これに対し、遊技機Ｆ１によれば、通路部材に案内された球が、第１特典付与手段を通過されると、第１特典付与手段により所定の特典が付与される。この場合、第１特典付与手段よりも上流側において通路部材の側壁に球が通過可能な大きさに開口形成される開口と、その開口から遊技領域に流出した球が通過可能に形成されると共に球の通過に伴って所定の特典を付与する第２特典付与手段とを備えるので、通路部材を案内される途中で、球が開口から遊技領域へ流出する形態を形成できると共に、かかる流出した球が第２特典付与手段を通過した場合には、第２特典付与手段により所定の特典を付与することができる。これにより、通路部材に案内される球が、第１特典付与手段を通過する形態だけでなく、開口から遊技領域へ流出する形態、更には、その流出した球が第２特典付与手段を通過する形態を形成でき、遊技に興趣を付与することができる。
【０６６９】
なお、第２特典付与手段は、開口から遊技領域へ流出した球の全てを受け入れ可能な位置に配設されていても良く、或いは、開口から遊技領域へ流出した球の状態に応じて、一部の球は受け入れると共に一部の球は受け入れない位置に配設されていても良い。
【０６７０】
また、第１特典付与手段により付与される特典と、第２特典付与手段により付与される特典とは、同じ特典であっても良く、異なる特典であっても良い。
【０６７１】
遊技機Ｆ１において、前記通路部材は、そのの一部に形成される屈曲部を備え、前記開口は、前記屈曲部の側壁に開口形成されることを特徴とする遊技機Ｆ２。
【０６７２】
ここで、通路部材の一部に屈曲部を形成することで、球の送球方向を変更できるので、レイアウトの自由度を高めることができる。しかしながら、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生するという問題点があった。
【０６７３】
これに対し、遊技機Ｆ２によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０６７４】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０６７５】
遊技機Ｆ２において、正面側に遊技領域が形成される遊技盤を備え、前記通路部材の屈曲部のうちの少なくとも前記開口が形成される部分が前記遊技盤の正面側に配設されることを特徴とする遊技機Ｆ３。
【０６７６】
遊技機Ｆ３によれば、遊技機Ｆ２の奏する効果に加え、通路部材の屈曲部のうちの少なくとも開口が形成される部分が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。また、通路部材の開口から遊技球が遊技領域へ流出する際には、その流出する態様を遊技者に視認させることができるので、遊技の興趣を高めることができる。
【０６７７】
遊技機Ｆ３において、前記第２特典付与手段は少なくともその入球口が、前記遊技盤の正面側に配設されることを特徴とする遊技機Ｆ４。
【０６７８】
遊技機Ｆ４によれば、遊技機Ｆ３の奏する効果に加え、第２特典手段の少なくとも入球口が遊技盤の正面側に配設されるので、通路部材の開口から遊技球が遊技領域へ流出する際には、その流出した球が第２特典付与手段の入球口へ入球する態様を遊技者に視認させることができるので、遊技の興趣を高めることができる。
【０６７９】
遊技機Ｆ１からＦ４のいずれかにおいて、前記第２特典付与手段を前記通路部材へ接続し、前記第２特典付与手段を通過した球を前記通路部材へ案内する接続通路を備え、その接続通路は、前記第１特典付与手段よりも上流側において前記通路部材に接続されることを特徴とする遊技機Ｆ５。
【０６８０】
遊技機Ｆ５によれば、遊技機Ｆ１からＦ４の奏する効果に加え、第２特典付与手段を通路部材へ接続し、第２特典付与手段を通過した球を通路部材へ案内するする接続通路を備え、その接続通路は、第１特典付与手段よりも上流側において通路部材に接続されるので、通路部材を案内される途中で、球が開口から遊技領域へ流出すると共に、かかる流出した球が第２特典付与手段を通過した場合には、その球を接続通路で通路部材へ案内して、第１特典付与手段を通過させることができる。よって、第２特典付与手段による特典の付与に加え、第１特典付与手段による特典の付与も行うことができ、遊技の興趣を高めることができる。
【０６８１】
遊技機Ｆ１からＦ５のいずれかにおいて、入球した球を一方および他方へ交互に振り分ける振分手段を備え、前記通路部材は、一対配設され、前記一対の通路部材のうちの一方が前記振分手段の一方に接続されると共に他方が前記振分手段の他方に接続されることを特徴とする遊技機Ｆ６。
【０６８２】
遊技機Ｆ６によれば、遊技機Ｆ１からＦ５のいずれかの奏する効果に加え、入球した球を一方および他方へ交互に振り分ける振分手段を備え、通路部材は、一対配設され、一対の通路部材のうちの一方が振分手段の一方に接続されると共に他方が振分手段の他方に接続されるので、通路部材へ球を１球ずつ入球させることができる。即ち、複数の球が連なって通路部材へ入球されることを抑制できるので、通路部材での球の詰まりを抑制できる。
【０６８３】
遊技機Ａ１からＡ１０，Ｂ１からＢ１０，Ｃ１からＣ９、Ｄ１からＤ９、Ｅ１からＥ１７及びＦ１からＦ６のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６８４】
遊技機Ａ１からＡ１０，Ｂ１からＢ１０，Ｃ１からＣ９、Ｄ１からＤ９、Ｅ１からＥ１７及びＦ１からＦ６のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６８５】
遊技機Ａ１からＡ１０，Ｂ１からＢ１０，Ｃ１からＣ９、Ｄ１からＤ９、Ｅ１からＥ１７及びＦ１からＦ６のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、球が通過可能な通路を形成する通路部材を備えた遊技機が知られている（特開２０１５−９７７６４号公報）。しかしながら、上述した遊技機では、遊技に興趣を付与することが困難であるという問題点があった。
本技術的思想は、上記例示した問題点を解決するためになされたものであり、遊技に興趣を付与することができる遊技機を提供することを目的とする。
＜手段＞
この目的を達成するために技術的思想１の遊技機は、球が通過可能な通路を形成する通路部材と、その通路部材の下流側に配置されると共に球の通過に伴って所定の特典を付与する第１特典付与手段と、を備えたものであり、前記第１特典付与手段よりも上流側において前記通路部材の側壁に球が通過可能な大きさに開口形成される開口と、その開口から遊技領域に流出した球が通過可能に形成されると共に球の通過に伴って所定の特典を付与する第２特典付与手段とを備える。
技術的思想２の遊技機は、技術的思想１記載の遊技機において、前記通路部材は、その一部に形成される屈曲部を備え、前記開口は、前記屈曲部の側壁に開口形成される。
技術的思想３の遊技機は、技術的思想２記載の遊技機において、正面側に遊技領域が形成される遊技盤を備え、前記通路部材の屈曲部のうちの少なくとも前記開口が形成される部分が前記遊技盤の正面側に配設される。
＜効果＞
技術的思想１記載の遊技機によれば、遊技に興趣を付与することができる。
技術的思想２記載の遊技機によれば、技術的思想１記載の遊技機の奏する効果に加え、球詰まりの発生を抑制できる。
技術的思想３記載の遊技機によれば、技術的思想２記載の遊技機の奏する効果に加え、遊技の興趣を高めることができる。
＜符号＞
１０ パチンコ機（遊技機）
１３ 遊技盤
８１ 第３図柄表示装置（液晶表示装置）
１００〜１０４ 基板ボックス
４１６ 軸支部（第２軸）
４１７ 突起（第１軸）
４３０ 変位部材（アーム部材）
４３１ 駆動側摺動孔（摺動溝）
４４１ 駆動モータ（駆動手段）
４４３ 伝達ギヤ（クランク部材）
４４３ａ 突起（ピン部）
４５０ 装飾部材（変位部材）
４５２ 正面ベース（本体部材）
４５２ｈ 当接面（当接部材）
４９１ｃ 膨出部（対向部材）
４９２ ローラ部材（回転部材）
４９２ｂ 軸部（軸）
５００ 回転ユニット（回転表示装置）
５１０ 上面ベース（本体部材の一部）
５１２，５２２ 送風孔（貫通孔）
５２０ 下面ベース（本体部材の一部）
５３１ 基盤部材（基盤）
５３２ ＬＥＤ（発光手段）
５４０ 中間板（介設部材）
５４３ 照射孔（貫通孔）
５４４ 照射規制部（座部）
５４６ 溝部
５５０ 正面カバー（透過部、カバー部材）
５６０ 反射板（対向部材）
５６３ａ 傾斜面（対向部材）
５７０ 回転伝達ユニット（ベース部材、軸部材）
６１０ 枠体（センターフレーム）
６２１ カバー部材（正面部材）
６２１ａ 第１部分
６２１ｂ 第２部分
６３０ センサ（センサ装置）
６４０ａ 第２入賞装置（入賞装置）
７４０ 通路部材（屈曲部材）
７４２ 案内部（傾斜面）
７４３ 下側突出部（屈曲部）
７４４ 開口
４０６３ 入賞口（第２流路）
４７５２ａ 第３連結孔（第２流路）
ＫＲ１ 第１送球経路（鉛直通路）
ＫＲ２ 第２送球経路（延設通路）
ＫＲ３ 第３送球経路（傾斜通路の一部）
ＫＲ４ 第４送球経路（傾斜通路の一部）
ＳＥ センサ（第１特典付与手段）
ＳＥ２ センサ（第２特典付与手段）
【符号の説明】
【０６８６】
１０                          パチンコ機（遊技機）
１３                          遊技盤
７４０                        屈曲部材（通路部材）
７４４                        開口（流出部）
４０６３ 入賞口（第２流路）
４７５２ａ 第３連結孔（第２流路）
ＳＥ センサ（第１特典付与手段）
ＳＥ２ センサ（第２特典付与手段）